(57)【特許請求の範囲】
【請求項１】
システムであって、
サンプルを受容し、前記受容したサンプルを使用して、前記サンプルをイオン化し、無機イオンおよび有機イオンの両方を提供するように構成されたイオン化コアと、
前記イオン化コアに流体的に結合された質量分析器と、を備え、前記質量分析器が、（ｉ）前記イオン化コアから受容した前記無機イオン、および（ｉｉ）前記イオン化コアから受容した前記有機イオンの両方からイオンを選択するように構成された少なくとも１つの質量分析計コアを備え、前記質量分析器が、最小３原子質量単位から最大２０００原子質量単位の質量を有する前記無機イオンおよび前記有機イオンを選択するための（ａ）デュアルコア質量分析計または（ｂ）２つのシングルコア質量分析計のいずれか一方を備える、システム。
【請求項２】
前記質量分析器が、第１のシングルコア質量分析計と、第２のシングルコア質量分析計と、を備え、前記第１のシングルコア質量分析計が、前記イオン化コアから受容した前記無機イオンから前記イオンを選択するように構成されており、前記第２のシングルコア質量分析計が、前記イオン化コアから受容した前記有機イオンから前記イオンを選択するように構成されている、請求項１に記載のシステム。
【請求項３】
前記質量分析器が、前記デュアルコア質量分析計を備える、請求項１に記載のシステム。
【請求項４】
前記デュアルコア質量分析計が、第１の周波数を使用して、前記イオン化コアから受容した前記無機イオンから前記イオンを選択するように構成されており、かつ前記第１の周波数とは異なる第２の周波数を使用して、前記イオン化コアから受容した前記有機イオンから前記イオンを選択するように構成されている、請求項３に記載のシステム。
【請求項５】
前記デュアルコア質量分析計が、前記第１の周波数と前記第２の周波数とを交互にして、前記無機イオンおよび前記有機イオンを順次選択するように構成されている、請求項４に記載のシステム。
【請求項６】
前記質量分析器に流体的に結合された検出器をさらに備え、前記検出器が、前記無機イオンから選択された前記イオンを検出し、かつ前記有機イオンから選択された前記イオンを検出するように構成されており、前記検出器が、電子増倍器、ファラデーカップ、マルチチャネルプレート、シンチレーション検出器、飛行時間デバイス、またはイメージング検出器を含む、請求項１に記載のシステム。
【請求項７】
前記イオン化コアが、前記無機イオンおよび前記有機イオンを前記質量分析器に順次または同時のいずれかで提供するように構成されている、請求項１に記載のシステム。
【請求項８】
前記イオン化コアが、第１のイオン化ソースと、前記第１のイオン化ソースとは異なる第２のイオン化ソースと、を備える、請求項１に記載のシステム。
【請求項９】
前記第１のイオン化ソースが、前記有機イオンを前記質量分析器に提供するように構成されている、請求項８に記載のシステム。
【請求項１０】
前記第１のイオン化ソースが、エレクトロスプレーイオン化ソース、化学イオン化ソース、大気圧イオン化ソース、大気圧化学イオン化ソース、脱離エレクトロスプレーイオン化ソース、マトリックス支援レーザー脱離イオン化ソース、熱スプレーイオン化ソース、熱脱離イオン化ソース、電子衝突イオン化ソース、フィールドイオン化ソース、二次イオンソース、プラズマ脱離ソース、熱イオン化ソース、電気流体力学的イオン化ソース、シリコン上の直接イオン化のイオン化ソース、リアルタイム直接分析のイオン化ソース、または高速原子衝撃ソースのうちの１つ以上を含む、請求項９に記載のシステム。
【請求項１１】
前記第２のイオン化ソースが、無機イオンを前記質量分析器に提供するように構成されている、請求項８に記載のシステム。
【請求項１２】
前記第２のイオン化ソースが、誘導結合プラズマ、容量結合プラズマ、マイクロ波プラズマ、フレーム、アーク、およびスパークからなる群から選択される、請求項１１に記載のシステム。
【請求項１３】
前記第１のイオン化ソースと前記質量分析器との間ならびに前記第２のイオン化ソースと前記質量分析器との間のインターフェースをさらに備え、前記インターフェースが、前記インターフェースの第１の状態では前記有機イオンを前記第１のイオン化ソースから前記質量分析器に提供するように構成されており、前記インターフェースの第２の状態では前記無機イオンを前記第２のイオン化ソースから前記質量分析器に提供するように構成されている、請求項８に記載のシステム。
【請求項１４】
前記イオン化コアが、第１のイオン化ソースと、第２のイオン化ソースと、を備え、前記第１のイオン化ソースが、前記第１のイオン化ソースを第１の位置に位置付けることによって前記質量分析器に流体的に結合され、かつ前記第１のイオン化ソースを前記第１の位置とは異なる第２の位置に位置付けることによって前記質量分析器から流体的に結合解除される、請求項１に記載のシステム。
【請求項１５】
前記第１のイオン化ソースが前記第２の位置に位置付けられると、前記第２のイオン化ソースが、前記質量分析器に流体的に結合される、請求項１４に記載のシステム。
【請求項１６】
第１のシングルコア質量分析計が、第１の四重極を含む、請求項１に記載のシステム。
【請求項１７】
前記第１のシングルコア質量分析計が、前記第１の四重極に流体的に結合された第２の四重極をさらに備える、請求項１６に記載のシステム。
【請求項１８】
前記第１のシングルコア質量分析計が、前記第２の四重極に流体的に結合された飛行時間検出器を備える、請求項１７に記載のシステム。
【請求項１９】
前記第１のシングルコア質量分析計が、前記第２の四重極に流体的に結合されたイオントラップを備える、請求項１７に記載のシステム。
【請求項２０】
前記第１のシングルコア質量分析計が、前記第２の四重極に流体的に結合された第３の四重極を備える、請求項１７に記載のシステム。
【発明の詳細な説明】
【技術分野】
【０００１】
本出願は、無機および有機質量分析法（ｉｎｏｒｇａｎｉｃ  ａｎｄ  ｏｒｇａｎｉｃ  ｍａｓｓ  ｓｐｅｃｔｒｏｍｅｔｒｙ、ＩＯＭＳ）システムおよびその使用方法を対象とする。より具体的には、本明細書に記載されるある特定の構成は、１つ以上のイオン化コアと、無機イオンおよび有機イオンの両方を濾過し得る１つ以上の質量分析計コアとを備える質量分析計を対象とする。
【背景技術】
【０００２】
質量分析法システムは、典型的には、無機種または有機種のいずれか（両方ではない）を分析するように設計されている。分析される特定のサンプルによって、サンプル中の無機分析物および有機分析物の両方を分析するために、複数の異なる機器を提供する必要がある場合がある。
【発明の概要】
【課題を解決するための手段】
【０００３】
ある特定の例示構成は、サンプル中の無機分析物および有機分析物の両方を分析するための、例えば、原子質量単位（ａｔｏｍｉｃ  ｍａｓｓ  ｕｎｉｔ、ａｍｕ）が３ａｍｕ程度の低さから２０００ａｍｕ以上までのサンプル中の分析物種を検出するためのシングル機器を使用し得る方法およびシステムを対象とする。本明細書により詳細に述べられるように、本システムは、サンプル中の無機分析物および有機分析物の両方を分析するために提供するための１つ、２つ、３つ、もしくはそれ以上のサンプル操作コア、１つ、２つ、もしくはそれ以上のイオン化ソース、および１つ、２つ、３つ、もしくはそれ以上の質量分析計コア（ｍａｓｓ  ｓｐｅｃｔｒｏｍｅｔｅｒ  ｃｏｒｅ、ＭＳＣ）を備え得る。
【０００４】
一態様では、システムは、サンプルを受容し、受容したサンプルを使用して無機イオンおよび有機イオンの両方を提供するように構成されたイオン化コアと、イオン化コアに流体的に結合された質量分析器とを備え、質量分析器が、（ｉ）イオン化コアから受容した無機イオンから、および（ｉｉ）イオン化コアから受容した有機イオンからイオンを選択するように構成された少なくとも１つの質量分析計コアを備え、質量分析器が、３原子質量単位程度に低い質量および最大２０００原子質量単位程度に高い質量を有する無機イオンおよび有機イオンを選択するように構成されている。
【０００５】
ある特定の例では、質量分析器は、第１のシングルコア質量分析計と、第２のシングルコア質量分析計とを備え、第１のシングルコア質量分析計は、イオン化コアから受容した無機イオンからイオンを選択するように構成されており、第２のシングルコア質量分析計は、イオン化コアから受容した有機イオンからイオンを選択するように構成されている。他の例では、質量分析器は、デュアルコア質量分析計を備える。いくつかの実施形態では、デュアルコア質量分析計は、第１の周波数を使用して、イオン化コアから受容した無機イオンからイオンを選択するように構成されており、かつ第１の周波数とは異なる第２の周波数を使用して、イオン化コアから受容した有機イオンからイオンを選択するように構成されている。他の例では、デュアルコア質量分析計は、第１の周波数と第２の周波数とを交互にして、無機イオンおよび有機イオンを順次選択するように構成されている。
【０００６】
いくつかの事例では、本システムは、質量分析器に流体的に結合された検出器を備え、検出器は、無機イオンから選択されたイオンを検出し、かつ有機イオンから選択されたイオンを検出するように構成されており、検出器は、電子増倍器、ファラデーカップ、マルチチャネルプレート、シンチレーション検出器、飛行時間デバイス、またはイメージング検出器を含む。ある特定の例では、イオン化コアは、無機イオンおよび有機イオンを質量分析器に順次または同時のいずれかで提供するように構成されている。他の例では、イオン化コアは、第１のイオン化ソースと、第１のイオン化ソースとは異なる第２のイオン化ソースとを備える。いくつかの実施形態では、第１のイオン化ソースは、有機イオンを質量分析器に提供するように構成されている。
【０００７】
他の実施形態では、第１のイオン化ソースは、エレクトロスプレーイオン化ソース、化学イオン化ソース、大気圧イオン化ソース、大気圧化学イオン化ソース、脱離エレクトロスプレーイオン化ソース、マトリックス支援レーザー脱離イオン化ソース、熱スプレーイオン化ソース、熱脱離イオン化ソース、電子衝突イオン化ソース、フィールドイオン化ソース、二次イオンソース、プラズマ脱離ソース、熱イオン化ソース、電気流体力学的イオン化ソース、シリコン上の直接イオン化のイオン化ソース、リアルタイム直接分析のイオン化ソース、または高速原子衝撃ソースのうちの１つ以上を含む。
【０００８】
ある特定の構成では、第２のイオン化ソースは、無機イオンを質量分析器に提供するように構成されている。他の実施形態では、第２のイオン化ソースは、誘導結合プラズマ、容量結合プラズマ、マイクロ波プラズマ、フレーム、アーク、およびスパークからなる群から選択される。
【０００９】
いくつかの事例では、本システムは、第１のイオン化ソースと質量分析器との間ならびに第２のイオン化ソースと質量分析器との間のインターフェースを備え、インターフェースは、インターフェースの第１の状態では有機イオンを第１のイオン化ソースから質量分析器に提供するように構成されており、かつインターフェースの第２の状態では無機イオンを第２のイオン化ソースから質量分析器に提供するように構成されている。いくつかの例では、イオン化コアは、第１のイオン化ソースと、第２のイオン化ソースとを備え、第１のイオン化ソースは、第１のイオン化ソースを第１の位置に位置付けることによって質量分析器に流体的に結合され、第１のイオン化ソースを第１の位置とは異なる第２の位置に位置付けることによって質量分析器から流体的に結合解除される。他の例では、第１のイオン化ソースが第２の位置に位置付けられると、第２のイオン化ソースは、質量分析器に流体的に結合される。いくつかの例では、１つの質量分析計コアは、第１の四重極を含む第１のシングルコア質量分析計を備える。いくつかの例では、第１のシングルコア質量分析計は、第１の四重極に流体的に結合された第２の四重極をさらに備える。いくつかの例では、第１のシングルコア質量分析計は、第２の四重極に流体的に結合された飛行時間検出器を備える。他の例では、第１のシングルコア質量分析計は、第２の四重極に流体的に結合されたイオントラップを備える。いくつかの事例では、第１のシングルコア質量分析計は、第２の四重極に流体的に結合された第３の四重極を備える。
【００１０】
他の例では、本システムは、第３の四重極に流体的に結合された検出器を備える。いくつかの事例では、検出器は、電子増倍器、ファラデーカップ、マルチチャネルプレート、シンチレーション検出器、飛行時間デバイス、またはイメージング検出器を含む。他の例では、質量分析計コアは、第１の四重極を含む第２のシングルコア質量分析計をさらに備える。いくつかの例では、第２のシングルコア質量分析計は、第１の四重極に流体的に結合された第２の四重極をさらに備える。他の例では、第２のシングルコア質量分析計は、第２の四重極に流体的に結合された飛行時間検出器を備える。いくつかの実施形態では、第２のシングルコア質量分析計は、第２の四重極に流体的に結合されたイオントラップを備える。他の実施形態では、第２のシングルコア質量分析計は、第２の四重極に流体的に結合された第３の四重極を備える。ある特定の事例では、本システムは、第３の四重極に流体的に結合された検出器を備え、検出器は、電子増倍器、ファラデーカップ、マルチチャネルプレート、シンチレーション検出器、飛行時間デバイス、またはイメージング検出器を含む。
【００１１】
いくつかの例では、本システムは、無線周波数を質量分析計コアに提供するように構成された可変周波数発生器を備える。他の例では、本システムは、第１のシングルコア質量分析計と第２のシングルコア質量分析計とによって使用される共通のプロセッサ、共通の電源、および少なくとも１つの共通の真空ポンプを備える。
【００１２】
別の態様では、システムは、サンプルを受容し、サンプルに対して少なくとも１つのサンプル操作を実施してサンプル中の２つ以上の分析物を分離するように構成されたサンプル操作コアと、サンプル操作コアに流体的に結合され、分離された２つ以上の分析物をサンプル操作コアから受容するように構成されたイオン化コアであって、受容したサンプルを使用して、無機イオンおよび有機イオンの両方を提供するように構成されている、イオン化コアと、イオン化コアに流体的に結合された質量分析器とを備え、質量分析器は、（ｉ）イオン化コアから受容した無機イオンから、および（ｉｉ）イオン化コアから受容した有機イオンからイオンを選択するように構成された少なくとも１つの質量分析計コアを備え、質量分析器は、３原子質量単位程度に低い質量および最大２０００原子質量単位程度に高い質量を有する無機イオンおよび有機イオンを選択するように構成されている。
【００１３】
ある特定の構成では、イオン化コアは、無機イオンおよび有機イオンを質量分析器に順次または同時に提供するように構成されている。いくつかの例では、質量分析器は、第１のシングルコア質量分析計と、第２のシングルコア質量分析計とを備える。他の例では、イオン化コアは、無機イオンを第１のシングルコア質量分析計に提供するように構成されており、かつ有機イオンを第２のシングルコア質量分析計に提供するように構成されている。いくつかの実施形態では、イオン化コアは、無機イオンを第１のシングルコア質量分析計に提供するように構成されており、第２のシングルコア質量分析計は、無機イオンが第１のシングルコア質量分析計に提供されている場合、非活性状態である。他の実施形態では、イオン化コアは、有機イオンを第２のシングルコア質量分析計に提供するように構成されており、第１のシングルコア質量分析計は、有機イオンが第２のシングルコア質量分析計に提供されている場合、非活性状態である。
【００１４】
さらなる例では、本システムは、サンプル操作コアとイオン化コアとの間のイオン化インターフェースを備え、インターフェースは、サンプルをイオン化コアの第１のイオン化ソース、およびイオン化コアの第２のイオン化ソースに提供するように構成されている。他の例では、第１のイオン化ソースは無機イオン化ソースを含み、第２のイオン化ソースは有機イオン化ソースを含む。いくつかの例では、無機イオンソースは、誘導結合プラズマ、容量結合プラズマ、マイクロ波プラズマ、フレーム、アーク、およびスパークのうちの１つ以上を含む。いくつかの実施形態では、有機イオンソースは、エレクトロスプレーイオン化ソース、化学イオン化ソース、大気圧イオン化ソース、大気圧化学イオン化ソース、脱離エレクトロスプレーイオン化ソース、マトリックス支援レーザー脱離イオン化ソース、熱スプレーイオン化ソース、熱脱離イオン化ソース、電子衝突イオン化ソース、フィールドイオン化ソース、二次イオンソース、プラズマ脱離ソース、熱イオン化ソース、電気流体力学的イオン化ソース、シリコン上の直接イオン化のイオン化ソース、リアルタイム直接分析のイオン化ソース、または高速原子衝撃ソースのうちの１つ以上を含む。
【００１５】
ある特定の事例では、本システムは、イオン化コアと質量分析器との間の濾過インターフェースを備え、インターフェースは、イオンをイオン化コアの第１のイオン化ソースから質量分析器に提供するように構成されており、かつイオンをイオン化コアの第２のイオン化ソースから質量分析器に提供するように構成されている。他の例では、濾過インターフェースは、イオンを第１のイオン化ソースから質量分析器に、および第２のイオン化ソースから質量分析器に順次または同時に提供するように構成されている。いくつかの事例では、第１のイオン化ソースは無機イオン化ソースを含み、第２のイオン化ソースは有機イオン化ソースを含む。
【００１６】
他の実施形態では、無機イオンソースは、誘導結合プラズマ、容量結合プラズマ、マイクロ波プラズマ、フレーム、アーク、およびスパークのうちの１つ以上を含む。いくつかの例では、有機イオンソースは、エレクトロスプレーイオン化ソース、化学イオン化ソース、大気圧イオン化ソース、大気圧化学イオン化ソース、脱離エレクトロスプレーイオン化ソース、マトリックス支援レーザー脱離イオン化ソース、熱スプレーイオン化ソース、熱脱離イオン化ソース、電子衝突イオン化ソース、フィールドイオン化ソース、二次イオンソース、プラズマ脱離ソース、熱イオン化ソース、電気流体力学的イオン化ソース、シリコン上の直接イオン化のイオン化ソース、リアルタイム直接分析のイオン化ソース、または高速原子衝撃ソースのうちの１つ以上を含む。
【００１７】
いくつかの例では、本システムは、第１のイオン化ソースに流体的に結合された第１のシングルコア質量分析計と、第２のイオン化ソースに流体的に結合された第２のシングルコア質量分析計とを備える。いくつかの例では、第１のシングルコア質量分析計および第２のシングルコア質量分析計のうちの少なくとも１つは、多重極ロッドアセンブリを備える。他の例では、第１のシングルコア質量分析計および第２のシングルコア質量分析計の各々は、多重極ロッドアセンブリを備える。
【００１８】
いくつかの実施形態では、本システムは、第１の検出器を備え、第１の検出器は、第１のシングルコア質量分析計および第２のシングルコア質量分析計のうちの一方または両方に流体的に結合し得る。他の例では、本システムは、第１および第２のシングルコア質量分析計と第１の検出器との間の検出器インターフェースを備える。他の事例では、検出器インターフェースは、イオンを順次、第１および第２のシングルコア質量分析計の各々から第１の検出器に提供するように構成されている。いくつかの例では、検出器インターフェースは、無機イオンが第１のイオン化ソースから第１のシングルコア分析計に提供されている場合、イオンを第１のシングルコア質量分析計から第１の検出器に提供するように構成されている。他の例では、検出器インターフェースは、有機イオンが第２のイオン化ソースから第２のシングルコア分析計に提供されている場合、イオンを第２のシングルコア質量分析計から第１の検出器に提供するように構成されている。
【００１９】
いくつかの構成では、第１の検出器は、電子増倍器、ファラデーカップ、マルチチャネルプレート、シンチレーション検出器、飛行時間デバイス、またはイメージング検出器を含む。他の構成では、本システムは、第２の検出器を備え、第１の検出器は、第１のシングルコア質量分析計に流体的に結合するように構成されており、第２の検出器は、第２のシングルコア質量分析計に流体的に結合するように構成されている。ある特定の事例では、第１の検出器および第２の検出器は、異なる検出器を含む。
【００２０】
他の例では、質量分析器は、無機イオンおよび有機イオンを順次選択するように構成されたデュアルコア質量分析計を備える。いくつかの例では、デュアルコア質量分析計は、第１の周波数を使用して無機イオンを選択し、第２の周波数を使用して有機イオンを選択するように構成された多重極アセンブリを備える。ある特定の実施形態では、デュアルコア質量分析計は、検出器に流体的に結合され、検出器は、電子増倍器、ファラデーカップ、マルチチャネルプレート、シンチレーション検出器、飛行時間デバイス、またはイメージング検出器のうちの１つ以上を含む。
【００２１】
他の例では、サンプル操作コアは、クロマトグラフィーデバイス、電気泳動デバイス、電極、ガスクロマトグラフィーデバイス、液体クロマトグラフィーデバイス、直接サンプル分析デバイス、キャピラリー電気泳動デバイス、電気化学デバイス、セル選別デバイス、またはマイクロ流体デバイスのうちの１つ以上を含む。
【００２２】
追加の態様では、システムは、サンプルを受容し、サンプルに対して少なくとも１つのサンプル操作を実施してサンプル中の２つ以上の分析物を分離するように構成された第１のサンプル操作コアを備える。本システムはまた、サンプルを受容し、サンプルに対して少なくとも１つのサンプル操作を実施してサンプル中の２つ以上の分析物を分離するように構成された第２のサンプル操作コアを備えることができ、第１のサンプル操作コアは、第２のサンプル操作コアとは異なる。本システムはまた、第１のサンプル操作コアおよび第２のサンプル操作コアに流体的に結合され、分離された２つ以上の分析物を第１および第２のサンプル操作コアの各々から受容するように構成されたイオン化コアを備えることができ、イオン化コアは、受容したサンプルを使用して、無機イオンおよび有機イオンの両方を提供するように構成されている。本システムはまた、イオン化コアに流体的に結合された質量分析器を備えることができ、質量分析器は、（ｉ）イオン化コアから受容した無機イオンから、および（ｉｉ）イオン化コアから受容した有機イオンからイオンを選択するように構成された少なくとも１つの質量分析計コアを備え、質量分析器は、３原子質量単位程度に低い質量および最大２０００原子質量単位程度に高い質量を有する無機イオンおよび有機イオンを選択するように構成されている。
【００２３】
ある特定の実施形態では、イオン化コアは、無機イオンおよび有機イオンを質量分析器に順次または同時に提供するように構成されている。他の実施形態では、質量分析器は、第１のシングルコア質量分析計と、第２のシングルコア質量分析計とを備える。いくつかの例では、イオン化コアは、無機イオンを第１のシングルコア質量分析計に提供するように構成されており、かつ有機イオンを第２のシングルコア質量分析計に提供するように構成されている。追加の実施形態では、イオン化コアは、無機イオンを第１のシングルコア質量分析計に提供するように構成されており、第２のシングルコア質量分析計は、無機イオンが第１のシングルコア質量分析計に提供されている場合、非活性状態である。他の事例では、イオン化コアは、有機イオンを第２のシングルコア質量分析計に提供するように構成されており、第１のシングルコア質量分析計は、有機イオンが第２のシングルコア質量分析計に提供されている場合、非活性状態である。
【００２４】
いくつかの例では、本システムは、第１のサンプル操作コアとイオン化コアとの間ならびに第２のサンプル操作コアとイオン化コアとの間のイオン化インターフェースを備え、イオン化インターフェースは、第１のサンプル期間中に、サンプルを第１のサンプル操作コアからイオン化コアの第１のイオン化ソースに、そしてイオン化コアの第２のイオン化ソースに提供するように構成されており、かつ第２のサンプル期間中に、サンプルを第２のサンプル操作コアからイオン化コアの第１のイオン化ソースに、そしてイオン化コアの第２のイオン化ソースに提供するように構成されている。いくつかの実施形態では、第１のイオン化ソースは無機イオン化ソースを含み、第２のイオン化ソースは有機イオン化ソースを含む。
【００２５】
他の実施形態では、無機イオンソースは、誘導結合プラズマ、容量結合プラズマ、マイクロ波プラズマ、フレーム、アーク、およびスパークのうちの１つ以上を含む。いくつかの例では、有機イオンソースは、エレクトロスプレーイオン化ソース、化学イオン化ソース、大気圧イオン化ソース、大気圧化学イオン化ソース、脱離エレクトロスプレーイオン化ソース、マトリックス支援レーザー脱離イオン化ソース、熱スプレーイオン化ソース、熱脱離イオン化ソース、電子衝突イオン化ソース、フィールドイオン化ソース、二次イオンソース、プラズマ脱離ソース、熱イオン化ソース、電気流体力学的イオン化ソース、シリコン上の直接イオン化のイオン化ソース、リアルタイム直接分析のイオン化ソース、または高速原子衝撃ソースのうちの１つ以上を含む。
【００２６】
いくつかの事例では、本システムは、イオン化コアと質量分析器との間の濾過インターフェースを備え、インターフェースは、イオンをイオン化コアの第１のイオン化ソースから質量分析器に提供するように構成されており、かつイオンをイオン化コアの第２のイオン化ソースから質量分析器に提供するように構成されている。他の例では、濾過インターフェースは、イオンを第１のイオン化ソースから質量分析器に、および第２のイオン化ソースから質量分析器に順次または同時に提供するように構成されている。いくつかの実施形態では、第１のイオン化ソースは無機イオン化ソースを含み、第２のイオン化ソースは有機イオン化ソースを含む。他の実施形態では、無機イオンソースは、誘導結合プラズマ、容量結合プラズマ、マイクロ波プラズマ、フレーム、アーク、およびスパークのうちの１つ以上を含む。いくつかの例では、有機イオンソースは、エレクトロスプレーイオン化ソース、化学イオン化ソース、大気圧イオン化ソース、大気圧化学イオン化ソース、脱離エレクトロスプレーイオン化ソース、マトリックス支援レーザー脱離イオン化ソース、熱スプレーイオン化ソース、熱脱離イオン化ソース、電子衝突イオン化ソース、フィールドイオン化ソース、二次イオンソース、プラズマ脱離ソース、熱イオン化ソース、電気流体力学的イオン化ソース、シリコン上の直接イオン化のイオン化ソース、リアルタイム直接分析のイオン化ソース、または高速原子衝撃ソースのうちの１つ以上を含む。
【００２７】
いくつかの例では、本システムは、第１のイオン化ソースに流体的に結合された第１のシングルコア質量分析計と、第２のイオン化ソースに流体的に結合された第２のシングルコア質量分析計とを備える。いくつかの例では、第１のシングルコア質量分析計および第２のシングルコア質量分析計のうちの少なくとも１つは、多重極ロッドアセンブリを備える。他の例では、第１のシングルコア質量分析計および第２のシングルコア質量分析計の各々は、多重極ロッドアセンブリを備える。
【００２８】
いくつかの実施形態では、本システムは、第１の検出器を備え、第１の検出器は、第１のシングルコア質量分析計および第２のシングルコア質量分析計のうちの一方または両方に流体的に結合し得る。
【００２９】
他の例では、本システムは、第１および第２のシングルコア質量分析計と第１の検出器との間の検出器インターフェースを備える。いくつかの例では、検出器インターフェースは、イオンを順次、第１および第２のシングルコア質量分析計の各々から第１の検出器に提供するように構成されている。他の例では、検出器インターフェースは、無機イオンが第１のイオン化ソースから第１のシングルコア分析計に提供されている場合、イオンを第１のシングルコア質量分析計から第１の検出器に提供するように構成されている。追加の例では、検出器インターフェースは、有機イオンが第２のイオン化ソースから第２のシングルコア分析計に提供されている場合、イオンを第２のシングルコア質量分析計から第１の検出器に提供するように構成されている。
【００３０】
他の例では、第１の検出器は、電子増倍器、ファラデーカップ、マルチチャネルプレート、シンチレーション検出器、飛行時間デバイス、またはイメージング検出器を含む。いくつかの実施形態では、本システムは、第２の検出器を備え、第１の検出器は、第１のシングルコア質量分析計に流体的に結合するように構成されており、第２の検出器は、第２のシングルコア質量分析計に流体的に結合するように構成されている。いくつかの事例では、第１の検出器および第２の検出器は、異なる検出器を含む。
【００３１】
いくつかの例では、質量分析器は、無機イオンおよび有機イオンを順次選択するように構成されたデュアルコア質量分析計を備える。いくつかの実施形態では、デュアルコア質量分析計は、第１の周波数を使用して無機イオンを選択し、第２の周波数を使用して有機イオンを選択するように構成された多重極アセンブリを備える。他の実施形態では、デュアルコア質量分析計は、検出器に流体的に結合され、検出器は、電子増倍器、ファラデーカップ、マルチチャネルプレート、シンチレーション検出器、飛行時間デバイス、またはイメージング検出器のうちの１つ以上を含む。
【００３２】
いくつかの事例では、第１および第２のサンプル操作コアの各々は独立して、クロマトグラフィーデバイス、電気泳動デバイス、電極、ガスクロマトグラフィーデバイス、液体クロマトグラフィーデバイス、直接サンプル分析デバイス、キャピラリー電気泳動デバイス、電気化学デバイス、セル選別デバイス、またはマイクロ流体デバイスのうちの１つ以上を含む。
【００３３】
別の態様では、システムは、サンプルを受容し、サンプルに対して少なくとも１つのサンプル操作を実施してサンプル中の２つ以上の分析物を分離するように構成されたサンプル操作コアを備える。本システムはまた、サンプル操作コアに流体的に結合され、分離された２つ以上の分析物をサンプル操作コアから受容するように構成されたイオン化コアを備えることができ、イオン化コアは、分離された分析物から使用して無機イオンを提供するように構成された無機イオン化ソースを含み、イオン化コアはさらに、分離された分析物から有機イオンを提供するように構成された有機イオン化ソースを含む。本システムはまた、イオン化コアに流体的に結合された質量分析器を備えることができ、質量分析器は、（ｉ）無機イオン化ソースによって提供された無機イオンから、および（ｉｉ）有機イオン化ソースによって提供された有機イオンからイオンを選択するように構成された少なくとも１つの質量分析計コアを備え、質量分析器は、質量分析器の質量分析計コアに結合される共通のプロセッサ、共通の電源、および共通の真空ポンプを備える。本システムはまた、イオンを質量分析器から受容し、受容したイオンを質量分析器により検出するように構成された検出器を備え得る。
【００３４】
ある特定の例では、質量分析器は、第１のシングルコア質量分析計と、第２のシングルコア質量分析計とを備え、第１および第２のシングルコア質量分析計の各々は、多重極ロッドアセンブリを備える。他の例では、第１のシングルコア質量分析計の多重極ロッドアセンブリは、第１の無線周波数を使用して、無機イオン化ソースから受容した無機イオンを選択するように構成されている。いくつかの実施形態では、第２のシングルコア質量分析計の多重極ロッドアセンブリは、第１の無線周波数とは異なる第２の無線周波数を使用して、有機イオン化ソースから受容した有機イオンを選択するように構成されている。
【００３５】
他の実施形態では、第１のシングルコア質量分析計は、検出器に流体的に結合されたトリプル四重極ロッドアセンブリを備え、検出器は、電子増倍器、ファラデーカップ、マルチチャネルプレート、シンチレーション検出器、飛行時間デバイス、またはイメージング検出器のうちの１つ以上を含む。
【００３６】
いくつかの例では、第２のシングルコア質量分析計は、検出器に流体的に結合されたトリプル四重極ロッドアセンブリを備え、検出器は、電子増倍器、ファラデーカップ、マルチチャネルプレート、シンチレーション検出器、イメージング検出器、または飛行時間デバイスのうちの１つ以上を含む。
【００３７】
いくつかの事例では、第２のシングルコア質量分析計は、飛行時間デバイスに流体的に結合された二連四重極ロッドアセンブリを備え、検出器は、第１のシングルコア質量分析計に流体的に結合され、検出器は、電子増倍器、ファラデーカップ、マルチチャネルプレート、シンチレーション検出器、イメージング検出器、または飛行時間デバイスのうちの１つ以上を含む。
【００３８】
いくつかの実施形態では、質量分析器は、デュアルコア質量分析計を備え、デュアルコア質量分析計は、第１の周波数を使用して、無機イオン化ソースによって提供された無機イオンからイオンを選択し、選択された無機イオンを検出器に提供するように構成されており、デュアルコア質量分析計はさらに、第２の周波数を使用して、有機イオン化ソースによって提供された有機イオンからイオンを選択し、選択された有機イオンを検出器に提供するように構成されている。
【００３９】
他の例では、検出器は、電子増倍器、ファラデーカップ、マルチチャネルプレート、シンチレーション検出器、イメージング検出器、または飛行時間デバイスのうちの１つ以上を含む。
【００４０】
いくつかの例では、サンプル操作コアは、クロマトグラフィーデバイス、電気泳動デバイス、電極、ガスクロマトグラフィーデバイス、液体クロマトグラフィーデバイス、直接サンプル分析デバイス、キャピラリー電気泳動デバイス、電気化学デバイス、セル選別デバイス、またはマイクロ流体デバイスのうちの１つ以上を含む。
【００４１】
追加の態様では、イオン化コアに流体的に結合された質量分析器を使用して無機イオンおよび有機イオンを順次検出する方法は、（ｉ）イオン化コアから受容した無機イオンから、および（ｉｉ）イオン化コアから受容した有機イオンからイオンを順次選択することを含み、質量分析器は、各々が共通のプロセッサ、共通の電源、および少なくとも１つの共通の真空ポンプを使用するように構成された第１のシングルコア質量分析計と、第２のシングルコア質量分析計とを備え、第１のシングルコア質量分析計は、イオン化コアから受容した無機イオンからイオンを選択するように構成されており、第２のシングルコア質量分析計は、イオン化コアから受容した有機イオンからイオンを選択するように構成されている。
【００４２】
いくつかの例では、本方法は、第１の分析期間中に、選択された無機イオンを第１のシングルコア質量分析計から第１の検出器に提供することを含む。他の例では、本方法は、第１の分析期間とは異なる第２の分析期間中に、選択された有機イオンを第２のシングルコア質量分析計から第１の検出器に提供することを含む。他の事例では、本方法は、第１の分析期間中に、選択された無機イオンを第１のシングルコア質量分析計から第１の検出器に提供することと、第１の分析期間中に、選択された有機イオンを第２のシングルコア質量分析計から第２の検出器に提供することとを含む。いくつかの例では、本方法は、第１の分析期間中にイオンを第１のシングルコア質量分析計に提供しつつ、第１の分析期間中にイオンが第２のシングルコア質量分析計に流入することを防止することを含む。追加の例では、本方法は、第２の分析期間中にイオンを第２のシングルコア質量分析計に提供しつつ、第２の分析期間中にイオンが第１のシングルコア質量分析計に流入することを防止することを含む。
【００４３】
ある特定の事例では、本方法は、イオン化コアを、無機イオンソースと、無機イオンソースとは別個の有機イオンソースとで構成することを含む。いくつかの例では、本方法は、第１の分析期間中にイオンを無機イオンソースから第１のシングルコア質量分析計に提供しつつ、第１の分析期間中にイオンが有機イオンソースから第２のシングルコア質量分析計に流入することを防止することを含む。いくつかの事例では、本方法は、第２の分析期間中にイオンを有機イオンソースから第２のシングルコア質量分析計に提供しつつ、第２の分析期間中にイオンが無機イオンソースから第１のシングルコア質量分析計に流入することを防止することを含む。
【００４４】
いくつかの例では、本方法は、第１の分析期間中に第１のシングルコア質量分析計および第２のシングルコア質量分析計のうちの一方のみからイオンを検出器に提供するように構成されたインターフェースと共に質量分析器を構成することを含む。
【００４５】
別の態様では、イオン化コアに流体的に結合された質量分析器を使用して無機イオンおよび有機イオンを順次検出する方法は、（ｉ）イオン化コアから受容した無機イオンから、および（ｉｉ）イオン化コアから受容した有機イオンからイオンを順次選択することを含み、質量分析器は、無機イオンおよび有機イオンの両方を選択するように構成されたデュアルコア質量分析計を備える。
【００４６】
ある特定の事例では、本方法は、第１の分析期間中に、選択された無機イオンをデュアルコア質量分析計から第１の検出器に提供することを含む。いくつかの例では、本方法は、第１の分析期間とは異なる第２の分析期間中に、選択された有機イオンをデュアルコア質量分析計から第１の検出器に提供することを含む。他の例では、本方法は、第１の分析期間中に、選択された無機イオンをデュアルコア質量分析計から第１の検出器に提供することと、第２の分析期間中に、選択された有機イオンをデュアルコア質量分析計から第２の検出器に提供することとを含む。
【００４７】
いくつかの事例では、本方法は、第１の分析期間中に無機イオンをデュアルコア質量分析計に提供しつつ、第１の分析期間中に有機イオンがデュアルコア質量分析計に流入することを防止することを含む。他の例では、本方法は、第２の分析期間中に有機イオンをデュアルコア質量分析計に提供しつつ、第２の分析期間中に無機イオンがデュアルコア質量分析計に流入することを防止することを含む。いくつかの例では、本方法は、イオン化コアを、無機イオンソースと、無機イオンソースとは別個の有機イオンソースとで構成することを含む。他の例では、本方法は、デュアルコア質量分析計を、デュアル四重極アセンブリを備えるように構成することを含む。
【００４８】
ある特定の例では、本方法は、デュアルコア質量分析計を、インターフェースを介して第１の検出器に流体的に結合され、かつインターフェースを介して第２の検出器に流体的に結合されたデュアル四重極アセンブリと、四重極アセンブリとを備えるように構成することを含む。いくつかの例では、本方法は、インターフェースを同一平面上にないインターフェースを備えるように構成することを含む。
【００４９】
別の態様では、システムは、イオン化コアを、（ｉ）イオン化コアから受容した無機イオンから、および（ｉｉ）イオン化コアから受容した有機イオンからイオンを選択するように構成された少なくとも１つの質量分析計コアを備える質量分析器に流体的に結合するように構成された同一平面上にないインターフェースを備え、同一平面上にないインターフェースは、第１の平面のイオン化コアから無機イオンを受容し、無機イオンを質量分析器に提供するように構成されており、同一平面上にないインターフェースは、第１の平面とは異なる第２の平面のイオン化コアから有機イオンを受容し、受容した有機イオンを質量分析器に提供するように構成されている。
【００５０】
ある特定の実施形態では、同一平面上にないインターフェースは、第２の多重極アセンブリに流体的に結合された第１の多重極アセンブリを備え、第１の多重極アセンブリと第２の多重極アセンブリとは、異なる平面に位置付けられている。他の実施形態では、同一平面上にないインターフェースは、第１の平面に位置付けられたイオン化コアの無機イオンソースから無機イオンを受容するように構成されている。いくつかの例では、同一平面上にないインターフェースは、第２の平面に位置付けられたイオン化コアの有機イオンソースから有機イオンを受容するように構成されている。他の例では、同一平面上にないインターフェースは、受容した無機イオンおよび受容した有機イオンを質量分析器に順次提供するように構成されている。追加の例では、同一平面上にないインターフェースは、受容した無機イオンおよび受容した有機イオンを質量分析器に同時に提供するように構成されている。
【００５１】
いくつかの例では、本システムは、受容した有機イオンを、質量分析器内に存在する第１のシングルコア質量分析計に提供するように構成された偏向器を備える。他の例では、偏向器は、受容した無機イオンを、質量分析器内に存在する第２のシングルコア質量分析計に提供するように構成されている。
【００５２】
ある特定の事例では、本システムは、受容した有機イオンおよび受容した無機イオンを、質量分析器内のデュアルコア質量分析計に提供するように構成された偏向器を備える。いくつかの例では、偏向器は、第１の無線周波数のデュアルコア質量分析計への適用中に、受容した無機イオンをデュアルコア質量分析計に提供し、かつ第１の無線周波数とは異なる第２の無線周波数のデュアルコア質量分析計への適用中に、受容した有機イオンをデュアルコア質量分析計に提供するように構成されている。
【００５３】
追加の態様では、質量分析計は、（ｉ）イオン化コアから受容した無機イオンから、および（ｉｉ）イオン化コアから受容した有機イオンからイオンを選択するように構成された少なくとも１つの質量分析計コアを備える質量分析器を備える。質量分析計はまた、イオン化コアを質量分析器に流体的に結合するように構成された同一平面上にないインターフェースを備え、同一平面上にないインターフェースは、第１の平面のイオン化コアから無機イオンを受容し、無機イオンを質量分析器に提供するように構成されており、同一平面上にないインターフェースは、第１の平面とは異なる第２の平面のイオン化コアから有機イオンを受容し、受容した有機イオンを質量分析器に提供するように構成されている。
【００５４】
ある特定の例では、同一平面上にないインターフェースは、第２の多重極アセンブリに流体的に結合された第１の多重極アセンブリを備え、第１の多重極アセンブリと第２の多重極アセンブリとは、異なる平面に位置付けられている。いくつかの例では、同一平面上にないインターフェースは、第１の平面に位置付けられたイオン化コアの無機イオンソースから無機イオンを受容するように構成されている。他の例では、同一平面上にないインターフェースは、第２の平面に位置付けられたイオン化コアの有機イオンソースから有機イオンを受容するように構成されている。いくつかの実施形態では、同一平面上にないインターフェースは、受容した無機イオンおよび受容した有機イオンを質量分析器に順次提供するように構成されている。
【００５５】
いくつかの事例では、同一平面上にないインターフェースは、受容した無機イオンおよび受容した有機イオンを質量分析器に同時に提供するように構成されている。
【００５６】
他の例では、本システムは、受容した有機イオンを、質量分析器内に存在する第１のシングルコア質量分析計に提供するように構成された偏向器を備える。いくつかの例では、偏向器は、受容した無機イオンを、質量分析器内に存在する第２のシングルコア質量分析計に提供するように構成されている。
【００５７】
ある特定の例では、本システムは、受容した有機イオンおよび受容した無機イオンを、質量分析器内のデュアルコア質量分析計に提供するように構成された偏向器を備える。他の例では、偏向器は、第１の無線周波数のデュアルコア質量分析計への適用中に、受容した無機イオンをデュアルコア質量分析計に提供し、かつ第１の無線周波数とは異なる第２の無線周波数のデュアルコア質量分析計への適用中に、受容した有機イオンをデュアルコア質量分析計に提供するように構成されている。
【００５８】
別の態様では、無機イオン化ソースおよび有機イオン化ソースからイオンを順次受容するように構成されたデュアルコア質量分析計は、第１の周波数を使用して、受容した無機イオンからイオンを選択し、第１の周波数とは異なる第２の周波数を使用して、受容した有機イオンからイオンを選択するように構成された多重極アセンブリを備える。
【００５９】
ある特定の例では、本システムは、デュアルコア質量分析計に流体的に結合された同一平面上にないインターフェースを備え、同一平面上にないインターフェースは、第２の多重極アセンブリに流体的に結合された第１の多重極アセンブリを備え、第１の多重極アセンブリと第２の多重極アセンブリとは、異なる平面に位置付けられている。他の例では、同一平面上にないインターフェースは、無機イオンを第１の平面に位置付けられた無機イオンソースからデュアルコア質量分析計に提供するように構成されている。いくつかの例では、同一平面上にないインターフェースは、有機イオンを第２の平面に位置付けられた有機イオンソースからデュアルコア質量分析計に提供するように構成されている。いくつかの例では、同一平面上にないインターフェースは、受容した無機イオンおよび受容した有機イオンをデュアルコア質量分析計に順次提供するように構成されている。他の例では、同一平面上にないインターフェースは、受容した無機イオンおよび受容した有機イオンを質量分析器に同時に提供するように構成されている。いくつかの実施形態では、同一平面上にないインターフェースは、いかなる受容した無機イオンもデュアルコア質量分析計に提供することなく、受容した有機イオンをデュアルコア質量分析計に提供するように構成された八重極アセンブリを備える。他の実施形態では、八重極アセンブリは、いかなる受容した有機イオンもデュアルコア質量分析計に提供することなく、受容した無機イオンをデュアルコア質量分析計に提供するように構成されている。いくつかの例では、八重極アセンブリは、受容した有機イオンおよび受容した無機イオンをデュアルコア質量分析計に提供するように構成されている。他の例では、八重極アセンブリは、第１の無線周波数のデュアルコア質量分析計への適用中に、受容した無機イオンをデュアルコア質量分析計に提供し、かつ第１の無線周波数とは異なる第２の無線周波数のデュアルコア質量分析計への適用中に、受容した有機イオンをデュアルコア質量分析計に提供するように構成されている。
【００６０】
追加の態様では、デュアルコア質量分析計を使用して、２つの異なるイオン化ソースを含むイオン化コアから提供されたイオンを選択する方法は、イオンを無機イオン化ソースおよび有機イオン化ソースを含むイオン化コアからデュアルコア質量分析計に順次提供することと、デュアルコア質量分析計に提供された第１の周波数を使用して、イオンを無機イオン化ソースからの提供されたイオンから選択することと、デュアルコア質量分析計に提供された第２の周波数を使用して、イオンを有機イオン化ソースからの提供されたイオンから選択することとを含み、第１の周波数は、前記第２の周波数とは異なる。
【００６１】
ある特定の例では、本方法は、デュアルコア質量分析計を、選択期間後に、第１の周波数と第２の周波数との間で切り換えるように構成することを含む。他の例では、本方法は、選択期間が１ミリ秒以下であるように構成することを含む。いくつかの実施形態では、本方法は、無機イオン化ソースとデュアルコア質量分析計との間、ならびに有機イオン化ソースとデュアルコア質量分析計との間にインターフェースを提供することを含み、インターフェースは、第１の周波数がデュアルコア質量分析計に提供されている場合、イオンを無機イオン化ソースからデュアルコア質量分析計に提供するように構成されており、かつ第２の周波数がデュアルコア質量分析計に提供されている場合、イオンを有機イオン化ソースからデュアルコア質量分析計に提供するように構成されている。
【００６２】
いくつかの事例では、本方法は、検出器を、第１の周波数がデュアルコア質量分析計に提供されている場合に選択された無機イオンを検出するように構成することを含む。他の事例では、本方法は、第２の周波数がデュアルコア質量分析計に提供されている場合に選択された有機イオンを検出するための検出器を備える。いくつかの例では、本方法は、デュアルコア質量分析計を多重極アセンブリと共に構成することを含む。いくつかの例では、本方法は、多重極アセンブリを、デュアル四重極アセンブリまたはトリプル四重極アセンブリを含むように構成することを含む。いくつかの例では、本方法は、検出器を、電子増倍器、ファラデーカップ、マルチチャネルプレート、シンチレーション検出器、イメージング検出器、または飛行時間デバイスのうちの少なくとも１つ以上を含むように構成することを含む。
【００６３】
別の態様では、質量分析計は、少なくとも第１のイオン化ソースおよび第２のイオン化ソースを含むイオン化コアであって、第１および第２のイオン化ソースが、同一平面上にないイオン化ソースである、イオン化コアと、同一平面上にないイオン化ソースから受容したイオンを選択するように構成された質量分析器と、順次、第１の期間中に、イオンを第１のイオン化コアから質量分析器に提供し、かつ第２の期間中に、イオンを第２のイオン化コアから質量分析器に提供するように構成されたインターフェースと、を備える。
【００６４】
ある特定の実施形態では、質量分析計は、インターフェースに流体的に結合された質量分析器を備える。いくつかの例では、質量分析器は、第１のシングルコア質量分析計と、第２のシングルコア質量分析計とを備え、第１のシングルコア質量分析計は、第１のイオン化ソースからイオンを選択するように構成されており、第２のシングルコア質量分析計は、第２のイオン化ソースからイオンを選択するように構成されている。他の例では、質量分析器は、デュアルコア質量分析計を備える。いくつかの例では、デュアルコア質量分析計は、第１の周波数を使用して、第１のイオン化ソースからイオンを選択するように構成されており、かつ第１の周波数とは異なる第２の周波数を使用して、第２のイオン化ソースからイオンを選択するように構成されている。
【００６５】
いくつかの事例では、質量分析計は、質量分析器に流体的に結合された検出器を備え、検出器は、無機イオンから選択されたイオンを検出し、かつ有機イオンから選択されたイオンを検出するように構成されており、検出器は、電子増倍器、ファラデーカップ、マルチチャネルプレート、シンチレーション検出器、飛行時間デバイス、またはイメージング検出器を含む。いくつかの事例では、第１のイオン化ソースは、誘導結合プラズマ、容量結合プラズマ、マイクロ波プラズマ、フレーム、アーク、およびスパークのうちの１つ以上を含む。他の事例では、第２のイオン化ソースは、エレクトロスプレーイオン化ソース、化学イオン化ソース、大気圧イオン化ソース、大気圧化学イオン化ソース、脱離エレクトロスプレーイオン化ソース、マトリックス支援レーザー脱離イオン化ソース、熱スプレーイオン化ソース、熱脱離イオン化ソース、電子衝突イオン化ソース、フィールドイオン化ソース、二次イオンソース、プラズマ脱離ソース、熱イオン化ソース、電気流体力学的イオン化ソース、シリコン上の直接イオン化のイオン化ソース、リアルタイム直接分析のイオン化ソース、または高速原子衝撃ソースのうちの１つ以上を含む。
【００６６】
いくつかの例では、デュアルコア質量分析計は、四重極ロッドアセンブリまたはトリプル四重極ロッドアセンブリを備える。
【００６７】
追加の態様では、飛行時間（ｔｉｍｅ−ｏｆ−ｆｌｉｇｈｔ、ＴＯＦ）質量分析計は、第１のイオン化ソース、および第１のイオン化ソースと同一平面上にない第２のイオン化ソースからイオンを順次受容するように構成されていることを条件とし、飛行時間質量分析計は、第１のイオン化ソースおよび第２のイオン化ソースから受容したイオンを検出するように構成されている。
【００６８】
ある特定の例では、ＴＯＦ質量分析計は、飛行時間デバイスに流体的に結合されたデュアルコア質量分析計を含む。他の例では、デュアルコア質量分析計は、第１の期間中に、第１のイオン化ソースから無機イオンを選択し、第２の期間中に、第２のイオン化ソースから有機イオンを選択するように構成された多重極アセンブリを備える。
【００６９】
いくつかの実施形態では、ＴＯＦ質量分析器は、第１のシングルコア質量分析計と、第２のシングルコア質量分析計とを備える。ある特定の事例では、第１のシングルコア質量分析計は、飛行時間デバイスに流体的に結合され、第２のシングルコア質量検出器は、電子増倍器、ファラデーカップ、マルチチャネルプレート、シンチレーション検出器、およびイメージング検出器のうちの１つ以上を含む検出器に流体的に結合されている。
【００７０】
いくつかの例では、ＴＯＦ質量分析計は、第１の期間中に、無機イオンを第１のイオン化ソースから第１のシングルコア質量分析計に提供し、かつ第１の期間中に、有機イオンを第２のイオン化ソースから第２のシングルコア質量分析計に提供するように構成されており、質量分析計は、第１の期間中に、選択された無機イオンまたは選択された有機イオンを検出するように構成されている。
【００７１】
他の例では、ＴＯＦ質量分析計は、第１の期間中に、無機イオンを第１のイオン化ソースから第１のシングルコア質量分析計に提供し、第２の期間中に、有機イオンを第２のイオン化ソースから第２のシングルコア質量分析計に提供するように構成されている。
【００７２】
いくつかの例では、ＴＯＦ質量分析計は、第１のイオン化ソースおよび第２のイオン化ソースからイオンを受容するように構成されたインターフェースを備え、インターフェースは、第１の期間中に、無機イオンを第１のイオン化ソースから第１のシングルコア質量分析計に提供するように構成されている。いくつかの実施形態では、インターフェースは、第２の期間中に、有機イオンを第２のイオン化ソースから前記第２のシングルコア質量分析計に提供するように構成されている。いくつかの例では、インターフェースは、積重された多重極アセンブリを含む。
【００７３】
別の態様では、飛行時間質量分析計は、２つの同一平面上にないイオン化ソースを含むイオン化コアからイオンを同時に受容し、イオン化コアから受容したイオンを検出するように構成されている。
【００７４】
ある特定の例では、質量分析計は、飛行時間デバイスに流体的に結合されたデュアルコア質量分析計を含む。いくつかの例では、デュアルコア質量分析計は、第１の期間中に、イオン化コアから無機イオンを選択し、かつ第１の期間中に、イオン化コアから有機イオンを選択するように構成された多重極アセンブリを備える。他の例では、飛行時間質量分析器は、第１のシングルコア質量分析計と、第２のシングルコア質量分析計とを備える。いくつかの実施形態では、第１のシングルコア質量分析計は、飛行時間デバイスに流体的に結合され、第２のシングルコア質量検出器は、電子増倍器、ファラデーカップ、マルチチャネルプレート、シンチレーション検出器、およびイメージング検出器のうちの１つ以上を含む検出器に流体的に結合されている。他の実施形態では、第１の質量分析計の各々が、第１の期間中に、無機イオンをイオン化コアから第１のシングルコア質量分析計に提供し、かつ第１の期間中に、有機イオンをイオン化コアから第２のシングルコア質量分析計に提供するように構成されている。ある特定の例では、第１のシングルコア質量分析計および第２のシングルコア質量分析計の各々は、多重極ロッドアセンブリを備える。
【００７５】
いくつかの事例では、ＴＯＦ質量分析計は、第１のイオン化ソースおよび第２のイオン化ソースからイオンを受容するように構成されたインターフェースを備え、インターフェースは、第１の期間中に、無機イオンを第１のイオン化ソースから第１のシングルコア質量分析計に提供するように構成されている。いくつかの実施形態では、インターフェースは、第１の期間中に、有機イオンを第２のイオン化ソースから第２のシングルコア質量分析計に提供するように構成されている。他の実施形態では、インターフェースは、積重された多重極アセンブリを含む。
【００７６】
追加の態様では、飛行時間質量分析計は、第１の平面に位置付けられた無機イオン化ソースと、第２の平面に位置付けられた有機イオン化ソースとを備えるイオン化コアからイオンを順次受容するように構成されており、第１の平面と第２の平面とは、同一平面上にない。飛行時間質量分析計は、第１の期間中に無機イオン化コアからイオンを受容および選択し、第２の期間中に有機イオン化コアからイオンを受容および選択するように構成され得る。
【００７７】
別の態様では、システムは、サンプルを受容し、受容したサンプルを使用して、無機イオンおよび有機イオンの両方を提供するように構成されたイオン化コアと、イオン化コアに流体的に結合された質量分析器とを備え、質量分析器は、共通の真空ポンプを使用するように構成された少なくとも２つの質量分析計コアと、（ｉ）イオン化コアから受容した無機イオンから、および（ｉｉ）イオン化コアから受容した有機イオンからイオンを選択するためのプロセッサとを備える。
【００７８】
追加の態様、特徴、例、および実施形態を以下により詳細に記載する。
質量分析計内で誘導結合プラズマを支持するために使用されるアルゴンをリサイクルするために使用されるある特定の構成のシステムおよび方法を、添付の図面を参照しながら以下に記載する。
【図面の簡単な説明】
【００７９】
【図１Ａ】ある特定の例による、イオン化コアと、ＭＳコアを含む質量分析器とを備えるシステムのブロック図である。
【図１Ｂ】ある特定の例による、２つのイオン化コアと、ＭＳコアを含む質量分析器とを備えるシステムのブロック図である。
【図１Ｃ】ある特定の例による、イオン化コアと、２つのＭＳコアを含む質量分析器とを備えるシステムのブロック図である。
【図１Ｄ】ある特定の例による、２つのイオン化コアと、２つのＭＳコアを含む質量分析器とを備えるシステムのブロック図である。
【図２Ａ】ある特定の実施形態による、サンプル操作コアと、イオン化コアと、ＭＳコアを含む質量分析器とを備えるシステムのブロック図である。
【図２Ｂ】ある特定の実施形態による、サンプル操作コアと、２つのイオン化コアと、ＭＳコアを含む質量分析器とを備えるシステムのブロック図である。
【図３】ある特定の構成による、サンプル操作コアと、２つのイオン化コアと、２つのＭＳコアを含む質量分析器とを備えるシステムのブロック図である。
【図４】ある特定の構成による、サンプル操作コアと、２つのイオン化コアと、インターフェースと、２つのＭＳコアを含む質量分析器とを備えるシステムのブロック図である。
【図５】ある特定の例による、２つのサンプル操作コアと、インターフェースと、イオン化コアと、ＭＳコアを含む質量分析器とを備えるシステムのブロック図である。
【図６】ある特定の構成による、２つの直列に配置されたサンプル操作コアと、イオン化コアと、ＭＳコアを含む質量分析器とを備えるシステムのブロック図である。
【図７】ある特定の例による、２つのサンプル操作コアと、２つのイオン化コアと、ＭＳコアを含む質量分析器とを備えるシステムのブロック図である。
【図８】ある特定の構成による、２つのサンプル操作コアと、インターフェースと、２つのイオン化コアと、ＭＳコアを含む質量分析器とを備えるシステムのブロック図である。
【図９】ある特定の例による、２つのサンプル操作コアと、インターフェースと、２つのイオン化コアと、２つのＭＳコアを含む質量分析器とを備えるシステムのブロック図である。
【図１０】ある特定の例による、２つのサンプル操作コアと、インターフェースと、２つのイオン化コアと、別のインターフェースと、２つのＭＳコアを含む質量分析器とを備えるシステムのブロック図である。
【図１１】ある特定の例による、２つの直列に配置されたイオン化コアと、ＭＳコアを含む質量分析器とを備えるシステムのブロック図である。
【図１２】ある特定の実施形態による、サンプル操作コアと、２つの直列に配置されたイオン化コアと、ＭＳコアを含む質量分析器とを備えるシステムのブロック図である。
【図１３】ある特定の実施形態による、サンプル操作コアと、イオン化コアと、２つの直列に配置されたＭＳコアを含む質量分析器とを備えるシステムのブロック図である。
【図１４】ある特定の例による、ガスクロマトグラフィーシステムの例示である。
【図１５Ａ】ある特定の実施形態による、ＧＣと、イオン化コアと、ＭＳコアを含む質量分析器とを備えるシステムのブロック図である。
【図１５Ｂ】ある特定の実施形態による、ＧＣと、２つのイオン化コアと、ＭＳコアを含む質量分析器とを備えるシステムのブロック図である。
【図１５Ｃ】ある特定の構成による、ＧＣと、２つのイオン化コアと、２つのＭＳコアを含む質量分析器とを備えるシステムのブロック図である。
【図１５Ｄ】ある特定の構成による、ＧＣと、２つのイオン化コアと、インターフェースと、２つのＭＳコアを含む質量分析器とを備えるシステムのブロック図である。
【図１５Ｅ】ある特定の例による、２つのＧＣと、インターフェースと、イオン化コアと、ＭＳコアを含む質量分析器とを備えるシステムのブロック図である。
【図１５Ｆ】ある特定の構成による、２つの直列に配置されたＧＣと、イオン化コアと、ＭＳコアを含む質量分析器とを備えるシステムのブロック図である。
【図１５Ｇ】ある特定の例による、２つのＧＣと、２つのイオン化コアと、ＭＳコアを含む質量分析器とを備えるシステムのブロック図である。
【図１５Ｈ】ある特定の構成による、２つのＧＣと、インターフェースと、２つのイオン化コアと、ＭＳコアを含む質量分析器とを備えるシステムのブロック図である。
【図１５Ｉ】ある特定の例による、２つのＧＣと、インターフェースと、２つのイオン化コアと、２つのＭＳコアを含む質量分析器とを備えるシステムのブロック図である。
【図１５Ｊ】ある特定の例による、２つのＧＣと、インターフェースと、２つのイオン化コアと、別のインターフェースと、２つのＭＳコアを含む質量分析器とを備えるシステムのブロック図である。
【図１５Ｋ】ある特定の実施形態による、ＧＣと、２つの直列に配置されたイオン化コアと、ＭＳコアを含む質量分析器とを備えるシステムのブロック図である。
【図１５Ｌ】ある特定の実施形態による、ＧＣと、イオン化コアと、２つの直列に配置されたＭＳコアを含む質量分析器とを備えるシステムのブロック図である。
【図１６】ある特定の構成による、液体クロマトグラフィーシステムの例示である。
【図１７】ある特定の構成による、超臨界流体クロマトグラフィーシステムの例示である。
【図１８Ａ】ある特定の実施形態による、ＬＣと、イオン化コアと、ＭＳコアを含む質量分析器とを備えるシステムのブロック図である。
【図１８Ｂ】ある特定の実施形態による、ＬＣと、２つのイオン化コアと、ＭＳコアを含む質量分析器とを備えるシステムのブロック図である。
【図１８Ｃ】ある特定の構成による、ＬＣと、２つのイオン化コアと、２つのＭＳコアを含む質量分析器とを備えるシステムのブロック図である。
【図１８Ｄ】ある特定の構成による、ＬＣと、２つのイオン化コアと、インターフェースと、２つのＭＳコアを含む質量分析器とを備えるシステムのブロック図である。
【図１８Ｅ】ある特定の例による、２つのＬＣと、インターフェースと、イオン化コアと、ＭＳコアを含む質量分析器とを備えるシステムのブロック図である。
【図１８Ｆ】ある特定の構成による、２つの直列に配置されたＬＣと、イオン化コアと、ＭＳコアを含む質量分析器とを備えるシステムのブロック図である。
【図１８Ｇ】ある特定の例による、２つのＬＣと、２つのイオン化コアと、ＭＳコアを含む質量分析器とを備えるシステムのブロック図である。
【図１８Ｈ】ある特定の構成による、２つのＬＣと、インターフェースと、２つのイオン化コアと、ＭＳコアを含む質量分析器とを備えるシステムのブロック図である。
【図１８Ｉ】ある特定の例による、２つのＬＣと、インターフェースと、２つのイオン化コアと、２つのＭＳコアを含む質量分析器とを備えるシステムのブロック図である。
【図１８Ｊ】ある特定の例による、２つのＬＣと、インターフェースと、２つのイオン化コアと、別のインターフェースと、２つのＭＳコアを含む質量分析器とを備えるシステムのブロック図である。
【図１８Ｋ】ある特定の実施形態による、ＬＣと、２つの直列に配置されたイオン化コアと、ＭＳコアを含む質量分析器とを備えるシステムのブロック図である。
【図１８Ｌ】ある特定の実施形態による、ＬＣと、イオン化コアと、２つの直列に配置されたＭＳコアを含む質量分析器とを備えるシステムのブロック図である。
【図１９】ある特定の例による、ＤＳＡデバイスと、イオン化コアと、ＭＳコアを含む質量分析器とを備えるシステムのブロック図である。
【図２０】ある特定の構成による、誘導コイルを使用して支持された誘導結合プラズマを含むイオン化コアの例示である。
【図２１】ある特定の構成による、誘導プレートを使用して支持された誘導結合プラズマを含むイオン化コアの例示である。
【図２２Ａ】ある特定の構成による、誘導プレートを支持するために使用され得る放射状の誘導デバイスを含むイオン化コアを示す例示である。
【図２２Ｂ】ある特定の構成による、誘導プレートを支持するために使用され得る放射状の誘導デバイスを含むイオン化コアを示す例示である。
【図２３】ある特定の例による、容量結合プラズマを含むイオン化コアの例示である。
【図２４】いくつかの例による、耐火性の先端を備えるトーチの例示である。
【図２５Ａ】ある特定の構成による、増強デバイスを含むイオン化コアの例示である。
【図２５Ｂ】ある特定の構成による、増強デバイスを含むイオン化コアの例示である。
【図２６Ａ】ある特定の実施形態による、サンプル操作コアと、ＩＣＰを含むイオン化コアと、ＭＳコアとを備えるシステムのブロック図である。
【図２６Ｂ】ある特定の実施形態による、サンプル操作コアと、１つのイオン化コアがＩＣＰを含む２つのイオン化コアと、ＭＳコアとを備えるシステムのブロック図である。
【図２６Ｃ】ある特定の構成による、サンプル操作コアと、１つのイオン化コアがＩＣＰを含む２つのイオン化コアと、２つのＭＳコアとを備えるシステムのブロック図である。
【図２６Ｄ】ある特定の構成による、サンプル操作コアと、１つのイオン化コアがＩＣＰを含む２つのイオン化コアと、インターフェースと、２つのＭＳコアとを備えるシステムのブロック図である。
【図２６Ｅ】ある特定の例による、２つのサンプル操作コアと、インターフェースと、ＩＣＰを含むイオン化コアと、ＭＳコアとを備えるシステムのブロック図である。
【図２６Ｆ】ある特定の構成による、２つの直列に配置されたサンプル操作コアと、ＩＣＰを含むイオン化コアと、ＭＳコアとを備えるシステムのブロック図である。
【図２６Ｇ】ある特定の例による、２つのサンプル操作コアと、１つのイオン化コアがＩＣＰを含む２つのイオン化コアと、ＭＳコアとを備えるシステムのブロック図である。
【図２６Ｈ】ある特定の構成による、２つのサンプル操作コアと、インターフェースと、１つのイオン化コアがＩＣＰを含む２つのイオン化コアと、ＭＳコアとを備えるシステムのブロック図である。
【図２６Ｉ】ある特定の例による、２つのサンプル操作コアと、インターフェースと、１つのイオン化コアがＩＣＰを含む２つのイオン化コアと、２つのＭＳコアとを備えるシステムのブロック図である。
【図２６Ｊ】ある特定の例による、２つのサンプル操作コアと、インターフェースと、１つのイオン化コアがＩＣＰを含む２つのイオン化コアと、別のインターフェースと、２つのＭＳコアとを備えるシステムのブロック図である。
【図２６Ｋ】ある特定の実施形態による、サンプル操作コアと、１つのイオン化コアがＩＣＰを含む２つの直列に配置されたイオン化コアと、ＭＳコアとを備えるシステムのブロック図である。
【図２６Ｌ】ある特定の実施形態による、サンプル操作コアと、ＩＣＰを含むイオン化コアと、２つの直列に配置されたＭＳコアとを備えるシステムのブロック図である。
【図２７】ある特定の実施形態による、サンプル操作コアと、有機イオンソースを含むイオン化コアと、ＭＳコアとを備えるシステムのブロック図である。
【図２８】ある特定の実施形態による、サンプル操作コアと、１つのイオン化コアが有機イオンソースを含む２つのイオン化コアと、ＭＳコアとを備えるシステムのブロック図である。
【図２９】ある特定の構成による、サンプル操作コアと、１つのイオン化コアが有機イオンソースを含む２つのイオン化コアと、２つのＭＳコアとを備えるシステムのブロック図である。
【図３０】ある特定の構成による、サンプル操作コアと、１つのイオン化コアが有機イオンソースを含む２つのイオン化コアと、インターフェースと、２つのＭＳコアとを備えるシステムのブロック図である。
【図３１】ある特定の例による、２つのサンプル操作コアと、インターフェースと、有機イオンソースを含むイオン化コアと、ＭＳコアとを備えるシステムのブロック図である。
【図３２】ある特定の構成による、２つの直列に配置されたサンプル操作コアと、有機イオンソースを含むイオン化コアと、ＭＳコアとを備えるシステムのブロック図である。
【図３３】ある特定の例による、２つのサンプル操作コアと、１つのイオン化コアが有機イオンソースを含む２つのイオン化コアと、ＭＳコアとを備えるシステムのブロック図である。
【図３４】ある特定の構成による、２つのサンプル操作コアと、インターフェースと、１つのイオン化コアが有機イオンソースを含む２つのイオン化コアと、ＭＳコアとを備えるシステムのブロック図である。
【図３５】ある特定の例による、２つのサンプル操作コアと、インターフェースと、１つのイオン化コアが有機イオンソースを含む２つのイオン化コアと、２つのＭＳコアとを備えるシステムのブロック図である。
【図３６】ある特定の例による、２つのサンプル操作コアと、インターフェースと、１つのイオン化コアが有機イオンソースを含む２つのイオン化コアと、別のインターフェースと、２つのＭＳコアとを備えるシステムのブロック図である。
【図３７】ある特定の実施形態による、サンプル操作コアと、１つのイオン化コアが有機イオンソースを含む２つの直列に配置されたイオン化コアと、ＭＳコアとを備えるシステムのブロック図である。
【図３８】ある特定の実施形態による、サンプル操作コアと、有機イオンソースを含むイオン化コアと、２つの直列に配置されたＭＳコアとを備えるシステムのブロック図である。
【図３９】ある特定の例による、３つのイオン化コアを備えるシステムのブロック図である。
【図４０】ある特定の例による、２つの有機イオンソースを含むシステムのブロック図である。
【図４１】ある特定の例による、３つの質量分析器を備えるシステムのブロック図である。
【図４２】ある特定の実施形態による、３つ以上の分析計コアを備えるシステムのブロック図である。
【図４３Ａ】ある特定の例による、２つのシングルコア質量分析計を備えるＭＳコアのブロック図である。
【図４３Ｂ】ある特定の例による、２つのシングルコア質量分析計を備えるＭＳコアのブロック図である。
【図４４Ａ】ある特定の例による、２つのシングルコア質量分析計と、移動され得る検出器とを備えるＭＳコアのブロック図である。
【図４４Ｂ】ある特定の例による、２つのシングルコア質量分析計と、移動され得る検出器とを備えるＭＳコアのブロック図である。
【図４５Ａ】ある特定の実施形態による、移動され得る２つのシングルコア質量分析計を備えるＭＳコアのブロック図である。
【図４５Ｂ】ある特定の実施形態による、移動され得る２つのシングルコア質量分析計を備えるＭＳコアのブロック図である。
【図４６Ａ】ある特定の実施形態による、２つのシングルコア質量分析計と、インターフェースと、シングル検出器とを備えるＭＳコアのブロック図である。
【図４６Ｂ】ある特定の実施形態による、２つのシングルコア質量分析計と、インターフェースと、シングル検出器とを備えるＭＳコアのブロック図である。
【図４７】ある特定の構成による、四重極ロッドアセンブリの例示である。
【図４８Ａ】ある特定の例による、２つの流体的に結合された四重極ロッドアセンブリの例示である。
【図４８Ｂ】ある特定の例による、３つの流体的に結合された四重極ロッドアセンブリの例示である。
【図４８Ｃ】ある特定の例による、各々が２つの四重極ロッドアセンブリを備える２つのシングルコアＭＳの例示である。
【図４８Ｄ】ある特定の例による、２つのシングルコアＭＳであって、１つのＳＭＳＣが２つの四重極ロッドアセンブリを備える、２つのシングルコアＭＳ、および２つの四重極ロッドアセンブリを備える他のＳＭＳＣの例示である。
【図４８Ｅ】ある特定の例による、各々が３つの四重極ロッドアセンブリを備える２つのシングルコアＭＳの例示である。
【図４９Ａ】ある特定の例による、イオンを検出器に提供し得るデュアルコア質量分析計の例示である。
【図４９Ｂ】ある特定の例による、イオンを検出器に提供し得るデュアルコア質量分析計の例示である。
【図５０】ある特定の例による、電子増倍器の例示である。
【図５１】ある特定の実施形態による、ファラデーケージの例示である。
【図５２Ａ】ある特定の例による、１つ以上の検出器と共に使用されるシングルコアＭＳの例示である。
【図５２Ｂ】ある特定の例による、１つ以上の検出器と共に使用されるシングルコアＭＳの例示である。
【図５２Ｃ】ある特定の例による、１つ以上の検出器と共に使用されるシングルコアＭＳの例示である。
【図５２Ｄ】ある特定の例による、１つ以上の検出器と共に使用されるシングルコアＭＳの例示である。
【図５２Ｅ】ある特定の例による、１つ以上の検出器と共に使用されるシングルコアＭＳの例示である。
【図５３Ａ】ある特定の実施形態による、２つの検出器と共に使用されるデュアルコアＭＳの例示である。
【図５３Ｂ】ある特定の実施形態による、２つの検出器と共に使用されるデュアルコアＭＳの例示である。
【図５４Ａ】ある特定の例による、飛行時間デバイスを含む質量分析器／検出器の例示である。
【図５４Ｂ】ある特定の例による、飛行時間デバイスを含む質量分析器／検出器の例示である。
【図５４Ｃ】ある特定の例による、飛行時間デバイスを含む質量分析器／検出器の例示である。
【図５４Ｄ】ある特定の例による、飛行時間デバイスを含む質量分析器／検出器の例示である。
【図５５】ある特定の実施形態による、サンプル操作コアと２つのイオン化コアとの間のインターフェースを備えるシステムの例示である。
【図５６】ある特定の実施形態による、サンプル操作コアと２つのイオン化コアとの間のインターフェースを備えるシステムの別の例示である。
【図５７】ある特定の実施形態による、２つのサンプル操作コアに流体的に結合されたインターフェースを備えるシステムの例示である。
【図５８Ａ】ある特定の実施形態による、２つのイオン化コアに流体的に結合し得るインターフェースを備えるシステムの例示である。
【図５８Ｂ】ある特定の実施形態による、２つのイオン化コアに流体的に結合し得るインターフェースを備えるシステムの例示である。
【図５９Ａ】ある特定の実施形態による、２つのサンプル操作コアに流体的に結合し得るインターフェースを備えるシステムの例示である。
【図５９Ｂ】ある特定の実施形態による、２つのサンプル操作コアに流体的に結合し得るインターフェースを備えるシステムの例示である。
【図６０】ある特定の例による、機器内の異なる高さにおいてサンプルを２つのイオン化コアに提供し得るインターフェースの例示である。
【図６１Ａ】ある特定の構成による、１つ以上のイオン化コアを有する回転可能なステージを備えるシステムの例示である。
【図６１Ｂ】ある特定の構成による、１つ以上のイオン化コアを有する回転可能なステージを備えるシステムの例示である。
【図６１Ｃ】ある特定の構成による、１つ以上のイオン化コアを有する回転可能なステージを備えるシステムの例示である。
【図６１Ｄ】ある特定の構成による、１つ以上のイオン化コアを有する回転可能なステージを備えるシステムの例示である。
【図６２Ａ】ある特定の構成による、１つ以上のサンプル操作コアを有する回転可能なステージを備えるシステムの例示である。
【図６２Ｂ】ある特定の構成による、１つ以上のサンプル操作コアを有する回転可能なステージを備えるシステムの例示である。
【図６２Ｃ】ある特定の構成による、１つ以上のサンプル操作コアを有する回転可能なステージを備えるシステムの例示である。
【図６２Ｄ】ある特定の構成による、１つ以上のサンプル操作コアを有する回転可能なステージを備えるシステムの例示である。
【図６３】ある特定の実施形態による、イオン化コアと、２つのシングルコア、デュアルコア、またはマルチコア質量分析計との間のインターフェースを備えるシステムの例示である。
【図６４】ある特定の実施形態による、イオン化コアと、２つのシングルコア、デュアルコア、またはマルチコア質量分析計との間のインターフェースを備えるシステムの別の例示である。
【図６５】ある特定の実施形態による、２つのイオン化コアに流体的に結合されたインターフェースを備えるシステムの例示である。
【図６６Ａ】ある特定の実施形態による、２つのシングルコア、デュアルコア、またはマルチコア質量分析計に流体的に結合し得るインターフェースを備えるシステムの例示である。
【図６６Ｂ】ある特定の実施形態による、２つのシングルコア、デュアルコア、またはマルチコア質量分析計に流体的に結合し得るインターフェースを備えるシステムの例示である。
【図６７Ａ】ある特定の実施形態による、２つのイオン化コアに流体的に結合し得るインターフェースを備えるシステムの例示である。
【図６７Ｂ】ある特定の実施形態による、２つのイオン化コアに流体的に結合し得るインターフェースを備えるシステムの例示である。
【図６８】ある特定の例による、機器内の異なる高さにおいてサンプルを２つのシングルコア、デュアルコア、またはマルチコア質量分析計に提供し得るインターフェースの例示である。
【図６９Ａ】ある特定の構成による、１つ以上のシングルコア、デュアルコア、またはマルチコア質量分析計を有する回転可能なステージを備えるシステムの例示である。
【図６９Ｂ】ある特定の構成による、１つ以上のシングルコア、デュアルコア、またはマルチコア質量分析計を有する回転可能なステージを備えるシステムの例示である。
【図６９Ｃ】ある特定の構成による、１つ以上のシングルコア、デュアルコア、またはマルチコア質量分析計を有する回転可能なステージを備えるシステムの例示である。
【図６９Ｄ】ある特定の構成による、１つ以上のシングルコア、デュアルコア、またはマルチコア質量分析計を有する回転可能なステージを備えるシステムの例示である。
【図７０Ａ】ある特定の構成による、１つ以上のインターフェースを有する回転可能なステージを備えるシステムの例示である。
【図７０Ｂ】ある特定の構成による、１つ以上のインターフェースを有する回転可能なステージを備えるシステムの例示である。
【図７０Ｃ】ある特定の構成による、１つ以上のインターフェースを有する回転可能なステージを備えるシステムの例示である。
【図７０Ｄ】ある特定の構成による、１つ以上のインターフェースを有する回転可能なステージを備えるシステムの例示である。
【図７１Ａ】ある特定の構成による、１つ以上のイオン化コアを有する回転可能なステージを備えるシステムの例示である。
【図７１Ｂ】ある特定の構成による、１つ以上のイオン化コアを有する回転可能なステージを備えるシステムの例示である。
【図７１Ｃ】ある特定の構成による、１つ以上のイオン化コアを有する回転可能なステージを備えるシステムの例示である。
【図７１Ｄ】ある特定の構成による、１つ以上のイオン化コアを有する回転可能なステージを備えるシステムの例示である。
【図７２Ａ】ある特定の構成による、１つ以上のイオン化コアを有する回転可能なステージを備える別のシステムの例示である。
【図７２Ｂ】ある特定の構成による、１つ以上のイオン化コアを有する回転可能なステージを備える別のシステムの例示である。
【図７２Ｃ】ある特定の構成による、１つ以上のイオン化コアを有する回転可能なステージを備える別のシステムの例示である。
【図７２Ｄ】ある特定の構成による、１つ以上のイオン化コアを有する回転可能なステージを備える別のシステムの例示である。
【図７３Ａ】ある特定の例による、偏向器を含むインターフェースの例示である。
【図７３Ｂ】ある特定の例による、偏向器を含むインターフェースの例示である。
【図７４Ａ】ある特定の実施形態による、同一平面上にない偏向器を含むインターフェースを備えるシステムの例示である。
【図７４Ｂ】ある特定の実施形態による、同一平面上にない偏向器を含むインターフェースを備えるシステムの例示である。
【図７５Ａ】ある特定の例による、同一平面上にない偏向器を含むインターフェースを備えるシステムの例示である。
【図７５Ｂ】ある特定の構成による、１つ以上のコアに結合される多次元インターフェースの例示である。
【図７６】ある特定の実施形態による、ＩＯＭＳシステムの異なる質量分析器によって使用され得るいくつかの共通のＭＳ構成要素の例示である。
【図７７】ある特定の例による、各々がそれぞれの検出器を含む２つのシングルコア質量分析計を備えるＩＯＭＳシステムのブロック図である。
【図７８】ある特定の例による、各々がそれぞれの異なる検出器を含む２つのシングルコア質量分析計を備えるＩＯＭＳシステムのブロック図である。
【図７９】ある特定の例による、デュアルコア質量分析計を備えるＩＯＭＳシステムのブロック図である。
【図８０】ある特定の例による、デュアルコア質量分析計と２つの検出器とを備えるＩＯＭＳシステムのブロック図である。
【図８１】ある特定の例による、デュアルコア質量分析計と２つの検出器とを備える別のＩＯＭＳシステムのブロック図である。
【発明を実施するための形態】
【００８０】
例えば、約３、４、または５原子質量単位（ａｍｕ）から約２０００ａｍｕ以上の範囲の質量を有するサンプル中の実質的にすべての分析物種の分析を可能にするために、１つ、２つ、３つ、またはそれ以上の質量分析計コアと組み合わせて１つ、２つ、３つ、またはそれ以上のイオン化コアを使用する質量分析計に関連して様々な構成要素を以下に記載する。いくつかの例では、質量分析計コアは、プロセッサ、ポンプ、検出器などの共通の構成要素を利用して、システムの全体的な構造を簡単にしながら、依然としてサンプル分析の柔軟性を増加させることができる。コア構成要素を一緒に使用して、サンプル中に存在する無機分析物および有機分析物の両方を検出するように構成された無機および有機質量分析計（ｉｎｏｒｇａｎｉｃ  ｏｒｇａｎｉｃ  ｍａｓｓ  ｓｐｅｃｔｒｏｍｅｔｅｒ、ＩＯＭＳ）を提供することができる。
【００８１】
本明細書に記載されるある特定の構成は、システム内に存在する質量分析計コア（ＭＳＣ）、またはより大きいシステムの一部である質量分析器を指す。ＭＳＣは、シングルタイプのイオン、例えば、無機イオンまたは有機イオンを濾過／提供するように設計されたシングルＭＳコア（ｓｉｎｇｌｅ  ＭＳ  ｃｏｒｅ、ＳＭＳＣ）、またはシングルタイプを上回るイオンを濾過／提供し得るデュアルコアＭＳ（ｄｕａｌ  ｃｏｒｅ  ＭＳ、ＤＣＭＳ）であって、例えば、ＤＣＭＳの特定の構成に応じて、無機イオンおよび有機イオンを（順次または同時のいずれかで）提供し得る、デュアルコアＭＳとして記載され得る。いくつかの例では、ＭＳＣは、サブコア、例えば、多重極アセンブリを含むことができ、これらは、システムの全体的な構成に応じて、一緒に組み立てられてＳＭＳＣまたはＤＣＭＳを形成することができる。所望の場合には、様々なサブコア構成要素および／もしくはシステム内に存在する他の構成要素の電気的な結合（および／もしくは流体的な結合）を再配置または変更することによってＳＭＳＣをＤＣＭＳに変換することができ、様々なサブコア構成要素および／もしくはシステム内に存在する他の構成要素の電気的な結合（および／もしくは流体的な結合）を再配置または変更することによってＤＣＭＳをＳＭＳＣに変換することができる。ある特定の事例において「デュアルコア」という用語が使用されているが、デュアルコアＭＳは、デュアルコアＭＳの特定の構成に応じて、異なるタイプのイオンを提供するため、例えば、無機イオンおよび有機イオンなどの２つ以上のタイプのイオンを提供または出力するために異なる構成で使用され得る組み立てられた共通のハードウェアの一連のセットを含み得る。
【００８２】
ある特定の実施形態において、および図１Ａを参照すると、システムのいくつかのコア構成要素の簡単なブロック図が示されている。システム１００は、１つ以上の質量分析計コア１２０を備え得る少なくとも１つの質量分析器に流体的に結合された少なくとも１つのイオン化コア１１０を備える。イオン化コア（複数可）１１０は、様々な技法を使用して、サンプル中の分析物をイオン化するように構成され得る。例えば、いくつかの事例では、イオン化ソースは、元素イオンをＭＳコア１２０に提供する前に、元素種をイオン化するために、例えば、無機種をイオン化するために、イオン化コア（複数可）内に存在し得る。他の事例では、イオン化ソースは、分子イオンをコア１２０に提供する前に、分子種を生成／イオン化するために、例えば、有機種をイオン化するために、イオン化コア（複数可）１１０内に存在し得る。本明細書に述べられるある特定の構成では、システム１００は、イオンをコア１２０に提供する前に、無機種および有機種をイオン化するように構成され得る。ＭＳコア（複数可）１２０は、特定の質量電荷比を有するイオンを濾過／検出するように構成され得る。いくつかの例では、コア１２０は、存在する特定の構成要素に応じて、無機イオンを濾過／選択／検出し、かつ有機イオンを濾過／選択／検出するように設計され得る。示されていないが、ＭＳコア（複数可）１２０は、典型的には、質量分析器内に存在し得る１つ、２つ、３つ、またはそれ以上の質量分析計コア（ＭＳＣ）によって使用される共通の構成要素を備える。例えば、共通のガスコントローラ、プロセッサ、電源、真空ポンプ、またはさらには共通の検出器を、質量分析器内に存在する異なる質量のＭＳＣによって使用することができる。システム１００は、低い原子質量単位の分析物、例えば、３、４、または５ａｍｕ程度に低い質量を有するリチウムもしくは他の元素を検出し、かつ／または高い原子質量単位の分析物、例えば、最大約２０００ａｍｕの質量を有する分子イオン種を検出するように構成され得る。示されていないが、サンプル導入デバイス、オーブン、ポンプなどの様々な他の構成要素もまた、システム１００内において、コア１１０およびコア１２０のうちの任意の１つ以上の間に存在し得る。さらに、質量分析器は、以下でより詳細に述べられるように、２つ以上の個々のコアに分離され得る。
【００８３】
いくつかの事例では、図１Ｂに示されるように、システム１３０は、ＭＳコア１５０を備える質量分析器に結合される２つのイオン化コア１４０、１４２を備え得る。示されていないが、システム１３０の使用中に、種をイオン化コア１４０、１４２のうちの１つからＭＳコア１５０に提供するために、イオン化コア１４０、１４２と、ＭＳコア１５０との間にインターフェース、バルブ、または他のデバイス（図示せず）が存在し得る。他の構成では、インターフェース、バルブ、またはデバイスは、種をイオン化コア１４０、１４２から同時にＭＳコア１５０に提供するように構成され得る。いくつかの例では、イオン化コア１４０、１４２は、様々であるが異なる技法を使用して、サンプル中の分析物をイオン化するように構成され得る。例えば、いくつかの事例では、イオン化ソースは、元素イオンをＭＳコア１５０に提供する前に、元素種をイオン化するために、例えば、無機種をイオン化するために、イオン化コア（複数可）１４０内に存在し得る。他の事例では、イオン化ソースは、分子イオンをＭＳコア１５０に提供する前に、分子種を生成／イオン化するために、例えば、有機種をイオン化するために、イオン化コア（複数可）１４２内に存在し得る。本明細書に述べられるある特定の構成では、システム１３０は、イオンをＭＳコア１５０に提供する前に、イオン化コア１４０、１４２を使用して、無機種および有機種の両方をイオン化するように構成され得る。ＭＳコア（複数可）１５０を備える質量分析器は、特定の質量電荷比を有するイオンを濾過／検出するように構成され得る。いくつかの例では、ＭＳコア１５０は、存在する特定の構成要素に応じて、無機イオンを濾過／選択／検出し、かつ有機イオンを濾過／選択／検出するように設計され得る。示されていないが、質量分析器は、典型的には、質量分析器内に存在し得る１つ、２つ、３つ、またはそれ以上の質量分析計コア（ＭＳＣ）によって使用される共通の構成要素を備える。例えば、共通のガスコントローラ、プロセッサ、電源、検出器、および真空ポンプを、質量分析器内に存在する異なる質量のＭＳＣによって使用することができる。システム１３０は、低い原子質量単位の分析物、例えば、３、４、または５ａｍｕ程度に低い質量を有するリチウムもしくは他の元素を検出し、かつ／または高い原子質量単位の分析物、例えば、最大約２０００ａｍｕの質量を有する分子イオン種を検出するように構成され得る。示されていないが、サンプル導入デバイス、オーブン、ポンプなどの様々な他の構成要素もまた、システム１３０内において、コア１４０、１４２、および１５０のうちの任意の１つ以上の間に存在し得る。さらに、質量分析器は、以下でより詳細に述べられるように、２つ以上の個々のコアに分離され得る。
【００８４】
ある特定の実施形態において、および図１Ｃを参照すると、システム１６０は、少なくとも２つのＭＳコア１７０、１７２を備える質量分析器１６５に流体的に結合された少なくとも１つのイオン化コア１６２を備え得る。イオン化コア（複数可）１６２は、様々な技法を使用して、サンプル中の分析物をイオン化するように構成され得る。例えば、いくつかの事例では、イオン化ソースは、元素イオンをＭＳコア１７０、１７２に提供する前に、元素種をイオン化するために、例えば、無機種をイオン化するために、イオン化コア（複数可）１６２内に存在し得る。他の事例では、イオン化ソースは、分子イオンをＭＳコア１７０、１７２に提供する前に、分子種を生成／イオン化するために、例えば、有機種をイオン化するために、イオン化コア（複数可）１６２内に存在し得る。本明細書に述べられるある特定の構成では、システム１６０は、イオンをＭＳコア１７０、１７２に提供する前に、無機種および有機種をイオン化するように構成され得る。示されていないが、イオンをＭＳコア（複数可）１７０、１７２のいずれかまたは両方に提供するために、コア１６２とＭＳコア１７０、１７２との間にインターフェースが存在し得る。ＭＳコア１７０、１７２は独立して、特定の質量電荷比を有するイオンを濾過／検出するように構成され得る。いくつかの例では、ＭＳコア１７０、１７２は、存在する特定の構成要素に応じて、無機イオンを濾過／選択／検出し、かつ有機イオンを濾過／選択／検出するように設計され得る。示されていないが、質量分析器１６５は、典型的には、質量分析器１６５内に存在し得る１つ、２つ、３つ、またはそれ以上の質量分析計コア（ＭＳＣ）によって使用される共通の構成要素を備える。例えば、共通のガスコントローラ、プロセッサ、電源、検出器、および真空ポンプを、質量分析器１６５内に存在する異なる質量のＭＳコアによって使用することができる。システム１６０は、低い原子質量単位の分析物、例えば、３、４、または５ａｍｕ程度に低い質量を有するリチウムもしくは他の元素を検出し、かつ／または高い原子質量単位の分析物、例えば、最大約２０００ａｍｕの質量を有する分子イオン種を検出するように構成され得る。示されていないが、サンプル導入デバイス、オーブン、ポンプなどの様々な他の構成要素もまた、システム１６０内において、コア１６２、１７０、および１７２のうちの任意の１つ以上の間に存在し得る。
【００８５】
いくつかの例では、図１Ｄに示されるように、システム１８０は、２つのイオン化コア１８０、１８２を備えることができ、イオン化コア１８０、１８２の各々は、質量分析器１９０内に存在するそれぞれのＭＳコア１９２、１９４に流体的に結合されている。示されていないが、システム１８０の使用中に、イオンをイオン化コア１８２、１８４のうちの１つからＭＳコア１９２、１９４の両方に提供することが所望される場合、サンプルイオン化コア１８２、１８４間にインターフェース、バルブ、または他のデバイス（図示せず）が存在し得る。他の構成では、インターフェース、バルブ、またはデバイスは、種をイオン化コア１８２、１８４のうちの１つから同時にＭＳコア１９２、１９４のうちの１つに提供するように構成され得る。いくつかの例では、イオン化コア１８２、１８４は、様々であるが異なる技法を使用して、サンプル中の分析物をイオン化するように構成され得る。例えば、ある特定の事例では、イオン化ソースは、元素イオンをＭＳコア１９２に提供する前に、元素種をイオン化するために、例えば、無機種をイオン化するために、イオン化コア（複数可）１８２内に存在し得る。他の事例では、イオン化ソースは、分子イオンをＭＳコア１９４に提供する前に、分子種を生成／イオン化するために、例えば、有機種をイオン化するために、イオン化コア（複数可）１８４内に存在し得る。本明細書に述べられるある特定の構成では、システム１８０は、イオンをＭＳコア１９２、１９４に提供する前に、イオン化コア１８２、１８４を使用して、無機種および有機種の両方をイオン化するように構成され得る。ＭＳコア（複数可）１９２、１９４は独立して、特定の質量電荷比を有するイオンを濾過／検出するように構成され得る。いくつかの例では、ＭＳコア１９２、１９４は、存在する特定の構成要素に応じて、無機イオンを濾過／選択／検出し、かつ有機イオンを濾過／選択／検出するように設計され得る。示されていないが、質量分析器１９０は、典型的には、質量分析器１９０内に存在し得る１つ、２つ、３つ、またはそれ以上の質量分析計コア（ＭＳＣ）によって使用される共通の構成要素を備える。例えば、共通のガスコントローラ、プロセッサ、電源、検出器、および真空ポンプは、質量分析器１９０内に存在し得るか、その上に存在し得るか、またはそれに結合され得、かつ質量分析器１９０内に存在する異なる質量のＭＳＣによって使用され得る。システム１８０は、低い原子質量単位の分析物、例えば、３、４、または５ａｍｕ程度に低い質量を有するリチウムもしくは他の元素を検出し、かつ／または高い原子質量単位の分析物、例えば、最大約２０００ａｍｕの質量を有する分子イオン種を検出するように構成され得る。示されていないが、サンプル導入デバイス、オーブン、ポンプなどの様々な他の構成要素もまた、システム１８０内において、コア１８２、１８４、１９２、および１９４のうちの任意の１つ以上の間に存在し得る。
【００８６】
ある特定の実施形態では、本明細書に記載されるシステムはまた、１つ以上のイオン化コアに流体的に結合された１つ以上のサンプル操作／処理コアを備え得る。図２Ａを参照すると、システム２００は、イオン化コア（複数可）２２０に流体的に結合されたサンプル操作コア（複数可）２１０を備え、イオン化コア２２０自体は、ＭＳコア（複数可）２３０を備える質量分析器に流体的に結合されている。コア２１０、２２０、および２３０の各々の様々な構成を以下でより詳細に論じる。システム２００の使用時に、サンプルをサンプル操作コア（複数可）２１０に導入することができ、分析物種をイオン化コア（複数可）２２０に提供する前に、サンプル中の分析物を何らかの方法で分離させるか、反応させるか、誘導体化するか、選別するか、修飾するか、または別様に作用させることができる。イオン化コア（複数可）２２０は、様々な技法を使用して、サンプル中の分析物をイオン化するように構成され得る。例えば、いくつかの事例では、イオン化ソースは、元素イオンをコア２３０に提供する前に、元素種をイオン化するために、例えば、無機種をイオン化するために、イオン化コア（複数可）２２０内に存在し得る。他の事例では、イオン化ソースは、分子イオンをコア２３０に提供する前に、分子種を生成／イオン化するために、例えば、有機種をイオン化するために、イオン化コア（複数可）２２０内に存在し得る。本明細書に述べられるある特定の構成では、システム２００は、イオンをＭＳコア２３０に提供する前に、無機種および有機種をイオン化するように構成され得る。ＭＳコア２３０は、特定の質量電荷比を有するイオンを濾過／検出するように構成され得る。いくつかの例では、ＭＳコア２３０は、存在する特定の構成要素に応じて、無機イオンを濾過／選択／検出し、かつ有機イオンを濾過／選択／検出するように設計され得る。示されていないが、ＭＳコア２３０を含む質量分析器は、典型的には、質量分析器内に存在し得る１つ、２つ、３つ、またはそれ以上の質量分析計コア（ＭＳＣ）によって使用される共通の構成要素を備える。例えば、共通のガスコントローラ、プロセッサ、電源、検出器、および真空ポンプを、質量分析器内に存在する異なる質量のＭＳＣによって使用することができる。システム２００は、低い原子質量単位の分析物、例えば、３、４、または５ａｍｕ程度に低い質量を有するリチウムもしくは他の元素を検出し、かつ／または高い原子質量単位の分析物、例えば、最大約２０００ａｍｕの質量を有する分子イオン種を検出するように構成され得る。示されていないが、サンプル導入デバイス、オーブン、ポンプなどの様々な他の構成要素もまた、システム２００内において、コア２１０、２２０、および２３０のうちの任意の１つ以上の間に存在し得る。
【００８７】
ある特定の構成では、図２Ａに示されるコアのうちの任意の１つ以上を２つ以上のコアに分離または分割することがでる。例えば、および図２Ｂを参照すると、システム２５０は、サンプル操作コア２６０と、サンプル操作コア２６０に流体的に結合された第１のイオン化コア２７０と、サンプル操作コア２６０に流体的に結合された第２のイオン化コア２８０とを備える。コア２７０、２８０の各々もまた、ＭＳコア２９０を備える共通の質量分析器に流体的に結合されている。示されていないが、システム２５０の使用中に、選択された時間において、種をサンプル操作コア２６０からイオン化コア２７０、２８０のうちの一方だけに提供するために、サンプル操作コア２６０とイオン化コア２７０、２８０との間にインターフェース、バルブ、または他のデバイスが存在し得る。他の構成では、インターフェース、バルブ、またはデバイスは、種をサンプル操作コア２６０からイオン化コア２７０、２８０に同時に提供するように構成され得る。同様に、システム２５０の使用中に、選択された時間において、種をイオン化コア２７０、２８０のうちの１つからＭＳコア２９０に提供するために、イオン化コア２７０、２８０と、ＭＳコア２９０との間にバルブ、インターフェース、または他のデバイス（図示せず）が存在し得る。他の構成では、インターフェース、バルブ、またはデバイスは、種をイオン化コア２７０、２８０から一緒にＭＳコア２９０に提供するように構成され得る。システム２５０の使用時に、サンプルをサンプル操作コア（複数可）２６０に導入することができ、分析物種をイオン化コア（複数可）２７０、２８０のうちの一方または両方に提供する前に、サンプル中の分析物を何らかの方法で分離させるか、反応させるか、誘導体化するか、選別するか、修飾するか、または別様に作用させることができる。いくつかの事例では、イオン化コア２７０、２８０は、様々であるが異なる技法を使用して、サンプル中の分析物をイオン化するように構成され得る。例えば、いくつかの事例では、イオン化ソースは、元素イオンをＭＳコア２９０に提供する前に、元素種をイオン化するために、例えば、無機種をイオン化するために、イオン化コア（複数可）２７０内に存在し得る。他の事例では、イオン化ソースは、分子イオンをＭＳコア２９０に提供する前に、分子種を生成／イオン化するために、例えば、有機種をイオン化するために、イオン化コア（複数可）２８０内に存在し得る。本明細書に述べられるある特定の構成では、システム２５０は、イオンをＭＳコア２９０に提供する前に、イオン化コア２７０、２８０を使用して、無機種および有機種の両方をイオン化するように構成され得る。ＭＳコア（複数可）２９０は、特定の質量電荷比を有するイオンを濾過／検出するように構成され得る。いくつかの例では、ＭＳコア２９０は、存在する特定の構成要素に応じて、無機イオンを濾過／選択／検出し、かつ有機イオンを濾過／選択／検出するように設計され得る。示されていないが、ＭＳコア２９０を含む質量分析器は、典型的には、質量分析器内に存在し得る１つ、２つ、３つ、またはそれ以上の質量分析計コア（ＭＳＣ）によって使用される共通の構成要素を備える。例えば、共通のガスコントローラ、プロセッサ、電源、検出器、および真空ポンプを、システム２５０の質量分析器内に存在する異なる質量のＭＳＣによって使用することができる。システム２５０は、低い原子質量単位の分析物、例えば、３、４、または５ａｍｕ程度に低い質量を有するリチウムもしくは他の元素を検出し、かつ／または高い原子質量単位の分析物、例えば、最大約２０００ａｍｕの質量を有する分子イオン種を検出するように構成され得る。示されていないが、サンプル導入デバイス、オーブン、ポンプなどの様々な他の構成要素もまた、システム２００内において、コア２６０、２７０、２８０、および２９０のうちの任意の１つ以上の間に存在し得る。
【００８８】
他の構成では、本明細書に記載される質量分析器は、２つ以上の別個のＭＳコアを備え得る。本明細書に述べられるように、ＭＳコアは、分離され得るが、依然としてガスコントローラ、プロセッサ、電源、検出器、および／または真空ポンプを含むある特定の共通の構成要素を共有し得る。図３を参照すると、サンプル操作コア３１０と、第１のイオン化コア３２０と、第２のイオン化コア３３０と、第１のＭＳコア３４０および第２のＭＳコア３５０を含む質量分析器３３５とを備えるシステム３００が示されている。サンプル操作コア３１０は、イオン化コア３２０、３３０の各々に流体的に結合されている。示されていないが、システム３００の使用中に、選択された時間において、種をサンプル操作コア３１０からイオン化コア３２０、３３０のうちの一方だけに提供するために、サンプル操作コア３１０とイオン化コア３２０、３３０との間にインターフェース、バルブ、または他のデバイスが存在し得る。他の構成では、インターフェース、バルブ、またはデバイスは、種をサンプル操作コア３１０からイオン化コア３２０、３３０に同時に提供するように構成され得る。イオン化コア３２０は第１のＭＳコア３４０に流体的に結合され、第２のイオン化コア３３０は第２のＭＳコア３５０に流体的に結合されている。システム３００の使用時に、サンプルをサンプル操作コア（複数可）３１０に導入することができ、分析物種をイオン化コア（複数可）３２０、３３０のうちの一方または両方に提供する前に、サンプル中の分析物を何らかの方法で分離させるか、反応させるか、誘導体化するか、選別するか、修飾するか、または別様に作用させることができる。いくつかの事例では、イオン化コア３２０、３３０は、様々であるが異なる技法を使用して、サンプル中の分析物をイオン化するように構成され得る。例えば、いくつかの事例では、イオン化ソースは、元素イオンをコア３４０に提供する前に、元素種をイオン化するために、例えば、無機種をイオン化するために、イオン化コア（複数可）３２０内に存在し得る。他の事例では、イオン化ソースは、分子イオンをコア３５０に提供する前に、分子種を生成／イオン化するために、例えば、有機種をイオン化するために、イオン化コア（複数可）３３０内に存在し得る。本明細書に述べられるある特定の構成では、システム３００は、イオンをＭＳコア３４０、３５０に提供する前に、イオン化コア３２０、３３０を使用して、無機種および有機種の両方をイオン化するように構成され得る。ＭＳコア（複数可）３４０、３５０は、特定の質量電荷比を有するイオンを濾過／検出するように構成され得る。いくつかの例では、存在する特定の構成要素に応じて、ＭＳコア３４０は無機イオンを濾過／選択／検出するように設計され得、ＭＳコア３５０は有機イオンを濾過／選択／検出するように設計され得る。示されていないが、質量分析器３３５は、典型的には、質量分析器３３５内に独立して存在し得る１つ、２つ、３つ、またはそれ以上の質量分析計コア（ＭＳＣ）によって使用される共通の構成要素を備える。例えば、共通のガスコントローラ、プロセッサ、電源、検出器、および真空ポンプを、質量分析器内に存在する異なる質量のＭＳＣによって使用することができるが、所望の場合、ＭＳコア３４０、３５０の各々は、それ自体のガスコントローラ、プロセッサ、電源、検出器、および／または真空ポンプを備えることができる。システム３００は、低い原子質量単位の分析物、例えば、３、４、または５ａｍｕ程度に低い質量を有するリチウムもしくは他の元素を検出し、かつ／または高い原子質量単位の分析物、例えば、最大約２０００ａｍｕの質量を有する分子イオン種を検出するように構成され得る。示されていないが、サンプル導入デバイス、オーブン、ポンプなどの様々な他の構成要素もまた、システム３００内において、コア３１０、３２０、３３０、３４０、および３５０のうちの任意の１つ以上の間に存在し得る。
【００８９】
２つのイオン化コアと２つのＭＳコアとが存在するいくつかの事例では、イオンを異なるイオン化コアから異なるＭＳコアに提供することが望ましいことがある。例えば、および図４を参照すると、サンプル操作コア４１０と、第１のイオン化コア４２０と、第２のイオン化コア４３０と、インターフェース４３５と、第１のＭＳコア４４０および第２のＭＳコア４５０を含む質量分析器４３７とを備えるシステム４００が示されている。サンプル操作コア４１０は、イオン化コア４２０、４３０の各々に流体的に結合されている。示されていないが、システム４００の使用中に、選択された時間において、種をサンプル操作コア４１０からイオン化コア４２０、４３０のうちの一方だけに提供するために、サンプル操作コア４１０とイオン化コア４２０、４３０との間にインターフェース、バルブ、または他のデバイスが存在し得る。他の構成では、インターフェース、バルブ、またはデバイスは、種をサンプル操作コア４１０からイオン化コア４２０、４３０に同時に提供するように構成され得る。イオン化コア４２０はインターフェース４３５に流体的に結合され、イオン化コア４３０はインターフェース４３５に流体的に結合されている。インターフェース４３５は、第１のＭＳコア４４０および第２のＭＳコア４５０の各々に流体的に結合されている。システム４００の使用時に、サンプルをサンプル操作コア（複数可）４１０に導入することができ、分析物種をイオン化コア（複数可）４２０、４３０のうちの一方または両方に提供する前に、サンプル中の分析物を何らかの方法で分離させるか、反応させるか、誘導体化するか、選別するか、修飾するか、または別様に作用させることができる。いくつかの事例では、イオン化コア４２０、４３０は、様々であるが異なる技法を使用して、サンプル中の分析物をイオン化するように構成され得る。例えば、いくつかの事例では、イオン化ソースは、元素イオンをインターフェース４３５に提供する前に、元素種をイオン化するために、例えば、無機種をイオン化するために、イオン化コア（複数可）４２０内に存在し得る。他の事例では、イオン化ソースは、分子イオンをインターフェース４３５に提供する前に、分子種を生成／イオン化するために、例えば、有機種をイオン化するために、イオン化コア（複数可）４３０内に存在し得る。本明細書に述べられるある特定の構成では、システム４００は、イオンをインターフェース４３５に提供する前に、イオン化コア４２０、３３０を使用して、無機種および有機種の両方をイオン化するように構成され得る。インターフェース４３５は、イオンをＭＳコア（複数可）４４０、４５０のいずれかまたは両方に提供するように構成され得、ＭＳコア（複数可）４４０、４５０の各々は、特定の質量電荷比を有するイオンを濾過／検出するように構成され得る。いくつかの例では、存在する特定の構成要素に応じて、ＭＳコア４４０は無機イオンを濾過／選択／検出するように設計され得、ＭＳコア４５０は有機イオンを濾過／選択／検出するように設計され得る。いくつかの例では、ＭＳコア４４０、４５０は、異なる濾過デバイスおよび／または検出デバイスと共に異なるように構成されている。示されていないが、質量分析器４３７は、典型的には、質量分析器４３７内に独立して存在し得る１つ、２つ、３つ、またはそれ以上の質量分析計コア（ＭＳＣ）によって使用される共通の構成要素を備える。例えば、共通のガスコントローラ、プロセッサ、電源、検出器、および真空ポンプを、質量分析器４３７内に存在する異なる質量のＭＳＣによって使用することができるが、所望の場合、ＭＳコア４４０、４５０の各々は、それ自体のガスコントローラ、プロセッサ、電源、検出器、および／または真空ポンプを備えることができる。システム４００は、低い原子質量単位の分析物、例えば、３、４、または５ａｍｕ程度に低い質量を有するリチウムもしくは他の元素を検出し、かつ／または高い原子質量単位の分析物、例えば、最大約２０００ａｍｕの質量を有する分子イオン種を検出するように構成され得る。示されていないが、サンプル導入デバイス、オーブン、ポンプなどの様々な他の構成要素もまた、システム４００内において、コア４１０、４２０、４３０、４４０、および４５０のうちの任意の１つ以上の間に存在し得る。
【００９０】
ある特定の例では、所望の場合、サンプル操作コアを２つ以上のコアに分割することができる。例えば、無機イオンがイオン化コアまたはＭＳコアに提供される場合、有機イオンがイオン化コアまたはＭＳコアに提供される場合とは異なる操作を実施することが望ましいことがある。図５を参照すると、第１のサンプル操作コア５０５と第２のサンプル操作コア５１０とを備えるシステム５００が示されている。コア５０５、５１０の各々は、インターフェース５１５に流体的に結合されている。インターフェース５１５は、イオン化コア５２０に流体的に結合され、イオン化コア５２０自体は、ＭＳコア５３０を備える質量分析器に流体的に結合されている。システム５００の使用時に、サンプルをサンプル操作コア５０５、５５０のうちの一方または両方に導入することができ、分析物種をインターフェース５１５に提供する前に、サンプル中の分析物を何らかの方法で分離させるか、反応させるか、誘導体化するか、選別するか、修飾するか、または別様に作用させることができる。インターフェース５１５は、サンプル操作コア５０５、５１０のうちの一方または両方からイオン化コア５２０へのサンプルの通過を可能にするように構成され得る。イオン化コア（複数可）５２０は、様々な技法を使用して、サンプル中の分析物をイオン化するように構成され得る。例えば、いくつかの事例では、イオン化ソースは、元素イオンをＭＳコア５３０に提供する前に、元素種をイオン化するために、例えば、無機種をイオン化するために、イオン化コア（複数可）５２０内に存在し得る。他の事例では、イオン化ソースは、分子イオンをＭＳコア５３０に提供する前に、分子種を生成／イオン化するために、例えば、有機種をイオン化するために、イオン化コア（複数可）５２０内に存在し得る。本明細書に述べられるある特定の構成では、システム５００は、イオンをＭＳコア５３０に提供する前に、無機種および有機種をイオン化するように構成され得る。ＭＳコア５３０は、特定の質量電荷比を有するイオンを濾過／検出するように構成され得る。いくつかの例では、ＭＳコア５３０は、存在する特定の構成要素に応じて、無機イオンを濾過／選択／検出し、かつ有機イオンを濾過／選択／検出するように設計され得る。示されていないが、ＭＳコア５３０を含む質量分析器は、典型的には、質量分析器内に存在し得る１つ、２つ、３つ、またはそれ以上の質量分析計コア（ＭＳＣ）によって使用される共通の構成要素を備える。例えば、共通のガスコントローラ、プロセッサ、電源、検出器、および真空ポンプを、質量分析器内に存在する異なる質量のＭＳＣによって使用することができる。システム５００は、低い原子質量単位の分析物、例えば、３、４、または５ａｍｕ程度に低い質量を有するリチウムもしくは他の元素を検出し、かつ／または高い原子質量単位の分析物、例えば、最大約２０００ａｍｕの質量を有する分子イオン種を検出するように構成され得る。示されていないが、サンプル導入デバイス、オーブン、ポンプなどの様々な他の構成要素もまた、システム５００内において、コア５０５、５１０、５２０、および５３０のうちの任意の１つ以上の間に存在し得る。
【００９１】
ある特定の構成では、所望の場合、サンプル操作コアを、互いに流体的に結合された２つ以上のコアに分割することができる。例えば、無機イオンがイオン化コアまたはＭＳコアに提供される場合、有機イオンがイオン化コアまたはＭＳコアに提供される場合とは異なる操作を実施することが望ましいことがある。図６を参照すると、第２のサンプル操作コア６１０に流体的に結合された第１のサンプル操作コア６０５を備えるシステム６００が示されている。分析物サンプルの性質に応じて、コア６０５、６１０のうちの一方は、受動的な構成で存在し、概して、サンプルに対していずれの操作も実施することなく、サンプルを通過させることができる一方、他の事例では、コア６０５、６１０の各々は、分析物種をイオン化コア６２０に提供する前に、サンプルに対する何らかの方法での分離、反応、誘導体化、選別、修飾、または別様な作用を含むが、これらに限定されない１つ以上のサンプル操作を実施する。イオン化コア（複数可）６２０は、様々な技法を使用して、サンプル中の分析物をイオン化するように構成され得る。例えば、いくつかの事例では、イオン化ソースは、元素イオンを、ＭＳコア６３０を備える質量分析器に提供する前に、元素種をイオン化するために、例えば、無機種をイオン化するために、イオン化コア（複数可）６２０内に存在し得る。他の事例では、イオン化ソースは、分子イオンをＭＳコア６３０に提供する前に、分子種を生成／イオン化するために、例えば、有機種をイオン化するために、イオン化コア（複数可）６２０内に存在し得る。本明細書に述べられるある特定の構成では、システム６００は、イオンをＭＳコア６３０に提供する前に、無機種および有機種をイオン化するように構成され得る。ＭＳコア６３０は、特定の質量電荷比を有するイオンを濾過／検出するように構成され得る。いくつかの例では、ＭＳコア６３０は、存在する特定の構成要素に応じて、無機イオンを濾過／選択／検出し、かつ有機イオンを濾過／選択／検出するように設計され得る。示されていないが、ＭＳコア６３０を含む質量分析器は、典型的には、質量分析器内に存在し得る１つ、２つ、３つ、またはそれ以上の質量分析計コア（ＭＳＣ）によって使用される共通の構成要素を備える。例えば、共通のガスコントローラ、プロセッサ、電源、検出器、および真空ポンプを、質量分析器内に存在する異なる質量のＭＳＣによって使用することができる。システム６００は、低い原子質量単位の分析物、例えば、３、４、または５ａｍｕ程度に低い質量を有するリチウムもしくは他の元素を検出し、かつ／または高い原子質量単位の分析物、例えば、最大約２０００ａｍｕの質量を有する分子イオン種を検出するように構成され得る。示されていないが、サンプル導入デバイス、オーブン、ポンプなどの様々な他の構成要素もまた、システム６００内において、コア６０５、６１０、６２０、および６３０のうちの任意の１つ以上の間に存在し得る。
【００９２】
２つ以上のサンプル操作コアが存在するある特定の構成では、各サンプル操作コアは、それぞれのイオン化コアに流体的に結合され得る。例えば、および図７を参照すると、システム７００は、第１のサンプル操作コア７０５と、第２のサンプル操作コア７１０と、第１のサンプル操作コア７０５に流体的に結合された第１のイオン化コア７２０と、第２のサンプル操作コア７１０に流体的に結合された第２のイオン化コア７３０とを備える。コア７２０、７３０の各々もまた、ＭＳコア７４０を備える共通の質量分析器に流体的に結合されている。示されていないが、システム７００の使用中に、選択された時間において、種をイオン化コア７２０、７３０のうちの１つからＭＳコア７４０に提供するために、イオン化コア７２０、７３０と、ＭＳコア７４０との間にバルブ、インターフェース、または他のデバイスが存在し得る。他の構成では、インターフェース、バルブ、またはデバイスは、種をイオン化コア７２０、７３０から一緒にＭＳコア７４０に提供するように構成され得る。システム７００の使用時に、サンプルをサンプル操作コア７０５、７１０に導入することができ、分析物種をイオン化コア７２０、７３０に提供する前に、サンプル中の分析物を何らかの方法で分離させるか、反応させるか、誘導体化するか、選別するか、修飾するか、または別様に作用させることができる。いくつかの事例では、イオン化コア７２０、７３０は、様々であるが異なる技法を使用して、サンプル中の分析物をイオン化するように構成され得る。例えば、いくつかの事例では、イオン化ソースは、元素イオンをコアＭＳ７４０に提供する前に、元素種をイオン化するために、例えば、無機種をイオン化するために、イオン化コア（複数可）７２０内に存在し得る。他の事例では、イオン化ソースは、分子イオンをＭＳコア７４０に提供する前に、分子種を生成／イオン化するために、例えば、有機種をイオン化するために、イオン化コア（複数可）７３０内に存在し得る。本明細書に述べられるある特定の構成では、システム７００は、イオンをＭＳコア７４０に提供する前に、イオン化コア７２０、７３０を使用して、無機種および有機種の両方をイオン化するように構成され得る。ＭＳコア７４０は、特定の質量電荷比を有するイオンを濾過／検出するように構成され得る。いくつかの例では、ＭＳコア７４０は、存在する特定の構成要素に応じて、無機イオンを濾過／選択／検出し、かつ有機イオンを濾過／選択／検出するように設計され得る。示されていないが、ＭＳコア７４０を含む質量分析器は、典型的には、質量分析器内に存在し得る１つ、２つ、３つ、またはそれ以上の質量分析計コア（ＭＳＣ）によって使用される共通の構成要素を備える。例えば、共通のガスコントローラ、プロセッサ、電源、検出器、および真空ポンプを、質量分析器内に存在する異なる質量のＭＳＣによって使用することができる。システム７００は、低い原子質量単位の分析物、例えば、３、４、または５ａｍｕ程度に低い質量を有するリチウムもしくは他の元素を検出し、かつ／または高い原子質量単位の分析物、例えば、最大約２０００ａｍｕの質量を有する分子イオン種を検出するように構成され得る。示されていないが、サンプル導入デバイス、オーブン、ポンプなどの様々な他の構成要素もまた、システム７００内において、コア７０５、７１０、７２０、７３０、および７４０のうちの任意の１つ以上の間に存在し得る。
【００９３】
２つ以上のサンプル操作コアが存在するある特定の構成では、各サンプル操作コアは、１つ以上のインターフェースを介してそれぞれのイオン化コアに流体的に結合され得る。例えば、および図８を参照すると、システム８００は、第１のサンプル操作コア８０５と、第２のサンプル操作コア８１０と、インターフェース８１５と、第１のイオン化コア８２０と、第２のイオン化コア８３０とを備える。コア８２０、８３０の各々もまた、ＭＳコア８４０を備える共通の質量分析器に流体的に結合されている。示されていないが、システム８００の使用中に、選択された時間において、種をイオン化コア８２０、８３０のうちの１つからＭＳコア８４０に提供するために、イオン化コア８２０、８３０と、ＭＳコア８４０との間にバルブ、インターフェース、または他のデバイスが存在し得る。他の構成では、インターフェース、バルブ、またはデバイスは、種をイオン化コア８２０、８３０から一緒にＭＳコア８４０に提供するように構成され得る。システム８００の使用時に、サンプルをサンプル操作コア８０５、８１０に導入することができ、分析物種をイオン化コア８２０、８３０に提供する前に、サンプル中の分析物を何らかの方法で分離させるか、反応させるか、誘導体化するか、選別するか、修飾するか、または別様に作用させることができる。インターフェース８１５は、サンプル操作コア８０５、８１０の各々に流体的に結合されており、サンプルをイオン化コア８２０、８３０のいずれかまたは両方に提供するように構成され得る。いくつかの事例では、イオン化コア８２０、８３０は、様々であるが異なる技法を使用して、サンプル中の分析物をイオン化するように構成され得る。例えば、いくつかの事例では、イオン化ソースは、元素イオンをＭＳコア８４０に提供する前に、元素種をイオン化するために、例えば、無機種をイオン化するために、イオン化コア（複数可）８２０内に存在し得る。他の事例では、イオン化ソースは、分子イオンをコアＭＳ８４０に提供する前に、分子種を生成／イオン化するために、例えば、有機種をイオン化するために、イオン化コア（複数可）８３０内に存在し得る。本明細書に述べられるある特定の構成では、システム８００は、イオンをＭＳコア８４０に提供する前に、イオン化コア８２０、８３０を使用して、無機種および有機種の両方をイオン化するように構成され得る。サンプル操作コア８０５、８１０は、同じサンプルソースまたは異なるサンプルソースからサンプルを受容し得る。異なるサンプルソースが存在する場合、インターフェース８１５は、分析物をサンプル操作コア８０５からイオン化コア８２０、８３０のいずれかに提供し得る。同様に、インターフェース８１５は、分析物をサンプル操作コア８１０からイオン化コア８２０、８３０のいずれかに提供し得る。ＭＳコア（複数可）８４０は、特定の質量電荷比を有するイオンを濾過／検出するように構成され得る。いくつかの例では、コア８４０は、存在する特定の構成要素に応じて、無機イオンを濾過／選択／検出し、かつ有機イオンを濾過／選択／検出するように設計され得る。示されていないが、ＭＳコア８４０を含む質量分析器は、典型的には、質量分析器内に存在し得る１つ、２つ、３つ、またはそれ以上の質量分析計コア（ＭＳＣ）によって使用される共通の構成要素を備える。例えば、共通のガスコントローラ、プロセッサ、電源、検出器、および真空ポンプを、ＭＳコア８４０内に存在する異なる質量のＭＳＣによって使用することができる。システム８００は、低い原子質量単位の分析物、例えば、３、４、または５ａｍｕ程度に低い質量を有するリチウムもしくは他の元素を検出し、かつ／または高い原子質量単位の分析物、例えば、最大約２０００ａｍｕの質量を有する分子イオン種を検出するように構成され得る。示されていないが、サンプル導入デバイス、オーブン、ポンプなどの様々な他の構成要素もまた、システム８００内において、コア８０５、８１０、８２０、８３０、および８４０のうちの任意の１つ以上の間に存在し得る。
【００９４】
２つ以上のサンプル操作コアが存在するある特定の構成では、各サンプル操作コアは、１つ以上のインターフェースを介してそれぞれのイオン化コアに流体的に結合され得、各イオン化コアは、それぞれのＭＳコアを備え得る。例えば、および図９を参照すると、システム９００は、第１のサンプル操作コア９０５と、第２のサンプル操作コア９１０と、インターフェース９１５と、第１のイオン化コア９２０と、第２のイオン化コア９３０とを備える。コア９２０、９３０の各々もまた、ＭＳコア９４０、９５０を備える質量分析器９３５に流体的に結合されている。システム９００の使用時に、サンプルをサンプル操作コア９０５、９１０に導入することができ、分析物種をイオン化コア９２０、９３０に提供する前に、サンプル中の分析物を何らかの方法で分離させるか、反応させるか、誘導体化するか、選別するか、修飾するか、または別様に作用させることができる。インターフェース９１５は、サンプル操作コア９０５、９１０の各々に流体的に結合されており、サンプルをイオン化コア９２０、９３０のいずれかまたは両方に提供するように構成され得る。いくつかの事例では、イオン化コア９２０、９３０は、様々であるが異なる技法を使用して、サンプル中の分析物をイオン化するように構成され得る。例えば、いくつかの事例では、イオン化ソースは、元素イオンをコアＭＳ９４０に提供する前に、元素種をイオン化するために、例えば、無機種をイオン化するために、イオン化コア（複数可）９２０内に存在し得る。他の事例では、イオン化ソースは、分子イオンをＭＳコア９５０に提供する前に、分子種を生成／イオン化するために、例えば、有機種をイオン化するために、イオン化コア（複数可）９３０内に存在し得る。本明細書に述べられるある特定の構成では、システム９００は、イオンをＭＳコア９４０、９５０に提供する前に、イオン化コア９２０、９３０を使用して、無機種および有機種の両方をイオン化するように構成され得る。サンプル操作コア９０５、９１０は、同じサンプルソースまたは異なるサンプルソースからサンプルを受容し得る。異なるサンプルソースが存在する場合、インターフェース９１５は、分析物をサンプル操作コア９０５からイオン化コア９２０、９３０のいずれかに提供し得る。同様に、インターフェース９１５は、分析物をサンプル操作コア９１０からイオン化コア９２０、９３０のいずれかに提供し得る。ＭＳコア（複数可）９４０、９５０の各々は、特定の質量電荷比を有するイオンを濾過／検出するように構成され得る。いくつかの例では、ＭＳコア９４０、９５０のいずれかまたは両方は、存在する特定の構成要素に応じて、無機イオンを濾過／選択／検出し、かつ有機イオンを濾過／選択／検出するように設計され得る。いくつかの例では、ＭＳコア９４０、９５０は、異なる濾過デバイスおよび／または検出デバイスと共に異なるように構成されている。示されていないが、質量分析器９３５は、典型的には、質量分析器９３５内に存在し得る１つ、２つ、３つ、またはそれ以上の質量分析計コア（ＭＳＣ）によって使用される共通の構成要素を備える。例えば、共通のガスコントローラ、プロセッサ、電源、検出器、および真空ポンプを、質量分析器９３５内に存在する異なる質量のＭＳＣによって使用することができる。システム９００は、低い原子質量単位の分析物、例えば、３、４、または５ａｍｕ程度に低い質量を有するリチウムもしくは他の元素を検出し、かつ／または高い原子質量単位の分析物、例えば、最大約２０００ａｍｕの質量を有する分子イオン種を検出するように構成され得る。示されていないが、サンプル導入デバイス、オーブン、ポンプなどの様々な他の構成要素もまた、システム９００内において、コア９０５、９１０、９２０、９３０、９４０、および９５０のうちの任意の１つ以上の間に存在し得る。
【００９５】
２つ以上のサンプル操作コアが存在するある特定の構成では、各サンプル操作コアは、１つ以上のインターフェースを介してそれぞれのイオン化コアに流体的に結合され得、各イオン化コアは、インターフェースを介して、２つ以上のＭＳコアを備える質量分析器に結合され得る。図１０を参照すると、システム１０００は、第１のサンプル操作コア１００５と、第２のサンプル操作コア１０１０と、インターフェース１０１５と、第１のイオン化コア１０２０と、第２のイオン化コア１０３０とを備える。コア１０２０、１０３０の各々もまた、インターフェース１０３５を介して、ＭＳコア１０４０、１０５０を備える質量分析器１０３７に流体的に結合されている。システム１０００の使用時に、サンプルをサンプル操作コア１００５、１０１０に導入することができ、分析物種をイオン化コア１０２０、１０３０に提供する前に、サンプル中の分析物を何らかの方法で分離させるか、反応させるか、誘導体化するか、選別するか、修飾するか、または別様に作用させることができる。インターフェース１０１５は、サンプル操作コア１００５、１０１０の各々に流体的に結合されており、サンプルをイオン化コア１０２０、１０３０のいずれかまたは両方に提供するように構成され得る。いくつかの事例では、イオン化コア１０２０、１０３０は、様々であるが異なる技法を使用して、サンプル中の分析物をイオン化するように構成され得る。例えば、いくつかの事例では、イオン化ソースは、元素イオンをインターフェース１０３５に提供する前に、元素種をイオン化するために、例えば、無機種をイオン化するために、イオン化コア（複数可）１０２０内に存在し得る。他の事例では、イオン化ソースは、分子イオンをインターフェース１０３５に提供する前に、分子種を生成／イオン化するために、例えば、有機種をイオン化するために、イオン化コア（複数可）１０３０内に存在し得る。本明細書に述べられるある特定の構成では、システム１０００は、イオンをインターフェース１０３５に提供する前に、イオン化コア１０２０、１０３０を使用して、無機種および有機種の両方をイオン化するように構成され得る。サンプル操作コア１００５、１０１０は、同じサンプルソースまたは異なるサンプルソースからサンプルを受容し得る。異なるサンプルソースが存在する場合、インターフェース１０１５は、分析物をサンプル操作コア１００５からイオン化コア１０２０、１０３０のいずれかに提供し得る。同様に、インターフェース１０１５は、分析物をサンプル操作コア１０１０からイオン化コア１０２０、１０３０のいずれかに提供し得る。インターフェース１０３５は、イオン化コア１０２０、１０３０のいずれかまたは両方からイオンを受容し、受容したイオンをＭＳコア１０４０、１０５０のうちの一方または両方に提供し得る。ＭＳコア（複数可）１０４０、１０５０の各々は、特定の質量電荷比を有するイオンを濾過／検出するように構成され得る。いくつかの例では、ＭＳコア１０４０、１０５０のいずれかまたは両方は、存在する特定の構成要素に応じて、無機イオンを濾過／選択／検出し、かつ有機イオンを濾過／選択／検出するように設計され得る。いくつかの例では、ＭＳコア１０４０、１０５０は、異なる濾過デバイスおよび／または検出デバイスと共に異なるように構成されている。示されていないが、質量分析器１０３７は、典型的には、質量分析器１０３７内に存在し得る１つ、２つ、３つ、またはそれ以上の質量分析計コア（ＭＳＣ）によって使用される共通の構成要素を備える。例えば、共通のガスコントローラ、プロセッサ、電源、検出器、および真空ポンプを、質量分析器１０３７内に存在する異なる質量のＭＳＣによって使用することができる。システム１０００は、低い原子質量単位の分析物、例えば、３、４、または５ａｍｕ程度に低い質量を有するリチウムもしくは他の元素を検出し、かつ／または高い原子質量単位の分析物、例えば、最大約２０００ａｍｕの質量を有する分子イオン種を検出するように構成され得る。示されていないが、サンプル導入デバイス、オーブン、ポンプなどの様々な他の構成要素もまた、システム１０００内において、コア１００５、１０１０、１０２０、１０３０、１０４０、および１０５０のうちの任意の１つ以上の間に存在し得る。
【００９６】
ある特定の例では、イオン化コアは、複数のイオン化ソースの使用を可能にするように、直列配置で流体的に結合され得る。図１１を参照すると、第２のイオン化コア１１２０に流体的に結合された第１のイオン化コア１１１０を備えるシステム１１００が示されており、第２のイオン化コア１１２０自体は、ＭＳコア１１３０を備える質量分析器に流体的に結合されている。示されていないが、イオン化コア１１２０が使用されていない状況では、イオンがコア１１１０からＭＳコア１１３０に直接提供されることを可能にするために、バイパスラインを存在させて、第１のイオン化コア１１１０をＭＳコア１１３０に直接結合することもできる。システム１１００の使用時に、サンプルをイオン化コア１１１０に導入することができる。イオン化コア（複数可）１１１０、１１２０は独立して、様々な技法を使用して、サンプル中の分析物をイオン化するように構成され得る。例えば、いくつかの事例では、イオン化ソースは、元素イオンをコア１１３０に提供する前に、元素種をイオン化するために、例えば、無機種をイオン化するために、イオン化コア（複数可）１１１０、１１２０内に存在し得る。他の事例では、イオン化ソースは、分子イオンをＭＳコア１１３０に提供する前に、分子種を生成／イオン化するために、例えば、有機種をイオン化するために、イオン化コア（複数可）１１１０、１１２０内に存在し得る。本明細書に述べられるある特定の構成では、システム１１００は、イオンをＭＳコア１１３０に提供する前に、無機種および有機種をイオン化するように構成され得る。ＭＳコア（複数可）１１３０は、特定の質量電荷比を有するイオンを濾過／検出するように構成され得る。いくつかの例では、ＭＳコア１１３０は、存在する特定の構成要素に応じて、無機イオンを濾過／選択／検出し、かつ有機イオンを濾過／選択／検出するように設計され得る。示されていないが、ＭＳコア１１３０を含む質量分析器は、典型的には、質量分析器内に存在し得る１つ、２つ、３つ、またはそれ以上の質量分析計コア（ＭＳＣ）によって使用される共通の構成要素を備える。例えば、共通のガスコントローラ、プロセッサ、電源、検出器、および真空ポンプを、質量分析器内に存在する異なる質量のＭＳＣによって使用することができる。システム１１００は、低い原子質量単位の分析物、例えば、３、４、または５ａｍｕ程度に低い質量を有するリチウムもしくは他の元素を検出し、かつ／または高い原子質量単位の分析物、例えば、最大約２０００ａｍｕの質量を有する分子イオン種を検出するように構成され得る。示されていないが、サンプル導入デバイス、オーブン、ポンプなどの様々な他の構成要素もまた、システム１１００内において、コア１１１０、１１２０、および１１３０のうちの任意の１つ以上の間に存在し得る。いくつかの事例では、図１〜図１０に記載され示されるシステムのうちのいずれかは、図１１に示されるコア１１１０、１１２０と同様に、直列配置のイオン化コアを備え得る。
【００９７】
ある特定の構成では、本明細書に記載されるシステム内に１つ以上の直列に配置されたイオン化コアが存在し得る。例えば、および図１２を参照すると、第１のイオン化コア１２１５に流体的に結合されたサンプル操作コア１１１０を備えるシステム１２００が示されている。第１のイオン化コア１２１５は、第２のイオン化コア１２２０に流体的に結合され、第２のイオン化コア１２２０自体は、ＭＳコア１２３０を備える質量分析器に流体的に結合されている。示されていないが、所望の場合、第２のイオン化コア１２２０が使用されていない状況では、イオンがコア１２１５からＭＳコア１２３０に直接提供されることを可能にするために、バイパスラインを存在させて、イオン化コア１２１５をＭＳコア１２３０に直接結合することもできる。同様に、イオン化コア１２１５を使用することが望ましくない状況では、バイパスラインを存在させて、サンプル操作コア１２１０をイオン化コア１２２０に直接結合することができる。システム１２００の使用時に、サンプルをサンプル操作コア１２１０に導入することができ、分析物種をイオン化コア１２１５に提供する前に、サンプル中の分析物を何らかの方法で分離させるか、反応させるか、誘導体化するか、選別するか、修飾するか、または別様に作用させることができる。イオン化コア１２１５は、様々な技法を使用して、サンプル中の分析物をイオン化するように構成され得る。例えば、いくつかの事例では、イオン化ソースは、元素イオンをコア１２３０に提供する前に、元素種をイオン化するために、例えば、無機種をイオン化するために、イオン化コア１２１５内に存在し得る。他の事例では、イオン化ソースは、分子イオンをコア１２３０に提供する前に、分子種を生成／イオン化するために、例えば、有機種をイオン化するために、イオン化コア１２１５内に存在し得る。イオン化コア１２１５は、コア１２１５によって使用されるものと同じであっても、異なってもよい様々な技法を使用して、サンプル中の分析物をイオン化するように構成され得る。例えば、いくつかの事例では、イオン化ソースは、元素イオンをコア１２３０に提供する前に、元素種をイオン化するために、例えば、無機種をイオン化するために、イオン化コア１２２０内に存在し得る。他の事例では、イオン化ソースは、分子イオンをＭＳコア１２３０に提供する前に、分子種を生成／イオン化するために、例えば、有機種をイオン化するために、イオン化コア１２２０内に存在し得る。本明細書に述べられるある特定の構成では、システム１２００は、イオンをコア１２３０に提供する前に、無機種および有機種をイオン化するように構成され得る。ＭＳコア（複数可）１２３０は、特定の質量電荷比を有するイオンを濾過／検出するように構成され得る。いくつかの例では、ＭＳコア１２３０は、存在する特定の構成要素に応じて、無機イオンを濾過／選択／検出し、かつ有機イオンを濾過／選択／検出するように設計され得る。示されていないが、ＭＳコア１２３０を含む質量分析器は、典型的には、質量分析器内に存在し得る１つ、２つ、３つ、またはそれ以上の質量分析計コア（ＭＳＣ）によって使用される共通の構成要素を備える。例えば、共通のガスコントローラ、プロセッサ、電源、検出器、および真空ポンプを、質量分析器内に存在する異なる質量のＭＳＣによって使用することができる。システム１２００は、低い原子質量単位の分析物、例えば、３、４、または５ａｍｕ程度に低い質量を有するリチウムもしくは他の元素を検出し、かつ／または高い原子質量単位の分析物、例えば、最大約２０００ａｍｕの質量を有する分子イオン種を検出するように構成され得る。示されていないが、サンプル導入デバイス、オーブン、ポンプなどの様々な他の構成要素もまた、システム１２００内において、コア１２１０、１２１５、１２２０、および１２３０のうちの任意の１つ以上の間に存在し得る。いくつかの事例では、図１〜図１０に記載され示されるシステムのうちのいずれかは、図１２に示されるコア１２１５、１２２０と同様に、直列配置のイオン化コアを備え得る。
【００９８】
ある特定の構成では、本明細書に記載されるシステム内に１つ以上の直列に配置されたＭＳコアが存在し得る。例えば、および図１３を参照すると、イオン化コア１３２０に流体的に結合されたサンプル操作コア１３１０を備えるシステム１３００が示されている。イオン化コア１３２０は、第１のＭＳコア１３３０を備える質量分析器１３２５に流体的に結合され、第１のＭＳコア１３３０自体は、第２のＭＳコア１３４０に流体的に結合されている。示されていないが、所望の場合、第１のＭＳコア１３３０が使用されていない状況では、イオンがコア１３２０からＭＳコア１３４０に直接提供されることを可能にするために、バイパスラインを存在させて、イオン化コア１３２０をＭＳコア１３４０に直接結合することもできる。システム１３００の使用時に、サンプルをサンプル操作コア１３１０に導入することができ、分析物種をイオン化コア１３２０に提供する前に、サンプル中の分析物を何らかの方法で分離させるか、反応させるか、誘導体化するか、選別するか、修飾するか、または別様に作用させることができる。イオン化コア１３２０は、様々な技法を使用して、サンプル中の分析物をイオン化するように構成され得る。例えば、いくつかの事例では、イオン化ソースは、元素イオンをコア１３３０に提供する前に、元素種をイオン化するために、例えば、無機種をイオン化するために、イオン化コア１３２０内に存在し得る。他の事例では、イオン化ソースは、分子イオンをコア１３３０に提供する前に、分子種を生成／イオン化するために、例えば、有機種をイオン化するために、イオン化コア１３２０内に存在し得る。本明細書に述べられるある特定の構成では、システム１３００は、イオンをコア１３３０に提供する前に、無機種および有機種をイオン化するように構成され得る。ＭＳコア１３３０は、特定の質量電荷比を有するイオンを濾過／検出するように構成され得る。いくつかの例では、ＭＳコア１３３０は、存在する特定の構成要素に応じて、無機イオンを濾過／選択／検出し、かつ有機イオンを濾過／選択／検出するように設計され得る。同様に、ＭＳコア１３４０は、特定の質量電荷比を有するイオンを濾過／検出するように構成され得る。いくつかの例では、ＭＳコア１３４０は、存在する特定の構成要素に応じて、無機イオンを濾過／選択／検出し、かつ有機イオンを濾過／選択／検出するように設計され得る。示されていないが、質量分析器１３２５は、典型的には、質量分析器１３２５内に存在し得る１つ、２つ、３つ、またはそれ以上の質量分析計コア（ＭＳＣ）によって使用される共通の構成要素を備える。例えば、共通のガスコントローラ、プロセッサ、電源、検出器、および真空ポンプを、質量分析器１３２５内に存在する異なる質量のＭＳＣによって使用することができる。システム１３００は、低い原子質量単位の分析物、例えば、３、４、または５ａｍｕ程度に低い質量を有するリチウムもしくは他の元素を検出し、かつ／または高い原子質量単位の分析物、例えば、最大約２０００ａｍｕの質量を有する分子イオン種を検出するように構成され得る。示されていないが、サンプル導入デバイス、オーブン、ポンプなどの様々な他の構成要素もまた、システム１３００内において、コアのうちの任意の１つ以上の間に存在し得る。いくつかの事例では、図１〜図１２に記載され示されるシステムのうちのいずれかは、図１３に示されるコア１３３０、１３４０と同様に、直列配置のＭＳコアを備え得る。
【００９９】
ある特定の実施形態では、追加の構成要素、デバイスなどを存在させ、サンプル操作コアと、イオン化コアと、１つ以上のＭＳコアを備える質量分析器と共に使用することもできる。本明細書により詳細に記載される様々なコアに関連して様々な例示デバイスを記載する。
【０１００】
サンプル操作コア
ある特定の実施形態では、本明細書に記載されるシステムおよび方法で使用するのに好適なサンプルは、典型的には、ガス状、液体、または固体の形態で存在し、サンプル操作コアによって実施される特定のサンプル操作に応じて、使用される正確な形態を変更することができる。
【０１０１】
いくつかの事例では、サンプル操作コアは、ガスクロマトグラフィーを実施するように構成され得る。いずれの特定の理論にも縛られるのを望むことなく、ガスクロマトグラフィーは、ガス状の移動相および固定相を使用してガス状の分析物を分離する。ＧＣシステムの簡単な例示を図１４に示しているが、本開示の利益を考慮すると、ＧＣシステムの他の構成が当業者によって認識されよう。ＧＣシステム１４００は、流体ラインを通って圧力調整器１４２０に流体的に結合されたキャリアガスソース１４１０を備える。圧力調整器１４２０は、流体ラインを通って流れ分割器１４３０に流体的に結合されている。流れ分割器１４３０は、キャリアガスの流れを少なくとも２つの流体ラインに分割するように構成されている。流体分割器１４３０は、流体ラインのうちの１つを通って注入器１４４０に流体的に結合されている。サンプルを注入器に注入し、注入器１４４０の一部と、固定相を含むカラム１４５０とを収容し得るオーブン１４３５内で気化させる。示されていないが、注入器１４３０を、様々な分析物、例えば、３個以上の炭素原子を有する分析物を吸収および脱着するように構成された吸着剤管またはデバイスと交換することができる。カラム１４５０は、分析物種を個々の分析物の構成成分に分離し、これらの分析物種が矢印１４６５の大まかな方向に出口１４６０を通って退出することを可能にする。次いで、退出する分析物を本明細書に記載されるような１つ以上のイオン化コアに提供することができる。所望の場合、２つ以上の別個のＧＣシステムを本明細書に記載されるシステムで使用することができる。例えば、所望の場合、各イオン化コアを共通のＧＣシステムまたはそれぞれのＧＣシステムに流体的に結合することができる。
【０１０２】
ある特定の実施形態では、本明細書に記載されるシステムは、１つ以上のイオン化コアに流体的に結合されたＧＣを含む１つ以上のサンプル操作コアを備え得る。図１５Ａを参照すると、システム１５００は、イオン化コア（複数可）１５０２に流体的に結合されたＧＣ１５０１を備え、イオン化コア１５０２自体は、ＭＳコア１５０３を備える質量分析器に流体的に結合されている。システム１５００の使用時に、サンプルをＧＣ１５０１に導入することができ、分析物種をイオン化コア（複数可）１５０２に提供する前に、サンプル中の分析物をＧＣ１５０１によって何らかの方法で気化させるか、分離させるか、反応させるか、誘導体化するか、選別するか、修飾するか、または別様に作用させることができる。イオン化コア（複数可）１５０２は、様々な技法を使用して、サンプル中の分析物をイオン化するように構成され得る。例えば、いくつかの事例では、イオン化ソースは、元素イオンをＭＳコア１５０３に提供する前に、元素種をイオン化するために、例えば、無機種をイオン化するために、イオン化コア（複数可）１５０２内に存在し得る。他の事例では、イオン化ソースは、分子イオンをＭＳコア１５０３に提供する前に、分子種を生成／イオン化するために、例えば、有機種をイオン化するために、イオン化コア（複数可）１５０２内に存在し得る。本明細書に述べられるある特定の構成では、システム１５００は、イオンをコア１５０３に提供する前に、無機種および有機種をイオン化するように構成され得る。ＭＳコア（複数可）１５０３は、特定の質量電荷比を有するイオンを濾過／検出するように構成され得る。いくつかの例では、ＭＳコア１５０３は、存在する特定の構成要素に応じて、無機イオンを濾過／選択／検出し、かつ有機イオンを濾過／選択／検出するように設計され得る。示されていないが、ＭＳコア１５０３を含む質量分析器は、典型的には、質量分析器内に存在し得る１つ、２つ、３つ、またはそれ以上の質量分析計コア（ＭＳＣ）によって使用される共通の構成要素を備える。例えば、共通のガスコントローラ、プロセッサ、電源、検出器、および真空ポンプを、質量分析器内に存在する異なる質量のＭＳＣによって使用することができる。システム１５００は、低い原子質量単位の分析物、例えば、３、４、または５ａｍｕ程度に低い質量を有するリチウムもしくは他の元素を検出し、かつ／または高い原子質量単位の分析物、例えば、最大約２０００ａｍｕの質量を有する分子イオン種を検出するように構成され得る。示されていないが、サンプル導入デバイス、オーブン、ポンプなどの様々な他の構成要素もまた、システム１５００内において、コア１５０１、１５０２、および１５０３のうちの任意の１つ以上の間に存在し得る。
【０１０３】
ある特定の構成では、図１５Ａに示されるコアのうちの任意の１つ以上を２つ以上のコアに分離または分割することがでる。例えば、および図１５Ｂを参照すると、システム１５０５は、ＧＣ１５０６を含むサンプル操作コアと、ＧＣ１５０６に流体的に結合された第１のイオン化コア１５０７と、ＧＣ１５０６に流体的に結合された第２のイオン化コア１５０８とを備える。コア１５０７、１５０８の各々もまた、ＭＳコア１５０９を備える質量分析器に流体的に結合されている。示されていないが、システム１５０５の使用中に、選択された時間において、種をＧＣ１５０６からイオン化コア１５０７、１５０８のうちの一方だけに提供するために、ＧＣ１５０６とイオン化コア１５０７、１５０８との間にインターフェース、バルブ、または他のデバイスが存在し得る。他の構成では、インターフェース、バルブ、またはデバイスは、種をＧＣ１５０６からイオン化コア１５０７、１５０８に同時に提供するように構成され得る。同様に、システム１５０の使用中に、選択された時間において、種をイオン化コア１５０７、１５０８のうちの１つからＭＳコア１５０９に提供するために、イオン化コア１５０７、１５０８と、ＭＳコア１５０９との間にバルブ、インターフェース、または他のデバイス（図示せず）が存在し得る。他の構成では、インターフェース、バルブ、またはデバイスは、種をイオン化コア１５０７、１５０８から一緒にＭＳコア１５０９に提供するように構成され得る。システム１５０５の使用時に、サンプルをＧＣ１５０１に導入することができ、分析物種をイオン化コア（複数可）１５０７、１５０８のうちの一方または両方に提供する前に、サンプル中の分析物をＧＣ１５０６によって何らかの方法で気化させるか、分離させるか、反応させるか、誘導体化するか、選別するか、修飾するか、または別様に作用させることができる。いくつかの事例では、イオン化コア１５０７、１５０８は、様々であるが異なる技法を使用して、サンプル中の分析物をイオン化するように構成され得る。例えば、いくつかの事例では、イオン化ソースは、元素イオンをＭＳコア１５０９に提供する前に、元素種をイオン化するために、例えば、無機種をイオン化するために、イオン化コア（複数可）１５０７内に存在し得る。他の事例では、イオン化ソースは、分子イオンをＭＳコア１５０９に提供する前に、分子種を生成／イオン化するために、例えば、有機種をイオン化するために、イオン化コア（複数可）１５０８内に存在し得る。本明細書に述べられるある特定の構成では、システム１５０５は、イオンをＭＳコア１５０９に提供する前に、イオン化コア１５０７、１５０８を使用して、無機種および有機種の両方をイオン化するように構成され得る。ＭＳコア（複数可）１５０９は、特定の質量電荷比を有するイオンを濾過／検出するように構成され得る。いくつかの例では、ＭＳコア１５０９は、存在する特定の構成要素に応じて、無機イオンを濾過／選択／検出し、かつ有機イオンを濾過／選択／検出するように設計され得る。示されていないが、ＭＳコア１５０９を含む質量分析器は、典型的には、質量分析器内に存在し得る１つ、２つ、３つ、またはそれ以上の質量分析計コア（ＭＳＣ）によって使用される共通の構成要素を備える。例えば、共通のガスコントローラ、プロセッサ、電源、検出器、および真空ポンプを、質量分析器内に存在する異なる質量のＭＳＣによって使用することができる。システム１５０５は、低い原子質量単位の分析物、例えば、３、４、または５ａｍｕ程度に低い質量を有するリチウムもしくは他の元素を検出し、かつ／または高い原子質量単位の分析物、例えば、最大約２０００ａｍｕの質量を有する分子イオン種を検出するように構成され得る。示されていないが、サンプル導入デバイス、オーブン、ポンプなどの様々な他の構成要素もまた、システム１５０５内において、コア１５０６、１５０７、１５０８、および１５０９のうちの任意の１つ以上の間に存在し得る。
【０１０４】
他の構成では、本明細書に記載されるＭＳコアを含む質量分析器は（ＧＣと共に使用される場合）、２つ以上の個々のＭＳコアを備え得る。本明細書に述べられるように、ＭＳコアは、分離され得るが、依然としてガスコントローラ、プロセッサ、電源、検出器、および／または真空ポンプを含むある特定の共通の構成要素を共有し得る。図１５Ｃを参照すると、ＧＣ１５１１を含むサンプル操作コアＧＣ１５１１と、第１のイオン化コア１５１２と、第２のイオン化コア１５１３と、第１のＭＳコア１５１５および第２のＭＳコア１５１６を含む質量分析器１５１４とを備えるシステム１５１０が示されている。ＧＣ１５１１は、イオン化コア１５１２、１５１３の各々に流体的に結合されている。示されていないが、システム１５１０の使用中に、選択された時間において、種をＧＣ１５１１からイオン化コア１５１２、１５１３のうちの一方だけに提供するために、ＧＣ１５１１とイオン化コア１５１２、１５１３との間にインターフェース、バルブ、または他のデバイスが存在し得る。他の構成では、インターフェース、バルブ、またはデバイスは、種をＧＣ１５１１からイオン化コア１５１２、１５１３に同時に提供するように構成され得る。イオン化コア１５１２は第１のＭＳコア１５１５に流体的に結合され、第２のイオン化コア１５１３は第２のＭＳコア１５１６に流体的に結合されている。システム１５１０の使用時に、サンプルをＧＣ１５１１に導入することができ、分析物種をイオン化コア（複数可）１５１２、１５１３のうちの一方または両方に提供する前に、サンプル中の分析物を何らかの方法で気化させるか、分離させるか、反応させるか、誘導体化するか、選別するか、修飾するか、または別様に作用させることができる。いくつかの事例では、イオン化コア１５１２、１５１３は、様々であるが異なる技法を使用して、サンプル中の分析物をイオン化するように構成され得る。例えば、いくつかの事例では、イオン化ソースは、元素イオンをＭＳコア１５１５に提供する前に、元素種をイオン化するために、例えば、無機種をイオン化するために、イオン化コア（複数可）１５１２内に存在し得る。他の事例では、イオン化ソースは、分子イオンをＭＳコア１５１６に提供する前に、分子種を生成／イオン化するために、例えば、有機種をイオン化するために、イオン化コア（複数可）１５１３内に存在し得る。本明細書に述べられるある特定の構成では、システム１５１０は、イオンをＭＳコア１５１５、１５１６に提供する前に、イオン化コア１５１２、１５１３を使用して、無機種および有機種の両方をイオン化するように構成され得る。ＭＳコア（複数可）１５１５、１５１６は、特定の質量電荷比を有するイオンを濾過／検出するように構成され得る。いくつかの例では、存在する特定の構成要素に応じて、ＭＳコア１５１５は無機イオンを濾過／選択／検出するように設計され得、ＭＳコア１５１６は有機イオンを濾過／選択／検出するように設計され得る。示されていないが、ＭＳコア（複数可）１５１５、１５１６を備える質量分析器１５１４は、典型的には、質量分析器１５１４内に独立して存在し得る１つ、２つ、３つ、またはそれ以上の質量分析計コア（ＭＳＣ）によって使用される共通の構成要素を備える。例えば、共通のガスコントローラ、プロセッサ、電源、検出器、および真空ポンプを、質量分析器１５１４内に存在する異なる質量のＭＳＣによって使用することができるが、所望の場合、コア１５１５、１５１６の各々は、それ自体のガスコントローラ、プロセッサ、電源、検出器、および／または真空ポンプを備えることができる。システム１５１０は、低い原子質量単位の分析物、例えば、３、４、または５ａｍｕ程度に低い質量を有するリチウムもしくは他の元素を検出し、かつ／または高い原子質量単位の分析物、例えば、最大約２０００ａｍｕの質量を有する分子イオン種を検出するように構成され得る。示されていないが、サンプル導入デバイス、オーブン、ポンプなどの様々な他の構成要素もまた、システム１５１０内において、コア１５１１、１５１２、１５１３、１５１５、および１５１６のうちの任意の１つ以上の間に存在し得る。
【０１０５】
ＧＣと、２つのイオン化コアと、２つのＭＳコアを備える質量分析器とが存在するいくつかの事例では、イオンを異なるイオン化コアから質量分析器の異なるＭＳコアに提供することが望ましいことがある。例えば、および図１５Ｄを参照すると、ＧＣ１５２１を含むサンプル操作コアと、第１のイオン化コア１５２２と、第２のイオン化コア１５２３と、インターフェース１５２４と、第１のＭＳコア１５２６および第２のＭＳコア１５２７を含む質量分析器１５２５とを備えるシステム１５２０が示されている。ＧＣ１５２１は、イオン化コア１５２２、１５２３の各々に流体的に結合されている。示されていないが、システム１５２０の使用中に、選択された時間において、種をＧＣ１５２１からイオン化コア１５２２、１５２３のうちの一方だけに提供するために、ＧＣ１５２１とイオン化コア１５２２、１５２３との間にインターフェース、バルブ、または他のデバイスが存在し得る。他の構成では、インターフェース、バルブ、またはデバイスは、種をＧＣ１５２１からイオン化コア１５２２、１５２３に同時に提供するように構成され得る。イオン化コア１５２２はインターフェース１５２４に流体的に結合され、イオン化コア１５２３はインターフェース１５２４に流体的に結合されている。インターフェース１５２４は、第１のＭＳコア１５２６および第２のＭＳコア１５２７の各々に流体的に結合されている。システム１５２０の使用時に、サンプルをＧＣ１５２１に導入することができ、分析物種をイオン化コア（複数可）１５２２、１５２３のうちの一方または両方に提供する前に、サンプル中の分析物を何らかの方法で気化させるか、分離させるか、反応させるか、誘導体化するか、選別するか、修飾するか、または別様に作用させることができる。いくつかの事例では、イオン化コア１５２２、１５２３は、様々であるが異なる技法を使用して、サンプル中の分析物をイオン化するように構成され得る。例えば、いくつかの事例では、イオン化ソースは、元素イオンをインターフェース１５２４に提供する前に、元素種をイオン化するために、例えば、無機種をイオン化するために、イオン化コア（複数可）１５２２内に存在し得る。他の事例では、イオン化ソースは、分子イオンをインターフェース１５２４に提供する前に、分子種を生成／イオン化するために、例えば、有機種をイオン化するために、イオン化コア（複数可）１５２３内に存在し得る。本明細書に述べられるある特定の構成では、システム１５２０は、イオンをインターフェース１５２４に提供する前に、イオン化コア１５２２、１５２３を使用して、無機種および有機種の両方をイオン化するように構成され得る。インターフェース１５２４は、イオンをＭＳコア（複数可）１５２６、１５２７のいずれかまたは両方に提供するように構成され得、ＭＳコア（複数可）１５２６、１５２７の各々は、特定の質量電荷比を有するイオンを濾過／検出するように構成され得る。いくつかの例では、存在する特定の構成要素に応じて、ＭＳコア１５２６は無機イオンを濾過／選択／検出するように設計され得、ＭＳコア１５２７は有機イオンを濾過／選択／検出するように設計され得る。いくつかの例では、ＭＳコア１５２６、１５２７は、異なる濾過デバイスおよび／または検出デバイスと共に異なるように構成されている。示されていないが、質量分析器１５２５は、典型的には、質量分析器１５２５内に独立して存在し得る１つ、２つ、３つ、またはそれ以上の質量分析計コア（ＭＳＣ）によって使用される共通の構成要素を備える。例えば、共通のガスコントローラ、プロセッサ、電源、検出器、および真空ポンプを、質量分析器１５２５内に存在する異なる質量のＭＳＣによって使用することができるが、所望の場合、ＭＳコア１５２６、１５２７の各々は、それ自体のガスコントローラ、プロセッサ、電源、検出器、および／または真空ポンプを備えることができる。システム１５２０は、低い原子質量単位の分析物、例えば、３、４、または５ａｍｕ程度に低い質量を有するリチウムもしくは他の元素を検出し、かつ／または高い原子質量単位の分析物、例えば、最大約２０００ａｍｕの質量を有する分子イオン種を検出するように構成され得る。示されていないが、サンプル導入デバイス、オーブン、ポンプなどの様々な他の構成要素もまた、システム１５２０内において、コア１５２１、１５２２、１５２３、１５２６、および１５２７のうちの任意の１つ以上の間に存在し得る。
【０１０６】
ある特定の例では、所望の場合、サンプル操作コアを２つ以上のコアに分割することができる。例えば、無機イオンがイオン化コアまたはＭＳコアに提供される場合、有機イオンがイオン化コアまたはＭＳコアに提供される場合とは異なる操作を実施することが望ましいことがある。図１５Ｅを参照すると、第１のＧＣ１５３１および第２のＧＣ１５３２を含むサンプル操作コアを備えるシステム１５３０が示されているが、以下に述べられるように、ＧＣ１５３１、１５３２のうちの１つを、ＬＣ、ＤＳＡ、または他のデバイスもしくはシステムなどのサンプル操作コアと交換することができる。ＧＣ１５３１、１５３２の各々は、インターフェース１５３３に流体的に結合されている。インターフェース１５３３は、イオン化コア１５３４に流体的に結合され、イオン化コア１５３４自体は、ＭＳコア１５３５を備える質量分析器に流体的に結合されている。システム１５３０の使用時に、サンプルをＧＣ１５３１、１５３２のうちの一方または両方に導入することができ、分析物種をインターフェース１５３３に提供する前に、サンプル中の分析物を何らかの方法で気化させるか、分離させるか、反応させるか、誘導体化するか、選別するか、修飾するか、または別様に作用させることができる。異なるＧＣ１５３１、１５３２を、異なる分離を実施するか、異なる分離条件を使用するか、異なるキャリアガスを使用するか、または異なる構成要素を含むように構成することができる。インターフェース１５３３は、ＧＣ１５３１、１５３２のうちの一方または両方からイオン化コア１５３４へのサンプルの通過を可能にするように構成され得る。イオン化コア（複数可）１５３４は、様々な技法を使用して、サンプル中の分析物をイオン化するように構成され得る。例えば、いくつかの事例では、イオン化ソースは、元素イオンをＭＳコア１５３５に提供する前に、元素種をイオン化するために、例えば、無機種をイオン化するために、イオン化コア（複数可）１５３４内に存在し得る。他の事例では、イオン化ソースは、分子イオンをＭＳコア１５３５０に提供する前に、分子種を生成／イオン化するために、例えば、有機種をイオン化するために、イオン化コア（複数可）１５３４内に存在し得る。本明細書に述べられるある特定の構成では、システム１５３０は、イオンをＭＳコア１５３５に提供する前に、無機種および有機種をイオン化するように構成され得る。ＭＳコア（複数可）１５３５は、特定の質量電荷比を有するイオンを濾過／検出するように構成され得る。いくつかの例では、ＭＳコア１５３５は、存在する特定の構成要素に応じて、無機イオンを濾過／選択／検出し、かつ有機イオンを濾過／選択／検出するように設計され得る。示されていないが、ＭＳコア１５３５を含む質量分析器は、典型的には、質量分析器内に存在し得る１つ、２つ、３つ、またはそれ以上の質量分析計コア（ＭＳＣ）によって使用される共通の構成要素を備える。例えば、共通のガスコントローラ、プロセッサ、電源、検出器、および真空ポンプを、質量分析器内に存在する異なる質量のＭＳＣによって使用することができる。システム１５３０は、低い原子質量単位の分析物、例えば、３、４、または５ａｍｕ程度に低い質量を有するリチウムもしくは他の元素を検出し、かつ／または高い原子質量単位の分析物、例えば、最大約２０００ａｍｕの質量を有する分子イオン種を検出するように構成され得る。示されていないが、サンプル導入デバイス、オーブン、ポンプなどの様々な他の構成要素もまた、システム１５３０内において、コア１５３１、１５３２、１５３４、および１５３５のうちの任意の１つ以上の間に存在し得る。
【０１０７】
ある特定の構成では、所望の場合、サンプル操作コアのＧＣを互いに直列に結合することができる。例えば、異なる分離条件のために構成されたＧＣを使用して、サンプル中の分析物を分離することが望ましいことがある。図１５Ｆを参照すると、第２のＧＣ１５４２に流体的に結合された第１のＧＣ１５４１を備えるシステム１５４０が示されている。分析物サンプルの性質に応じて、ＧＣ１５４１、１５４２のうちの一方は、受動的な構成で存在し、概して、サンプルに対していずれの操作も実施することなく、サンプルを通過させることができる一方、他の事例では、ＧＣ１５４１、１５４２の各々は、分析物種をイオン化コア１５４３に提供する前に、サンプルに対する何らかの方法での気化、分離、反応、誘導体化、選別、修飾、または別様な作用を含むが、これらに限定されない１つ以上のサンプル操作を実施する。イオン化コア（複数可）１５４３は、様々な技法を使用して、サンプル中の分析物をイオン化するように構成され得る。例えば、いくつかの事例では、イオン化ソースは、元素イオンを、ＭＳコア１５４４を備える質量分析器に提供する前に、元素種をイオン化するために、例えば、無機種をイオン化するために、イオン化コア（複数可）１５４３内に存在し得る。他の事例では、イオン化ソースは、分子イオンをＭＳコア１５４４に提供する前に、分子種を生成／イオン化するために、例えば、有機種をイオン化するために、イオン化コア（複数可）１５４３内に存在し得る。本明細書に述べられるある特定の構成では、システム１５４０は、イオンをＭＳコア１５４４に提供する前に、無機種および有機種をイオン化するように構成され得る。ＭＳコア（複数可）１５４４は、特定の質量電荷比を有するイオンを濾過／検出するように構成され得る。いくつかの例では、ＭＳコア１５４４は、存在する特定の構成要素に応じて、無機イオンを濾過／選択／検出し、かつ有機イオンを濾過／選択／検出するように設計され得る。示されていないが、ＭＳコア１５４４を含む質量分析器は、典型的には、質量分析器内に存在し得る１つ、２つ、３つ、またはそれ以上の質量分析計コア（ＭＳＣ）によって使用される共通の構成要素を備える。例えば、共通のガスコントローラ、プロセッサ、電源、検出器、および真空ポンプを、質量分析器内に存在する異なる質量のＭＳＣによって使用することができる。システム１５４０は、低い原子質量単位の分析物、例えば、３、４、または５ａｍｕ程度に低い質量を有するリチウムもしくは他の元素を検出し、かつ／または高い原子質量単位の分析物、例えば、最大約２０００ａｍｕの質量を有する分子イオン種を検出するように構成され得る。示されていないが、サンプル導入デバイス、オーブン、ポンプなどの様々な他の構成要素もまた、システム１５４０内において、コア１５４１、１５４２、１５４３、および１５４４のうちの任意の１つ以上の間に存在し得る。
【０１０８】
２つ以上のＧＣが存在するある特定の構成では、各ＧＣは、それぞれのイオン化コアに流体的に結合され得る。例えば、および図１５Ｇを参照すると、システム１５５０は、第１のＧＣ１５５１と、第２のＧＣ１５５２と、第１のＧＣ１５１１に流体的に結合された第１のイオン化コア１５５３と、第２のＧＣ１５２２に流体的に結合された第２のイオン化コア１５５４とを備える。本明細書に述べられるように、所望の場合、ＧＣ１５５１、１５５２のうちの１つを、例えば、ＬＣ、ＤＳＡデバイス、または他のサンプル操作コアなどの異なるサンプル操作コアと交換することができる。コア１５５３、１５５４の各々もまた、ＭＳコア１５５５を備える質量分析器に流体的に結合されている。示されていないが、システム１５５０の使用中に、選択された時間において、種をイオン化コア１５５３、１５５４のうちの１つからＭＳコア１５５５に提供するために、イオン化コア１５５３、１５５４と、ＭＳコア１５５５との間にバルブ、インターフェース、または他のデバイスが存在し得る。他の構成では、インターフェース、バルブ、またはデバイスは、種をイオン化コア１５５３、１５５４から一緒にＭＳコア１５５５に提供するように構成され得る。システム１５５０の使用時に、サンプルをＧＣ１５１、１５５２に導入することができ、分析物種をイオン化コア１５５３、１５５４に提供する前に、サンプル中の分析物を何らかの方法で気化させるか、分離させるか、反応させるか、誘導体化するか、選別するか、修飾するか、または別様に作用させることができる。いくつかの事例では、イオン化コア１５５３、１５５４は、様々であるが異なる技法を使用して、サンプル中の分析物をイオン化するように構成され得る。例えば、いくつかの事例では、イオン化ソースは、元素イオンをＭＳコア１５５５に提供する前に、元素種をイオン化するために、例えば、無機種をイオン化するために、イオン化コア（複数可）１５５３内に存在し得る。他の事例では、イオン化ソースは、分子イオンをＭＳコア１５５５に提供する前に、分子種を生成／イオン化するために、例えば、有機種をイオン化するために、イオン化コア（複数可）１５５４内に存在し得る。本明細書に述べられるある特定の構成では、システム１５５０は、イオンをＭＳコア１５５５に提供する前に、イオン化コア１５５３、１５５４を使用して、無機種および有機種の両方をイオン化するように構成され得る。ＭＳコア１５５５は、特定の質量電荷比を有するイオンを濾過／検出するように構成され得る。いくつかの例では、ＭＳコア１５５５は、存在する特定の構成要素に応じて、無機イオンを濾過／選択／検出し、かつ有機イオンを濾過／選択／検出するように設計され得る。示されていないが、ＭＳコア１５５５を含む質量分析器は、典型的には、質量分析器内に存在し得る１つ、２つ、３つ、またはそれ以上の質量分析計コア（ＭＳＣ）によって使用される共通の構成要素を備える。例えば、共通のガスコントローラ、プロセッサ、電源、検出器、および真空ポンプを、質量分析器内に存在する異なる質量のＭＳＣによって使用することができる。システム１５５０は、低い原子質量単位の分析物、例えば、３、４、または５ａｍｕ程度に低い質量を有するリチウムもしくは他の元素を検出し、かつ／または高い原子質量単位の分析物、例えば、最大約２０００ａｍｕの質量を有する分子イオン種を検出するように構成され得る。示されていないが、サンプル導入デバイス、オーブン、ポンプなどの様々な他の構成要素もまた、システム１５５０内において、コア１５５１、１５５２、１５５３、１５５４、および１５５５のうちの任意の１つ以上の間に存在し得る。
【０１０９】
２つ以上のＧＣが存在するある特定の構成では、各ＧＣは、１つ以上のインターフェースを介してそれぞれのイオン化コアに流体的に結合され得る。例えば、および図１５Ｈを参照すると、システム１５６０は、第１のＧＣ１５６１と、第２のＧＣ１５６２と、インターフェース１５６３と、第１のイオン化コア１５６４と、第２のイオン化コア１５６５とを備える。本明細書に述べられるように、所望の場合、ＧＣ１５６１、１５６２のうちの１つを、例えば、ＬＣ、ＤＳＡデバイス、または他のサンプル操作コアなどの異なるサンプル操作コアと交換することができる。イオン化コア１５６４、１５６５の各々もまた、ＭＳコア１５６６を備える質量分析器に流体的に結合されている。示されていないが、システム１５６０の使用中に、選択された時間において、種をイオン化コア１５６４、１５６５のうちの１つからＭＳコア１５６６に提供するために、イオン化コア１５６４、１５６５と、ＭＳコア１５６６との間にバルブ、インターフェース、または他のデバイスが存在し得る。他の構成では、インターフェース、バルブ、またはデバイスは、種をイオン化コア１５６４、１５６５から一緒にＭＳコア１５６６に提供するように構成され得る。システム１５６０の使用時に、サンプルをＧＣ１５６１、１５６２に導入することができ、分析物種をイオン化コア１５６４、１５６５に提供する前に、サンプル中の分析物を何らかの方法で気化させるか、分離させるか、反応させるか、誘導体化するか、選別するか、修飾するか、または別様に作用させることができる。インターフェース１５６３は、ＧＣ１５６１、１５６２の各々に流体的に結合されており、サンプルをイオン化コア１５６４、１５６５のいずれかまたは両方に提供するように構成され得る。いくつかの事例では、イオン化コア１５６４、１５６５は、様々であるが異なる技法を使用して、サンプル中の分析物をイオン化するように構成され得る。例えば、いくつかの事例では、イオン化ソースは、元素イオンをコアＭＳ１５６６に提供する前に、元素種をイオン化するために、例えば、無機種をイオン化するために、イオン化コア（複数可）１５６４内に存在し得る。他の事例では、イオン化ソースは、分子イオンをＭＳコア１５６６に提供する前に、分子種を生成／イオン化するために、例えば、有機種をイオン化するために、イオン化コア（複数可）１５６５内に存在し得る。本明細書に述べられるある特定の構成では、システム１５６０は、イオンをＭＳコア１５６６に提供する前に、イオン化コア１５６４、１５６５を使用して、無機種および有機種の両方をイオン化するように構成され得る。ＧＣ１５６１、１５６２は、同じサンプルソースまたは異なるサンプルソースからサンプルを受容し得る。異なるサンプルソースが存在する場合、インターフェース１５６３は、分析物をＧＣ１５６１からイオン化コア１５６４、１５６５のいずれかに提供し得る。同様に、インターフェース１５６３は、分析物をＧＣ１５６２からイオン化コア１５６４、１５６５のいずれかに提供し得る。ＭＳコア（複数可）１５６６は、特定の質量電荷比を有するイオンを濾過／検出するように構成され得る。いくつかの例では、ＭＳコア１５６６は、存在する特定の構成要素に応じて、無機イオンを濾過／選択／検出し、かつ有機イオンを濾過／選択／検出するように設計され得る。示されていないが、ＭＳコア１５６６を含む質量分析器は、典型的には、質量分析器内に存在し得る１つ、２つ、３つ、またはそれ以上の質量分析計コア（ＭＳＣ）によって使用される共通の構成要素を備える。例えば、共通のガスコントローラ、プロセッサ、電源、検出器、および真空ポンプを、コア１５６６内に存在する異なる質量のＭＳＣによって使用することができる。システム１５６０は、低い原子質量単位の分析物、例えば、３、４、または５ａｍｕ程度に低い質量を有するリチウムもしくは他の元素を検出し、かつ／または高い原子質量単位の分析物、例えば、最大約２０００ａｍｕの質量を有する分子イオン種を検出するように構成され得る。示されていないが、サンプル導入デバイス、オーブン、ポンプなどの様々な他の構成要素もまた、システム１５６０内において、コア１５６１、１５６２、１５６４、１５６５、および１５６６のうちの任意の１つ以上の間に存在し得る。
【０１１０】
２つ以上のＧＣが存在するある特定の構成では、各ＧＣは、１つ以上のインターフェースを介してそれぞれのイオン化コアに流体的に結合され得、各イオン化コアは、２つ以上のＭＳコアを備える質量分析器に流体的に結合され得る。例えば、および図１５Ｉを参照すると、システム１５７０は、第１のＧＣ１５７１と、第２のＧＣ１５７２と、インターフェース１５７３と、第１のイオン化コア１５７４と、第２のイオン化コア１５７５とを備える。イオン化コア１５７４および１５７５の各々もまた、ＭＳコア１５７７および１５７８を備える質量分析器１５７６内のそれぞれのＭＳコアに流体的に結合されている。本明細書に述べられるように、所望の場合、ＧＣ１５７１、１５７２のうちの１つを、例えば、ＬＣ、ＤＳＡデバイス、または他のサンプル操作コアなどの異なるサンプル操作コアと交換することができる。システム１５７０の使用時に、サンプルをＧＣ１５７１、１５７２に導入することができ、分析物種をイオン化コア１５７４、１５７５に提供する前に、サンプル中の分析物を何らかの方法で気化させるか、分離させるか、反応させるか、誘導体化するか、選別するか、修飾するか、または別様に作用させることができる。インターフェース１５７３は、ＧＣ１５７１、１５７２の各々に流体的に結合されており、サンプルをイオン化コア１５７４、１５７５のいずれかまたは両方に提供するように構成され得る。いくつかの事例では、イオン化コア１５７４、１５７５は、様々であるが異なる技法を使用して、サンプル中の分析物をイオン化するように構成され得る。例えば、いくつかの事例では、イオン化ソースは、元素イオンをコアＭＳ１５７７に提供する前に、元素種をイオン化するために、例えば、無機種をイオン化するために、イオン化コア（複数可）１５７４内に存在し得る。他の事例では、イオン化ソースは、分子イオンをＭＳコア１５７８に提供する前に、分子種を生成／イオン化するために、例えば、有機種をイオン化するために、イオン化コア（複数可）１５７５内に存在し得る。本明細書に述べられるある特定の構成では、システム１５７０は、イオンをＭＳコア１５７７、１５７８に提供する前に、イオン化コア１５７４、１５７５を使用して、無機種および有機種の両方をイオン化するように構成され得る。ＧＣ１５７１、１５７２は、同じサンプルソースまたは異なるサンプルソースからサンプルを受容し得る。異なるサンプルソースが存在する場合、インターフェース１５７３は、分析物をＧＣ１５７１からイオン化コア１５７４、１５７５のいずれかに提供し得る。同様に、インターフェース１５７３は、分析物をＧＣ１５７２からイオン化コア１５７４、１５７５のいずれかに提供し得る。ＭＳコア（複数可）１５７７、１５７８の各々は、特定の質量電荷比を有するイオンを濾過／検出するように構成され得る。いくつかの例では、ＭＳコア１５７７、１５７８のいずれかまたは両方は、存在する特定の構成要素に応じて、無機イオンを濾過／選択／検出し、かつ有機イオンを濾過／選択／検出するように設計され得る。いくつかの例では、ＭＳコア１５７７、１５７８は、異なる濾過デバイスおよび／または検出デバイスと共に異なるように構成されている。示されていないが、質量分析器１５７６は、典型的には、質量分析器１５７６内に存在し得る１つ、２つ、３つ、またはそれ以上の質量分析計コア（ＭＳＣ）によって使用される共通の構成要素を備える。例えば、共通のガスコントローラ、プロセッサ、電源、検出器、および真空ポンプを、質量分析器１５７６内に存在する異なる質量のＭＳＣによって使用することができる。システム１５７０は、低い原子質量単位の分析物、例えば、３、４、または５ａｍｕ程度に低い質量を有するリチウムもしくは他の元素を検出し、かつ／または高い原子質量単位の分析物、例えば、最大約２０００ａｍｕの質量を有する分子イオン種を検出するように構成され得る。示されていないが、サンプル導入デバイス、オーブン、ポンプなどの様々な他の構成要素もまた、システム１５７０内において、コア１５７１、１５７２、１５７４、１５７５、１５７７、および１５７８のうちの任意の１つ以上の間に存在し得る。
【０１１１】
２つ以上のＧＣが存在するある特定の構成では、各ＧＣは、１つ以上のインターフェースを介してそれぞれのイオン化コアに流体的に結合され得、各イオン化コアは、インターフェースを介して２つ以上のＭＳコアに結合され得る。図１５Ｊを参照すると、システム１５８０は、第１のＧＣ１５８１と、第２のＧＣ１５８２と、インターフェース１５８３と、第１のイオン化コア１５８４と、第２のイオン化コア１５８５とを備える。イオン化コア１５８４、１５８５の各々もまた、インターフェース１５８６を介して、ＭＳコア１５８８、１５８９を備える質量分析器１５８７に流体的に結合されている。システム１５８０の使用時に、サンプルをＧＣ１５８１、１５８２に導入することができ、分析物種をイオン化コア１５８４、１５８５に提供する前に、サンプル中の分析物を何らかの方法で気化させるか、分離させるか、反応させるか、誘導体化するか、選別するか、修飾するか、または別様に作用させることができる。インターフェース１５８３は、ＧＣ１５８１、１５８２の各々に流体的に結合されており、サンプルをイオン化コア１５８４、１５８５のいずれかまたは両方に提供するように構成され得る。いくつかの事例では、イオン化コア１５８４、１５８５は、様々であるが異なる技法を使用して、サンプル中の分析物をイオン化するように構成され得る。例えば、いくつかの事例では、イオン化ソースは、元素イオンをインターフェース１５８６に提供する前に、元素種をイオン化するために、例えば、無機種をイオン化するために、イオン化コア（複数可）１５８４内に存在し得る。他の事例では、イオン化ソースは、分子イオンをインターフェース１５８６に提供する前に、分子種を生成／イオン化するために、例えば、有機種をイオン化するために、イオン化コア（複数可）１５８５内に存在し得る。本明細書に述べられるある特定の構成では、システム１５８０は、イオンをインターフェース１５８６に提供する前に、イオン化コア１５８４、１５８５を使用して、無機種および有機種の両方をイオン化するように構成され得る。ＧＣ１５８１、１５８２は、同じサンプルソースまたは異なるサンプルソースからサンプルを受容し得る。異なるサンプルソースが存在する場合、インターフェース１５８３は、分析物をＧＣ１５８１からイオン化コア１５８４、１５８５のいずれかに提供し得る。同様に、インターフェース１５８３は、分析物をＧＣ１５８２からイオン化コア１５８４、１５８５のいずれかに提供し得る。インターフェース１５８６は、イオン化コア１５８４、１５８５のいずれかまたは両方からイオンを受容し、受容したイオンをＭＳコア１５８８、１５８９のうちの一方または両方に提供し得る。ＭＳコア（複数可）１５８８、１５８９の各々は、特定の質量電荷比を有するイオンを濾過／検出するように構成され得る。いくつかの例では、ＭＳコア１５８８、１５８９のいずれかまたは両方は、存在する特定の構成要素に応じて、無機イオンを濾過／選択／検出し、かつ有機イオンを濾過／選択／検出するように設計され得る。いくつかの例では、ＭＳコア１５８８、１５８９は、異なる濾過デバイスおよび／または検出デバイスと共に異なるように構成されている。示されていないが、質量分析器１５８７は、典型的には、質量分析器１５８７内に存在し得る１つ、２つ、３つ、またはそれ以上の質量分析計コア（ＭＳＣ）によって使用される共通の構成要素を備える。例えば、共通のガスコントローラ、プロセッサ、電源、検出器、および真空ポンプを、質量分析器１５８７内に存在する異なる質量のＭＳＣによって使用することができる。システム１５８０は、低い原子質量単位の分析物、例えば、最小で３、４、または５ａｍｕ程度に低い質量を有するリチウムもしくは他の元素を検出し、かつ／または高い原子質量単位の分析物、例えば、最大約２０００ａｍｕの質量を有する分子イオン種を検出するように構成され得る。示されていないが、サンプル導入デバイス、オーブン、ポンプなどの様々な他の構成要素もまた、システム１５８０内において、コア１５８１、１５８２、１５８４、１５８５、１５８８、および１５８９のうちの任意の１つ以上の間に存在し得る。
【０１１２】
ある特定の構成では、１つ以上の直列に配置されたイオン化コアが存在し、ＧＣと共に使用され得る。例えば、および図１５Ｋを参照すると、第１のイオン化コア１５９２に流体的に結合されたＧＣ１５９１を含むサンプル操作コアを備えるシステム１５９０が示されている。第１のイオン化コア１５９２は、第２のイオン化コア１５９３に流体的に結合され、第２のイオン化コア１５９３自体は、ＭＳコア１５９４を備える質量分析器に流体的に結合されている。示されていないが、所望の場合、第２のイオン化コア１５９３が使用されていない状況では、イオンがコア１５９２からＭＳコア１５９４に直接提供されることを可能にするために、バイパスラインを存在させて、イオン化コア１５９２をＭＳコア１５９４に直接結合することもできる。同様に、イオン化コア１５９２を使用することが望ましくない状況では、バイパスラインを存在させて、ＧＣ１５９１をイオン化コア１５９３に直接結合することができる。システム１５９０の使用時に、サンプルをＧＣ１５９１に導入することができ、分析物種をイオン化コア１５９２に提供する前に、サンプル中の分析物を何らかの方法で気化させるか、分離させるか、反応させるか、誘導体化するか、選別するか、修飾するか、または別様に作用させることができる。イオン化コア１５９２は、様々な技法を使用して、サンプル中の分析物をイオン化するように構成され得る。例えば、いくつかの事例では、イオン化ソースは、元素イオンをコア１５９３またはコア１５９４に提供する前に、元素種をイオン化するために、例えば、無機種をイオン化するために、イオン化コア１５９２内に存在し得る。他の事例では、イオン化ソースは、分子イオンをコア１５９３またはコア１５９４に提供する前に、分子種を生成／イオン化するために、例えば、有機種をイオン化するために、イオン化コア１５９２内に存在し得る。イオン化コア１５９３は、コア１５９２によって使用されるものと同じであっても、異なってもよい様々な技法を使用して、サンプル中の分析物をイオン化するように構成され得る。例えば、いくつかの事例では、イオン化ソースは、元素イオンをＭＳコア１５９４に提供する前に、元素種をイオン化するために、例えば、無機種をイオン化するために、イオン化コア１５９３内に存在し得る。他の事例では、イオン化ソースは、分子イオンをＭＳコア１５９４に提供する前に、分子種を生成／イオン化するために、例えば、有機種をイオン化するために、イオン化コア１５９３内に存在し得る。本明細書に述べられるある特定の構成では、システム１５９０は、イオンをコアＭＳ１５９４に提供する前に、無機種および有機種をイオン化するように構成され得る。ＭＳコア（複数可）１５９４は、特定の質量電荷比を有するイオンを濾過／検出するように構成され得る。いくつかの例では、ＭＳコア１５９４は、存在する特定の構成要素に応じて、無機イオンを濾過／選択／検出し、かつ有機イオンを濾過／選択／検出するように設計され得る。示されていないが、ＭＳコア１５９４を含む質量分析器は、典型的には、質量分析器内に存在し得る１つ、２つ、３つ、またはそれ以上の質量分析計コア（ＭＳＣ）によって使用される共通の構成要素を備える。例えば、共通のガスコントローラ、プロセッサ、電源、検出器、および真空ポンプを、質量分析器内に存在する異なる質量のＭＳＣによって使用することができる。システム１５９０は、低い原子質量単位の分析物、例えば、３、４、または５ａｍｕ程度に低い質量を有するリチウムもしくは他の元素を検出し、かつ／または高い原子質量単位の分析物、例えば、最大約２０００ａｍｕの質量を有する分子イオン種を検出するように構成され得る。示されていないが、サンプル導入デバイス、オーブン、ポンプなどの様々な他の構成要素もまた、システム１５９０内において、コア１５９１、１５９２、１５９３、および１５９４のうちの任意の１つ以上の間に存在し得る。いくつかの事例では、図１５Ａ〜図１５Ｊに記載され示されるシステムのうちのいずれかは、図１５Ｋに示されるコア１５９２、１５９３と同様に、直列配置のイオン化コアを備え得る。
【０１１３】
ある特定の構成では、本明細書に記載されるシステム内に１つ以上の直列に配置されたＭＳコアが存在し得る。例えば、および図１５Ｌを参照すると、イオン化コア１５９７に流体的に結合されたＧＣ１５９６を含むサンプル操作コアを備えるシステム１５９５が示されている。イオン化コア１５９７は、第１のＭＳコア１５９８を備える質量分析器に流体的に結合され、第１のＭＳコア１５９８自体は、質量分析器の第２のＭＳコア１５９９に流体的に結合されている。示されていないが、所望の場合、第１のＭＳコア１５９８が使用されていない状況では、イオンがコア１５９７からＭＳコア１５９９に直接提供されることを可能にするために、バイパスラインを存在させて、イオン化コア１５９７をＭＳコア１５９９に直接結合することもできる。システム１５９５の使用時に、サンプルをＧＣ１５９６に導入することができ、分析物種をイオン化コア１５９７に提供する前に、サンプル中の分析物を何らかの方法で気化させるか、分離させるか、反応させるか、誘導体化するか、選別するか、修飾するか、または別様に作用させることができる。イオン化コア１５９７は、様々な技法を使用して、サンプル中の分析物をイオン化するように構成され得る。例えば、いくつかの事例では、イオン化ソースは、元素イオンをコアＭＳ１５９８に提供する前に、元素種をイオン化するために、例えば、無機種をイオン化するために、イオン化コア１５９７内に存在し得る。他の事例では、イオン化ソースは、分子イオンをＭＳコア１５９８に提供する前に、分子種を生成／イオン化するために、例えば、有機種をイオン化するために、イオン化コア１５９７内に存在し得る。本明細書に述べられるある特定の構成では、システム１５９５は、イオンをＭＳコア１５９８に提供する前に、無機種および有機種をイオン化するように構成され得る。ＭＳコア１５９８は、特定の質量電荷比を有するイオンを濾過／検出するように構成され得る。いくつかの例では、ＭＳコア１５９８は、存在する特定の構成要素に応じて、無機イオンを濾過／選択／検出し、かつ有機イオンを濾過／選択／検出するように設計され得る。同様に、ＭＳコア１５９９は、特定の質量電荷比を有するイオンを濾過／検出するように構成され得る。いくつかの例では、ＭＳコア１５９９は、存在する特定の構成要素に応じて、無機イオンを濾過／選択／検出し、かつ有機イオンを濾過／選択／検出するように設計され得る。示されていないが、ＭＳコア１５９８、１５９９を含む質量分析器は、典型的には、質量分析器内に存在し得る１つ、２つ、３つ、またはそれ以上の質量分析計コア（ＭＳＣ）によって使用される共通の構成要素を備える。例えば、共通のガスコントローラ、プロセッサ、電源、検出器、および真空ポンプを、質量分析器内に存在する異なる質量のＭＳＣによって使用することができる。システム１５９５は、低い原子質量単位の分析物、例えば、３、４、または５ａｍｕ程度に低い質量を有するリチウムもしくは他の元素を検出し、かつ／または高い原子質量単位の分析物、例えば、最大約２０００ａｍｕの質量を有する分子イオン種を検出するように構成され得る。示されていないが、サンプル導入デバイス、オーブン、ポンプなどの様々な他の構成要素もまた、システム１５９５内において、コア１５９６、１５９７、１５９８、および１５９９のうちの任意の１つ以上の間に存在し得る。いくつかの事例では、図１５Ａ〜図１５Ｋに記載され示されるシステムのうちのいずれかは、図１５Ｌに示されるＭＳコア１５９８、１５９９と同様に、直列配置のＭＳコアを備え得る。
【０１１４】
他の事例では、サンプル操作コアは、液体クロマトグラフィー／分離技法を実装するように構成され得る。ガスクロマトグラフィーとは対照的に、液体クロマトグラフィー  （ｌｉｑｕｉｄ  ｃｈｒｏｍａｔｏｇｒａｐｈｙ、ＬＣ）は、液体の移動相および固定相を使用して種を分離する。液体クロマトグラフィーは、様々な有機または生物学的分析物を互いに分離させる際に使用するのに望ましいことがある。図１６を参照すると、液体クロマトグラフィーシステムの１つの構成の簡略図が示されている。この構成では、システム１６００は、高速液体クロマトグラフィーを実施するように構成されている。システム１６００は、ポンプ１６２０などの１つ以上のポンプに流体的に結合された液体リザーバー（複数可）または液体ソース（複数可）１６１０を備える。ポンプ１６２０は、流体ラインを通って注入器１６４０に流体的に結合されている。所望の場合、フィルター、背圧調整器、トラップ、ドレインバルブ、パルスダンパー、または他の構成要素をポンプ１６２０と注入器１６３０との間に存在させることができる。液体サンプルを注入器１６４０に注入して、カラム１６５０に提供する。カラム１６５０は、サンプル中の液体分析物の構成成分を、カラム１６５０から溶出する個々の分析物の構成成分に分離することができる。次いで、個々の分析物の構成成分は、流体ライン１６６５を通ってカラム１６５０から退出することができ、本明細書に記載されるような１つ以上のイオン化コアに提供され得る。所望の場合、２つ以上の別個のＬＣシステムを本明細書に記載されるシステムで使用することができる。例えば、所望の場合、各イオン化コアを共通のＬＣシステムまたはそれぞれのＬＣシステムに流体的に結合することができる。さらに、直列または並列ＧＣ／ＬＣシステムを備えるハイブリッドシステムを使用して、ある特定の分析物の構成成分を気化させ、ＧＣを使用してそれらを分離しつつ、分離した分析物の構成成分を１つ以上のイオン化コアに提供する前に、ＬＣ技法を使用して他の構成成分を分離することを可能にすることもできる。
【０１１５】
いくつかの事例では、他の液体クロマトグラフィー技法、例えば、サイズ排除液体クロマトグラフィー、イオン交換クロマトグラフィー、疎水性相互作用クロマトグラフィー、高速タンパク質液体クロマトグラフィー、薄層クロマトグラフィー、免疫分離、または他のクロマトグラフィー技法を使用することもできる。ある特定の実施形態では、超臨界流体クロマトグラフィー（ｓｕｐｅｒｃｒｉｔｉｃａｌ  ｆｌｕｉｄ  ｃｈｒｏｍａｔｏｇｒａｐｈｙ、ＳＦＣ）システムを使用することができる。図１７を参照すると、システム１７００は、ポンプ１７２０などの１つ以上のポンプに流体的に結合された二酸化炭素ソース１７１０を備える。ポンプ１７２０は、流体ラインを通って注入器１７４０に流体的に結合されている。所望の場合、フィルター、背圧調整器、トラップ、ドレインバルブ、パルスダンパー、または他の構成要素をポンプ１７２０と注入器１７３０との間に存在させることができる。液体サンプルを注入器１７４０に注入して、オーブン１７４５内のカラム１７５０に提供する。カラム１７５０は、超臨界二酸化炭素を使用して、サンプル中の液体分析物の構成成分を、カラム１７５０から溶出する個々の分析物の構成成分に分離することができる。次いで、個々の分析物の構成成分は、流体ライン１７６５を通ってカラム１７５０から退出することができ、本明細書に記載されるような１つ以上のイオン化コアに提供され得る。所望の場合、２つ以上の別個のＳＦＣシステムを本明細書に記載されるシステムで使用することができる。例えば、所望の場合、各イオン化コアを共通のＳＦＣシステムまたはそれぞれのＳＦＣシステムに流体的に結合することができる。さらに、直列または並列ＧＣ／ＳＦＣシステムを備えるハイブリッドシステムを使用して、ある特定の分析物の構成成分を気化させ、ＧＣを使用してそれらを分離しつつ、分離した分析物の構成成分を１つ以上のイオン化コアに提供する前に、ＳＦＣ技法を使用して他の構成成分を分離することを可能にすることもできる。
【０１１６】
ある特定の実施形態では、本明細書に記載されるシステムは、１つ以上のイオン化コアに流体的に結合されたＬＣを含む１つ以上のサンプル操作コアを備え得る。図１８Ａを参照すると、システム１８００は、イオン化コア（複数可）１８０２に流体的に結合されたＬＣ１８０１を含むサンプル操作コアを備え、イオン化コア１８０２自体は、濾過／検出コア（複数可）１８０３に流体的に結合されている。システム１８００の使用時に、サンプルをＬＣ１８０１に導入することができ、分析物種をイオン化コア（複数可）１８０２に提供する前に、サンプル中の分析物をＬＣ１８０１によって何らかの方法で分離させるか、反応させるか、誘導体化するか、選別するか、修飾するか、または別様に作用させることができる。イオン化コア（複数可）１８０２は、様々な技法を使用して、サンプル中の分析物をイオン化するように構成され得る。例えば、いくつかの事例では、イオン化ソースは、元素イオンをＭＳコア１８０３に提供する前に、元素種をイオン化するために、例えば、無機種をイオン化するために、イオン化コア（複数可）１８０２内に存在し得る。他の事例では、イオン化ソースは、分子イオンをＭＳコア１８０３に提供する前に、分子種を生成／イオン化するために、例えば、有機種をイオン化するために、イオン化コア（複数可）１８０２内に存在し得る。本明細書に述べられるある特定の構成では、システム１８００は、イオンをコア１８０３に提供する前に、無機種および有機種をイオン化するように構成され得る。ＭＳコア（複数可）１８０３は、特定の質量電荷比を有するイオンを濾過／検出するように構成され得る。いくつかの例では、コア１８０３は、存在する特定の構成要素に応じて、無機イオンを濾過／選択／検出し、かつ有機イオンを濾過／選択／検出するように設計され得る。示されていないが、ＭＳコア１８０３を含む質量分析器は、典型的には、質量分析器内に存在し得る１つ、２つ、３つ、またはそれ以上の質量分析計コア（ＭＳＣ）によって使用される共通の構成要素を備える。例えば、共通のガスコントローラ、プロセッサ、電源、検出器、および真空ポンプを、質量分析器内に存在する異なる質量のＭＳＣによって使用することができる。システム１８００は、低い原子質量単位の分析物、例えば、３、４、または５ａｍｕ程度に低い質量を有するリチウムもしくは他の元素を検出し、かつ／または高い原子質量単位の分析物、例えば、最大約２０００ａｍｕの質量を有する分子イオン種を検出するように構成され得る。示されていないが、サンプル導入デバイス、オーブン、ポンプなどの様々な他の構成要素もまた、システム１８００内において、コア１８０１、１８０２、および１８０３のうちの任意の１つ以上の間に存在し得る。
【０１１７】
ある特定の構成では、図１８Ａに示されるコアのうちの任意の１つ以上を２つ以上のコアに分離または分割することがでる。例えば、および図１８Ｂを参照すると、システム１８０５は、ＬＣ１８０６を含むサンプル操作コアと、ＬＣ１８０６に流体的に結合された第１のイオン化コア１８０７と、ＬＣ１８０６に流体的に結合された第２のイオン化コア１８０８とを備える。コア１８０７、１８０８の各々もまた、ＭＳコア１８０９を備える質量分析器に流体的に結合されている。示されていないが、システム１８０５の使用中に、選択された時間において、種をＬＣ１８０６からイオン化コア１８０７、１８０８のうちの一方だけに提供するために、ＬＣ１８０６とイオン化コア１８０７、１８０８との間にインターフェース、バルブ、または他のデバイスが存在し得る。他の構成では、インターフェース、バルブ、またはデバイスは、種をＬＣ１８０６からイオン化コア１８０７、１８０８に同時に提供するように構成され得る。同様に、システム１８０の使用中に、選択された時間において、種をイオン化コア１８０７、１８０８のうちの１つからＭＳコア１８０９に提供するために、イオン化コア１８０７、１８０８と、ＭＳコア１８０９との間にバルブ、インターフェース、または他のデバイス（図示せず）が存在し得る。他の構成では、インターフェース、バルブ、またはデバイスは、種をイオン化コア１８０７、１８０８から一緒にＭＳコア１８０９に提供するように構成され得る。システム１８０５の使用時に、サンプルをＬＣ１８０６に導入することができ、分析物種をイオン化コア（複数可）１８０７、１８０８のうちの一方または両方に提供する前に、サンプル中の分析物をＬＣ１８０６によって何らかの方法で分離させるか、反応させるか、誘導体化するか、選別するか、修飾するか、または別様に作用させることができる。いくつかの事例では、イオン化コア１８０７、１８０８は、様々であるが異なる技法を使用して、サンプル中の分析物をイオン化するように構成され得る。例えば、いくつかの事例では、イオン化ソースは、元素イオンをＭＳコア１８０９に提供する前に、元素種をイオン化するために、例えば、無機種をイオン化するために、イオン化コア（複数可）１８０７内に存在し得る。他の事例では、イオン化ソースは、分子イオンをＭＳコア１８０９に提供する前に、分子種を生成／イオン化するために、例えば、有機種をイオン化するために、イオン化コア（複数可）１８０８内に存在し得る。本明細書に述べられるある特定の構成では、システム１８０５は、イオンをＭＳコア１８０９に提供する前に、イオン化コア１８０７、１８０８を使用して、無機種および有機種の両方をイオン化するように構成され得る。ＭＳコア（複数可）１８０９は、特定の質量電荷比を有するイオンを濾過／検出するように構成され得る。いくつかの例では、ＭＳコア１８０９は、存在する特定の構成要素に応じて、無機イオンを濾過／選択／検出し、かつ有機イオンを濾過／選択／検出するように設計され得る。示されていないが、ＭＳコア１８０９を含む質量分析器は、典型的には、質量分析器内に存在し得る１つ、２つ、３つ、またはそれ以上の質量分析計コア（ＭＳＣ）によって使用される共通の構成要素を備える。例えば、共通のガスコントローラ、プロセッサ、電源、検出器、および真空ポンプを、質量分析器内に存在する異なる質量のＭＳＣによって使用することができる。システム１８０５は、低い原子質量単位の分析物、例えば、３、４、または５ａｍｕ程度に低い質量を有するリチウムもしくは他の元素を検出し、かつ／または高い原子質量単位の分析物、例えば、最大約２０００ａｍｕの質量を有する分子イオン種を検出するように構成され得る。示されていないが、サンプル導入デバイス、オーブン、ポンプなどの様々な他の構成要素もまた、システム１８０５内において、コア１８０６、１８０７、１８０８、および１８０９のうちの任意の１つ以上の間に存在し得る。
【０１１８】
他の構成では、本明細書に記載される質量分析器は（ＬＣと共に使用される場合）、２つ以上の個々のＭＳコアを備え得る。本明細書に述べられるように、ＭＳコアは、分離され得るが、依然としてガスコントローラ、プロセッサ、電源、検出器、および／または真空ポンプを含むある特定の共通の構成要素を共有し得る。図１８Ｃを参照すると、ＬＣ１８１１と、第１のイオン化コア１８１２と、第２のイオン化コア１８１３と、第１のＭＳコア１８１５および第２のＭＳコア１８１６を含む質量分析器１８１４とを備えるシステム１８１０が示されている。ＬＣ１８１１は、イオン化コア１８１２、１８１３の各々に流体的に結合されている。示されていないが、システム１８１０の使用中に、選択された時間において、種をＬＣ１８１１からイオン化コア１８１２、１８１３のうちの一方だけに提供するために、ＬＣ１８１１とイオン化コア１８１２、１８１３との間にインターフェース、バルブ、または他のデバイスが存在し得る。他の構成では、インターフェース、バルブ、またはデバイスは、種をＬＣ１８１１からイオン化コア１８１２、１８１３に同時に提供するように構成され得る。イオン化コア１８１２は第１のＭＳコア１８１５に流体的に結合され、第２のイオン化コア１８１３は第２のＭＳコア１８１６に流体的に結合されている。システム１８１０の使用時に、サンプルをＬＣ１８１１に導入することができ、分析物種をイオン化コア（複数可）１８１２、１８１３のうちの一方または両方に提供する前に、サンプル中の分析物を何らかの方法で分離させるか、反応させるか、誘導体化するか、選別するか、修飾するか、または別様に作用させることができる。いくつかの事例では、イオン化コア１８１２、１８１３は、様々であるが異なる技法を使用して、サンプル中の分析物をイオン化するように構成され得る。例えば、いくつかの事例では、イオン化ソースは、元素イオンをＭＳコア１８１５に提供する前に、元素種をイオン化するために、例えば、無機種をイオン化するために、イオン化コア（複数可）１８１２内に存在し得る。他の事例では、イオン化ソースは、分子イオンをＭＳコア１８１６に提供する前に、分子種を生成／イオン化するために、例えば、有機種をイオン化するために、イオン化コア（複数可）１８１３内に存在し得る。本明細書に述べられるある特定の構成では、システム１８１０は、イオンをコア１８１５、１８１６に提供する前に、イオン化コア１８１２、１８１３を使用して、無機種および有機種の両方をイオン化するように構成され得る。ＭＳコア（複数可）１８１５、１８１６は、特定の質量電荷比を有するイオンを濾過／検出するように構成され得る。いくつかの例では、存在する特定の構成要素に応じて、コア１８１５は無機イオンを濾過／選択／検出するように設計され得、コア１８１６は有機イオンを濾過／選択／検出するように設計され得る。示されていないが、質量分析器１８１４は、典型的には、質量分析器１８１４内に独立して存在し得る１つ、２つ、３つ、またはそれ以上の質量分析計コア（ＭＳＣ）によって使用される共通の構成要素を備える。例えば、共通のガスコントローラ、プロセッサ、電源、検出器、および真空ポンプを、質量分析器１８１４内に存在する異なる質量のＭＳＣによって使用することができるが、所望の場合、コア１８１５、１８１６の各々は、それ自体のガスコントローラ、プロセッサ、電源、検出器、および／または真空ポンプを備えることができる。システム１８１０は、低い原子質量単位の分析物、例えば、３、４、または５ａｍｕ程度に低い質量を有するリチウムもしくは他の元素を検出し、かつ／または高い原子質量単位の分析物、例えば、最大約２０００ａｍｕの質量を有する分子イオン種を検出するように構成され得る。示されていないが、サンプル導入デバイス、オーブン、ポンプなどの様々な他の構成要素もまた、システム１８１０内において、コア１８１１、１８１２、１８１３、１８１５、および１８１６のうちの任意の１つ以上の間に存在し得る。
【０１１９】
ＬＣと、２つのイオン化コアと、２つのＭＳコアとが存在するいくつかの事例では、イオンを異なるイオン化コアから異なるＭＳコアに提供することが望ましいことがある。例えば、および図１８Ｄを参照すると、ＬＣ１８２１と、第１のイオン化コア１８２２と、第２のイオン化コア１８２３と、インターフェース１８２４と、第１のＭＳコア１８２６および第２のＭＳコア１８２７を含む質量分析器１８２５とを備えるシステム１８２０が示されている。ＬＣ１８２１は、イオン化コア１８２２、１８２３の各々に流体的に結合されている。示されていないが、システム１８２０の使用中に、選択された時間において、種をＬＣ１８２１からイオン化コア１８２２、１８２３のうちの一方だけに提供するために、ＬＣ１８２１とイオン化コア１８２２、１８２３との間にインターフェース、バルブ、または他のデバイスが存在し得る。他の構成では、インターフェース、バルブ、またはデバイスは、種をＬＣ１８２１からイオン化コア１８２２、１８２３に同時に提供するように構成され得る。イオン化コア１８２２はインターフェース１８２４に流体的に結合され、イオン化コア１８２３はインターフェース１８２４に流体的に結合されている。インターフェース１８２４は、第１のＭＳコア１８２６および第２のＭＳコア１８２７の各々に流体的に結合されている。システム１８２０の使用時に、サンプルをＬＣ１８２１に導入することができ、分析物種をイオン化コア（複数可）１８２２、１８２３のうちの一方または両方に提供する前に、サンプル中の分析物を何らかの方法で分離させるか、反応させるか、誘導体化するか、選別するか、修飾するか、または別様に作用させることができる。いくつかの事例では、イオン化コア１８２２、１８２３は、様々であるが異なる技法を使用して、サンプル中の分析物をイオン化するように構成され得る。例えば、いくつかの事例では、イオン化ソースは、元素イオンをインターフェース１８２４に提供する前に、元素種をイオン化するために、例えば、無機種をイオン化するために、イオン化コア（複数可）１８２２内に存在し得る。他の事例では、イオン化ソースは、分子イオンをインターフェース１８２４に提供する前に、分子種を生成／イオン化するために、例えば、有機種をイオン化するために、イオン化コア（複数可）１８２３内に存在し得る。本明細書に述べられるある特定の構成では、システム１８２０は、イオンをインターフェース１８２４に提供する前に、イオン化コア１８２２、１８２３を使用して、無機種および有機種の両方をイオン化するように構成され得る。インターフェース１８２４は、イオンをＭＳコア（複数可）１８２６、１８２７のいずれかまたは両方に提供するように構成され得、ＭＳコア（複数可）１８２６、１８２７の各々は、特定の質量電荷比を有するイオンを濾過／検出するように構成され得る。いくつかの例では、存在する特定の構成要素に応じて、ＭＳコア１８２６は無機イオンを濾過／選択／検出するように設計され得、ＭＳコア１８２７は有機イオンを濾過／選択／検出するように設計され得る。いくつかの例では、コア１８２６、１８２７は、異なる濾過デバイスおよび／または検出デバイスと共に異なるように構成されている。示されていないが、質量分析器１８２５は、典型的には、質量分析器１８２５内に独立して存在し得る１つ、２つ、３つ、またはそれ以上の質量分析計コア（ＭＳＣ）によって使用される共通の構成要素を備える。例えば、共通のガスコントローラ、プロセッサ、電源、検出器、および真空ポンプを、質量分析器１８２５内に存在する異なる質量のＭＳＣによって使用することができるが、所望の場合、ＭＳコア１８２６、１８２７の各々は、それ自体のガスコントローラ、プロセッサ、電源、検出器、および／または真空ポンプを備えることができる。システム１８２０は、低い原子質量単位の分析物、例えば、３、４、または５ａｍｕ程度に低い質量を有するリチウムもしくは他の元素を検出し、かつ／または高い原子質量単位の分析物、例えば、最大約２０００ａｍｕの質量を有する分子イオン種を検出するように構成され得る。示されていないが、サンプル導入デバイス、オーブン、ポンプなどの様々な他の構成要素もまた、システム１８２０内において、コア１８２１、１８２２、１８２３、１８２６、および１８２７のうちの任意の１つ以上の間に存在し得る。
【０１２０】
ある特定の例では、所望の場合、サンプル操作コアを２つ以上のコアに分割することができる。例えば、無機イオンがイオン化コアまたはＭＳコアに提供される場合、有機イオンがイオン化コアまたはＭＳコアに提供される場合とは異なる操作を実施することが望ましいことがある。図１８Ｅを参照すると、第１のＬＣ１８３１および第２のＬＣ１８３２を含むサンプル操作コアを備えるシステム１８３０が示されているが、本明細書に述べられるように、ＬＣ１８３１、１８３２のうちの１つを、ＧＣ、ＤＳＡ、または他のデバイスもしくはシステムなどのサンプル操作コアと交換することができる。ＬＣ１８３１、１８３２の各々は、インターフェース１８３３に流体的に結合されている。インターフェース１８３３は、イオン化コア１８３４に流体的に結合され、イオン化コア１８３４自体は、ＭＳコア１８３５を備える質量分析器に流体的に結合されている。システム１８３０の使用時に、サンプルをＬＣ１８３１、１８３２のうちの一方または両方に導入することができ、分析物種をインターフェース１８３３に提供する前に、サンプル中の分析物を何らかの方法で分離させるか、反応させるか、誘導体化するか、選別するか、修飾するか、または別様に作用させることができる。異なるＬＣ１８３１、１８３２を、異なる分離を実施するか、異なる分離条件を使用するか、異なるキャリアガスを使用するか、または異なる構成要素を含むように構成することができる。インターフェース１８３３は、ＬＣ１８３１、１８３２のうちの一方または両方からイオン化コア１８３４へのサンプルの通過を可能にするように構成され得る。イオン化コア（複数可）１８３４は、様々な技法を使用して、サンプル中の分析物をイオン化するように構成され得る。例えば、いくつかの事例では、イオン化ソースは、元素イオンをＭＳコア１８３５に提供する前に、元素種をイオン化するために、例えば、無機種をイオン化するために、イオン化コア（複数可）１８３４内に存在し得る。他の事例では、イオン化ソースは、分子イオンをＭＳコア１８３５に提供する前に、分子種を生成／イオン化するために、例えば、有機種をイオン化するために、イオン化コア（複数可）１８３４内に存在し得る。本明細書に述べられるある特定の構成では、システム１８３０は、イオンをコアＭＳ１８３５に提供する前に、無機種および有機種をイオン化するように構成され得る。ＭＳコア（複数可）１８３５は、特定の質量電荷比を有するイオンを濾過／検出するように構成され得る。いくつかの例では、ＭＳコア１８３５は、存在する特定の構成要素に応じて、無機イオンを濾過／選択／検出し、かつ有機イオンを濾過／選択／検出するように設計され得る。示されていないが、ＭＳコア１８３５を含む質量分析器は、典型的には、質量分析器内に存在し得る１つ、２つ、３つ、またはそれ以上の質量分析計コア（ＭＳＣ）によって使用される共通の構成要素を備える。例えば、共通のガスコントローラ、プロセッサ、電源、検出器、および真空ポンプを、質量分析器内に存在する異なる質量のＭＳＣによって使用することができる。システム１８３０は、低い原子質量単位の分析物、例えば、３、４、または５ａｍｕ程度に低い質量を有するリチウムもしくは他の元素を検出し、かつ／または高い原子質量単位の分析物、例えば、最大約２０００ａｍｕの質量を有する分子イオン種を検出するように構成され得る。示されていないが、サンプル導入デバイス、オーブン、ポンプなどの様々な他の構成要素もまた、システム１８３０内において、コア１８３１、１８３２、１８３４、および１８３５のうちの任意の１つ以上の間に存在し得る。
【０１２１】
ある特定の構成では、所望の場合、ＬＣを互いに直列に結合することができる。例えば、異なる分離条件のために構成されたＬＣを使用して、サンプル中の分析物の分離を実施することが望ましいことがある。図１８Ｆを参照すると、第２のＬＣ１８４２に流体的に結合された第１のＬＣ１８４１を備えるシステム１８４０が示されている。分析物サンプルの性質に応じて、ＬＣ１８４１、１８４２のうちの一方は、受動的な構成で存在し、概して、サンプルに対していずれの操作も実施することなく、サンプルを通過させることができる一方、他の事例では、ＬＣ１８４１、１８４２の各々は、分析物種をイオン化コア１８４３に提供する前に、サンプルに対する何らかの方法での分離、反応、誘導体化、選別、修飾、または別様な作用を含むが、これらに限定されない１つ以上のサンプル操作を実施する。イオン化コア（複数可）１８４３は、様々な技法を使用して、サンプル中の分析物をイオン化するように構成され得る。例えば、いくつかの事例では、イオン化ソースは、元素イオンを、ＭＳコア１８４４を備える質量分析器に提供する前に、元素種をイオン化するために、例えば、無機種をイオン化するために、イオン化コア（複数可）１８４３内に存在し得る。他の事例では、イオン化ソースは、分子イオンをコアＭＳ１８４４に提供する前に、分子種を生成／イオン化するために、例えば、有機種をイオン化するために、イオン化コア（複数可）１８４３内に存在し得る。本明細書に述べられるある特定の構成では、システム１８４０は、イオンをＭＳコア１８４４に提供する前に、無機種および有機種をイオン化するように構成され得る。ＭＳコア１８４４は、特定の質量電荷比を有するイオンを濾過／検出するように構成され得る。いくつかの例では、ＭＳコア１８４４は、存在する特定の構成要素に応じて、無機イオンを濾過／選択／検出し、かつ有機イオンを濾過／選択／検出するように設計され得る。示されていないが、ＭＳコア１８４４を含む質量分析器は、典型的には、質量分析器内に存在し得る１つ、２つ、３つ、またはそれ以上の質量分析計コア（ＭＳＣ）によって使用される共通の構成要素を備える。例えば、共通のガスコントローラ、プロセッサ、電源、検出器、および真空ポンプを、質量分析器内に存在する異なる質量のＭＳＣによって使用することができる。システム１８４０は、低い原子質量単位の分析物、例えば、３、４、または５ａｍｕ程度に低い質量を有するリチウムもしくは他の元素を検出し、かつ／または高い原子質量単位の分析物、例えば、最大約２０００ａｍｕの質量を有する分子イオン種を検出するように構成され得る。示されていないが、サンプル導入デバイス、オーブン、ポンプなどの様々な他の構成要素もまた、システム１８４０内において、コア１８４１、１８４２、１８４３、および１８４４のうちの任意の１つ以上の間に存在し得る。
【０１２２】
２つ以上のＬＣが存在するある特定の構成では、各ＬＣは、それぞれのイオン化コアに流体的に結合され得る。例えば、および図１８Ｇを参照すると、システム１８６０は、第１のＬＣ１８５１と、第２のＬＣ１８５２と、第１のＬＣ１８５１に流体的に結合された第１のイオン化コア１８５３と、第２のＬＣ１８５２に流体的に結合された第２のイオン化コア１８５４とを含むサンプル操作コアを備える。本明細書に述べられるように、所望の場合、ＬＣ１８５１、１８５２のうちの１つを、例えば、ＧＣ、ＤＳＡデバイス、または他のサンプル操作コアなどの異なるサンプル操作コアと交換することができる。コア１８５３、１８５４の各々もまた、ＭＳコア１８５５を備える質量分析器に流体的に結合されている。示されていないが、システム１８５０の使用中に、選択された時間において、種をイオン化コア１８５３、１８５４のうちの１つからＭＳコア１８５５に提供するために、イオン化コア１８５３、１８５４と、ＭＳコア１８５５との間にバルブ、インターフェース、または他のデバイスが存在し得る。他の構成では、インターフェース、バルブ、またはデバイスは、種をイオン化コア１８５３、１８５４から一緒にＭＳコア１８５５に提供するように構成され得る。システム１８５０の使用時に、サンプルをＬＣ１８１、１８５２に導入することができ、分析物種をイオン化コア１８５３、１８５４に提供する前に、サンプル中の分析物を何らかの方法で分離させるか、反応させるか、誘導体化するか、選別するか、修飾するか、または別様に作用させることができる。いくつかの事例では、イオン化コア１８５３、１８５４は、様々であるが異なる技法を使用して、サンプル中の分析物をイオン化するように構成され得る。例えば、いくつかの事例では、イオン化ソースは、元素イオンをＭＳコア１８５５に提供する前に、元素種をイオン化するために、例えば、無機種をイオン化するために、イオン化コア（複数可）１８５３内に存在し得る。他の事例では、イオン化ソースは、分子イオンをＭＳコア１８５５に提供する前に、分子種を生成／イオン化するために、例えば、有機種をイオン化するために、イオン化コア（複数可）１８５４内に存在し得る。本明細書に述べられるある特定の構成では、システム１８５０は、イオンをＭＳコア１８５５に提供する前に、イオン化コア１８５３、１８５４を使用して、無機種および有機種の両方をイオン化するように構成され得る。ＭＳコア１８５５は、特定の質量電荷比を有するイオンを濾過／検出するように構成され得る。いくつかの例では、ＭＳコア１８５５は、存在する特定の構成要素に応じて、無機イオンを濾過／選択／検出し、かつ有機イオンを濾過／選択／検出するように設計され得る。示されていないが、ＭＳコア１８５５を含む質量分析器は、典型的には、質量分析器内に存在し得る１つ、２つ、３つ、またはそれ以上の質量分析計コア（ＭＳＣ）によって使用される共通の構成要素を備える。例えば、共通のガスコントローラ、プロセッサ、電源、検出器、および真空ポンプを、質量分析器内に存在する異なる質量のＭＳＣによって使用することができる。システム１８５０は、低い原子質量単位の分析物、例えば、３、４、または５ａｍｕ程度に低い質量を有するリチウムもしくは他の元素を検出し、かつ／または高い原子質量単位の分析物、例えば、最大約２０００ａｍｕの質量を有する分子イオン種を検出するように構成され得る。示されていないが、サンプル導入デバイス、オーブン、ポンプなどの様々な他の構成要素もまた、システム１８５０内において、コア１８５１、１８５２、１８５３、１８５４、および１８５５のうちの任意の１つ以上の間に存在し得る。
【０１２３】
２つ以上のＬＣが存在するある特定の構成では、各ＬＣは、１つ以上のインターフェースを介してそれぞれのイオン化コアに流体的に結合され得る。例えば、および図１８Ｈを参照すると、システム１８６０は、第１のＬＣ１８６１と、第２のＬＣ１８６２と、インターフェース１８６３と、第１のイオン化コア１８６４と、第２のイオン化コア１８６５とを備える。本明細書に述べられるように、所望の場合、ＬＣ１８６１、１８６２のうちの１つを、例えば、ＧＣ、ＤＳＡデバイス、または他のサンプル操作コアなどの異なるサンプル操作コアと交換することができる。イオン化コア１８６４、１８６５の各々もまた、ＭＳコア１８６６を備える質量分析器に流体的に結合されている。示されていないが、システム１８６０の使用中に、選択された時間において、種をイオン化コア１８６４、１８６５のうちの１つからＭＳコア１８６６に提供するために、イオン化コア１８６４、１８６５と、ＭＳコア１８６６との間にバルブ、インターフェース、または他のデバイスが存在し得る。他の構成では、インターフェース、バルブ、またはデバイスは、種をイオン化コア１８６４、１８６５から一緒にＭＳコア１８６６に提供するように構成され得る。システム１８６０の使用時に、サンプルをＬＣ１８６１、１８６２に導入することができ、分析物種をイオン化コア１８６４、１８６５に提供する前に、サンプル中の分析物を何らかの方法で分離させるか、反応させるか、誘導体化するか、選別するか、修飾するか、または別様に作用させることができる。インターフェース１８６３は、ＬＣ１８６１、１８６５２の各々に流体的に結合されており、サンプルをイオン化コア１８６４、１８６５のいずれかまたは両方に提供するように構成され得る。いくつかの事例では、イオン化コア１８６４、１８６５は、様々であるが異なる技法を使用して、サンプル中の分析物をイオン化するように構成され得る。例えば、いくつかの事例では、イオン化ソースは、元素イオンをＭＳコア１８６６に提供する前に、元素種をイオン化するために、例えば、無機種をイオン化するために、イオン化コア（複数可）１８６４内に存在し得る。他の事例では、イオン化ソースは、分子イオンをＭＳコア１８６６に提供する前に、分子種を生成／イオン化するために、例えば、有機種をイオン化するために、イオン化コア（複数可）１８６５内に存在し得る。本明細書に述べられるある特定の構成では、システム１８６０は、イオンをＭＳコア１８６６に提供する前に、イオン化コア１８６４、１８６５を使用して、無機種および有機種の両方をイオン化するように構成され得る。ＬＣ１８６１、１８６２は、同じサンプルソースまたは異なるサンプルソースからサンプルを受容し得る。異なるサンプルソースが存在する場合、インターフェース１８６３は、分析物をＬＣ１８６１からイオン化コア１８６４、１８６５のいずれかに提供し得る。同様に、インターフェース１８６３は、分析物をＬＣ１８６２からイオン化コア１８６４、１８６５のいずれかに提供し得る。ＭＳコア（複数可）１８６６は、特定の質量電荷比を有するイオンを濾過／検出するように構成され得る。いくつかの例では、ＭＳコア１８６６は、存在する特定の構成要素に応じて、無機イオンを濾過／選択／検出し、かつ有機イオンを濾過／選択／検出するように設計され得る。示されていないが、ＭＳコア１８６６を含む質量分析器は、典型的には、ＭＳコア１８６６内に存在し得る１つ、２つ、３つ、またはそれ以上の質量分析計コア（ＭＳＣ）によって使用される共通の構成要素を備える。例えば、共通のガスコントローラ、プロセッサ、電源、検出器、および真空ポンプを、質量分析器内に存在する異なる質量のＭＳＣによって使用することができる。システム１８６０は、低い原子質量単位の分析物、例えば、３、４、または５ａｍｕ程度に低い質量を有するリチウムもしくは他の元素を検出し、かつ／または高い原子質量単位の分析物、例えば、最大約２０００ａｍｕの質量を有する分子イオン種を検出するように構成され得る。示されていないが、サンプル導入デバイス、オーブン、ポンプなどの様々な他の構成要素もまた、システム１８６０内において、コア１８６１、１８６２、１８６４、１８６５、および１８６６のうちの任意の１つ以上の間に存在し得る。
【０１２４】
２つ以上のＬＣが存在するある特定の構成では、各ＬＣは、１つ以上のインターフェースを介してそれぞれのイオン化コアに流体的に結合され得、各イオン化コアは、それぞれのＭＳコアを備え得る。例えば、および図１８Ｉを参照すると、システム１８７０は、第１のＬＣ１８７１と、第２のＬＣ１８７２と、インターフェース１８７３と、第１のイオン化コア１８７４と、第２のイオン化コア１８７５とを含むサンプル操作コアを備える。イオン化コア１８７４、１８７５の各々もまた、ＭＳコア１８７７、１８７８を備える質量分析器１８７６に流体的に結合されている。本明細書に述べられるように、所望の場合、ＬＣ１８７１、１８７２のうちの１つを、例えば、ＧＣ、ＤＳＡデバイス、または他のサンプル操作コアなどの異なるサンプル操作コアと交換することができる。システム１８７０の使用時に、サンプルをＬＣ１８７１、１８７２に導入することができ、分析物種をイオン化コア１８７４、１８７５に提供する前に、サンプル中の分析物を何らかの方法で分離させるか、反応させるか、誘導体化するか、選別するか、修飾するか、または別様に作用させることができる。インターフェース１８７３は、ＬＣ１８７１、１８７２の各々に流体的に結合されており、サンプルをイオン化コア１８７４、１８７５のいずれかまたは両方に提供するように構成され得る。いくつかの事例では、イオン化コア１８７４、１８７５は、様々であるが異なる技法を使用して、サンプル中の分析物をイオン化するように構成され得る。例えば、いくつかの事例では、イオン化ソースは、元素イオンをＭＳコア１８７７に提供する前に、元素種をイオン化するために、例えば、無機種をイオン化するために、イオン化コア（複数可）１８７４内に存在し得る。他の事例では、イオン化ソースは、分子イオンをＭＳコア１８７８に提供する前に、分子種を生成／イオン化するために、例えば、有機種をイオン化するために、イオン化コア（複数可）１８７５内に存在し得る。本明細書に述べられるある特定の構成では、システム１８７０は、イオンをＭＳコア１８７７、１８７８に提供する前に、イオン化コア１８７４、１８７５を使用して、無機種および有機種の両方をイオン化するように構成され得る。ＬＣ１８７１、１８７２は、同じサンプルソースまたは異なるサンプルソースからサンプルを受容し得る。異なるサンプルソースが存在する場合、インターフェース１８７３は、分析物をＬＣ１８７１からイオン化コア１８７４、１８７５のいずれかに提供し得る。同様に、インターフェース１８７３は、分析物をＬＣ１８７２からイオン化コア１８７４、１８７５のいずれかに提供し得る。ＭＳコア（複数可）１８７７、１８７８の各々は、特定の質量電荷比を有するイオンを濾過／検出するように構成され得る。いくつかの例では、コア１８７７、１８７８のいずれかまたは両方は、存在する特定の構成要素に応じて、無機イオンを濾過／選択／検出し、かつ有機イオンを濾過／選択／検出するように設計され得る。いくつかの例では、コア１８７７、１８７８は、異なる濾過デバイスおよび／または検出デバイスと共に異なるように構成されている。示されていないが、ＭＳコア１８７７、１８７８を含む質量分析器１８７６は、典型的には、質量分析器１８７６内に存在し得る１つ、２つ、３つ、またはそれ以上の質量分析計コア（ＭＳＣ）によって使用される共通の構成要素を備える。例えば、共通のガスコントローラ、プロセッサ、電源、検出器、および真空ポンプを、質量分析器１８７６内に存在する異なる質量のＭＳＣによって使用することができる。システム１８７０は、低い原子質量単位の分析物、例えば、３、４、または５ａｍｕ程度に低い質量を有するリチウムもしくは他の元素を検出し、かつ／または高い原子質量単位の分析物、例えば、最大約２０００ａｍｕの質量を有する分子イオン種を検出するように構成され得る。示されていないが、サンプル導入デバイス、オーブン、ポンプなどの様々な他の構成要素もまた、システム１８７０内において、コア１８７１、１８７２、１８７４、１８７５、１８７７、および１８７８のうちの任意の１つ以上の間に存在し得る。
【０１２５】
２つ以上のＬＣが存在するある特定の構成では、各ＬＣは、１つ以上のインターフェースを介してそれぞれのイオン化コアに流体的に結合され得、各イオン化コアは、インターフェースを介して２つ以上のＭＳコアに結合され得る。図１８Ｊを参照すると、システム１８８０は、第１のＬＣ１８８１と、第２のＬＣ１８８２と、インターフェース１８８３と、第１のイオン化コア１８８４と、第２のイオン化コア１８８５とを備える。イオン化コア１８８４、１８８５の各々もまた、インターフェース１８８６を介して、ＭＳコア１８８８、１８８９を備える質量分析器１８８７に流体的に結合されている。システム１８８０の使用時に、サンプルをＬＣ１８８１、１８８２に導入することができ、分析物種をイオン化コア１８８４、１８８５に提供する前に、サンプル中の分析物を何らかの方法で分離させるか、反応させるか、誘導体化するか、選別するか、修飾するか、または別様に作用させることができる。インターフェース１８８３は、ＬＣ１８８１、１８８２の各々に流体的に結合されており、サンプルをイオン化コア１８８４、１８８５のいずれかまたは両方に提供するように構成され得る。いくつかの事例では、イオン化コア１８８４、１８８５は、様々であるが異なる技法を使用して、サンプル中の分析物をイオン化するように構成され得る。例えば、いくつかの事例では、イオン化ソースは、元素イオンをインターフェース１８８６に提供する前に、元素種をイオン化するために、例えば、無機種をイオン化するために、イオン化コア（複数可）１８８４内に存在し得る。他の事例では、イオン化ソースは、分子イオンをインターフェース１８８６に提供する前に、分子種を生成／イオン化するために、例えば、有機種をイオン化するために、イオン化コア（複数可）１８８５内に存在し得る。本明細書に述べられるある特定の構成では、システム１８８０は、イオンをインターフェース１８８６に提供する前に、イオン化コア１８８４、１８８５を使用して、無機種および有機種の両方をイオン化するように構成され得る。ＬＣ１８８１、１８８２は、同じサンプルソースまたは異なるサンプルソースからサンプルを受容し得る。異なるサンプルソースが存在する場合、インターフェース１８８３は、分析物をＬＣ１８８１からイオン化コア１８８４、１８８５のいずれかに提供し得る。同様に、インターフェース１８８３は、分析物をＬＣ１８８２からイオン化コア１８８４、１８８５のいずれかに提供し得る。インターフェース１８８６は、イオン化コア１８８４、１８８５のいずれかまたは両方からイオンを受容し、受容したイオンを質量分析器１８８７のＭＳコア１８８８、１８８９のうちの一方または両方に提供し得る。ＭＳコア（複数可）１８８８、１８８９の各々は、特定の質量電荷比を有するイオンを濾過／検出するように構成され得る。いくつかの例では、コア１８８８、１８８９のいずれかまたは両方は、存在する特定の構成要素に応じて、無機イオンを濾過／選択／検出し、かつ有機イオンを濾過／選択／検出するように設計され得る。いくつかの例では、コア１８８８、１８８９は、異なる濾過デバイスおよび／または検出デバイスと共に異なるように構成されている。示されていないが、ＭＳコア１８８８、１８８９を含む質量分析器１８８７は、典型的には、質量分析器１８８７内に存在し得る１つ、２つ、３つ、またはそれ以上の質量分析計コア（ＭＳＣ）によって使用される共通の構成要素を備える。例えば、共通のガスコントローラ、プロセッサ、電源、検出器、および真空ポンプを、質量分析器１８８７内に存在する異なる質量のＭＳＣによって使用することができる。システム１８８０は、低い原子質量単位の分析物、例えば、最小で３、４、または５ａｍｕ程度に低い質量を有するリチウムもしくは他の元素を検出し、かつ／または高い原子質量単位の分析物、例えば、最大約２０００ａｍｕの質量を有する分子イオン種を検出するように構成され得る。示されていないが、サンプル導入デバイス、オーブン、ポンプなどの様々な他の構成要素もまた、システム１８８０内において、コア１８８１、１８８２、１８８４、１８８５、１８８８、および１８８９のうちの任意の１つ以上の間に存在し得る。
【０１２６】
ある特定の構成では、１つ以上の直列に配置されたイオン化コアが存在し、ＬＣと共に使用され得る。例えば、および図１８Ｋを参照すると、第１のイオン化コア１８９２に流体的に結合されたＬＣ１８９１を備えるシステム１８９０が示されている。第１のイオン化コア１８９２は、第２のイオン化コア１８９３に流体的に結合され、第２のイオン化コア１８９３自体は、ＭＳコア１８９４を備える質量分析器に流体的に結合されている。示されていないが、所望の場合、第２のイオン化コア１８９３が使用されていない状況では、イオンがコア１８９２からＭＳコア１８９４に直接提供されることを可能にするために、バイパスラインを存在させて、イオン化コア１８９２をＭＳコア１８９４に直接結合することもできる。同様に、イオン化コア１８９２を使用することが望ましくない状況では、バイパスラインを存在させて、ＬＣ１８９１をイオン化コア１８９３に直接結合することができる。システム１８９０の使用時に、サンプルをＬＣ１８９１に導入することができ、分析物種をイオン化コア１８９２に提供する前に、サンプル中の分析物を何らかの方法で分離させるか、反応させるか、誘導体化するか、選別するか、修飾するか、または別様に作用させることができる。イオン化コア１８９２は、様々な技法を使用して、サンプル中の分析物をイオン化するように構成され得る。例えば、いくつかの事例では、イオン化ソースは、元素イオンをイオン化コア１８９３またはＭＳコア１８９４に提供する前に、元素種をイオン化するために、例えば、無機種をイオン化するために、イオン化コア１８９２内に存在し得る。他の事例では、イオン化ソースは、分子イオンをイオン化コア１８９３またはＭＳコア１８９４に提供する前に、分子種を生成／イオン化するために、例えば、有機種をイオン化するために、イオン化コア１８９２内に存在し得る。イオン化コア１８９３は、コア１８９２によって使用されるものと同じであっても、異なってもよい様々な技法を使用して、サンプル中の分析物をイオン化するように構成され得る。例えば、いくつかの事例では、イオン化ソースは、元素イオンをＭＳコア１８９４に提供する前に、元素種をイオン化するために、例えば、無機種をイオン化するために、イオン化コア１８９３内に存在し得る。他の事例では、イオン化ソースは、分子イオンをＭＳコア１８９４に提供する前に、分子種を生成／イオン化するために、例えば、有機種をイオン化するために、イオン化コア１８９３内に存在し得る。本明細書に述べられるある特定の構成では、システム１８９０は、イオンをＭＳコア１８９４に提供する前に、無機種および有機種をイオン化するように構成され得る。ＭＳコア１８９４は、特定の質量電荷比を有するイオンを濾過／検出するように構成され得る。いくつかの例では、ＭＳコア１８９４は、存在する特定の構成要素に応じて、無機イオンを濾過／選択／検出し、かつ有機イオンを濾過／選択／検出するように設計され得る。示されていないが、ＭＳコア１８９４を含む質量分析器は、典型的には、質量分析器内に存在し得る１つ、２つ、３つ、またはそれ以上の質量分析計コア（ＭＳＣ）によって使用される共通の構成要素を備える。例えば、共通のガスコントローラ検出器、プロセッサ、電源、および真空ポンプを、質量分析器内に存在する異なる質量のＭＳＣによって使用することができる。システム１８９０は、低い原子質量単位の分析物、例えば、３、４、または５ａｍｕ程度に低い質量を有するリチウムもしくは他の元素を検出し、かつ／または高い原子質量単位の分析物、例えば、最大約２０００ａｍｕの質量を有する分子イオン種を検出するように構成され得る。示されていないが、サンプル導入デバイス、オーブン、ポンプなどの様々な他の構成要素もまた、システム１８９０内において、コア１８９１、１８９２、１８９３、および１８９４のうちの任意の１つ以上の間に存在し得る。いくつかの事例では、図１８Ａ〜図１８Ｊに記載され示されるシステムのうちのいずれかは、図１８Ｋに示されるコア１８９２、１８９３と同様に、直列配置のイオン化コアを備え得る。
【０１２７】
ある特定の構成では、本明細書に記載されるシステム内に１つ以上の直列に配置されたＭＳコアが存在し得る。例えば、および図１８Ｌを参照すると、イオン化コア１８９７に流体的に結合されたＬＣ１８９６を備えるシステム１８９５が示されている。イオン化コア１８９７は、第１のＭＳコア１８９８を備える質量分析器に流体的に結合され、第１のＭＳコア１８９８自体は、質量分析器の第２のＭＳコア１８９９に流体的に結合されている。示されていないが、所望の場合、第１のＭＳコア１８９８が使用されていない状況では、イオンがイオン化コア１８９７からＭＳコア１８９９に直接提供されることを可能にするために、バイパスラインを存在させて、イオン化コア１８９７をＭＳコア１８９９に直接結合することもできる。システム１８９５の使用時に、サンプルをＬＣ１８９６に導入することができ、分析物種をイオン化コア１８９７に提供する前に、サンプル中の分析物を何らかの方法で分離させるか、反応させるか、誘導体化するか、選別するか、修飾するか、または別様に作用させることができる。イオン化コア１８９７は、様々な技法を使用して、サンプル中の分析物をイオン化するように構成され得る。例えば、いくつかの事例では、イオン化ソースは、元素イオンをＭＳコア１８９８に提供する前に、元素種をイオン化するために、例えば、無機種をイオン化するために、イオン化コア１８９７内に存在し得る。他の事例では、イオン化ソースは、分子イオンをコアＭＳ１８９８に提供する前に、分子種を生成／イオン化するために、例えば、有機種をイオン化するために、イオン化コア１８９７内に存在し得る。本明細書に述べられるある特定の構成では、システム１８９５は、イオンをＭＳコア１８９８に提供する前に、無機種および有機種をイオン化するように構成され得る。ＭＳコア１８９８は、特定の質量電荷比を有するイオンを濾過／検出するように構成され得る。いくつかの例では、ＭＳコア１８９８は、存在する特定の構成要素に応じて、無機イオンを濾過／選択／検出し、かつ有機イオンを濾過／選択／検出するように設計され得る。同様に、ＭＳコア１８９９は、特定の質量電荷比を有するイオンを濾過／検出するように構成され得る。いくつかの例では、ＭＳコア１８９９は、存在する特定の構成要素に応じて、無機イオンを濾過／選択／検出し、かつ有機イオンを濾過／選択／検出するように設計され得る。示されていないが、ＭＳコア１８９８、１８９９を含む質量分析器は、典型的には、質量分析器内に存在し得る１つ、２つ、３つ、またはそれ以上の質量分析計コア（ＭＳＣ）によって使用される共通の構成要素を備える。例えば、共通のガスコントローラ、プロセッサ、電源、検出器、および真空ポンプを、質量分析器内に存在する異なる質量のＭＳＣによって使用することができる。システム１８９５は、低い原子質量単位の分析物、例えば、３、４、または５ａｍｕ程度に低い質量を有するリチウムもしくは他の元素を検出し、かつ／または高い原子質量単位の分析物、例えば、最大約２０００ａｍｕの質量を有する分子イオン種を検出するように構成され得る。示されていないが、サンプル導入デバイス、オーブン、ポンプなどの様々な他の構成要素もまた、システム１８９５内において、コア１８９６、１８９７、１８９８、および１８９９のうちの任意の１つ以上の間に存在し得る。ある特定の事例では、図１８Ａ〜図１８Ｋに記載され示されるシステムのうちのいずれかは、図１８Ｌに示されるコア１８９８、１８９９と同様に、直列配置のＭＳコアを備え得る。
【０１２８】
いくつかの例では、他のサンプル操作コアをＧＣ、ＬＣ、またはＳＣＦシステムの代わりに使用することができる。例えば、分析物種を１つ以上のイオン化コアおよび／または１つ以上のＭＳコアに提供する前に、直接サンプル分析（ｄｉｒｅｃｔ  ｓａｍｐｌｅ  ａｎａｌｙｓｉｓ、ＤＳＡ）デバイスを使用することができる。いくつかの事例では、直接サンプル分析技法は、別個のイオン化コアを使用する必要なしに、ＭＳコアへのイオンの導入を可能にし得る。代替的に、直接サンプル分析技法は、イオンをＭＳの前に別のイオン化コアに提供し得る。いずれの特定の理論にも縛られるのを望むことなく、直接サンプル分析は、基板またはホルダの上もしくは中に存在するサンプルをイオン化するために針を使用し得る。結果として生じたイオンを、検出のために好適なＭＳコアもしくは他のイオン化コア、サンプル操作コア、または他のデバイスに提供することができる。図１５Ａ〜図１５Ｋに示される例示のうちのいずれかに示されるように、ＧＣを備えるサンプル操作コアを、代わりに、ＤＳＡまたは他のサンプル操作コアを備えるサンプル操作コアと交換することができる。同様に、図１８Ａ〜図１８Ｋに示される例示のうちのいずれかに示されるように、ＬＣを備えるサンプル操作コアを、代わりに、ＤＳＡまたは他のサンプル操作コアを備えるサンプル操作コアと交換することができる。図１９を参照すると、システム１９００の１つの例示は、イオン化コア（複数可）１９２０に流体的に結合されたＤＳＡデバイス１９１０を含み、イオン化コア（複数可）１９２０自体が、ＭＳコア１９３０を備える質量分析器に流体的に結合されている、サンプル操作コアを備える。システム１９００の使用時に、サンプルをＤＳＡデバイス１９１０に導入することができ、分析物種をイオン化コア（複数可）１９２０に提供する前に、サンプル中の分析物をＤＳＡ１９１０によって何らかの方法でイオン化させるか、または別様に作用させることができる。イオン化コア（複数可）１９２０は、様々な技法を使用して、サンプル中の分析物をイオン化するように構成され得る。例えば、いくつかの事例では、イオン化ソースは、元素イオンをＭＳコア１９３０に提供する前に、元素種をイオン化するために、例えば、無機種をイオン化するために、イオン化コア（複数可）１９２０内に存在し得る。他の事例では、イオン化ソースは、分子イオンをＭＳコア１９３０に提供する前に、分子種を生成／イオン化するために、例えば、有機種をイオン化するために、イオン化コア（複数可）１９２０内に存在し得る。本明細書に述べられるある特定の構成では、システム１９００は、イオンをＭＳコア１９３０に提供する前に、無機種および有機種をイオン化するように構成され得る。ＭＳコア（複数可）１９３０は、特定の質量電荷比を有するイオンを濾過／検出するように構成され得る。いくつかの例では、ＭＳコア１９３０は、存在する特定の構成要素に応じて、無機イオンを濾過／選択／検出し、かつ有機イオンを濾過／選択／検出するように設計され得る。示されていないが、ＭＳコア１９３０を含む質量分析器は、典型的には、質量分析器内に存在し得る１つ、２つ、３つ、またはそれ以上の質量分析計コア（ＭＳ��）によって使用される共通の構成要素を備える。例えば、共通のガスコントローラ、プロセッサ、電源、検出器、および真空ポンプを、質量分析器内に存在する異なる質量のＭＳＣによって使用することができる。システム１９００は、低い原子質量単位の分析物、例えば、３、４、または５ａｍｕ程度に低い質量を有するリチウムもしくは他の元素を検出し、かつ／または高い原子質量単位の分析物、例えば、最大約２０００ａｍｕの質量を有する分子イオン種を検出するように構成され得る。示されていないが、サンプル導入デバイス、オーブン、ポンプなどの様々な他の構成要素もまた、システム１９００内において、コア１９１０、１９２０、および１９３０のうちの任意の１つ以上の間に存在し得る。所望の場合、ＤＳＡデバイスを使用して、図１８Ｂ〜図１８Ｌに示されるＬＣデバイスと交換することができる。さらに、所望の場合、ＤＳＡデバイスをＬＣデバイスまたはＧＣデバイスと組み合わせて使用することができる。
【０１２９】
ある特定の例では、サンプル操作コアは、１つのタイプのセルを他のタイプのセルから分離することができるセル選別（ｃｅｌｌ  ｓｏｒｔｉｎｇ、ＣＳ）または他の技法を実装するように構成され得る。他の事例では、抗体またはイムノアッセイの免疫分離を使用して、ある特定のセル、タンパク質、または他の材料をイオン化コアに提供する前に互いに分離させることができる。いくつかの例では、分離された分析物を１つ以上のイオン化コアに提供する前に、例えば、キャピラリー電気泳動（ｃａｐｉｌｌａｒｙ  ｅｌｅｃｔｒｏｐｈｏｒｅｓｉｓ、ＣＥ）などの電気泳動を実施することによって電場分離を実施して、生体分子、例えば、アミノ酸、タンパク質、ペプチド、炭水化物、脂質などを互いに分離させることができる。所望の場合、イオンの選択的な電極分離は、サンプル中の他の分析物から１つ以上の分析物を分離するように実装され得る。ＣＳ、ＣＥ、または他のサンプル操作コアのうちの任意の１つ以上を、図１８Ａ〜図１８Ｌに示されるＬＣ構成要素と交換することができる。さらに、所望の場合、ＣＳまたはＣＥデバイスをＬＣデバイスと組み合わせて使用することができる。
【０１３０】
ある特定の例では、ガス、液体、または固体をサンプル操作コアからイオン化コアに提供し得るアトマイザ、ネブライザ、スプレーチャンバ、バルブ、流体ライン、ノズル、または他のデバイスを含み得る好適なインターフェースを使用して、分離された分析物を本明細書に記載されるイオン化コアに提供することができる。インターフェースは、サンプル操作コアと別個であっても、サンプル操作コアと一体であってもよい。他の構成では、インターフェースは、イオン化コアと一体であり得る。所望の場合、オートサンプラを存在させて、本明細書に記載されるサンプル操作コアと共に使用することもできる。
【０１３１】
イオン化コア
ある特定の例では、本明細書に記載されるシステムは、イオン、例えば、無機イオン、分子イオンなどを１つ以上の質量分析計コア（ＭＳＣ）に提供するように構成され得る１つ以上のイオン化コアを備える。使用のために選択される正確なイオン化コア（複数可）は、分析させる特定のサンプルに依存し得る。いくつかの事例では、本明細書に記載される機器で使用されるイオン化コアは、無機イオン、例えば、元素イオンを提供するように構成された第１のイオン化ソースと、分子イオン、例えば、有機イオンを提供するように構成された第２のイオン化ソースとを備え得る。本明細書に述べられるように、イオン化コアは、低い質量のイオン、例えば、３、４、または５ａｍｕの質量を有するイオン、および高い質量のイオン、例えば、最大２０００ａｍｕの質量を有するイオンを提供するように構成され得る。いくつかの例では、イオン化コアは、無機イオンを提供し得るイオン化デバイスを含み得る。無機イオンを提供し得る例示のイオン化デバイスとしては、誘導結合プラズマ（ｉｎｄｕｃｔｉｖｅｌｙ  ｃｏｕｐｌｅｄ  ｐｌａｓｍａ、ＩＣＰ）、容量結合プラズマ（ｃａｐａｃｉｔｉｖｅｌｙ  ｃｏｕｐｌｅｄ  ｐｌａｓｍａ、ＣＣＰ）、マイクロ波プラズマ、フレーム、アーク、スパーク、または他の高エネルギーソースが挙げられるが、これらに限定されない。
【０１３２】
ある特定の構成では、イオン化コアは、誘導結合プラズマ（ＩＣＰ）デバイスを含み得る。図２０を参照すると、トーチおよび誘導コイル２０５０を備える誘導結合プラズマデバイス２０００が示されている。ＩＣＰデバイス２０００は、外側管２０１０と、内側管２０２０と、ネブライザ２０３０と、螺旋状の誘導コイル２０５０とを含むトーチを備える。デバイス２０００は、図２０において矢印によって概して示されるガスの流れを使用して、誘導結合プラズマ２０６０を支持するために使用され得る。螺旋状の誘導コイル５５０は、無線周波数エネルギーをトーチに提供して、トーチ内でプラズマ２０６０を支持するように、無線周波数エネルギーソース（図示せず）に電気的に結合され得る。いくつかの実施形態では、無機イオンは、プラズマ２０６０から退出し、本明細書に記載される質量分析器に提供され得る。
【０１３３】
いくつかの構成では、イオン化コアは、１つ以上のプレート電極を有する誘導デバイスを含む誘導結合プラズマデバイスを含み得る。例えば、および図２１を参照すると、ＩＣＰデバイス２１００は、外側管２１１０と、内側管２１２０と、ネブライザ２１３０と、プレート電極２１４２とを備える。任意選択の第２のプレート電極２１４４が存在するように示されているが、所望の場合、３つ以上のプレート電極を存在させることもできる。図２１に示されるように、外側管２１１０をプレート電極２１４２、２１４４の穴の中に位置付けることができる。ＩＣＰデバイス２１００は、図２１において矢印によって示されるガスの流れを使用して、プラズマ２１６０を支持するために使用され得る。プレート電極（複数可）２１４２、２１４４は、無線周波数エネルギーをトーチに提供して、トーチ内でプラズマ２１６０を支持するように、無線周波数エネルギーソース（図示せず）に電気的に結合され得る。いくつかの例では、無機イオンは、プラズマ２１６０から退出し、本明細書に記載される質量分析器に提供され得る。例示のプレート電極およびそれらの使用は、例えば、本発明の譲受人に譲渡された米国特許第７，５１１，２４６号、同第８，２６３，８９７号、同第８６３３，４１６号、同第８，７８６，３９４号、同第８，８２９，３８６号、同第９，２５９，７９８号、および同第６，５０４，１３７号に記載されている。
【０１３４】
ある特定の構成では、図２２Ａおよび図２２Ｂに示されるように、イオン化コアは、「松かさ」形の誘導デバイスを含み得る。誘導デバイス２２１０は、概して、１つ以上の放射状のフィン２２１２を備える。誘導デバイス１２１０は、相互接続部または脚部２２２０、２２３０を介して、マウントまたはインターフェースに電気的に結合されている。例えば、誘導デバイス２２１０の片側の端部は脚部２２２０に電気的に結合され、誘導デバイス２２１０の反対側の端部は脚部２２３０に電気的に結合されている。反対の極性の電流を脚部２２２０、２２３０の各々に提供することができる。つまり、例えば、脚部２２２０を介して電流を誘導デバイス２２１０に提供することができ、脚部２２３０を接地に接続することができる。いくつかの事例では、脚部２２２０、２２３０のうちの１つを省略することができ、誘導デバイス２２１０の反対側の端部を接地に電気的に結合することができる。所望の場合、誘導デバイスを脚部２２２０と２２３０との間のある点で接地に電気的に結合することができる。熱伝達を強化し、誘導デバイス２２１０および／またはトーチが過度の温度によって劣化するのを防ぐために、冷却ガスを誘導デバイス２２１０に提供することができ、かつフィンおよび誘導デバイス２２１０の基部の周りに流すことができる。誘導デバイス２２１０は、図２０および図２１を参照して記載されるトーチと同様に、または本明細書に記載される他のトーチと同様に設計され得るトーチ２２５０を受容し得る内側の穴（図２２Ｂを参照）を形成するように巻回し得る。放射状のフィンを有する例示の誘導デバイスは、本発明の譲受人に譲渡された米国特許第９，４３３，０７３号により詳細に記載されている。
【０１３５】
いくつかの例では、本明細書に記載されるイオン化コアは、無機イオンを質量分析器に提供し得る容量結合プラズマデバイスを含み得る。図２３を参照すると、イオン化コア２３００は、トーチ２３０５の周りに容量デバイス２３１０を備える。容量デバイス２３１０は、発振器２３１５に電気的に結合されている。発振器２３１５は、容量デバイス２が所望の周波数で無線周波数エネルギーを提供されるように制御され得る。例えば、容量デバイス２３１０は、容量デバイス２３１０に電気的に結合された２７ＭＨｚの発振器、３８．５ＭＨｚの発振器、または４０ＭＨｚの発振器から無線周波数エネルギーを提供し得る。発振器の２７ＭＨｚ、３８．５ＭＨｚ、および４０ＭＨｚ操作は、単なる例示であり、トーチ内に容量結合プラズマを支持するためには必要ない。所望の場合、２つ、３つ、またはそれ以上の容量デバイスをシングルトーチに結合して、トーチ内で容量結合プラズマを支持することができる。容量デバイスのうちの任意の１つ以上を別の容量デバイスと同じ発振器に電気的に結合することも、異なる発振器に電気的に結合することもできる。加えて、容量デバイスは、同じタイプまたは種類である必要はない。例えば、１つの容量デバイスがワイヤコイルの形態をとってもよいし、他の容量デバイスがプレート電極または他の異なるタイプの容量デバイスであってもよい。イオン化コアで使用され得る例示の容量デバイスは、本発明の譲受人に譲渡された米国特許第９，５０４，１３７号に記載されている。
【０１３６】
いくつかの実施形態では、本明細書に記載されるイオン化コアは、トーチの全体的な寿命を増加させるための耐火性の先端または端部を有するトーチを備え得る。図２４を参照すると、トーチ２４００は長さＬを備え、トーチの端部から存在する先端２４１０、例えば、シリコンナイトライドの先端を備える。水晶本体２４２０と先端２４１０との間にすりガラス接合部２４３０（または先端２４１０および本体２４２０内に存在する材料以外の材料）が存在し得る。所望の場合、すりガラス接合部は、トーチ内のプラズマのより良い視覚化を可能にするために研磨されてもよいし、別様に実質的に光学的に透明にされてもよい。いくつかの例では、無機イオンは、トーチ２４００を使用して生成されたプラズマから退出し、本明細書に記載される質量分析器に提供され得る。例示の耐火性の先端および端部を有するトーチおよびそれらの使用は、例えば、米国特許第９，２５９，７９８号および同第９，５１６，７３５号に記載されている。
【０１３７】
いくつかの実施形態では、イオン化コアは、イオン化を強化するための増強デバイスを含み得る。例えば、増強デバイスは、典型的には、追加の無線周波数エネルギーをトーチに提供するために無機イオンソースと組み合わせて使用され、イオン化しにくい元素のイオン化を助けることができる。図２５Ａを参照すると、増強デバイス２５２０を備えるシステム２５００がトーチ２５１０を囲むように示されている。トーチ２５１０はまた、トーチ２５１０内に誘導結合プラズマまたは容量結合プラズマを支持するために使用され得る誘導コイルまたは１つ以上のプレート電極（図示せず）によって囲まれている。ＲＦソース２５３０からの無線周波数エネルギーを増強デバイス２５２０に提供して、追加の無線周波数をトーチ２５１０に提供することができる。増強デバイスは、誘導コイル、プレート電極などと同じトーチ上に存在し得る。例えば、および図２５Ｂを参照すると、トーチ２５５５とは別個のチャンバ２５７０を囲む増強デバイス２５６０と、プラズマを支持するために使用される誘導コイル２５５６とを備えるシステム２５５０が示されている。トーチ２５５５とチャンバ２５７０とはインターフェース２５７５を介して分離されているが、所望の場合、インターフェース２５７５を省略することができる。
【０１３８】
他の事例では、イオン化コアは、無機イオンを提供するためのフレーム、アーク、スパークなどのうちの１つ以上を備える。電流を電極に提供することによって、２つの電極の間にアークを生成することができる。好適な燃料ソースおよびバーナーを使用してフレームを生成することができる。サンプルまたは他の材料を含む電極に電流を通すことによってスパークを生成することができる。これらのイオン化ソースのうちのいずれかを本明細書に記載されるイオン化コアで使用することができる。便宜上、ＩＣＰを含む様々な構成のイオン化コア（複数可）が図２６Ａ〜図２６Ｌを参照して記載されている。所望の場合、他の無機イオン化ソースをＩＣＰの代わりに使用することができ、例えば、ＣＣＰを使用することができるか、マイクロ波プラズマを使用することができるか、またはアークを使用することができるか、またはフレームを使用することができるか、またはスパークを使用することなどができる。図２６Ａを参照すると、システム２６００は、ＩＣＰ２６０２を含むイオン化コア（複数可）に流体的に結合されたサンプル操作コア２６０１を備え、ＩＣＰ２６０２自体は、ＭＳコア（複数可）２６０３を備える質量分析器に流体的に結合されている。システム２６００の使用時に、サンプルをサンプル操作コア２６０１に導入することができ、分析物種をＩＣＰ２６０２に提供する前に、サンプル中の分析物をサンプル操作コア２６０１によって何らかの方法で気化させるか、分離させるか、反応させるか、誘導体化するか、選別するか、修飾するか、または別様に作用させることができる。ＩＣＰ２６０２は、様々な技法を使用して、サンプル中の分析物をイオン化するように構成され得る。いくつかの例では、ＩＣＰ２６０２をＣＣＰまたはマイクロ波プラズマと交換することができる。他の例では、ＩＣＰ２６０２をフレームと交換することができる。さらなる例では、ＩＣＰ２６０２をアークと交換することができる。他の例では、ＩＣＰ２６０２をスパークと交換することができる。追加の例では、ＩＣＰ２６０２を別の無機イオン化コアと交換することができる。いくつかの事例では、ＩＣＰは、元素イオンをＭＳコア２６０３に提供する前に、元素種をイオン化、例えば、無機種をイオン化し得る。他の事例では、別のイオン化ソースは、分子イオンをＭＳコア２６０３に提供する前に、分子種を生成／イオン化するために、例えば、有機種をイオン化するために、イオン化コア（複数可）内に存在し得る。本明細書に述べられるある特定の構成では、システム２６００は、イオンをＭＳコア２６０３に提供する前に、無機種および有機種をイオン化するように構成され得る。ＭＳコア（複数可）２６０３は、特定の質量電荷比を有するイオンを濾過／検出するように構成され得る。いくつかの例では、ＭＳコア２６０３は、存在する特定の構成要素に応じて、無機イオンを濾過／選択／検出し、かつ有機イオンを濾過／選択／検出するように設計され得る。示されていないが、ＭＳコア２６０３を含む質量分析器は、典型的には、質量分析器内に存在し得る１つ、２つ、３つ、またはそれ以上の質量分析計コア（ＭＳＣ）によって使用される共通の構成要素を備える。例えば、共通のガスコントローラ、プロセッサ、電源、検出器、および真空ポンプを、質量分析器内に存在する異なる質量のＭＳＣによって使用することができる。システム２６００は、低い原子質量単位の分析物、例えば、３、４、または５ａｍｕ程度に低い質量を有するリチウムもしくは他の元素を検出し、かつ／または高い原子質量単位の分析物、例えば、最大約２０００ａｍｕの質量を有する分子イオン種を検出するように構成され得る。示されていないが、サンプル導入デバイス、オーブン、ポンプなどの様々な他の構成要素もまた、システム２６００内において、コア２６０１、２６０２、および２６０３のうちの任意の１つ以上の間に存在し得る。
【０１３９】
ある特定の構成では、図２６Ａに示されるコアのうちの任意の１つ以上を２つ以上のコアに分離または分割することがでる。例えば、および図２６Ｂを参照すると、システム２６０５は、サンプル操作コア２６０６と、サンプル操作コア２６０６に流体的に結合されたＩＣＰ２６０７を含む第１のイオン化コアと、サンプル操作コア２６０６に流体的に結合された第２のイオン化コア２６０８とを備える。コア２６０７、２６０８の各々もまた、ＭＳコア２６０９を備える質量分析器に流体的に結合されている。示されていないが、システム２６０５の使用中に、選択された時間において、種をサンプル操作コア２６０６からイオン化コア２６０７、２６０８のうちの一方だけに提供するために、サンプル操作コア２６０６とイオン化コア２６０７、２６０８との間にインターフェース、バルブ、または他のデバイスが存在し得る。他の構成では、インターフェース、バルブ、またはデバイスは、種をサンプル操作コア２６０６からイオン化コア２６０７、２６０８に同時に提供するように構成され得る。同様に、システム２６０５の使用中に、選択された時間において、種をイオン化コア２６０７、２６０８のうちの１つからＭＳコア２６０９に提供するために、イオン化コア２６０７、２６０８と、ＭＳコア２６０９との間にバルブ、インターフェース、または他のデバイス（図示せず）が存在し得る。他の構成では、インターフェース、バルブ、またはデバイスは、種をイオン化コア２６０７、２６０８から一緒にＭＳコア２６０９に提供するように構成され得る。システム２６０５の使用時に、サンプルをサンプル操作コア２６０６に導入することができ、分析物種をイオン化コア（複数可）２６０７、２６０８のうちの一方または両方に提供する前に、サンプル中の分析物をサンプル操作コア２６０６によって何らかの方法で気化させるか、分離させるか、反応させるか、誘導体化するか、選別するか、修飾するか、または別様に作用させることができる。いくつかの事例では、イオン化コア２６０７、２６０８は、様々であるが異なる技法を使用して、サンプル中の分析物をイオン化するように構成され得る。いくつかの例では、ＩＣＰ２６０７をＣＣＰまたはマイクロ波プラズマと交換することができる。他の例では、ＩＣＰ２６０７をフレームと交換することができる。さらなる例では、ＩＣＰ２６０７をアークと交換することができる。他の例では、ＩＣＰ２６０７をスパークと交換することができる。追加の例では、ＩＣＰ２６０７を別の無機イオン化コアと交換することができる。いくつかの事例では、ＩＣＰ２６０７を含むイオン化コア（複数可）は、元素イオンをコア２６０９に提供する前に、元素種をイオン化、例えば、無機種をイオン化し得る。他の事例では、イオン化ソースは、分子イオンをＭＳコア２６０９に提供する前に、分子種を生成／イオン化するために、例えば、有機種をイオン化するために、イオン化コア（複数可）２６０８内に存在し得る。本明細書に述べられるある特定の構成では、システム２６０５は、イオンをＭＳコア２６０９に提供する前に、イオン化コア２６０７、２６０８を使用して、無機種および有機種の両方をイオン化するように構成され得る。ＭＳコア（複数可）２６０９は、特定の質量電荷比を有するイオンを濾過／検出するように構成され得る。いくつかの例では、コア２６０９は、存在する特定の構成要素に応じて、無機イオンを濾過／選択／検出し、かつ有機イオンを濾過／選択／検出するように設計され得る。示されていないが、ＭＳコア２６０９を含む質量分析器は、典型的には、質量分析器内に存在し得る１つ、２つ、３つ、またはそれ以上の質量分析計コア（ＭＳＣ）によって使用される共通の構成要素を備える。例えば、共通のガスコントローラ、プロセッサ、電源、検出器、および真空ポンプを、コア２６０９内に存在する異なる質量のＭＳＣによって使用することができる。システム２６０５は、低い原子質量単位の分析物、例えば、３、４、または５ａｍｕ程度に低い質量を有するリチウムもしくは他の元素を検出し、かつ／または高い原子質量単位の分析物、例えば、最大約２０００ａｍｕの質量を有する分子イオン種を検出するように構成され得る。示されていないが、サンプル導入デバイス、オーブン、ポンプなどの様々な他の構成要素もまた、システム２６０５内において、コア２６０６、２６０７、２６０８、および２６０９のうちの任意の１つ以上の間に存在し得る。
【０１４０】
他の構成では、本明細書に記載されるＭＳコアは（サンプル操作と共に使用される場合）、２つ以上の個々のコアに分離され得る。本明細書に述べられるように、ＭＳコアは、分離され得るが、依然としてガスコントローラ、プロセッサ、電源、および／または真空ポンプを含むある特定の共通の構成要素を共有し得る。図２６Ｃを参照すると、サンプル操作コア２６１１と、ＩＣＰ２６１２を含む第１のイオン化コアと、第２のイオン化コア２６１３と、第１のＭＳコア２６１５および第２のＭＳコア２６１６を含む質量分析器２６１４とを備えるシステム２６１０が示されている。サンプル操作コア２６１１は、イオン化コア２６１２、２６１３の各々に流体的に結合されている。示されていないが、システム２６１０の使用中に、選択された時間において、種をサンプル操作コア２６１１からイオン化コア２６１２、２６１３のうちの一方だけに提供するために、サンプル操作コア２６１１とイオン化コア２６１２、２６１３との間にインターフェース、バルブ、または他のデバイスが存在し得る。他の構成では、インターフェース、バルブ、またはデバイスは、種をサンプル操作コア２６１１からイオン化コア２６１２、２６１３に同時に提供するように構成され得る。イオン化コア２６１２は第１のＭＳコア２６１５に流体的に結合され、第２のイオン化コア２６１３は第２のＭＳコア２６１６に流体的に結合されている。システム２６１０の使用時に、サンプルをサンプル操作コア２６１１に導入することができ、分析物種をイオン化コア（複数可）２６１２、２６１３のうちの一方または両方に提供する前に、サンプル中の分析物を何らかの方法で気化させるか、分離させるか、反応させるか、誘導体化するか、選別するか、修飾するか、または別様に作用させることができる。いくつかの事例では、イオン化コア２６１２、２６１３は、様々であるが異なる技法を使用して、サンプル中の分析物をイオン化するように構成され得る。例えば、いくつかの事例では、ＩＣＰ２６１２は、元素イオンをＭＳコア２６１５に提供する前に、元素種をイオン化、例えば、無機種をイオン化し得る。いくつかの例では、ＩＣＰ２６１２をＣＣＰまたはマイクロ波プラズマと交換することができる。他の例では、ＩＣＰ２６１２をフレームと交換することができる。さらなる例では、ＩＣＰ２６１２をアークと交換することができる。他の例では、ＩＣＰ２６１２をスパークと交換することができる。追加の例では、ＩＣＰ２６１２を別の無機イオン化コアと交換することができる。他の事例では、イオン化ソースは、分子イオンをＭＳコア２６１６に提供する前に、分子種を生成／イオン化するために、例えば、有機種をイオン化するために、イオン化コア（複数可）２６１３内に存在し得る。本明細書に述べられるある特定の構成では、システム２６１０は、イオンをＭＳコア２６１５、２６１６に提供する前に、イオン化コア２６１２、２６１３を使用して、無機種および有機種の両方をイオン化するように構成され得る。ＭＳコア（複数可）２６１５、２６１６は、特定の質量電荷比を有するイオンを濾過／検出するように構成され得る。いくつかの例では、存在する特定の構成要素に応じて、ＭＳコア２６１５は無機イオンを濾過／選択／検出するように設計され得、ＭＳコア２６１６は有機イオンを濾過／選択／検出するように設計され得る。示されていないが、質量分析器２６１４は、典型的には、質量分析器２６１４内に独立して存在し得る１つ、２つ、３つ、またはそれ以上の質量分析計コア（ＭＳＣ）によって使用される共通の構成要素を備える。例えば、共通のガスコントローラ、プロセッサ、電源、検出器、および真空ポンプを、質量分析器２６１４内に存在する異なる質量のＭＳＣによって使用することができるが、所望の場合、ＭＳコア２６１５、２６１６の各々は、それ自体のガスコントローラ、プロセッサ、電源、検出器、および／または真空ポンプを備えることができる。システム２６１０は、低い原子質量単位の分析物、例えば、３、４、または５ａｍｕ程度に低い質量を有するリチウムもしくは他の元素を検出し、かつ／または高い原子質量単位の分析物、例えば、最大約２０００ａｍｕの質量を有する分子イオン種を検出するように構成され得る。示されていないが、サンプル導入デバイス、オーブン、ポンプなどの様々な他の構成要素もまた、システム２６１０内において、システム２６１０のコアのうちの任意の１つ以上の間に存在し得る。
【０１４１】
サンプル操作コアと、２つのイオン化コアと、２つのＭＳコアとが存在するいくつかの事例では、イオンを異なるイオン化コアから異なるＭＳコアに提供することが望ましいことがある。例えば、および図２６Ｄを参照すると、サンプル操作コア２６２１と、ＩＣＰ２６２２を含む第１のイオン化コアと、第２のイオン化コア２６２３と、インターフェース２６２４と、第１のＭＳコア２６２６および第２のＭＳコア２６２７を含む質量分析器２６２５とを備えるシステム２６２０が示されている。サンプル操作コア２６２１は、イオン化コア２６２２、２６２３の各々に流体的に結合されている。示されていないが、システム２６２０の使用中に、選択された時間において、種をサンプル操作コア２６２１からイオン化コア２６２２、２６２３のうちの一方だけに提供するために、サンプル操作コア２６２１とイオン化コア２６２２、２６２３との間にインターフェース、バルブ、または他のデバイスが存在し得る。他の構成では、インターフェース、バルブ、またはデバイスは、種をサンプル操作コア２６２１からイオン化コア２６２２、２６２３に同時に提供するように構成され得る。イオン化コア２６２２はインターフェース２６２４に流体的に結合され、イオン化コア２６２３はインターフェース２６２４に流体的に結合されている。インターフェース２６２４は、第１のＭＳコア２６２６および第２のＭＳコア２６２７の各々に流体的に結合されている。システム２６２０の使用時に、サンプルをサンプル操作コア２６２１に導入することができ、分析物種をイオン化コア（複数可）２６２２、２６２３のうちの一方または両方に提供する前に、サンプル中の分析物を何らかの方法で気化させるか、分離させるか、反応させるか、誘導体化するか、選別するか、修飾するか、または別様に作用させることができる。いくつかの事例では、イオン化コア２６２２、２６２３は、様々であるが異なる技法を使用して、サンプル中の分析物をイオン化するように構成され得る。例えば、いくつかの事例では、ＩＣＰ２６２２は、元素イオンをインターフェース２６２４に提供する前に、元素種をイオン化、例えば、無機種をイオン化し得る。いくつかの例では、ＩＣＰ２６２２をＣＣＰまたはマイクロ波プラズマと交換することができる。他の例では、ＩＣＰ２６２２をフレームと交換することができる。さらなる例では、ＩＣＰ２６２２をアークと交換することができる。他の例では、ＩＣＰ２６２２をスパークと交換することができる。追加の例では、ＩＣＰ２６２２を別の無機イオン化コアと交換することができる。他の事例では、イオン化ソースは、分子イオンをインターフェース２６２４に提供する前に、分子種を生成／イオン化するために、例えば、有機種をイオン化するために、イオン化コア（複数可）２６２３内に存在し得る。本明細書に述べられるある特定の構成では、システム２６２０は、イオンをインターフェース２６２４に提供する前に、イオン化コア２６２２、２６２３を使用して、無機種および有機種の両方をイオン化するように構成され得る。インターフェース２６２４は、イオンをＭＳコア（複数可）２６２６、２６２７のいずれかまたは両方に提供するように構成され得、ＭＳコア（複数可）２６２６、２６２７の各々は、特定の質量電荷比を有するイオンを濾過／検出するように構成され得る。いくつかの例では、存在する特定の構成要素に応じて、ＭＳコア２６２６は無機イオンを濾過／選択／検出するように設計され得、ＭＳコア２６２７は有機イオンを濾過／選択／検出するように設計され得る。いくつかの例では、ＭＳコア２６２６、２６２７は、異なる濾過デバイスおよび／または検出デバイスと共に異なるように構成されている。示されていないが、質量分析器２６２５は、典型的には、質量分析器２６２５内に独立して存在し得る１つ、２つ、３つ、またはそれ以上の質量分析計コア（ＭＳＣ）によって使用される共通の構成要素を備える。例えば、共通のガスコントローラ、プロセッサ、電源、検出器、および真空ポンプを、質量分析器２６２５内に存在する異なる質量のＭＳＣによって使用することができるが、所望の場合、ＭＳコア２６２６、２６２７の各々は、それ自体のガスコントローラ、プロセッサ、電源、検出器、および／または真空ポンプを備えることができる。システム２６２０は、低い原子質量単位の分析物、例えば、３、４、または５ａｍｕ程度に低い質量を有するリチウムもしくは他の元素を検出し、かつ／または高い原子質量単位の分析物、例えば、最大約２０００ａｍｕの質量を有する分子イオン種を検出するように構成され得る。示されていないが、サンプル導入デバイス、オーブン、ポンプなどの様々な他の構成要素もまた、システム２６２０内において、システム２６２０のコアのうちの任意の１つ以上の間に存在し得る。
【０１４２】
ある特定の例では、所望の場合、サンプル操作コアを２つ以上のコアに分割することができる。例えば、無機イオンがイオン化コアまたはＭＳコアに提供される場合、有機イオンがイオン化コアまたはＭＳコアに提供される場合とは異なる操作を実施することが望ましいことがある。図２６Ｅを参照すると、第１のサンプル操作コア２６３１と第２のサンプル操作コア２６３２とを備えるシステム２６３０が示されている。サンプル操作コア２６３１、２６３２の各々は、インターフェース２６３３に流体的に結合されている。インターフェース２６３３は、ＩＣＰ２６３４を含むイオン化コアに流体的に結合され、ＩＣＰ２６３４自体は、ＭＳコア２６３５を備える質量分析器に流体的に結合されている。システム２６３０の使用時に、サンプルをサンプル操作コア２６３１、２６３２のうちの一方または両方に導入することができ、分析物種をインターフェース２６３３に提供する前に、サンプル中の分析物を何らかの方法で気化させるか、分離させるか、反応させるか、誘導体化するか、選別するか、修飾するか、または別様に作用させることができる。異なるサンプル操作コア２６３１、２６３２を、異なる分離を実施するか、異なる分離条件を使用するか、異なるキャリアガスを使用するか、または異なる構成要素を含むように構成することができる。インターフェース２６３３は、サンプル操作コア２６３１、２６３２のうちの一方または両方から、ＩＣＰ２６３４を含むイオン化コアへのサンプルの通過を可能にするように構成され得る。イオン化コア（複数可）２６３４は、様々な技法を使用して、サンプル中の分析物をイオン化するように構成され得る。例えば、いくつかの事例では、ＩＣＰ２６３４は、元素イオンをＭＳコア２６３５に提供する前に、元素種をイオン化、例えば、無機種をイオン化し得る。いくつかの例では、ＩＣＰ２６３４をＣＣＰまたはマイクロ波プラズマと交換することができる。他の例では、ＩＣＰ２６３４をフレームと交換することができる。さらなる例では、ＩＣＰ２６３４をアークと交換することができる。他の例では、ＩＣＰ２６３４をスパークと交換することができる。追加の例では、ＩＣＰ２６３４を別の無機イオン化コアと交換することができる。他の事例では、別のイオン化ソースが、分子イオンをコア２６３５０に提供する前に、分子種を生成／イオン化するために、例えば、有機種をイオン化するために、イオン化コア（複数可）２６３４内に存在し得る。本明細書に述べられるある特定の構成では、システム２６３０は、イオンをコア２６３５に提供する前に、無機種および有機種をイオン化するように構成され得る。ＭＳコア（複数可）２６３５は、特定の質量電荷比を有するイオンを濾過／検出するように構成され得る。いくつかの例では、コア２６３５は、存在する特定の構成要素に応じて、無機イオンを濾過／選択／検出し、かつ有機イオンを濾過／選択／検出するように設計され得る。示されていないが、ＭＳコア２６３５を含む質量分析器は、典型的には、質量分析器内に存在し得る１つ、２つ、３つ、またはそれ以上の質量分析計コア（ＭＳＣ）によって使用される共通の構成要素を備える。例えば、共通のガスコントローラ、プロセッサ、電源、検出器、および真空ポンプを、質量分析器内に存在する異なる質量のＭＳＣによって使用することができる。システム２６３０は、低い原子質量単位の分析物、例えば、３、４、または５ａｍｕ程度に低い質量を有するリチウムもしくは他の元素を検出し、かつ／または高い原子質量単位の分析物、例えば、最大約２０００ａｍｕの質量を有する分子イオン種を検出するように構成され得る。示されていないが、サンプル導入デバイス、オーブン、ポンプなどの様々な他の構成要素もまた、システム２６３０内において、システム２６３０のコアのうちの任意の１つ以上の間に存在し得る。
【０１４３】
ある特定の構成では、所望の場合、サンプル操作コアを互いに直列に結合することができる。例えば、異なる分離条件のために構成された同じサンプル操作を使用して、サンプル中の分析物の分離を実施することが望ましいことがある。図２６Ｆを参照すると、第２のサンプル操作コア２６４２に流体的に結合された第１のサンプル操作コア２６４１を備えるシステム２６４０が示されている。分析物サンプルの性質に応じて、サンプル操作コア２６４１、２６４２のうちの一方は、受動的な構成で存在し、概して、サンプルに対していずれの操作も実施することなく、サンプルを通過させることができる一方、他の事例では、サンプル操作コア２６４１、２６４２の各々は、分析物種をイオン化コア２６４３に提供する前に、サンプルに対する何らかの方法での気化、分離、反応、誘導体化、選別、修飾、または別様な作用を含むが、これらに限定されない１つ以上のサンプル操作を実施する。ＩＣＰ２６４３を含むイオン化コア（複数可）は、様々な技法を使用して、サンプル中の分析物をイオン化するように構成され得る。例えば、ＩＣＰは、元素イオンを、ＭＳコア２６４４を備える質量分析器に提供する前に、元素種をイオン化、例えば、無機種をイオン化し得る。いくつかの例では、ＩＣＰ２６４３をＣＣＰまたはマイクロ波プラズマと交換することができる。他の例では、ＩＣＰ２６４３をフレームと交換することができる。さらなる例では、ＩＣＰ２６４３をアークと交換することができる。他の例では、ＩＣＰ２６４３をスパークと交換することができる。追加の例では、ＩＣＰ２６４３を別の無機イオン化コアと交換することができる。他の事例では、別のイオン化ソースが、分子イオンをコア２６４４に提供する前に、分子種を生成／イオン化するために、例えば、有機種をイオン化するために、イオン化コア（複数可）２６４３内に存在し得る。本明細書に述べられるある特定の構成では、システム２６４０は、イオンをＭＳコア２６４４に提供する前に、無機種および有機種をイオン化するように構成され得る。ＭＳコア（複数可）２６４４は、特定の質量電荷比を有するイオンを濾過／検出するように構成され得る。いくつかの例では、ＭＳコア２６４４は、存在する特定の構成要素に応じて、無機イオンを濾過／選択／検出し、かつ有機イオンを濾過／選択／検出するように設計され得る。示されていないが、ＭＳコア２６４４を含む質量分析器は、典型的には、質量分析器内に存在し得る１つ、２つ、３つ、またはそれ以上の質量分析計コア（ＭＳＣ）によって使用される共通の構成要素を備える。例えば、共通のガスコントローラ、プロセッサ、電源、検出器、および真空ポンプを、質量分析器内に存在する異なる質量のＭＳＣによって使用することができる。システム２６４０は、低い原子質量単位の分析物、例えば、３、４、または５ａｍｕ程度に低い質量を有するリチウムもしくは他の元素を検出し、かつ／または高い原子質量単位の分析物、例えば、最大約２０００ａｍｕの質量を有する分子イオン種を検出するように構成され得る。示されていないが、サンプル導入デバイス、オーブン、ポンプなどの様々な他の構成要素もまた、システム２６４０内において、システム２６４０のコアのうちの任意の１つ以上の間に存在し得る。
【０１４４】
２つ以上のサンプル操作コアが存在するある特定の構成では、各サンプル操作は、それぞれのイオン化コアに流体的に結合され得る。例えば、および図２６Ｇを参照すると、システム２６６０は、第１のサンプル操作コア２６５１と、第２のサンプル操作コア２６５２と、第１のサンプル操作コア２６５１に流体的に結合されたＩＣＰ２６５３を含む第１のイオン化コアと、第２のサンプル操作コア２６５２に流体的に結合された第２のイオン化コア２６５４とを備える。イオン化コア２６５３、２６５４の各々もまた、ＭＳコア２６５５を備える質量分析器に流体的に結合されている。示されていないが、システム２６５０の使用中に、選択された時間において、種をイオン化コア２６５３、２６５４のうちの１つからＭＳコア２６５５に提供するために、イオン化コア２６５３、２６５４と、ＭＳコア２６５５との間にバルブ、インターフェース、または他のデバイスが存在し得る。他の構成では、インターフェース、バルブ、またはデバイスは、種をイオン化コア２６５３、２６５４から一緒にＭＳコア２６５５に提供するように構成され得る。システム２６５０の使用時に、サンプルをサンプル操作２６１、２６５２に導入することができ、分析物種をイオン化コア２６５３、２６５４に提供する前に、サンプル中の分析物を何らかの方法で気化させるか、分離させるか、反応させるか、誘導体化するか、選別するか、修飾するか、または別様に作用させることができる。いくつかの事例では、イオン化コア２６５３、２６５４は、様々であるが異なる技法を使用して、サンプル中の分析物をイオン化するように構成され得る。例えば、いくつかの事例では、ＩＣＰ２６５３は、元素イオンをＭＳコア２６５５に提供する前に、元素種をイオン化、例えば、無機種をイオン化し得る。いくつかの例では、ＩＣＰ２６５３をＣＣＰまたはマイクロ波プラズマと交換することができる。他の例では、ＩＣＰ２６５３をフレームと交換することができる。さらなる例では、ＩＣＰ２６５３をアークと交換することができる。他の例では、ＩＣＰ２６５３をスパークと交換することができる。追加の例では、ＩＣＰ２６５３を別の無機イオン化コアと交換することができる。他の事例では、イオン化ソースは、分子イオンをＭＳコア２６５５に提供する前に、分子種を生成／イオン化するために、例えば、有機種をイオン化するために、イオン化コア（複数可）２６５４内に存在し得る。本明細書に述べられるある特定の構成では、システム２６５０は、イオンをＭＳコア２６５５に提供する前に、イオン化コア２６５３、２６５４を使用して、無機種および有機種の両方をイオン化するように構成され得る。ＭＳコア（複数可）２６５５は、特定の質量電荷比を有するイオンを濾過／検出するように構成され得る。いくつかの例では、ＭＳコア２６５５は、存在する特定の構成要素に応じて、無機イオンを濾過／選択／検出し、かつ有機イオンを濾過／選択／検出するように設計され得る。示されていないが、ＭＳコア２６５５を含む質量分析器は、典型的には、質量分析器内に存在し得る１つ、２つ、３つ、またはそれ以上の質量分析計コア（ＭＳＣ）によって使用される共通の構成要素を備える。例えば、共通のガスコントローラ、プロセッサ、電源、検出器、および真空ポンプを、質量分析器内に存在する異なる質量のＭＳＣによって使用することができる。システム２６５０は、低い原子質量単位の分析物、例えば、３、４、または５ａｍｕ程度に低い質量を有するリチウムもしくは他の元素を検出し、かつ／または高い原子質量単位の分析物、例えば、最大約２０００ａｍｕの質量を有する分子イオン種を検出するように構成され得る。示されていないが、サンプル導入デバイス、オーブン、ポンプなどの様々な他の構成要素もまた、システム２６５０内において、システム２６５０のコアのうちの任意の１つ以上の間に存在し得る。
【０１４５】
２つ以上のサンプル操作コアが存在するある特定の構成では、各サンプル操作は、１つ以上のインターフェースを介してそれぞれのイオン化コアに流体的に結合され得る。例えば、および図２６Ｈを参照すると、システム２６６０は、第１のサンプル操作コア２６６１と、第２のサンプル操作コア２６６２と、インターフェース２６６３と、ＩＣＰ２６６４を含む第１のイオン化コアと、第２のイオン化コア２６６５とを備える。イオン化コア２６６４、２６６５の各々もまた、ＭＳコア２６６６を備える質量分析器に流体的に結合されている。示されていないが、システム２６６０の使用中に、選択された時間において、種をイオン化コア２６６４、２６６５のうちの１つからＭＳコア２６６６に提供するために、イオン化コア２６６４、２６６５と、ＭＳコア２６６６との間にバルブ、インターフェース、または他のデバイスが存在し得る。他の構成では、インターフェース、バルブ、またはデバイスは、種をイオン化コア２６６４、２６６５から一緒にＭＳコア２６６６に提供するように構成され得る。システム２６６０の使用時に、サンプルをサンプル操作２６６１、２６６２に導入することができ、分析物種をイオン化コア２６６４、２６６５に提供する前に、サンプル中の分析物を何らかの方法で気化させるか、分離させるか、反応させるか、誘導体化するか、選別するか、修飾するか、または別様に作用させることができる。インターフェース２６６３は、サンプル操作コア２６６１、２６６２の各々に流体的に結合されており、サンプルをイオン化コア２６６４、２６６５のいずれかまたは両方に提供するように構成され得る。いくつかの事例では、イオン化コア２６６４、２６６５は、様々であるが異なる技法を使用して、サンプル中の分析物をイオン化するように構成され得る。例えば、いくつかの事例では、ＩＣＰ２６６４は、元素イオンをコア２６６６に提供する前に、元素種をイオン化、例えば、無機種をイオン化し得る。いくつかの例では、ＩＣＰ２６６４をＣＣＰまたはマイクロ波プラズマと交換することができる。他の例では、ＩＣＰ２６６４をフレームと交換することができる。さらなる例では、ＩＣＰ２６６４をアークと交換することができる。他の例では、ＩＣＰ２６６４をスパークと交換することができる。追加の例では、ＩＣＰ２６６４を別の無機イオン化コアと交換することができる。他の事例では、イオン化ソースは、分子イオンをＭＳコア２６６６に提供する前に、分子種を生成／イオン化するために、例えば、有機種をイオン化するために、イオン化コア（複数可）２６６５内に存在し得る。本明細書に述べられるある特定の構成では、システム２６６０は、イオンをＭＳコア２６６６に提供する前に、イオン化コア２６６４、２６６５を使用して、無機種および有機種の両方をイオン化するように構成され得る。サンプル操作コア２６６１、２６６２は、同じサンプルソースまたは異なるサンプルソースからサンプルを受容し得る。異なるサンプルソースが存在する場合、インターフェース２６６３は、分析物をサンプル操作コア２６６１からイオン化コア２６６４、２６６５のいずれかに提供し得る。同様に、インターフェース２６６３は、分析物をサンプル操作コア２６６２からイオン化コア２６６４、２６６５のいずれかに提供し得る。ＭＳコア（複数可）２６６６は、特定の質量電荷比を有するイオンを濾過／検出するように構成され得る。いくつかの例では、ＭＳコア２６６６は、存在する特定の構成要素に応じて、無機イオンを濾過／選択／検出し、かつ有機イオンを濾過／選択／検出するように設計され得る。示されていないが、ＭＳコア２６６６を含む質量分析器は、典型的には、質量分析器内に存在し得る１つ、２つ、３つ、またはそれ以上の質量分析計コア（ＭＳＣ）によって使用される共通の構成要素を備える。例えば、共通のガスコントローラ、プロセッサ、電源、検出器、および真空ポンプを、質量分析器内に存在する異なる質量のＭＳＣによって使用することができる。システム２６６０は、低い原子質量単位の分析物、例えば、３、４、または５ａｍｕ程度に低い質量を有するリチウムもしくは他の元素を検出し、かつ／または高い原子質量単位の分析物、例えば、最大約２０００ａｍｕの質量を有する分子イオン種を検出するように構成され得る。示されていないが、サンプル導入デバイス、オーブン、ポンプなどの様々な他の構成要素もまた、システム２６６０内において、システム２６６０のコアのうちの任意の１つ以上の間に存在し得る。
【０１４６】
２つ以上のサンプル操作コアが存在するある特定の構成では、各サンプル操作は、１つ以上のインターフェースを介してそれぞれのイオン化コアに流体的に結合され得、各イオン化コアは、それぞれのＭＳコアを備え得る。例えば、および図２６Ｉを参照すると、システム２６７０は、第１のサンプル操作コア２６７１と、第２のサンプル操作コア２６７２と、インターフェース２６７３と、ＩＣＰ２６７４を含む第１のイオン化コアと、第２のイオン化コア２６７５とを備える。イオン化コア２６７４、２６７５の各々もまた、ＭＳコア２６７７、２６７８を備える質量分析器２６７６に流体的に結合されている。システム２６７０の使用時に、サンプルをサンプル操作コア２６７１、２６７２に導入することができ、分析物種をイオン化コア２６７４、２６７５に提供する前に、サンプル中の分析物を何らかの方法で気化させるか、分離させるか、反応させるか、誘導体化するか、選別するか、修飾するか、または別様に作用させることができる。インターフェース２６７３は、サンプル操作コア２６７１、２６７２の各々に流体的に結合されており、サンプルをイオン化コア２６７４、２６７５のいずれかまたは両方に提供するように構成され得る。いくつかの事例では、イオン化コア２６７４、２６７５は、様々であるが異なる技法を使用して、サンプル中の分析物をイオン化するように構成され得る。例えば、いくつかの事例では、ＩＣＰ２６７４は、元素イオンをＭＳコア２６７７に提供する前に、元素種をイオン化、例えば、無機種をイオン化し得る。いくつかの例では、ＩＣＰ２６７４をＣＣＰまたはマイクロ波プラズマと交換することができる。他の例では、ＩＣＰ２６７４をフレームと交換することができる。さらなる例では、ＩＣＰ２６７４をアークと交換することができる。他の例では、ＩＣＰ２６７４をスパークと交換することができる。追加の例では、ＩＣＰ２６７４を別の無機イオン化コアと交換することができる。他の事例では、イオン化ソースは、分子イオンをコア２６７８に提供する前に、分子種を生成／イオン化するために、例えば、有機種をイオン化するために、イオン化コア（複数可）２６７５内に存在し得る。本明細書に述べられるある特定の構成では、システム２６７０は、イオンをＭＳコア２６７７、２６７８に提供する前に、イオン化コア２６７４、２６７５を使用して、無機種および有機種の両方をイオン化するように構成され得る。サンプル操作コア２６７１、２６７２は、同じサンプルソースまたは異なるサンプルソースからサンプルを受容し得る。異なるサンプルソースが存在する場合、インターフェース２６７３は、分析物をサンプル操作コア２６７１からイオン化コア２６７４、２６７５のいずれかに提供し得る。同様に、インターフェース２６７３は、分析物をサンプル操作コア２６７２からイオン化コア２６７４、２６７５のいずれかに提供し得る。ＭＳコア（複数可）２６７７、２６７８の各々は、特定の質量電荷比を有するイオンを濾過／検出するように構成され得る。いくつかの例では、ＭＳコア２６７７、２６７８のいずれかまたは両方は、存在する特定の構成要素に応じて、無機イオンを濾過／選択／検出し、かつ有機イオンを濾過／選択／検出するように設計され得る。いくつかの例では、ＭＳコア２６７７、２６７８は、異なる濾過デバイスおよび／または検出デバイスと共に異なるように構成されている。示されていないが、質量分析器２６７６は、典型的には、質量分析器２６７６内に存在し得る１つ、２つ、３つ、またはそれ以上の質量分析計コア（ＭＳＣ）によって使用される共通の構成要素を備える。例えば、共通のガスコントローラ、プロセッサ、電源、検出器、および真空ポンプを、質量分析器２６７６内に存在する異なる質量のＭＳＣによって使用することができる。システム２６７０は、低い原子質量単位の分析物、例えば、３、４、または５ａｍｕ程度に低い質量を有するリチウムもしくは他の元素を検出し、かつ／または高い原子質量単位の分析物、例えば、最大約２０００ａｍｕの質量を有する分子イオン種を検出するように構成され得る。示されていないが、サンプル導入デバイス、オーブン、ポンプなどの様々な他の構成要素もまた、システム２６７０内において、システム２６７０のコアのうちの任意の１つ以上の間に存在し得る。
【０１４７】
２つ以上のサンプル操作コアが存在するある特定の構成では、各サンプル操作は、１つ以上のインターフェースを介してそれぞれのイオン化コアに流体的に結合され得、各イオン化コアは、インターフェースを介して２つ以上のＭＳコアに結合され得る。図２６Ｊを参照すると、システム２６８０は、第１のサンプル操作コア２６８１と、第２のサンプル操作コア２６８２と、インターフェース２６８３と、ＩＣＰ２６８４を含む第１のイオン化コアと、第２のイオン化コア２６８５とを備える。イオン化コア２６８４、２６８５の各々もまた、インターフェース２６８６を介して、ＭＳコア２６８８、２６８９を備える質量分析器２６８７に流体的に結合されている。システム２６８０の使用時に、サンプルをサンプル操作コア２６８１、２６８２に導入することができ、分析物種をイオン化コア２６８４、２６８５に提供する前に、サンプル中の分析物を何らかの方法で気化させるか、分離させるか、反応させるか、誘導体化するか、選別するか、修飾するか、または別様に作用させることができる。インターフェース２６８３は、サンプル操作コア２６８１、２６８２の各々に流体的に結合されており、サンプルをイオン化コア２６８４、２６８５のいずれかまたは両方に提供するように構成され得る。いくつかの事例では、イオン化コア２６８４、２６８５は、様々であるが異なる技法を使用して、サンプル中の分析物をイオン化するように構成され得る。例えば、いくつかの事例では、ＩＣＰ２６８４は、元素イオンをインターフェース２６８６に提供する前に、元素種をイオン化、例えば、無機種をイオン化し得る。いくつかの例では、ＩＣＰ２６８４をＣＣＰまたはマイクロ波プラズマと交換することができる。他の例では、ＩＣＰ２６８４をフレームと交換することができる。さらなる例では、ＩＣＰ２６８４をアークと交換することができる。他の例では、ＩＣＰ２６８４をスパークと交換することができる。追加の例では、ＩＣＰ２６８４を別の無機イオン化コアと交換することができる。他の事例では、イオン化ソースは、分子イオンをインターフェース２６８６に提供する前に、分子種を生成／イオン化するために、例えば、有機種をイオン化するために、イオン化コア（複数可）２６８５内に存在し得る。本明細書に述べられるある特定の構成では、システム２６８０は、イオンをインターフェース２６８６に提供する前に、イオン化コア２６８４、２６８５を使用して、無機種および有機種の両方をイオン化するように構成され得る。サンプル操作コア２６８１、２６８２は、同じサンプルソースまたは異なるサンプルソースからサンプルを受容し得る。異なるサンプルソースが存在する場合、インターフェース２６８３は、分析物をサンプル操作コア２６８１からイオン化コア２６８４、２６８５のいずれかに提供し得る。同様に、インターフェース２６８３は、分析物をサンプル操作コア２６８２からイオン化コア２６８４、２６８５のいずれかに提供し得る。インターフェース２６８６は、イオン化コア２６８４、２６８５のいずれかまたは両方からイオンを受容し、受容したイオンをＭＳコア２６８８、２６８９のうちの一方または両方に提供し得る。ＭＳコア（複数可）２６８８、２６８９の各々は、特定の質量電荷比を有するイオンを濾過／検出するように構成され得る。いくつかの例では、コア２６８８、２６８９のいずれかまたは両方は、存在する特定の構成要素に応じて、無機イオンを濾過／選択／検出し、かつ有機イオンを濾過／選択／検出するように設計され得る。いくつかの例では、コア２６８８、２６８９は、異なる濾過デバイスおよび／または検出デバイスと共に異なるように構成されている。示されていないが、質量分析器２６８７は、典型的には、質量分析器２６８７内に存在し得る１つ、２つ、３つ、またはそれ以上の質量分析計コア（ＭＳＣ）によって使用される共通の構成要素を備える。例えば、共通のガスコントローラ、プロセッサ、電源、検出器、および真空ポンプを、質量分析器２６８７内に存在する異なる質量のＭＳＣによって使用することができる。システム２６８０は、低い原子質量単位の分析物、例えば、最小で３、４、または５ａｍｕ程度に低い質量を有するリチウムもしくは他の元素を検出し、かつ／または高い原子質量単位の分析物、例えば、最大約２０００ａｍｕの質量を有する分子イオン種を検出するように構成され得る。示されていないが、サンプル導入デバイス、オーブン、ポンプなどの様々な他の構成要素もまた、システム２６８０内において、システム２６８０のコアのうちの任意の１つ以上の間に存在し得る。
【０１４８】
ある特定の構成では、１つ以上の直列に配置されたイオン化コアが存在し、サンプル操作と共に使用され得る。例えば、および図２６Ｋを参照すると、第１のイオン化コア２６９２に流体的に結合されたサンプル操作コア２６９１を備えるシステム２６９０が示されている。ＩＣＰ２６９２を含む第１のイオン化コアは、第２のイオン化コア２６９３に流体的に結合され、第２のイオン化コア２６９３自体は、ＭＳコア２６９４を備える質量分析器に流体的に結合されている。示されていないが、所望の場合、第２のイオン化コア２６９３が使用されていない状況では、イオンがコア２６９２からＭＳコア２６９４に直接提供されることを可能にするために、バイパスラインを存在させて、イオン化コア２６９２をＭＳコア２６９４に直接結合することもできる。同様に、イオン化コア２６９２を使用することが望ましくない状況では、バイパスラインを存在させて、サンプル操作コア２６９１をイオン化コア２６９３に直接結合することができる。システム２６９０の使用時に、サンプルをサンプル操作コア２６９１に導入することができ、分析物種をＩＣＰ２６９２に提供する前に、サンプル中の分析物を何らかの方法で気化させるか、分離させるか、反応させるか、誘導体化するか、選別するか、修飾するか、または別様に作用させることができる。イオン化コア２６９２は、様々な技法を使用して、サンプル中の分析物をイオン化するように構成され得る。例えば、いくつかの事例では、ＩＣＰ２６９２は、元素イオンをコア２６９３またはＭＳコア２６９４に提供する前に、元素種をイオン化、例えば、無機種をイオン化し得る。いくつかの例では、ＩＣＰ２６９２をＣＣＰまたはマイクロ波プラズマと交換することができる。他の例では、ＩＣＰ２６９２をフレームと交換することができる。さらなる例では、ＩＣＰ２６９２をアークと交換することができる。他の例では、ＩＣＰ２６９２をスパークと交換することができる。追加の例では、ＩＣＰ２６９２を別の無機イオン化コアと交換することができる。他の事例では、別のイオン化ソースが、分子イオンをコア２６９３またはＭＳコア２６９４に提供する前に、分子種を生成／イオン化するために、例えば、有機種をイオン化するために、イオン化コア２６９２内に存在し得る。イオン化コア２６９３は、コア２６９２によって使用されるものと同じであっても、異なってもよい様々な技法を使用して、サンプル中の分析物をイオン化するように構成され得る。例えば、いくつかの事例では、イオン化ソースは、元素イオンをＭＳコア２６９４に提供する前に、元素種をイオン化するために、例えば、無機種をイオン化するために、イオン化コア２６９３内に存在し得る。他の事例では、イオン化ソースは、分子イオンをＭＳコア２６９４に提供する前に、分子種を生成／イオン化するために、例えば、有機種をイオン化するために、イオン化コア２６９３内に存在し得る。本明細書に述べられるある特定の構成では、システム２６９０は、イオンをＭＳコア２６９４に提供する前に、無機種および有機種をイオン化するように構成され得る。ＭＳコア２６９４は、特定の質量電荷比を有するイオンを濾過／検出するように構成され得る。いくつかの例では、ＭＳコア２６９４は、存在する特定の構成要素に応じて、無機イオンを濾過／選択／検出し、かつ有機イオンを濾過／選択／検出するように設計され得る。示されていないが、ＭＳコア２６９４を含む質量分析器は、典型的には、質量分析器内に存在し得る１つ、２つ、３つ、またはそれ以上の質量分析計コア（ＭＳＣ）によって使用される共通の構成要素を備える。例えば、共通のガスコントローラ、プロセッサ、電源、検出器、および真空ポンプを、質量分析器内に存在する異なる質量のＭＳＣによって使用することができる。システム２６９０は、低い原子質量単位の分析物、例えば、３、４、または５ａｍｕ程度に低い質量を有するリチウムもしくは他の元素を検出し、かつ／または高い原子質量単位の分析物、例えば、最大約２０００ａｍｕの質量を有する分子イオン種を検出するように構成され得る。示されていないが、サンプル導入デバイス、オーブン、ポンプなどの様々な他の構成要素もまた、システム２６９０内において、システム２６９０のコアのうちの任意の１つ以上の間に存在し得る。いくつかの事例では、図２６Ａ〜図２６Ｊに記載され示されるシステムのうちのいずれかは、図２６Ｋに示されるコア２６９２、２６９３と同様に、直列配置のイオン化コアを備え得る。
【０１４９】
ある特定の構成では、本明細書に記載されるシステム内に１つ以上の直列に配置されたＭＳコアが存在し得る。例えば、および図２６Ｌを参照すると、ＩＣＰ２６９７を含むイオン化コアに流体的に結合されたサンプル操作コア２６９６を備えるシステム２６９５が示されている。イオン化コア２６９７は、第１のＭＳコア２６９８を備える質量分析器に流体的に結合され、第１のＭＳコア２６９８自体は、質量分析器の第２のＭＳコア２６９９に流体的に結合されている。示されていないが、所望の場合、第１のＭＳコア２６９８が使用されていない状況では、イオンがコア２６９７からＭＳコア２６９９に直接提供されることを可能にするために、バイパスラインを存在させて、イオン化コア２６９７をＭＳコア２６９９に直接結合することもできる。システム２６９５の使用時に、サンプルをサンプル操作コア２６９６に導入することができ、分析物種をイオン化コア２６９７に提供する前に、サンプル中の分析物を何らかの方法で気化させるか、分離させるか、反応させるか、誘導体化するか、選別するか、修飾するか、または別様に作用させることができる。イオン化コア２６９７は、様々な技法を使用して、サンプル中の分析物をイオン化するように構成され得る。例えば、いくつかの事例では、ＩＣＰ２６９７は、元素イオンをＭＳコア２６９８に提供する前に、元素種をイオン化、例えば、無機種をイオン化し得る。他の事例では、別のイオン化ソースが、分子イオンをＭＳコア２６９８に提供する前に、分子種を生成／イオン化するために、例えば、有機種をイオン化するために、イオン化コア２６９７内に存在し得る。本明細書に述べられるある特定の構成では、システム２６９５は、イオンをＭＳコア２６９８に提供する前に、無機種および有機種をイオン化するように構成され得る。ＭＳコア２６９８は、特定の質量電荷比を有するイオンを濾過／検出するように構成され得る。いくつかの例では、ＭＳコア２６９８は、存在する特定の構成要素に応じて、無機イオンを濾過／選択／検出し、かつ有機イオンを濾過／選択／検出するように設計され得る。同様に、ＭＳコア２６９９は、特定の質量電荷比を有するイオンを濾過／検出するように構成され得る。いくつかの例では、ＭＳコア２６９９は、存在する特定の構成要素に応じて、無機イオンを濾過／選択／検出し、かつ有機イオンを濾過／選択／検出するように設計され得る。示されていないが、ＭＳコア２６９８、２６９９を含む質量分析器は、典型的には、質量分析器内に存在し得る１つ、２つ、３つ、またはそれ以上の質量分析計コア（ＭＳＣ）によって使用される共通の構成要素を備える。例えば、共通のガスコントローラ、プロセッサ、電源、検出器、および真空ポンプを、質量分析器内に存在する異なる質量のＭＳＣによって使用することができる。システム２６９５は、低い原子質量単位の分析物、例えば、３、４、または５ａｍｕ程度に低い質量を有するリチウムもしくは他の元素を検出し、かつ／または高い原子質量単位の分析物、例えば、最大約２０００ａｍｕの質量を有する分子イオン種を検出するように構成され得る。示されていないが、サンプル導入デバイス、オーブン、ポンプなどの様々な他の構成要素もまた、システム２６９５内において、システム２６９５のコアのうちの任意の１つ以上の間に存在し得る。いくつかの事例では、図２６Ａ〜図２６Ｋに記載され示されるシステムのうちのいずれかは、図２６Ｌに示されるコア２６９８、２６９９と同様に、直列配置のＭＳコアを備え得る。
【０１５０】
ある特定の構成では、イオン化コアは、有機イオンをイオン化し得る、例えば、分子イオンを下流コアに提供し得る１つ以上のデバイスまたはシステムを備え得る。かかるイオン化コアは、本明細書のある特定の事例において、有機イオン化コアまたは有機イオンを提供し得るイオン化コアと称される。有機イオン化コアは、典型的には、有機イオンを提供するように構成された有機イオンソースを含む。有機イオンを提供するために使用される正確な技法は変化し得、概して、有機イオンは、無機イオンを提供するために使用されるものより「よりソフトな」イオン化技法を使用して提供される。一構成では、イオン化コアは、高速原子衝撃を実施するように構成されたデバイスまたはシステムを備え得る。高速原子衝撃（Ｆａｓｔ  ａｔｏｍ  ｂｏｍｂａｒｄｍｅｎｔ、ＦＡＢ）ソースは、例えば、２０００ａｍｕ以上の高い質量の有機イオンを提供し得る。いずれの特定の理論にも縛られるのを望むことなく、ＦＡＢソースは、凝集されたサンプルとエネルギー値の高いキセノンまたはアルゴン原子との衝撃によって、例えば、グリセロール溶液マトリックスなどの溶液または溶媒中で、凝集状態でサンプルをイオン化することができる。サンプル脱離プロセスでは、正および負両方の有機イオンを生成することができる。サンプルの原子衝撃から生じる急速加熱は、サンプルの断片化を低減しながらイオンを提供し得る。液体マトリックスは、格子エネルギーを低減することができ、かつ衝撃によって誘導されたあらゆる損傷の修復を可能にすることができる。原子を得るために、キセノンまたはアルゴンのビームは、他のキセノンまたはアルゴン原子を含む真空チャンバを通って加速され得る。加速イオンは、実質的なエネルギーの損失なしに、他の原子との共鳴電子交換を受ける。より低いエネルギーのイオンを偏向器および／またはレンズを用いて除去することができ、銃または他のデバイスを使用して高速原子を集束させることができる。ＦＡＢは、最大約３，０００またはさらには１０，０００の分子量を有する分子イオンの形成を提供し得る。
【０１５１】
ある特定の例では、イオン化コアは、分子イオンを提供するためのエレクトロスプレーイオン化（ｅｌｅｃｔｒｏｓｐｒａｙ  ｉｏｎｉｚａｔｉｏｎ、ＥＳＩ）ソースを含み得る。ＥＳＩソースでは、サンプルは、脱溶媒和を助けるために、ガスの存在下で電場中に（典型的には大気圧で）提供される。エアロゾル液滴が真空領域内に形成されることにより、分析物液滴の電荷が増加する。結果として生じたイオンをＭＳステージに提供することができる。ある特定の例では、本明細書に記載されるシステムは、分子イオンを提供するために、ＥＳＩソースを含むイオン化コアを備え得る。ＥＳＩは、エレクトロスプレーの液滴をサンプルに向かって方向付けてイオンを提供する脱離イオン化（ｄｅｓｏｒｐｔｉｏｎ  ｉｏｎｉｚａｔｉｏｎ、ＤＥＳＩ）と組み合わせて使用され得る。ＥＳＩの使用を説明する以下の例では、所望の場合、代わりにＤＥＳＩを使用することができる。
【０１５２】
ある特定の実施形態では、イオン化コアは、有機イオンを提供するための電子衝突（ｅｌｅｃｔｒｏｎ  ｉｍｐａｃｔ、ＥＩ）ソースを含み得る。典型的なＥＩソースでは、金属ワイヤから放出された電子は、アノードに向かって加速され得る。電子が分子に（概して、９０度の角度で）衝突すると、衝突する電子が電子反発効果ゆえに分子に電子を損失させ得るため、形成される一次種は一価の正イオンである。ある特定の例では、本明細書に記載されるシステムは、分子イオンを提供するために、ＥＩソースを含むイオン化コアを備え得る。
【０１５３】
ある特定の例では、イオン化コアは、有機イオンを提供するためのマトリックス支援レーザー脱離／イオン化（ｍａｔｒｉｘ  ａｓｓｉｓｔｅｄ  ｌａｓｅｒ  ｄｅｓｏｒｐｔｉｏｎ／ｉｏｎｉｚａｔｉｏｎ、ＭＡＬＤＩ）ソースを含み得る。ＭＡＬＤＩソースの一構成では、分析物を含むサンプルを好適なマトリックス材料と混合し、基板、例えば、金属プレート上に配設することができる。次いで、レーザーパルス、例えば、ＵＶレーザーパルスを、配設されたサンプル／マトリックス材料に提供することができる。レーザーパルスは、基板からの分析物（およびいくつかのマトリックス材料）の急速加熱、切除、および脱離を引き起こすマトリックスによって吸収される。次いで、脱着された分析物をアブレーションガス（ａｂｌａｔｅｄ  ｇａｓｅｓ）に提供または曝露して、分析物をイオン化することができる。ある特定の例では、本明細書に記載されるシステムは、分子イオンを提供するために、ＭＡＬＤＩソースを含むイオン化コアを備え得る。
【０１５４】
ある特定の例では、イオン化コアは、化学イオン化（ｃｈｅｍｉｃａｌ  ｉｏｎｉｚａｔｉｏｎ、ＣＩ）ソースを含み得る。ＣＩソースを単独で、または他のイオン化ソース、例えば、ＥＩソースと組み合わせて使用することができる。ＣＩソースでは、ガス状のサンプル原子が、過度の試薬ガスの電子衝撃によって生成されたイオンとの衝突によってイオン化される。正イオンが典型的には生成されるが、使用されるサンプルおよびガスに応じて、負イオンを生成することもできる。ある特定の例では、本明細書に記載されるシステムは、分子イオンを提供するために、ＥＩソースを含むイオン化コアを備え得る。
【０１５５】
ある特定の実施形態では、イオン化コアは、フィールドイオン化（ｆｉｅｌｄ  ｉｏｎｉｚａｔｉｏｎ、ＦＩ）ソースを含み得る。ＦＩソースは、例えば、１０８Ｖ／ｃｍ以上の大きな電場の影響下でイオンを形成する。高電圧をエミッタ、例えば、炭素または他の材料を含むタングステンワイヤに提供することができる。サンプル操作コアからのガス状のサンプルをエミッタにまたはその近くに提供することができ、サンプルの分析物からエミッタへの電子伝達が発生し得る。分析物に与えられるエネルギーはほとんどなく、その結果、サンプルの断片化はほとんどまたはまったくない。ある特定の例では、本明細書に記載さえるシステムは、分子イオンを提供するために、ＦＩソースを含むイオン化コアを備え得る。
【０１５６】
ある特定の事例では、フィールド脱離（ｆｉｅｌｄ  ｄｅｓｏｒｐｔｉｏｎ、ＦＤ）ソースを含むイオン化コアを使用して有機イオンを提供することができる。ＦＤソースでは、ＦＩソースのものと同様のエミッタを、サンプルでコートされ得るプローブ上に装着することができる。イオン化は、プローブに電位を印加することによって行われる。イオン形成を強化するために、プローブの加熱を実施することもできる。いくつかの事例では、本明細書に記載されるイオン化コアは、ＦＤソースを含み得る。ある特定の例では、本明細書に記載さえるシステムは、有機イオンを提供するために、ＦＤソースを含むイオン化コアを備え得る。
【０１５７】
ある特定の例では、イオン化コアは、二次イオン（ｓｅｃｏｎｄａｒｙ  ｉｏｎ、ＳＩ）ソースを含み得る。ＳＩソースは、表面をイオンビームに曝露することによって固体表面、フィルム、およびコーティングを分析するために使用され得る。次いで、表面から射出された二次イオンを、本明細書に記載されるＭＳコアに提供することができる。ある特定の例では、本明細書に記載さえるシステムは、有機イオンを提供するために、ＳＩソースを含むイオン化コアを備え得る。
【０１５８】
ある特定の構成では、イオン化コアは、プラズマ脱離（ｐｌａｓｍａ  ｄｅｓｏｒｐｔｉｏｎ、ＰＤ）ソースを含み得る。ＰＤソースでは、固体サンプルが、原子力または不安定な材料の分裂から形成されたイオン性または中性原子によって衝撃を受ける。結果として生じたイオンを、本明細書に記載されるＭＳコアに提供することができる。ある特定の例では、本明細書に記載さえるシステムは、有機イオンを提供するために、ＰＤソースを含むイオン化コアを備え得る。
【０１５９】
いくつかの例では、イオン化コアは、熱イオン化（ｔｈｅｒｍａｌ  ｉｏｎｉｚａｔｉｏｎ、ＴＩ）ソースを含む。ＴＩソースは、気化した中性原子を加熱された表面に提供して、イオン型の原子の再蒸発を促進することができる。この技法は、低いイオン化エネルギーを有する表面（例えば、リチウム、ナトリウム、カリウムなどを含む表面）に一般的に使用される。表面をスプレーするために使用される原子の性質に応じて、正イオンおよび負イオンの両方を提供することができる。ある特定の例では、本明細書に記載さえるシステムは、有機イオンを提供するために、ＴＩソースを含むイオン化コアを備え得る。
【０１６０】
いくつかの例では、イオン化コアは、電気流体力学的イオン化（ｅｌｅｃｔｒｏｈｙｄｒｏｄｙｎａｍｉｃ  ｉｏｎｉｚａｔｉｏｎ、ＥＨＩ）ソースを含み得る。ＥＨＩソースでは、電場を印加することによって、電荷をもつ液滴／イオンが液体表面から生成される。ＥＨＩソースは、ＬＣを含むサンプル操作コアから溶出する液体分析物を分析するのに特に有用である場合がある。ある特定の例では、本明細書に記載さえるシステムは、有機イオンを提供するために、ＥＨＩソースを含むイオン化コアを備え得る。
【０１６１】
他の例では、イオン化コアは、熱スプレー（ｔｈｅｒｍｏｓｐｒａｙ、ＴＳ）ソースを含み得る。ＴＳソースでは、サンプルおよび溶媒を含む液体が、例えば、金属キャピラリー内の小さな電荷をもつオリフィスを通して押し込まれる。分析物は、イオン化された形態で退出する。液体は、エアロゾルの形態でオリフィスから退出する。溶媒が蒸発すると、分析物イオンは互いに反発し合い、液滴を分解させる。最終的に、分析物イオンは無溶媒であり、本明細書に記載されるＭＳコアに提供され得る。ある特定の構成では、本明細書に記載さえるシステムは、有機イオンを提供するために、ＴＳソースを含むイオン化コアを備え得る。
【０１６２】
いくつかの実施形態では、イオン化コアは、大気圧化学イオン化（ａｔｍｏｓｐｈｅｒｉｃ  ｐｒｅｓｓｕｒｅ  ｃｈｅｍｉｃａｌ  ｉｏｎｉｚａｔｉｏｎ、ＡＰＣＩ）ソースを含み得る。ＡＰＣＩソースでは、エアロゾルを提供するために、サンプルを含む加熱された溶媒が大気圧でスプレーされ、かつ高流速の窒素または他のガスと共にスプレーされる。結果として生じたエアロゾルはコロナ放電に曝露され、それによって溶媒が試薬ガスとして機能して、サンプル中の分析物をイオン化することが可能になる。溶媒蒸発ステップは、概して、ＡＰＣＩでのイオン形成ステップとは別個であり、これは、ＡＰＣＩソースを用いた低極性溶媒の使用を可能にする。ＡＰＣＩソースは、ＬＣデバイスを含むサンプル操作コアが存在する場合の使用に特に望ましいことがある。ある特定の構成では、本明細書に記載さえるシステムは、有機イオンを提供するために、ＡＰＣＩソースを含むイオン化コアを備え得る。他の事例では、他の大気加圧デバイスを使用して有機イオンを提供することができる。
【０１６３】
いくつかの例では、イオン化コアは、光イオン化（ｐｈｏｔｏｉｏｎｉｚａｔｉｏｎ、ＰＩ）ソースを含み得る。ＰＩソースは、サンプルを光に曝露してイオンを生成する。一光子または多光子イオン化技法を実装することができる。さらに、光をエアロゾル化した溶媒スプレーに提供してイオンを提供することができる。ある特定の例では、本明細書に記載さえるシステムは、有機イオンを提供するために、ＰＩソースを含むイオン化コアを備え得る。
【０１６４】
いくつかの構成では、イオン化コアは、シリコン上の脱離イオン化（ｄｅｓｏｒｐｔｉｏｎ  ｉｏｎｉｚａｔｉｏｎ  ｏｎ  ｓｉｌｉｃｏｎ、ＤｉＯＳ）ソースを含み得る。ＤｉＯＳソースでは、レーザーを使用して、概して不活性の多孔質シリコンベースの表面上に堆積したサンプルを脱着／イオン化する。断片化がほとんどまたはまったく望まれない場合、ＤｉＯＳソースは、典型的には、小さいかまたは大きい分析物分子と共に使用される。ＤｉＯＳソースを使用して干渉するマトリックスイオンが生成されないので、ＭＡＬＤＩソースよりもＤｉＯＳソースが好ましい場合があり、これは、小分子を用いたＤｉＯＳの使用を可能にする。ある特定の例では、本明細書に記載さえるシステムは、有機イオンを提供するために、ＤｉＯＳソースを含むイオン化コアを備え得る。
【０１６５】
ある特定の実施形態では、イオン化コアは、リアルタイム直接分析（ｄｉｒｅｃｔ  ａｎａｌｙｓｉｓ  ｉｎ  ｒｅａｌ  ｔｉｍｅ、ＤＡＲＴ）ソースを含み得る。ＤＡＲＴソースは、大気条件下でガス、液体、および固体を同時にイオン化し得る大気圧イオンソースである。イオン化は、典型的には、分析物分子を電子励起原子または準安定種に曝露することによって、サンプルの表面上に直接発生する。分析物分子と励起原子との間の衝突は、電子伝達／解放をもたらし、分析物イオンを提供し得る。キャリアガスは、典型的には、結果として生じた分析物イオンをＭＳコアに提供するために存在する。ある特定の例では、本明細書に記載さえるシステムは、有機イオンを提供するために、ＤＡＲＴソースを含むイオン化コアを備え得る。
【０１６６】
図２７を参照すると、システム２７００は、有機イオンソース２７０２を含むイオン化コア（複数可）に流体的に結合されたサンプル操作コア２７０１を備え、有機イオンソース２７０２自体は、ＭＳコア２７０３を備える質量分析器に流体的に結合されている。システム２７００の使用時に、サンプルをサンプル操作コア２７０１に導入することができ、分析物種を有機イオンソース２７０２に提供する前に、サンプル中の分析物をサンプル操作コア２７０１によって何らかの方法で気化させるか、分離させるか、反応させるか、誘導体化するか、選別するか、修飾するか、または別様に作用させることができる。有機イオンソース２７０２は、様々な技法を使用して、サンプル中の分析物をイオン化するように構成され得る。ある特定の事例では、有機イオンソース２７０２は、ＦＡＢデバイスを含み得る。他の事例では、有機イオンソース２７０２は、ＥＳＩまたはＤＥＳＩデバイスを含み得る。ある特定の事例では、有機イオンソース２７０２は、ＭＡＬＤＩデバイスを含み得る。他の事例では、有機イオンソース２７０２は、ＥＩデバイスを含み得る。ある特定の事例では、有機イオンソース２７０２は、ＦＩデバイスを含み得る。他の事例では、有機イオンソース２７０２は、ＦＤデバイスを含み得る。ある特定の事例では、有機イオンソース２７０２は、ＳＩデバイスを含み得る。他の事例では、有機イオンソース２７０２は、ＰＤデバイスを含み得る。ある特定の事例では、有機イオンソース２７０２は、ＴＩデバイスを含み得る。他の事例では、有機イオンソース２７０２は、ＥＨＩデバイスを含み得る。ある特定の事例では、有機イオンソース２７０２は、ＴＳデバイスを含み得る。他の事例では、有機イオンソース２７０２は、ＡＣＰＩでデバイスを含み得る。ある特定の事例では、有機イオンソース２７０２は、ＰＩデバイスを含み得る。他の事例では、有機イオンソース２７０２は、ＤｉＯＳデバイスを含み得る。他の事例では、有機イオンソース２７０２は、ＤＡＲＴデバイスを含み得る。いくつかの事例では、ソース２７０２は、分子イオンをＭＳコア２７０３に提供する前に、分子種をイオン化、例えば、有機種をイオン化し得る。他の事例では、別のイオン化ソースが、分子イオンをＭＳコア２７０３に提供する前に、元素種を生成／イオン化するために、例えば、無機種をイオン化するために、イオン化コア（複数可）内に存在し得る。本明細書に述べられるある特定の構成では、システム２７００は、イオンをＭＳコア２７０３に提供する前に、無機種および有機種をイオン化するように構成され得る。ＭＳコア（複数可）２７０３は、特定の質量電荷比を有するイオンを濾過／検出するように構成され得る。いくつかの例では、コア２７０３は、存在する特定の構成要素に応じて、無機イオンを濾過／選択／検出し、かつ有機イオンを濾過／選択／検出するように設計され得る。示されていないが、ＭＳコア２７０３を含む質量分析器は、典型的には、質量分析器内に存在し得る１つ、２つ、３つ、またはそれ以上の質量分析計コア（ＭＳＣ）によって使用される共通の構成要素を備える。例えば、共通のガスコントローラ検出器、プロセッサ、電源、および真空ポンプを、質量分析器内に存在する異なる質量のＭＳＣによって使用することができる。システム２７００は、低い原子質量単位の分析物、例えば、３、４、または５ａｍｕ程度に低い質量を有するリチウムもしくは他の元素を検出し、かつ／または高い原子質量単位の分析物、例えば、最大約２０００ａｍｕの質量を有する分子イオン種を検出するように構成され得る。示されていないが、サンプル導入デバイス、オーブン、ポンプなどの様々な他の構成要素もまた、システム２７００内において、システム２７００のコアのうちの任意の１つ以上の間に存在し得る。
【０１６７】
ある特定の構成では、図２７に示されるコアのうちの任意の１つ以上を２つ以上のコアに分離または分割することがでる。例えば、および図２８を参照すると、システム２８００は、サンプル操作コア２８０６と、サンプル操作コア２８０６に流体的に結合された有機イオンソース２８０８を含むイオン化コアと、サンプル操作コア２８０６に流体的に結合された別のイオン化コア２８０７とを備える。コア２８０７、２８０８の各々もまた、ＭＳコア２８０９を備える質量分析器に流体的に結合されている。示されていないが、システム２８０５の使用中に、選択された時間において、種をサンプル操作コア２８０６からイオン化コア２８０７、２８０８のうちの一方だけに提供するために、サンプル操作コア２８０６とイオン化コア２８０７、２８０８との間にインターフェース、バルブ、または他のデバイスが存在し得る。他の構成では、インターフェース、バルブ、またはデバイスは、種をサンプル操作コア２８０６からイオン化コア２８０７、２８０８に同時に提供するように構成され得る。同様に、システム２８００の使用中に、選択された時間において、種をイオン化コア２８０７、２８０８のうちの１つからＭＳコア２８０９に提供するために、イオン化コア２８０７、２８０８と、ＭＳコア２８０９との間にバルブ、インターフェース、または他のデバイス（図示せず）が存在し得る。他の構成では、インターフェース、バルブ、またはデバイスは、種をイオン化コア２８０７、２８０８から一緒にＭＳコア２８０９に提供するように構成され得る。システム２８００の使用時に、サンプルをサンプル操作コア２８０６に導入することができ、分析物種をイオン化コア（複数可）２８０７、２８０８のうちの一方または両方に提供する前に、サンプル中の分析物をサンプル操作コア２８０６によって何らかの方法で気化させるか、分離させるか、反応させるか、誘導体化するか、選別するか、修飾するか、または別様に作用させることができる。いくつかの事例では、イオン化コア２８０７、２８０８は、様々であるが異なる技法を使用して、サンプル中の分析物をイオン化するように構成され得る。いくつかの例では、コア２８０７は、ＩＣＰもしくはＣＣＰまたはマイクロ波プラズマを含み得る。他の例では、コア２８０７は、フレームを含み得る。さらなる例では、コア２８０７は、アークを含み得る。他の例では、コア２８０７は、スパークを含み得る。追加の例では、コア２８０７は、別の無機イオン化コアを含み得る。いくつかの事例では、イオン化コア（複数可）２８０２は、有機イオンソースを含み得る。ある特定の事例では、有機イオンソース２８０８は、ＦＡＢデバイスを含み得る。他の事例では、有機イオンソース２８０８は、ＥＳＩまたはＤＥＳＩデバイスを含み得る。ある特定の事例では、有機イオンソース２８０８は、ＭＡＬＤＩデバイスを含み得る。他の事例では、有機イオンソース２８０８は、ＥＩデバイスを含み得る。ある特定の事例では、有機イオンソース２８０８は、ＦＩデバイスを含み得る。他の事例では、有機イオンソース２８０８は、ＦＤデバイスを含み得る。ある特定の事例では、有機イオンソース２８０８は、ＳＩデバイスを含み得る。他の事例では、有機イオンソース２８０８は、ＰＤデバイスを含み得る。ある特定の事例では、有機イオンソース２８０８は、ＴＩデバイスを含み得る。他の事例では、有機イオンソース２８０８は、ＥＨＩデバイスを含み得る。ある特定の事例では、有機イオンソース２８０８は、ＴＳデバイスを含み得る。他の事例では、有機イオンソース２８０８は、ＡＣＰＩでデバイスを含み得る。ある特定の事例では、有機イオンソース２８０８は、ＰＩデバイスを含み得る。他の事例では、有機イオンソース２８０８は、ＤｉＯＳデバイスを含み得る。他の事例では、有機イオンソース２８０８は、ＤＡＲＴデバイスを含み得る。他の事例では、別のイオン化ソースが、無機イオンをコア２８０９に提供する前に、元素種を生成／イオン化するために、例えば、無機種をイオン化するために、イオン化コア（複数可）２８０８内に存在し得る。本明細書に述べられるある特定の構成では、システム２８００は、イオンをコア２８０９に提供する前に、イオン化コア２８０７、２８０８を使用して、無機種および有機種の両方をイオン化するように構成され得る。ＭＳコア（複数可）２８０９は、特定の質量電荷比を有するイオンを濾過／検出するように構成され得る。いくつかの例では、コア２８０９は、存在する特定の構成要素に応じて、無機イオンを濾過／選択／検出し、かつ有機イオンを濾過／選択／検出するように設計され得る。示されていないが、ＭＳコア２８０９を含む質量分析器は、典型的には、質量分析器内に存在し得る１つ、２つ、３つ、またはそれ以上の質量分析計コア（ＭＳＣ）によって使用される共通の構成要素を備える。例えば、共通のガスコントローラ、プロセッサ、電源、検出器、および真空ポンプを、質量分析器内に存在する異なる質量のＭＳＣによって使用することができる。システム２８００は、低い原子質量単位の分析物、例えば、３、４、または５ａｍｕ程度に低い質量を有するリチウムもしくは他の元素を検出し、かつ／または高い原子質量単位の分析物、例えば、最大約２０００ａｍｕの質量を有する分子イオン種を検出するように構成され得る。示されていないが、サンプル導入デバイス、オーブン、ポンプなどの様々な他の構成要素もまた、システム２８００内において、システム２８００のコアのうちの任意の１つ以上の間に存在し得る。
【０１６８】
他の構成では、本明細書に記載されるＭＳコアは（有機イオンソースと共に使用される場合）、２つ以上の個々のコアに分離され得る。本明細書に述べられるように、ＭＳコアは、分離され得るが、依然としてガスコントローラ、プロセッサ、電源、および／または真空ポンプを含むある特定の共通の構成要素を共有し得る。図２９を参照すると、サンプル操作コア２９１１と、有機イオンソース２９１３を含む第１のイオン化コアと、別のイオン化コア２９１２と、第１のＭＳコア２９１４および第２のＭＳコア２９１５を含む質量分析器２９１０とを備えるシステム２９００が示されている。サンプル操作コア２９１１は、イオン化コア２９１２、２９１３の各々に流体的に結合されている。示されていないが、システム２９１０の使用中に、選択された時間において、種をサンプル操作コア２９１１からイオン化コア２９１２、２９１３のうちの一方だけに提供するために、サンプル操作コア２９１１とイオン化コア２９１２、２９１３との間にインターフェース、バルブ、または他のデバイス（図示せず）が存在し得る。他の構成では、インターフェース、バルブ、またはデバイスは、種をサンプル操作コア２９１１からイオン化コア２９１２、２９１３に同時に提供するように構成され得る。イオン化コア２９１２は第１のＭＳコア２９１４に流体的に結合され、第２のイオン化コア２９１３は第２のＭＳコア２９１５に流体的に結合されている。システム２９１０の使用時に、サンプルをサンプル操作コア２９１１に導入することができ、分析物種をイオン化コア（複数可）２９１２、２９１３のうちの一方または両方に提供する前に、サンプル中の分析物を何らかの方法で気化させるか、分離させるか、反応させるか、誘導体化するか、選別するか、修飾するか、または別様に作用させることができる。いくつかの事例では、イオン化コア２９１２、２９１３は、様々であるが異なる技法を使用して、サンプル中の分析物をイオン化するように構成され得る。例えば、いくつかの事例では、有機イオンソース２９１３は、分子イオンをコア２９１４に提供する前に、分子種をイオン化、例えば、有機種をイオン化し得る。いくつかの例では、コア２９１２は、ＩＣＰもしくはＣＣＰまたはマイクロ波プラズマを含み得る。他の例では、コア２９１２は、フレームを含み得る。さらなる例では、コア２９１２は、アークを含み得る。他の例では、コア２９１２は、スパークを含み得る。ある特定の事例では、有機イオンソース２９１３は、ＦＡＢデバイスを含み得る。他の事例では、有機イオンソース２９１３は、ＥＳＩまたはＤＥＳＩデバイスを含み得る。ある特定の事例では、有機イオンソース２９１３は、ＭＡＬＤＩデバイスを含み得る。他の事例では、有機イオンソース２９１３は、ＥＩデバイスを含み得る。ある特定の事例では、有機イオンソース２９１３は、ＦＩデバイスを含み得る。他の事例では、有機イオンソース２９１３は、ＦＤデバイスを含み得る。ある特定の事例では、有機イオンソース２９１３は、ＳＩデバイスを含み得る。他の事例では、有機イオンソース２９１３は、ＰＤデバイスを含み得る。ある特定の事例では、有機イオンソース２９１３は、ＴＩデバイスを含み得る。他の事例では、有機イオンソース２９１３は、ＥＨＩデバイスを含み得る。ある特定の事例では、有機イオンソース２９１３は、ＴＳデバイスを含み得る。他の事例では、有機イオンソース２９１３は、ＡＣＰＩでデバイスを含み得る。ある特定の事例では、有機イオンソース２９１３は、ＰＩデバイスを含み得る。他の事例では、有機イオンソース２９１３は、ＤｉＯＳデバイスを含み得る。他の事例では、有機イオンソース２９１３は、ＤＡＲＴデバイスを含み得る。他の事例では、別のイオン化ソースが、元素イオンをＭＳコア２９１５に提供する前に、分子種を生成／イオン化するために、例えば、無機種をイオン化するために、イオン化コア（複数可）２９１３内に存在し得る。本明細書に述べられるある特定の構成では、システム２９００は、イオンをコア２９１４、２９１５に提供する前に、イオン化コア２９１２、２９１３を使用して、無機種および有機種の両方をイオン化するように構成され得る。ＭＳコア（複数可）２９１４、２９１５は、特定の質量電荷比を有するイオンを濾過／検出するように構成され得る。いくつかの例では、存在する特定の構成要素に応じて、ＭＳコア２９１４は無機イオンを濾過／選択／検出するように設計され得、ＭＳコア２９１５は有機イオンを濾過／選択／検出するように設計され得る。示されていないが、質量分析器２９１０は、典型的には、質量分析器２９１０内に独立して存在し得る１つ、２つ、３つ、またはそれ以上の質量分析計コア（ＭＳＣ）によって使用される共通の構成要素を備える。例えば、共通のガスコントローラ、プロセッサ、電源、検出器、および真空ポンプを、質量分析器２９１０内に存在する異なる質量のＭＳＣによって使用することができるが、所望の場合、コア２９１４、２９１５の各々は、それ自体のガスコントローラ、プロセッサ、電源、検出器、および／または真空ポンプを備えることができる。システム２９００は、低い原子質量単位の分析物、例えば、３、４、または５ａｍｕ程度に低い質量を有するリチウムもしくは他の元素を検出し、かつ／または高い原子質量単位の分析物、例えば、最大約２０００ａｍｕの質量を有する分子イオン種を検出するように構成され得る。示されていないが、サンプル導入デバイス、オーブン、ポンプなどの様々な他の構成要素もまた、システム２９００内において、システム２９００のコアのうちの任意の１つ以上の間に存在し得る。
【０１６９】
サンプル操作と、２つのイオン化コアと、２つのＭＳコアとが存在するいくつかの事例では、イオンを異なるイオン化コアから異なるＭＳコアに提供することが望ましいことがある。例えば、および図３０を参照すると、サンプル操作コア３０２１と、有機イオンソース３０２３を含むイオン化コアと、別のイオン化コア３０２２と、インターフェース３０２４と、第１のＭＳコア３０２５および第２のＭＳコア３０２７を含む質量分析器３０１０とを備えるシステム３０００が示されている。サンプル操作コア３０２１は、イオン化コア３０２２、３０２３の各々に流体的に結合されている。示されていないが、システム３０００の使用中に、選択された時間において、種をサンプル操作コア３０２１からイオン化コア３０２２、３０２３のうちの一方だけに提供するために、サンプル操作コア３０２１とイオン化コア３０２２、３０２３との間にインターフェース、バルブ、または他のデバイス（図示せず）が存在し得る。他の構成では、インターフェース、バルブ、またはデバイスは、種をサンプル操作コア３０２１からイオン化コア３０２２、３０２３に同時に提供するように構成され得る。イオン化コア３０２２はインターフェース３０２４に流体的に結合され、イオン化コア３０２３はインターフェース３０２４に流体的に結合されている。インターフェース３０２４は、第１のＭＳコア３０２５および第２のＭＳコア３０２７の各々に流体的に結合されている。システム３０００の使用時に、サンプルをサンプル操作コア３０２１に導入することができ、分析物種をイオン化コア（複数可）３０２２、３０２３のうちの一方または両方に提供する前に、サンプル中の分析物を何らかの方法で気化させるか、分離させるか、反応させるか、誘導体化するか、選別するか、修飾するか、または別様に作用させることができる。いくつかの事例では、イオン化コア３０２２、３０２３は、様々であるが異なる技法を使用して、サンプル中の分析物をイオン化するように構成され得る。例えば、いくつかの事例では、有機イオンソース３０２３は、有機イオンをインターフェース３０２４に提供する前に、分子種をイオン化、例えば、有機種をイオン化し得る。いくつかの例では、コア３０２２は、ＩＣＰもしくはＣＣＰまたはマイクロ波プラズマを含み得る。他の例では、コア３０２２は、フレームを含み得る。さらなる例では、コア３０２２は、アークを含み得る。他の例では、コア３０２２は、スパークを含み得る。ある特定の事例では、有機イオンソース３０２３は、ＦＡＢデバイスを含み得る。他の事例では、有機イオンソース３０２３は、ＥＳＩまたはＤＥＳＩデバイスを含み得る。ある特定の事例では、有機イオンソース３０２３は、ＭＡＬＤＩデバイスを含み得る。他の事例では、有機イオンソース３０２３は、ＥＩデバイスを含み得る。ある特定の事例では、有機イオンソース３０２３は、ＦＩデバイスを含み得る。他の事例では、有機イオンソース３０２３は、ＦＤデバイスを含み得る。ある特定の事例では、有機イオンソース３０２３は、ＳＩデバイスを含み得る。他の事例では、有機イオンソース３０２３は、ＰＤデバイスを含み得る。ある特定の事例では、有機イオンソース３０２３は、ＴＩデバイスを備え得る。他の事例では、有機イオンソース３０２３は、ＥＨＩデバイスを備え得る。ある特定の事例では、有機イオンソース３０２３は、ＴＳデバイスを備え得る。他の事例では、有機イオンソース３０２３は、ＡＣＰＩでデバイスを備え得る。ある特定の事例では、有機イオンソース３０２３は、ＰＩデバイスを備え得る。他の事例では、有機イオンソース３０２３は、ＤｉＯＳデバイスを備え得る。他の事例では、有機イオンソース３０２３は、ＤＡＲＴデバイスを備え得る。他の事例では、別のイオン化ソースが、イオンをインターフェース３０２４に提供する前に、元素種を生成／イオン化するために、例えば、無機種をイオン化するために、イオン化コア（複数可）３０２３内に存在し得る。本明細書に述べられるある特定の構成では、システム３０００は、イオンをインターフェース３０２４に提供する前に、イオン化コア３０２２、３０２３を使用して、無機種および有機種の両方をイオン化するように構成され得る。インターフェース３０２４は、イオンをＭＳコア（複数可）３０２５、３０２７のいずれかまたは両方に提供するように構成され得、ＭＳコア（複数可）３０２５、３０２７の各々は、特定の質量電荷比を有するイオンを濾過／検出するように構成され得る。いくつかの例では、存在する特定の構成要素に応じて、ＭＳコア３０２５は無機イオンを濾過／選択／検出するように設計され得、ＭＳコア３０２７は有機イオンを濾過／選択／検出するように設計され得る。いくつかの例では、ＭＳコア３０２５、３０２７は、異なる濾過デバイスおよび／または検出デバイスと共に異なるように構成されている。示されていないが、質量分析器３０１０は、典型的には、質量分析器３０１０内に独立して存在し得る１つ、２つ、３つ、またはそれ以上の質量分析計コア（ＭＳＣ）によって使用される共通の構成要素を備える。例えば、共通のガスコントローラ、プロセッサ、電源、検出器、および真空ポンプを、質量分析器３０１０内に存在する異なる質量のＭＳＣによって使用することができるが、所望の場合、ＭＳコア３０２５、３０２７の各々は、それ自体のガスコントローラ、プロセッサ、電源、検出器、および／または真空ポンプを備えることができる。システム３０００は、低い原子質量単位の分析物、例えば、３、４、または５ａｍｕ程度に低い質量を有するリチウムもしくは他の元素を検出し、かつ／または高い原子質量単位の分析物、例えば、最大約２０００ａｍｕの質量を有する分子イオン種を検出するように構成され得る。示されていないが、サンプル導入デバイス、オーブン、ポンプなどの様々な他の構成要素もまた、システム３０００内において、システム３０００のコアのうちの任意の１つ以上の間に存在し得る。
【０１７０】
ある特定の例では、所望の場合、サンプル操作コアを２つ以上のコアに分割することができる。例えば、無機イオンがイオン化コアまたはＭＳコアに提供される場合、有機イオンがイオン化コアまたはＭＳコアに提供される場合とは異なる操作を実施することが望ましいことがある。図３１を参照すると、第１のサンプル操作コア３１３１と第２のサンプル操作コア３１３２とを備えるシステム３１００が示されている。サンプル操作コア３１３１、３１３２の各々は、インターフェース３１３３に流体的に結合されている。インターフェース３１３３は、有機イオンソース３１３４を含むイオン化コアに流体的に結合され、有機イオンソース３１３４自体は、ＭＳコア３１３５を備える質量分析器に流体的に結合されている。システム３１００の使用時に、サンプルをサンプル操作コア３１３１、３１３２のうちの一方または両方に導入することができ、分析物種をインターフェース３１３３に提供する前に、サンプル中の分析物を何らかの方法で気化させるか、分離させるか、反応させるか、誘導体化するか、選別するか、修飾するか、または別様に作用させることができる。異なるサンプル操作コア３１３１、３１３２を、異なる分離を実施するか、異なる分離条件を使用するか、異なるキャリアガスを使用するか、または異なる構成要素を含むように構成することができる。インターフェース３１３３は、サンプル操作コア３１３１、３１３２のうちの一方または両方からイオン化コア３１３４へのサンプルの通過を可能にするように構成され得る。イオン化コア（複数可）３１３４は、様々な技法を使用して、サンプル中の分析物をイオン化するように構成され得る。ある特定の事例では、有機イオンソース３１３４は、ＦＡＢデバイスを含み得る。他の事例では、有機イオンソース３１３４は、ＥＳＩまたはＤＥＳＩデバイスを含み得る。ある特定の事例では、有機イオンソース３１３４は、ＭＡＬＤＩデバイスを備え得る。他の事例では、有機イオンソース３１３４は、ＥＩデバイスを備え得る。ある特定の事例では、有機イオンソース３１３４は、ＦＩデバイスを備え得る。他の事例では、有機イオンソース３１３４は、ＦＤデバイスを備え得る。ある特定の事例では、有機イオンソース３１３４は、ＳＩデバイスを備え得る。他の事例では、有機イオンソース３１３４は、ＰＤデバイスを備え得る。ある特定の事例では、有機イオンソース３１３４は、ＴＩデバイスを備え得る。他の事例では、有機イオンソース３１３４は、ＥＨＩデバイスを備え得る。ある特定の事例では、有機イオンソース３１３４は、ＴＳデバイスを備え得る。他の事例では、有機イオンソース３１３４は、ＡＣＰＩでデバイスを備え得る。ある特定の事例では、有機イオンソース３１３４は、ＰＩデバイスを備え得る。他の事例では、有機イオンソース３１３４は、ＤｉＯＳデバイスを備え得る。他の事例では、有機イオンソース３１３４は、ＤＡＲＴデバイスを備え得る。他の事例では、別のイオン化ソースが、無機イオンをＭＳコア３１３５に提供する前に、元素種を生成／イオン化するために、例えば、無機種をイオン化するために、イオン化コア（複数可）３１３４内に存在し得る。本明細書に述べられるある特定の構成では、システム３１００は、イオンをＭＳコア３１３５に提供する前に、無機種および有機種をイオン化するように構成され得る。ＭＳコア（複数可）３１３５は、特定の質量電荷比を有するイオンを濾過／検出するように構成され得る。いくつかの例では、ＭＳコア３１３５は、存在する特定の構成要素に応じて、無機イオンを濾過／選択／検出し、かつ有機イオンを濾過／選択／検出するように設計され得る。示されていないが、ＭＳコア３１３５を含む質量分析器は、典型的には、質量分析器内に存在し得る１つ、２つ、３つ、またはそれ以上の質量分析計コア（ＭＳＣ）によって使用される共通の構成要素を備える。例えば、共通のガスコントローラ、プロセッサ、電源、検出器、および真空ポンプを、質量分析器内に存在する異なる質量のＭＳＣによって使用することができる。システム３１００は、低い原子質量単位の分析物、例えば、３、４、または５ａｍｕ程度に低い質量を有するリチウムもしくは他の元素を検出し、かつ／または高い原子質量単位の分析物、例えば、最大約２０００ａｍｕの質量を有する分子イオン種を検出するように構成され得る。示されていないが、サンプル導入デバイス、オーブン、ポンプなどの様々な他の構成要素もまた、システム３１００内において、システム３１００のコアのうちの任意の１つ以上の間に存在し得る。
【０１７１】
ある特定の構成では、所望の場合、サンプル操作コアを互いに直列に結合することができる。例えば、異なる分離条件のために構成された同じサンプル操作を使用して、サンプル中の分析物の分離を実施することが望ましいことがある。図３２を参照すると、第２のサンプル操作コア３２４２に流体的に結合された第１のサンプル操作コア３２４１を備えるシステム３２００が示されている。分析物サンプルの性質に応じて、サンプル操作コア３２４１、３２４２のうちの一方は、受動的な構成で存在し、概して、サンプルに対していずれの操作も実施することなく、サンプルを通過させることができる一方、他の事例では、サンプル操作コア３２４１、３２４２の各々は、分析物種をイオン化コア３２４３に提供する前に、サンプルに対する何らかの方法での気化、分離、反応、誘導体化、選別、修飾、または別様な作用を含むが、これらに限定されない１つ以上のサンプル操作を実施する。ある特定の事例では、有機イオンソース３２４３は、ＦＡＢデバイスを含み得る。他の事例では、有機イオンソース３２４３は、ＥＳＩまたはＤＥＳＩデバイスを含み得る。ある特定の事例では、有機イオンソース３２４３は、ＭＡＬＤＩデバイスを備え得る。他の事例では、有機イオンソース３２４３は、ＥＩデバイスを備え得る。ある特定の事例では、有機イオンソース３２４３は、ＦＩデバイスを備え得る。他の事例では、有機イオンソース３２４３は、ＦＤデバイスを備え得る。ある特定の事例では、有機イオンソース３２４３は、ＳＩデバイスを備え得る。他の事例では、有機イオンソース３２４３は、ＰＤデバイスを備え得る。ある特定の事例では、有機イオンソース３２４３は、ＴＩデバイスを備え得る。他の事例では、有機イオンソース３２４３は、ＥＨＩデバイスを備え得る。ある特定の事例では、有機イオンソース３２４３は、ＴＳデバイスを備え得る。他の事例では、有機イオンソース３２４３は、ＡＣＰＩでデバイスを備え得る。ある特定の事例では、有機イオンソース３２４３は、ＰＩデバイスを備え得る。他の事例では、有機イオンソース３２４３は、ＤｉＯＳデバイスを備え得る。他の事例では、有機イオンソース３２４３は、ＤＡＲＴデバイスを備え得る。他の事例では、別のイオン化ソースが、無機イオンを、ＭＳコア３２４４を備える質量分析器に提供する前に、元素種をイオン化するために、例えば、無機種をイオン化するために、イオン化コア（複数可）３２４３内に存在し得る。本明細書に述べられるある特定の構成では、システム３２００は、イオンをＭＳコア３２４４に提供する前に、無機種および有機種をイオン化するように構成され得る。ＭＳコア（複数可）３２４４は、特定の質量電荷比を有するイオンを濾過／検出するように構成され得る。いくつかの例では、ＭＳコア３２４４は、存在する特定の構成要素に応じて、無機イオンを濾過／選択／検出し、かつ有機イオンを濾過／選択／検出するように設計され得る。示されていないが、ＭＳコア３２４４を含む質量分析器は、典型的には、質量分析器内に存在し得る１つ、２つ、３つ、またはそれ以上の質量分析計コア（ＭＳＣ）によって使用される共通の構成要素を備える。例えば、共通のガスコントローラ、プロセッサ、電源、検出器、および真空ポンプを、質量分析器内に存在する異なる質量のＭＳＣによって使用することができる。システム３２００は、低い原子質量単位の分析物、例えば、３、４、または５ａｍｕ程度に低い質量を有するリチウムもしくは他の元素を検出し、かつ／または高い原子質量単位の分析物、例えば、最大約２０００ａｍｕの質量を有する分子イオン種を検出するように構成され得る。示されていないが、サンプル導入デバイス、オーブン、ポンプなどの様々な他の構成要素もまた、システム３２００内において、システム３２００のコアのうちの任意の１つ以上の間に存在し得る。
【０１７２】
２つ以上のサンプル操作コアが存在するある特定の構成では、各サンプル操作は、それぞれのイオン化コアに流体的に結合され得る。例えば、および図３３を参照すると、システム３３００は、第１のサンプル操作コア３３５１と、第２のサンプル操作コア３３５２と、第２のサンプル操作コア３３５２に流体的に結合された有機イオンソース３３５４を含むイオン化コアと、第１のサンプル操作コア３３５１に流体的に結合された第２のイオン化コア３３５３とを備える。イオン化コア３３５３、３３５４の各々もまた、ＭＳコア３３５５を備える質量分析器に流体的に結合されている。示されていないが、システム３３５０の使用中に、選択された時間において、種をイオン化コア３３５３、３３５４のうちの１つからＭＳコア３３５５に提供するために、イオン化コア３３５３、３３５４と、ＭＳコア３３５５との間にバルブ、インターフェース、または他のデバイスが存在し得る。他の構成では、インターフェース、バルブ、またはデバイスは、種をイオン化コア３３５３、３３５４から一緒にＭＳコア３３５５に提供するように構成され得る。システム３３５０の使用時に、サンプルをサンプル操作コア３３５１、３３５２に導入することができ、分析物種をイオン化コア３３５３、３３５４に提供する前に、サンプル中の分析物を何らかの方法で気化させるか、分離させるか、反応させるか、誘導体化するか、選別するか、修飾するか、または別様に作用させることができる。いくつかの事例では、イオン化コア３３５３、３３５４は、様々であるが異なる技法を使用して、サンプル中の分析物をイオン化するように構成され得る。例えば、ある特定の構成では、イオン化コア３３５３は、例えば、ＩＣＰ、ＣＣＰ、マイクロ波プラズマ、フレーム、アーク、スパークなどを使用して無機種をイオン化し、無機イオンをコア３３５５に提供するように構成され得る。いくつかの事例では、有機イオンソース３３５４は、有機イオンをＭＳコア３３５５に提供する前に、分子種をイオン化、例えば、有機種をイオン化し得る。ある特定の事例では、有機イオンソース３３５４は、ＦＡＢデバイスを含み得る。他の事例では、有機イオンソース３３５４は、ＥＳＩまたはＤＥＳＩデバイスを含み得る。ある特定の事例では、有機イオンソース３３５４は、ＭＡＬＤＩデバイスを備え得る。他の事例では、有機イオンソース３３５４は、ＥＩデバイスを備え得る。ある特定の事例では、有機イオンソース３３５４は、ＦＩデバイスを備え得る。他の事例では、有機イオンソース３３５４は、ＦＤデバイスを備え得る。ある特定の事例では、有機イオンソース３３５４は、ＳＩデバイスを備え得る。他の事例では、有機イオンソース３３５４は、ＰＤデバイスを備え得る。ある特定の事例では、有機イオンソース３３５４は、ＴＩデバイスを備え得る。他の事例では、有機イオンソース３３５４は、ＥＨＩデバイスを備え得る。ある特定の事例では、有機イオンソース３３５４は、ＴＳデバイスを備え得る。他の事例では、有機イオンソース３３５４は、ＡＣＰＩでデバイスを備え得る。ある特定の事例では、有機イオンソース３３５４は、ＰＩデバイスを備え得る。他の事例では、有機イオンソース３３５４は、ＤｉＯＳデバイスを備え得る。他の事例では、有機イオンソース３３５４は、ＤＡＲＴデバイスを備え得る。他の事例では、別のイオン化ソースが、無機イオンをＭＳコア３３５５に提供する前に、元素種を生成／イオン化するために、例えば、無機種をイオン化するために、イオン化コア（複数可）３３５４内に存在し得る。本明細書に述べられるある特定の構成では、システム３３００は、イオンをＭＳコア３３５５に提供する前に、イオン化コア３３５３、３３５４を使用して、無機種および有機種の両方をイオン化するように構成され得る。ＭＳコア（複数可）３３５５は、特定の質量電荷比を有するイオンを濾過／検出するように構成され得る。いくつかの例では、ＭＳコア３３５５は、存在する特定の構成要素に応じて、無機イオンを濾過／選択／検出し、かつ有機イオンを濾過／選択／検出するように設計され得る。示されていないが、ＭＳコア３３５５を含む質量分析器は、典型的には、質量分析器内に存在し得る１つ、２つ、３つ、またはそれ以上の質量分析計コア（ＭＳＣ）によって使用される共通の構成要素を備える。例えば、共通のガスコントローラ、プロセッサ、電源、検出器、および真空ポンプを、質量分析器内に存在する異なる質量のＭＳＣによって使用することができる。システム３３００は、低い原子質量単位の分析物、例えば、３、４、または５ａｍｕ程度に低い質量を有するリチウムもしくは他の元素を検出し、かつ／または高い原子質量単位の分析物、例えば、最大約２０００ａｍｕの質量を有する分子イオン種を検出するように構成され得る。示されていないが、サンプル導入デバイス、オーブン、ポンプなどの様々な他の構成要素もまた、システム３３００内において、システム３３００のコアのうちの任意の１つ以上の間に存在し得る。
【０１７３】
２つ以上のサンプル操作コアが存在するある特定の構成では、各サンプル操作は、１つ以上のインターフェースを介してそれぞれのイオン化コアに流体的に結合され得る。例えば、および図３４を参照すると、システム３４００は、第１のサンプル操作コア３４６１と、第２のサンプル操作コア３４６２と、インターフェース３４６３と、有機イオンソース３４６５を含むイオン化コアと、第２のイオン化コア３４６４とを備える。イオン化コア３４６４、３４６５の各々もまた、ＭＳコア３４６６を備える質量分析器に流体的に結合されている。示されていないが、システム３３００の使用中に、選択された時間において、種をイオン化コア３４６４、３４６５のうちの１つからＭＳコア３４６６に提供するために、イオン化コア３４６４、３４６５と、ＭＳコア３４６６との間にバルブ、インターフェース、または他のデバイスが存在し得る。他の構成では、インターフェース、バルブ、またはデバイスは、種をイオン化コア３４６４、３４６５から一緒にＭＳコア３４６６に提供するように構成され得る。システム３４００の使用時に、サンプルをサンプル操作コア３４６１、３４６２に導入することができ、分析物種をイオン化コア３４６４、３４６５に提供する前に、サンプル中の分析物を何らかの方法で気化させるか、分離させるか、反応させるか、誘導体化するか、選別するか、修飾するか、または別様に作用させることができる。インターフェース３４６３は、サンプル操作コア３４６１、３４６２の各々に流体的に結合されており、サンプルをイオン化コア３４６４、３４６５のいずれかまたは両方に提供するように構成され得る。いくつかの事例では、イオン化コア３４６４、３４６５は、様々であるが異なる技法を使用して、サンプル中の分析物をイオン化するように構成され得る。いくつかの例では、コア３４６４は、ＩＣＰもしくはＣＣＰまたはマイクロ波プラズマを含み得る。他の例では、コア３４６４は、フレームを含み得る。さらなる例では、コア３４６４は、アークを含み得る。他の例では、コア３４６４は、スパークを含み得る。他の事例では、別のイオン化ソースが、無機イオンをコア３４６６に提供する前に、元素種を生成／イオン化するために、例えば、無機種をイオン化するために、イオン化コア（複数可）３４６５内に存在し得る。ある特定の事例では、有機イオンソース３４６５は、ＦＡＢデバイスを含み得る。他の事例では、有機イオンソース３４６５は、ＥＳＩまたはＤＥＳＩデバイスを含み得る。ある特定の事例では、有機イオンソース３４６５は、ＭＡＬＤＩデバイスを備え得る。他の事例では、有機イオンソース３４６５は、ＥＩデバイスを備え得る。ある特定の事例では、有機イオンソース３４６５は、ＦＩデバイスを備え得る。他の事例では、有機イオンソース３４６５は、ＦＤデバイスを備え得る。ある特定の事例では、有機イオンソース３４６５は、ＳＩデバイスを備え得る。他の事例では、有機イオンソース３４６５は、ＰＤデバイスを備え得る。ある特定の事例では、有機イオンソース３４６５は、ＴＩデバイスを備え得る。他の事例では、有機イオンソース３４６５は、ＥＨＩデバイスを備え得る。ある特定の事例では、有機イオンソース３４６５は、ＴＳデバイスを備え得る。他の事例では、有機イオンソース３４６５は、ＡＣＰＩでデバイスを備え得る。ある特定の事例では、有機イオンソース３４６５は、ＰＩデバイスを備え得る。他の事例では、有機イオンソース３４６５は、ＤｉＯＳデバイスを備え得る。他の事例では、有機イオンソース３４６５は、ＤＡＲＴデバイスを備え得る。本明細書に述べられるある特定の構成では、システム３４００は、イオンをＭＳコア３４６６に提供する前に、イオン化コア３４６４、３４６５を使用して、無機種および有機種の両方をイオン化するように構成され得る。サンプル操作コア３４６１、３４６２は、同じサンプルソースまたは異なるサンプルソースからサンプルを受容し得る。異なるサンプルソースが存在する場合、インターフェース３４６３は、分析物をサンプル操作コア３４６１からイオン化コア３４６４、３４６５のいずれかに提供し得る。同様に、インターフェース３４６３は、分析物をサンプル操作コア３４６２からイオン化コア３４６４、３４６５のいずれかに提供し得る。ＭＳコア（複数可）３４６６は、特定の質量電荷比を有するイオンを濾過／検出するように構成され得る。いくつかの例では、ＭＳコア３４６６は、存在する特定の構成要素に応じて、無機イオンを濾過／選択／検出し、かつ有機イオンを濾過／選択／検出するように設計され得る。示されていないが、ＭＳコア３４６６を含む質量分析器は、典型的には、質量分析器内に存在し得る１つ、２つ、３つ、またはそれ以上の質量分析計コア（ＭＳＣ）によって使用される共通の構成要素を備える。例えば、共通のガスコントローラ検出器、プロセッサ、電源、および真空ポンプを、質量分析器内に存在する異なる質量のＭＳＣによって使用することができる。システム３４００は、低い原子質量単位の分析物、例えば、３、４、または５ａｍｕ程度に低い質量を有するリチウムもしくは他の元素を検出し、かつ／または高い原子質量単位の分析物、例えば、最大約２０００ａｍｕの質量を有する分子イオン種を検出するように構成され得る。示されていないが、サンプル導入デバイス、オーブン、ポンプなどの様々な他の構成要素もまた、システム３４００内において、コアのうちの任意の１つ以上の間に存在し得る。
【０１７４】
２つ以上のサンプル操作コアが存在するある特定の構成では、各サンプル操作は、１つ以上のインターフェースを介してそれぞれのイオン化コアに流体的に結合され得、各イオン化コアは、それぞれのＭＳコアを備え得る。例えば、および図３５を参照すると、システム３５００は、第１のサンプル操作コア３５７１と、第２のサンプル操作コア３５７２と、インターフェース３５７３と、有機イオンソース３５７５を含むイオン化コアと、第２のイオン化コア３５７４とを備える。イオン化コア３５７４、３５７５の各々もまた、ＭＳコア３５７６、３５７７を備える質量分析器３５１０に流体的に結合されている。システム３５００の使用時に、サンプルをサンプル操作コア３５７１、３５７２に導入することができ、分析物種をイオン化コア３５７４、３５７５に提供する前に、サンプル中の分析物を何らかの方法で気化させるか、分離させるか、反応させるか、誘導体化するか、選別するか、修飾するか、または別様に作用させることができる。インターフェース３５７３は、サンプル操作コア３５７１、３５７２の各々に流体的に結合されており、サンプルをイオン化コア３５７４、３５７５のいずれかまたは両方に提供するように構成され得る。いくつかの事例では、イオン化コア３５７４、３５７５は、様々であるが異なる技法を使用して、サンプル中の分析物をイオン化するように構成され得る。例えば、いくつかの事例では、コア３５７４は、元素イオンをコア３５７６に提供する前に、元素種をイオン化、例えば、無機種をイオン化し得る。いくつかの例では、コア３５７４は、ＣＣＰまたはマイクロ波プラズマを含む。他の例では、コア３５７４は、フレームを含む。さらなる例では、コア３５７４は、アークを含む。他の例では、コア３５７４は、スパークを含む。追加の例では、コア３５７４は、他の無機イオン化ソースを含み得る。他の事例では、イオン化ソースは、分子イオンをコア３５７７に提供する前に、分子種を生成／イオン化するために、例えば、有機種をイオン化するために、イオン化コア（複数可）３５７５内に存在し得る。ある特定の事例では、有機イオンソース３５７５は、ＦＡＢデバイスを含み得る。他の事例では、有機イオンソース３５７５は、ＥＳＩまたはＤＥＳＩデバイスを含み得る。ある特定の事例では、有機イオンソース３５７５は、ＭＡＬＤＩデバイスを備え得る。他の事例では、有機イオンソース３５７７は、ＥＩデバイスを備え得る。ある特定の事例では、有機イオンソース３５７５は、ＦＩデバイスを備え得る。他の事例では、有機イオンソース３５７５は、ＦＤデバイスを備え得る。ある特定の事例では、有機イオンソース３５７５は、ＳＩデバイスを備え得る。他の事例では、有機イオンソース３５７５は、ＰＤデバイスを備え得る。ある特定の事例では、有機イオンソース３５７５は、ＴＩデバイスを備え得る。他の事例では、有機イオンソース３５７５は、ＥＨＩデバイスを備え得る。ある特定の事例では、有機イオンソース３５７５は、ＴＳデバイスを備え得る。他の事例では、有機イオンソース３５７５は、ＡＣＰＩでデバイスを備え得る。ある特定の事例では、有機イオンソース３５７５は、ＰＩデバイスを備え得る。他の事例では、有機イオンソース３５７５は、ＤｉＯＳデバイスを備え得る。他の事例では、有機イオンソース３５７５は、ＤＡＲＴデバイスを備え得る。本明細書に述べられるある特定の構成では、システム３５００は、イオンをＭＳコア３５７６、３５７７に提供する前に、イオン化コア３５７４、３５７５を使用して、無機種および有機種の両方をイオン化するように構成され得る。サンプル操作コア３５７１、３５７２は、同じサンプルソースまたは異なるサンプルソースからサンプルを受容し得る。異なるサンプルソースが存在する場合、インターフェース３５７３は、分析物をサンプル操作コア３５７１からイオン化コア３５７４、３５７５のいずれかに提供し得る。同様に、インターフェース３５７３は、分析物をサンプル操作コア３５７２からイオン化コア３５７４、３５７５のいずれかに提供し得る。ＭＳコア（複数可）３５７６、３５７７の各々は、特定の質量電荷比を有するイオンを濾過／検出するように構成され得る。いくつかの例では、ＭＳコア３５７６、３５７７のいずれかまたは両方は、存在する特定の構成要素に応じて、無機イオンを濾過／選択／検出し、かつ有機イオンを濾過／選択／検出するように設計され得る。いくつかの例では、コアＭＳ３５７６、３５７７は、異なる濾過デバイスおよび／または検出デバイスと共に異なるように構成されている。示されていないが、質量分析器３５１０は、典型的には、質量分析器３５１０内に存在し得る１つ、２つ、３つ、またはそれ以上の質量分析計コア（ＭＳＣ）によって使用される共通の構成要素を備える。例えば、共通のガスコントローラ、プロセッサ、電源、検出器、および真空ポンプを、質量分析器３５１０内に存在する異なる質量のＭＳＣによって使用することができる。システム３５００は、低い原子質量単位の分析物、例えば、３、４、または５ａｍｕ程度に低い質量を有するリチウムもしくは他の元素を検出し、かつ／または高い原子質量単位の分析物、例えば、最大約２０００ａｍｕの質量を有する分子イオン種を検出するように構成され得る。示されていないが、サンプル導入デバイス、オーブン、ポンプなどの様々な他の構成要素もまた、システム３５００内において、システム３５００のコアのうちの任意の１つ以上の間に存在し得る。
【０１７５】
２つ以上のサンプル操作コアが存在するある特定の構成では、各サンプル操作は、１つ以上のインターフェースを介してそれぞれのイオン化コアに流体的に結合され得、各イオン化コアは、インターフェースを介して２つ以上のＭＳコアに結合され得る。図３６を参照すると、システム３６００は、第１のサンプル操作コア３６８１と、第２のサンプル操作コア３６８２と、インターフェース３６８３と、有機イオンソース３６８５を含むイオン化コアと、第２のイオン化コア３６８４とを備える。イオン化コア３６８４、３６８５の各々もまた、インターフェース３６８６を介して、ＭＳコア３６８７、３６８８を備える質量分析器３６１０に流体的に結合されている。システム３６００の使用時に、サンプルをサンプル操作コア３６８１、３６８２に導入することができ、分析物種をイオン化コア３６８４、３６８５に提供する前に、サンプル中の分析物を何らかの方法で気化させるか、分離させるか、反応させるか、誘導体化するか、選別するか、修飾するか、または別様に作用させることができる。インターフェース３６８３は、サンプル操作コア３６８１、３６８２の各々に流体的に結合されており、サンプルをイオン化コア３６８４、３６８５のいずれかまたは両方に提供するように構成され得る。いくつかの事例では、イオン化コア３６８４、３６８５は、様々であるが異なる技法を使用して、サンプル中の分析物をイオン化するように構成され得る。例えば、いくつかの事例では、コア３６８４は、元素イオンをインターフェース３６８６に提供する前に、元素種をイオン化、例えば、無機種をイオン化し得る。いくつかの例では、コア３６８４は、ＩＣＰもしくはＣＣＰまたはマイクロ波プラズマを含み得る。他の例では、コア３６８４は、フレームを含み得る。さらなる例では、コア３６８４は、アークを含み得る。他の例では、コア３６８４は、スパークを含み得る。追加の例では、コア３６８４を別の無機イオン化ソースと交換することができる。他の事例では、有機イオンソース３６８５は、分子イオンをインターフェース３６８６に提供する前に、分子種を生成／イオン化するために、例えば、有機種をイオン化するために、イオン化コア（複数可）３６８５内に存在し得る。ある特定の事例では、有機イオンソース３６８５は、ＦＡＢデバイスを含み得る。他の事例では、有機イオンソース３６８５は、ＥＳＩまたはＤＥＳＩデバイスを含み得る。ある特定の事例では、有機イオンソース３６８５は、ＭＡＬＤＩデバイスを備え得る。他の事例では、有機イオンソース３６８５は、ＥＩデバイスを備え得る。ある特定の事例では、有機イオンソース３６８５は、ＦＩデバイスを備え得る。他の事例では、有機イオンソース３６８５は、ＦＤデバイスを備え得る。ある特定の事例では、有機イオンソース３６８５は、ＳＩデバイスを備え得る。他の事例では、有機イオンソース３６８５は、ＰＤデバイスを備え得る。ある特定の事例では、有機イオンソース３６８５は、ＴＩデバイスを備え得る。他の事例では、有機イオンソース３６８５は、ＥＨＩデバイスを備え得る。ある特定の事例では、有機イオンソース３６８５は、ＴＳデバイスを備え得る。他の事例では、有機イオンソース３６８５は、ＡＣＰＩでデバイスを備え得る。ある特定の事例では、有機イオンソース３６８５は、ＰＩデバイスを備え得る。他の事例では、有機イオンソース３６８５は、ＤｉＯＳデバイスを備え得る。他の事例では、有機イオンソース３６８５は、ＤＡＲＴデバイスを備え得る。本明細書に述べられるある特定の構成では、システム３６００は、イオンをインターフェース３６８６に提供する前に、イオン化コア３６８４、３６８５を使用して、無機種および有機種の両方をイオン化するように構成され得る。サンプル操作コア３６８１、３６８２は、同じサンプルソースまたは異なるサンプルソースからサンプルを受容し得る。異なるサンプルソースが存在する場合、インターフェース３６８３は、分析物をサンプル操作コア３６８１からイオン化コア３６８４、３６８５のいずれかに提供し得る。同様に、インターフェース３６８３は、分析物をサンプル操作コア３６８２からイオン化コア３６８４、３６８５のいずれかに提供し得る。インターフェース３６８６は、イオン化コア３６８４、３６８５のいずれかまたは両方からイオンを受容し、受容したイオンをＭＳコア３６８７、３６８８のうちの一方または両方に提供し得る。ＭＳコア（複数可）３６８７、３６８８の各々は、特定の質量電荷比を有するイオンを濾過／検出するように構成され得る。いくつかの例では、ＭＳコア３６８７、３６８８のいずれかまたは両方は、存在する特定の構成要素に応じて、無機イオンを濾過／選択／検出し、かつ有機イオンを濾過／選択／検出するように設計され得る。いくつかの例では、ＭＳコア３６８７、３６８８は、異なる濾過デバイスおよび／または検出デバイスと共に異なるように構成されている。示されていないが、質量分析器３６１０は、典型的には、質量分析器３６１０内に存在し得る１つ、２つ、３つ、またはそれ以上の質量分析計コア（ＭＳＣ）によって使用される共通の構成要素を備える。例えば、共通のガスコントローラ、プロセッサ、電源、検出器、および真空ポンプを、質量分析器３６１０内に存在する異なる質量のＭＳＣによって使用することができる。システム３６００は、低い原子質量単位の分析物、例えば、最小で３、４、または５ａｍｕ程度に低い質量を有するリチウムもしくは他の元素を検出し、かつ／または高い原子質量単位の分析物、例えば、最大約２０００ａｍｕの質量を有する分子イオン種を検出するように構成され得る。示されていないが、サンプル導入デバイス、オーブン、ポンプなどの様々な他の構成要素もまた、システム３６００内において、システム３６００のコアのうちの任意の１つ以上の間に存在し得る。
【０１７６】
ある特定の構成では、１つ以上の直列に配置されたイオン化コアが存在し、サンプル操作と共に使用され得る。例えば、および図３７を参照すると、有機イオンソースを含む第１のイオン化コア３７９２に流体的に結合されたサンプル操作コア３７９１を備えるシステム３７００が示されている。イオン化コア３７９２は、第２のイオン化コア３７９３に流体的に結合され、第２のイオン化コア３７９３自体は、ＭＳコア３７９４を備える質量分析器に流体的に結合されている。示されていないが、所望の場合、第２のイオン化コア３７９３が使用されていない状況では、イオンがコア３７９２からＭＳコア３７９４に直接提供されることを可能にするために、バイパスラインを存在させて、イオン化コア３７９２をＭＳコア３７９４に直接結合することもできる。同様に、イオン化コア３７９２を使用することが望ましくない状況では、バイパスラインを存在させて、サンプル操作コア３７９１をイオン化コア３７９３に直接結合することができる。システム３７００の使用時に、サンプルをサンプル操作コア３７９１に導入することができ、分析物種をコア３７９２に提供する前に、サンプル中の分析物を何らかの方法で気化させるか、分離させるか、反応させるか、誘導体化するか、選別するか、修飾するか、または別様に作用させることができる。イオン化コア３７９２は、様々な技法を使用して、サンプル中の分析物をイオン化するように構成され得る。例えば、いくつかの事例では、有機イオンソース３７９２は、有機イオンをコア３７９３またはＭＳコア３７９４に提供する前に、分子種をイオン化、例えば、有機種をイオン化し得る。ある特定の事例では、有機イオンソース３７９２は、ＦＡＢデバイスを含み得る。他の事例では、有機イオンソース３７９２は、ＥＳＩまたはＤＥＳＩデバイスを含み得る。ある特定の事例では、有機イオンソース３７９２は、ＭＡＬＤＩデバイスを備え得る。他の事例では、有機イオンソース３７９２は、ＥＩデバイスを備え得る。ある特定の事例では、有機イオンソース３７９２は、ＦＩデバイスを備え得る。他の事例では、有機イオンソース３７９２は、ＦＤデバイスを備え得る。ある特定の事例では、有機イオンソース３７９２は、ＳＩデバイスを備え得る。他の事例では、有機イオンソース３７９２は、ＰＤデバイスを備え得る。ある特定の事例では、有機イオンソース３７９２は、ＴＩデバイスを備え得る。他の事例では、有機イオンソース３７９２は、ＥＨＩデバイスを備え得る。ある特定の事例では、有機イオンソース３７９２は、ＴＳデバイスを備え得る。他の事例では、有機イオンソース３７９２は、ＡＣＰＩでデバイスを備え得る。ある特定の事例では、有機イオンソース３７９２は、ＰＩデバイスを備え得る。他の事例では、有機イオンソース３７９２は、ＤｉＯＳデバイスを備え得る。他の事例では、有機イオンソース３７９２は、ＤＡＲＴデバイスを備え得る。他の事例では、別のイオン化ソースが、無機イオンをコア３７９３またはコア３７９４に提供する前に、元素種を生成／イオン化するために、例えば、無機種をイオン化するために、イオン化コア３７９２内に存在し得る。イオン化コア３７９３は、コア３７９２によって使用されるものと同じであっても、異なってもよい様々な技法を使用して、サンプル中の分析物をイオン化するように構成され得る。例えば、いくつかの事例では、イオン化ソースは、元素イオンをＭＳコア３７９４に提供する前に、元素種をイオン化するために、例えば、無機種をイオン化するために、イオン化コア３７９３内に存在し得る。他の事例では、イオン化ソースは、分子イオンをＭＳコア３７９４に提供する前に、分子種を生成／イオン化するために、例えば、有機種をイオン化するために、イオン化コア３７９３内に存在し得る。本明細書に述べられるある特定の構成では、システム３７００は、イオンをＭＳコア３７９４に提供する前に、無機種および有機種をイオン化するように構成され得る。ＭＳコア（複数可）３７９４は、特定の質量電荷比を有するイオンを濾過／検出するように構成され得る。いくつかの例では、ＭＳコア３７９４は、存在する特定の構成要素に応じて、無機イオンを濾過／選択／検出し、かつ有機イオンを濾過／選択／検出するように設計され得る。示されていないが、ＭＳコア３７９４を含む質量分析器は、典型的には、質量分析器内に存在し得る１つ、２つ、３つ、またはそれ以上の質量分析計コア（ＭＳＣ）によって使用される共通の構成要素を備える。例えば、共通のガスコントローラ、プロセッサ、電源、検出器、および真空ポンプを、質量分析器内に存在する異なる質量のＭＳＣによって使用することができる。システム３７００は、低い原子質量単位の分析物、例えば、３、４、または５ａｍｕ程度に低い質量を有するリチウムもしくは他の元素を検出し、かつ／または高い原子質量単位の分析物、例えば、最大約２０００ａｍｕの質量を有する分子イオン種を検出するように構成され得る。示されていないが、サンプル導入デバイス、オーブン、ポンプなどの様々な他の構成要素もまた、システム３７００内において、システム３７００のコアのうちの任意の１つ以上の間に存在し得る。いくつかの事例では、図２７〜図３６に記載され示されるシステムのうちのいずれかは、図３７に示されるコア３７９２、３７９３と同様に、直列配置のイオン化コアを備え得る。
【０１７７】
ある特定の構成では、本明細書に記載されるシステム内に１つ以上の直列に配置されたＭＳコアが存在し得る。例えば、および図３８を参照すると、有機イオンソース３８９７を含むイオン化コアに流体的に結合されたサンプル操作コア３８９６を備えるシステム３８００が示されている。イオン化コア３８９７は、第１のＭＳコア３８９８を備える質量分析器に流体的に結合され、第１のＭＳコア３８９８自体は、質量分析器の第２のＭＳコア３８９９に流体的に結合されている。示されていないが、所望の場合、第１のＭＳコア３８９８が使用されていない状況では、イオンがコア３８９７からＭＳコア３８９９に直接提供されることを可能にするために、バイパスラインを存在させて、イオン化コア３８９７をＭＳコア３８９９に直接結合することもできる。システム３８００の使用時に、サンプルをサンプル操作コア３８９６に導入することができ、分析物種をイオン化コア３８９７に提供する前に、サンプル中の分析物を何らかの方法で気化させるか、分離させるか、反応させるか、誘導体化するか、選別するか、修飾するか、または別様に作用させることができる。イオン化コア３８９７は、様々な技法を使用して、サンプル中の分析物をイオン化するように構成され得る。例えば、いくつかの事例では、有機イオンソース３８９７は、有機イオンをコア３８９８に提供する前に、分子種をイオン化、例えば、有機種をイオン化し得る。ある特定の事例では、有機イオンソース３８９７は、ＦＡＢデバイスを含み得る。他の事例では、有機イオンソース３８９７は、ＥＳＩまたはＤＥＳＩデバイスを含み得る。ある特定の事例では、有機イオンソース３８９７は、ＭＡＬＤＩデバイスを備え得る。他の事例では、有機イオンソース３８９７は、ＥＩデバイスを備え得る。ある特定の事例では、有機イオンソース３８９７は、ＦＩデバイスを備え得る。他の事例では、有機イオンソース３８９７は、ＦＤデバイスを備え得る。ある特定の事例では、有機イオンソース３８９７は、ＳＩデバイスを備え得る。他の事例では、有機イオンソース３８９７は、ＰＤデバイスを備え得る。ある特定の事例では、有機イオンソース３８９７は、ＴＩデバイスを備え得る。他の事例では、有機イオンソース３８９７は、ＥＨＩデバイスを備え得る。ある特定の事例では、有機イオンソース３８９７は、ＴＳデバイスを備え得る。他の事例では、有機イオンソース３８９７は、ＡＣＰＩでデバイスを備え得る。ある特定の事例では、有機イオンソース３８９７は、ＰＩデバイスを備え得る。他の事例では、有機イオンソース３８９７は、ＤｉＯＳデバイスを備え得る。他の事例では、有機イオンソース３８９７は、ＤＡＲＴデバイスを備え得る。他の事例では、別のイオン化ソースが、無機イオンをＭＳコア３８９８に提供する前に、元素種を生成／イオン化するために、例えば、無機種をイオン化するために、イオン化コア３８９７内に存在し得る。本明細書に述べられるある特定の構成では、システム３８００は、イオンをＭＳコア３８９８に提供する前に、無機種および有機種をイオン化するように構成され得る。ＭＳコア３８９８は、特定の質量電荷比を有するイオンを濾過／検出するように構成され得る。いくつかの例では、コア３８９８は、存在する特定の構成要素に応じて、無機イオンを濾過／選択／検出し、かつ有機イオンを濾過／選択／検出するように設計され得る。同様に、ＭＳコア３８９９は、特定の質量電荷比を有するイオンを濾過／検出するように構成され得る。いくつかの例では、ＭＳコア３８９９は、存在する特定の構成要素に応じて、無機イオンを濾過／選択／検出し、かつ有機イオンを濾過／選択／検出するように設計され得る。示されていないが、ＭＳコア３８９８、３８９９を含む質量分析器は、典型的には、質量分析器内に存在し得る１つ、２つ、３つ、またはそれ以上の質量分析計コア（ＭＳＣ）によって使用される共通の構成要素を備える。例えば、共通のガスコントローラ、プロセッサ、電源、検出器、および真空ポンプを、質量分析器内に存在する異なる質量のＭＳＣによって使用することができる。システム３８００は、低い原子質量単位の分析物、例えば、３、４、または５ａｍｕ程度に低い質量を有するリチウムもしくは他の元素を検出し、かつ／または高い原子質量単位の分析物、例えば、最大約２０００ａｍｕの質量を有する分子イオン種を検出するように構成され得る。示されていないが、サンプル導入デバイス、オーブン、ポンプなどの様々な他の構成要素もまた、システム３８００内において、システム３８００のコアのうちの任意の１つ以上の間に存在し得る。いくつかの事例では、図２７〜図３７に記載され示されるシステムのうちのいずれかは、図３８に示されるコア３８９８、３８９９と同様に、直列配置のＭＳコアを備え得る。
【０１７８】
ある特定の例では、本明細書に記載されるシステムは、３つ以上のイオン化コアを備え得る。図３９を参照すると、ＭＳコア３９５０を含む質量分析器に各々が流体的に結合されているイオン化コア３９１０、３９２０、および３９３０を備えるシステム３９００が示されている。イオン化コア３９１０は、無機イオンをコア３９５０に提供するように構成され得る。いくつかの例では、コア３９１０は、ＩＣＰもしくはＣＣＰまたはマイクロ波プラズマを含み得る。他の例では、コア３９１０は、フレームを含み得る。さらなる例では、コア３９１０は、アークを含み得る。他の例では、コア３９１０は、スパークを含み得る。追加の例では、コア３９１０を別の無機イオン化ソースと交換することができる。他の事例では、有機イオンソース３９２０、３９３０の各々は、分子イオンをインターフェース３６８６に提供する前に、分子種を生成／イオン化するために、例えば、有機種をイオン化するために、イオン化コア（複数可）内に存在し得る。ある特定の事例では、有機イオンソース３９２０、３９３０は独立して、ＦＡＢデバイスを含み得る。他の事例では、有機イオンソース３９２０、３９３０は独立して、ＥＳＩまたはＤＥＳＩデバイスを含み得る。ある特定の事例では、有機イオンソース３９２０、３９３０は独立して、ＭＡＬＤＩデバイスを含み得る。他の事例では、有機イオンソース３９２０、３９３０は独立して、ＥＩデバイスを含み得る。ある特定の事例では、有機イオンソース３９２０、３９３０は独立して、ＦＩデバイスを含み得る。他の事例では、有機イオンソース３９２０、３９３０は独立して、ＦＤデバイスを含み得る。ある特定の事例では、有機イオンソース３９２０、３９３０は独立して、ＳＩデバイスを含み得る。他の事例では、有機イオンソース３９２０、３９３０は独立して、ＰＤデバイスを含み得る。ある特定の事例では、有機イオンソース３９２０、３９３０は独立して、ＴＩデバイスを含み得る。他の事例では、有機イオンソース３９２０、３９３０は独立して、ＥＨＩデバイスを含み得る。ある特定の事例では、有機イオンソース３９２０、３９３０は独立して、ＴＳデバイスを含み得る。他の事例では、有機イオンソース３９２０、３９３０は独立して、ＡＣＰＩデバイスを含み得る。ある特定の事例では、有機イオンソース３９２０、３９３０は独立して、ＰＩデバイスを含み得る。他の事例では、有機イオンソース３９２０、３９３０は独立して、ＤｉＯＳデバイスを含み得る。他の事例では、有機イオンソース３９２０、３９３０は独立して、ＤＡＲＴデバイスを含み得る。ＭＳコア３９５０は、本明細書に記載されるＭＳＣのうちのいずれかの形態をとってもよい。示されていないが、ＭＳコア３９５０を含む質量分析器は、典型的には、質量分析器内に存在し得る１つ、２つ、３つ、またはそれ以上の質量分析計コア（ＭＳＣ）によって使用される共通の構成要素を備える。例えば、共通のガスコントローラ、プロセッサ、電源、検出器、および真空ポンプを、質量分析器内に存在する異なる質量のＭＳＣによって使用することができる。システム３９００は、低い原子質量単位の分析物、例えば、３、４、または５ａｍｕ程度に低い質量を有するリチウムもしくは他の元素を検出し、かつ／または高い原子質量単位の分析物、例えば、最大約２０００ａｍｕの質量を有する分子イオン種を検出するように構成され得る。
【０１７９】
ある特定の例では、本明細書に記載されるシステムは、３つ以上のイオン化コアを備え得る。図４０を参照すると、各々が有機イオンソースを含むイオン化コア４０１０、４０２０を備えるシステム４００が示されている。ある特定の事例では、有機イオンソース４０１０、４０２０は独立して、ＦＡＢデバイスを含み得る。他の事例では、有機イオンソース４０１０、４０２０は独立して、ＥＳＩまたはＤＥＳＩデバイスを含み得る。ある特定の事例では、有機イオンソース４０１０、４０２０は独立して、ＭＡＬＤＩデバイスを含み得る。他の事例では、有機イオンソース４０１０、４０２０は独立して、ＥＩデバイスを含み得る。ある特定の事例では、有機イオンソース４０１０、４０２０は独立して、ＦＩデバイスを含み得る。他の事例では、有機イオンソース４０１０、４０２０は独立して、ＦＤデバイスを含み得る。ある特定の事例では、有機イオンソース４０１０、４０２０は独立して、ＳＩデバイスを含み得る。他の事例では、有機イオンソース４０１０、４０２０は独立して、ＰＤデバイスを含み得る。ある特定の事例では、有機イオンソース４０１０、４０２０は独立して、ＴＩデバイスを含み得る。他の事例では、有機イオンソース４０１０、４０２０は独立して、ＥＨＩデバイスを含み得る。ある特定の事例では、有機イオンソース４０１０、４０２０は独立して、ＴＳデバイスを含み得る。他の事例では、有機イオンソース４０１０、４０２０は独立して、ＡＣＰＩデバイスを含み得る。ある特定の事例では、有機イオンソース４０１０、４０２０は独立して、ＰＩデバイスを含み得る。他の事例では、有機イオンソース４０１０、４０２０は独立して、ＤｉＯＳデバイスを含み得る。他の事例では、有機イオンソース４０１０、４０２０は独立して、ＤＡＲＴデバイスを含み得る。インターフェース４０３０は、イオンを２つの有機イオンソース４０１０、４０２０から受容するように構成されており、イオンを、ＭＳコア４０５０を備える質量分析器に提供する前に、イオンを組み合わせ得る。ＭＳコア４０５０は、本明細書に記載されるＭＳＣのうちのいずれかの形態をとってもよい。示されていないが、ＭＳコア４０５０の質量分析器は、典型的には、質量分析器内に存在し得る１つ、２つ、３つ、またはそれ以上の質量分析計コア（ＭＳＣ）によって使用される共通の構成要素を備える。例えば、共通のガスコントローラ、プロセッサ、電源、検出器、および真空ポンプを、質量分析器内に存在する異なる質量のＭＳＣによって使用することができる。システム４０００は、低い原子質量単位の分析物、例えば、３、４、または５ａｍｕ程度に低い質量を有するリチウムもしくは他の元素を検出し、かつ／または高い原子質量単位の分析物、例えば、最大約２０００ａｍｕの質量を有する分子イオン種を検出するように構成され得る。
【０１８０】
いくつかの例では、本明細書に記載されるシステム内に３つ以上のＭＳコアが存在し得る。図４１を参照すると、イオン化コア４１１０と、インターフェース４１２０と、３つのＭＳコア４１３０、４１４０、および４１５０を含む質量分析器とを備えるシステム４１００が示されている。イオン化コア４１１０は、本明細書に記載されるイオン化ソースのうちのいずれか、例えば、無機イオンソースおよび／または有機イオンソースを備え得る。インターフェース４１３０は、任意の特定の分析期間中に、イオンをＭＳコア４１３０、４１４０、４１５０のうちの１つ、２つ、または３つに提供するように構成され得る。ＭＳコア４１３０、４１４０、４１５０の各々は独立して、本明細書に記載されるＭＳコアのうちのいずれか、例えば、シングルＭＳコアまたはデュアルコアＭＳの形態をとってもよい。示されていないが、ＭＳコア４１３０、４１４０、４１５０を含む質量分析器は、典型的には、質量分析器内に存在し得る１つ、２つ、３つ、またはそれ以上の質量分析計コア（ＭＳＣ）によって使用される共通の構成要素を備える。例えば、共通のガスコントローラ、プロセッサ、電源、検出器、および真空ポンプを、質量分析器内に存在する異なる質量のＭＳＣによって使用することができる。システム４１００は、低い原子質量単位の分析物、例えば、３、４、または５ａｍｕ程度に低い質量を有するリチウムもしくは他の元素を検出し、かつ／または高い原子質量単位の分析物、例えば、最大約２０００ａｍｕの質量を有する分子イオン種を検出するように構成され得る。
【０１８１】
有機イオンを提供し得るある特定のソースを説明してきしたが、有機イオンを提供し得る他のソース、例えば、光イオン化ソース、脱離イオン化ソース、スプレーイオン化ソースなどを代わりに使用することができる。さらに、所望の場合、任意のシングル機器内に２つ以上の異なる有機イオン化ソースが存在し得る。本明細書に述べられるように、有機イオン化ソースを無機イオン化ソースと組み合わせて存在させて、サンプル中の無機分析物および有機分析物の両方の分析を可能にすることができる。２つのイオン化コアが存在するいくつかの実施形態では、イオン化コアのうちの一方はプラズマソースを含み、他方のイオン化コアはＦＡＢソースを含む。２つのイオン化コアが存在する他の実施形態では、イオン化コアのうちの一方はプラズマソースを含み、他方のイオン化コアはＥＳＩソースを含む。２つのイオン化コアが存在するいくつかの例では、イオン化コアのうちの一方はプラズマソースを含み、他方のイオン化コアはＥＩソースを含む。２つのイオン化コアが存在するいくつかの実施形態では、イオン化コアのうちの一方はプラズマソースを含み、他方のイオン化コアはＭＡＬＤＩソースを含む。２つのイオン化コアが存在する他の実施形態では、イオン化コアのうちの一方はプラズマソースを含み、他方のイオン化コアはＣＩソースを含む。２つのイオン化コアが存在するいくつかの例では、イオン化コアのうちの一方はプラズマソースを含み、他方のイオン化コアはＦＩソースを含む。２つのイオン化コアが存在するいくつかの実施形態では、イオン化コアのうちの一方はプラズマソースを含み、他方のイオン化コアはＦＤソースを含む。２つのイオン化コアが存在する他の実施形態では、イオン化コアのうちの一方はプラズマソースを含み、他方のイオン化コアはＳＩソースを含む。２つのイオン化コアが存在するいくつかの例では、イオン化コアのうちの一方はプラズマソースを含み、他方のイオン化コアはＰＤソースを含む。２つのイオン化コアが存在するいくつかの実施形態では、イオン化コアのうちの一方はプラズマソースを含み、他方のイオン化コアはＴＩソースを含む。２つのイオン化コアが存在する他の実施形態では、イオン化コアのうちの一方はプラズマソースを含み、他方のイオン化コアはＥＨＩソースを含む。２つのイオン化コアが存在するいくつかの例では、イオン化コアのうちの一方はプラズマソースを含み、他方のイオン化コアはＡＰＣＩソースを含む。２つのイオン化コアが存在するいくつかの実施形態では、イオン化コアのうちの一方はプラズマソースを含み、他方のイオン化コアはＰＩソースを含む。２つのイオン化コアが存在する他の実施形態では、イオン化コアのうちの一方はプラズマソースを含み、他方のイオン化コアはＤｉＯＳソースを含む。２つのイオン化コアが存在するいくつかの例では、イオン化コアのうちの一方はプラズマソースを含み、他方のイオン化コアはＤＡＲＴソースを含む。
【０１８２】
２つのイオン化コアが存在するいくつかの実施形態では、イオン化コアのうちの一方はＩＣＰソースを含み、他方のイオン化コアはＦＡＢソースを含む。２つのイオン化コアが存在する他の実施形態では、イオン化コアのうちの一方はＩＣＰソースを含み、他方のイオン化コアはＥＳＩソースを含む。２つのイオン化コアが存在するいくつかの例では、イオン化コアのうちの一方はＩＣＰソースを含み、他方のイオン化コアはＥＩソースを含む。２つのイオン化コアが存在するいくつかの実施形態では、イオン化コアのうちの一方はＩＣＰソースを含み、他方のイオン化コアはＭＡＬＤＩソースを含む。２つのイオン化コアが存在する他の実施形態では、イオン化コアのうちの一方はＩＣＰソースを含み、他方のイオン化コアはＣＩソースを含む。２つのイオン化コアが存在するいくつかの例では、イオン化コアのうちの一方はＩＣＰソースを含み、他方のイオン化コアはＦＩソースを含む。２つのイオン化コアが存在するいくつかの実施形態では、イオン化コアのうちの一方はＩＣＰソースを含み、他方のイオン化コアはＦＤソースを含む。２つのイオン化コアが存在する他の実施形態では、イオン化コアのうちの一方はＩＣＰソースを含み、他方のイオン化コアはＳＩソースを含む。２つのイオン化コアが存在するいくつかの例では、イオン化コアのうちの一方はＩＣＰソースを含み、他方のイオン化コアはＰＤソースを含む。２つのイオン化コアが存在するいくつかの実施形態では、イオン化コアのうちの一方はＩＣＰソースを含み、他方のイオン化コアはＴＩソースを含む。２つのイオン化コアが存在する他の実施形態では、イオン化コアのうちの一方はＩＣＰソースを含み、他方のイオン化コアはＥＨＩソースを含む。２つのイオン化コアが存在するいくつかの例では、イオン化コアのうちの一方はＩＣＰソースを含み、他方のイオン化コアはＡＰＣＩソースを含む。２つのイオン化コアが存在するいくつかの実施形態では、イオン化コアのうちの一方はＩＣＰソースを含み、他方のイオン化コアはＰＩソースを含む。２つのイオン化コアが存在する他の実施形態では、イオン化コアのうちの一方はＩＣＰソースを含み、他方のイオン化コアはＤｉＯＳソースを含む。２つのイオン化コアが存在するいくつかの例では、イオン化コアのうちの一方はＩＣＰソースを含み、他方のイオン化コアはＤＡＲＴソースを含む。
【０１８３】
２つのイオン化コアが存在するいくつかの実施形態では、イオン化コアのうちの一方はＣＣＰソースまたはマイクロ波プラズマを含み、他方のイオン化コアはＦＡＢソースを含む。２つのイオン化コアが存在する他の実施形態では、イオン化コアのうちの一方はＣＣＰソースまたはマイクロ波プラズマを含み、他方のイオン化コアはＥＳＩソースを含む。２つのイオン化コアが存在するいくつかの例では、イオン化コアのうちの一方はＣＣＰソースまたはマイクロ波プラズマを含み、他方のイオン化コアはＥＩソースを含む。２つのイオン化コアが存在するいくつかの実施形態では、イオン化コアのうちの一方はＣＣＰソースまたはマイクロ波プラズマを含み、他方のイオン化コアはＭＡＬＤＩソースを含む。２つのイオン化コアが存在する他の実施形態では、イオン化コアのうちの一方はＣＣＰソースまたはマイクロ波プラズマを含み、他方のイオン化コアはＣＩソースを含む。２つのイオン化コアが存在するいくつかの例では、イオン化コアのうちの一方はＣＣＰソースまたはマイクロ波プラズマを含み、他方のイオン化コアはＦＩソースを含む。２つのイオン化コアが存在するいくつかの実施形態では、イオン化コアのうちの一方はＣＣＰソースまたはマイクロ波プラズマを含み、他方のイオン化コアはＦＤソースを含む。２つのイオン化コアが存在する他の実施形態では、イオン化コアのうちの一方はＣＣＰソースまたはマイクロ波プラズマを含み、他方のイオン化コアはＳＩソースを含む。２つのイオン化コアが存在するいくつかの例では、イオン化コアのうちの一方はＣＣＰソースまたはマイクロ波プラズマを含み、他方のイオン化コアはＰＤソースを含む。２つのイオン化コアが存在するいくつかの実施形態では、イオン化コアのうちの一方はＣＣＰソースまたはマイクロ波プラズマを含み、他方のイオン化コアはＴＩソースを含む。２つのイオン化コアが存在する他の実施形態では、イオン化コアのうちの一方はＣＣＰソースまたはマイクロ波プラズマを含み、他方のイオン化コアはＥＨＩソースを含む。２つのイオン化コアが存在するいくつかの例では、イオン化コアのうちの一方はＣＣＰソースまたはマイクロ波プラズマを含み、他方のイオン化コアはＡＰＣＩソースを含む。２つのイオン化コアが存在するいくつかの実施形態では、イオン化コアのうちの一方はＣＣＰソースまたはマイクロ波プラズマを含み、他方のイオン化コアはＰＩソースを含む。２つのイオン化コアが存在する他の実施形態では、イオン化コアのうちの一方はＣＣＰソースまたはマイクロ波プラズマを含み、他方のイオン化コアはＤｉＯＳソースを含む。２つのイオン化コアが存在するいくつかの例では、イオン化コアのうちの一方はＣＣＰソースまたはマイクロ波プラズマを含み、他方のイオン化コアはＤＡＲＴソースを含む。
【０１８４】
２つのイオン化コアが存在するいくつかの実施形態では、イオン化コアのうちの一方はフレームソースを含み、他方のイオン化コアはＦＡＢソースを含む。２つのイオン化コアが存在する他の実施形態では、イオン化コアのうちの一方はフレームソースを含み、他方のイオン化コアはＥＳＩソースを含む。２つのイオン化コアが存在するいくつかの例では、イオン化コアのうちの一方はフレームソースを含み、他方のイオン化コアはＥＩソースを含む。２つのイオン化コアが存在するいくつかの実施形態では、イオン化コアのうちの一方はフレームソースを含み、他方のイオン化コアはＭＡＬＤＩソースを含む。２つのイオン化コアが存在する他の実施形態では、イオン化コアのうちの一方はフレームソースを含み、他方のイオン化コアはＣＩソースを含む。２つのイオン化コアが存在するいくつかの例では、イオン化コアのうちの一方はフレームソースを含み、他方のイオン化コアはＦＩソースを含む。２つのイオン化コアが存在するいくつかの実施形態では、イオン化コアのうちの一方はフレームソースを含み、他方のイオン化コアはＦＤソースを含む。２つのイオン化コアが存在する他の実施形態では、イオン化コアのうちの一方はフレームソースを含み、他方のイオン化コアはＳＩソースを含む。２つのイオン化コアが存在するいくつかの例では、イオン化コアのうちの一方はフレームソースを含み、他方のイオン化コアはＰＤソースを含む。２つのイオン化コアが存在するいくつかの実施形態では、イオン化コアのうちの一方はフレームソースを含み、他方のイオン化コアはＴＩソースを含む。２つのイオン化コアが存在する他の実施形態では、イオン化コアのうちの一方はフレームソースを含み、他方のイオン化コアはＥＨＩソースを含む。２つのイオン化コアが存在するいくつかの例では、イオン化コアのうちの一方はフレームソースを含み、他方のイオン化コアはＡＰＣＩソースを含む。２つのイオン化コアが存在するいくつかの実施形態では、イオン化コアのうちの一方はフレームソースを含み、他方のイオン化コアはＰＩソースを含む。２つのイオン化コアが存在する他の実施形態では、イオン化コアのうちの一方はフレームソースを含み、他方のイオン化コアはＤｉＯＳソースを含む。２つのイオン化コアが存在するいくつかの例では、イオン化コアのうちの一方はフレームソースを含み、他方のイオン化コアはＤＡＲＴソースを含む。
【０１８５】
２つのイオン化コアが存在するいくつかの実施形態では、イオン化コアのうちの一方はアークソースを含み、他方のイオン化コアはＦＡＢソースを含む。２つのイオン化コアが存在する他の実施形態では、イオン化コアのうちの一方はアークソースを含み、他方のイオン化コアはＥＳＩソースを含む。２つのイオン化コアが存在するいくつかの例では、イオン化コアのうちの一方はアークソースを含み、他方のイオン化コアはＥＩソースを含む。２つのイオン化コアが存在するいくつかの実施形態では、イオン化コアのうちの一方はアークソースを含み、他方のイオン化コアはＭＡＬＤＩソースを含む。２つのイオン化コアが存在する他の実施形態では、イオン化コアのうちの一方はアークソースを含み、他方のイオン化コアはＣＩソースを含む。２つのイオン化コアが存在するいくつかの例では、イオン化コアのうちの一方はアークソースを含み、他方のイオン化コアはＦＩソースを含む。２つのイオン化コアが存在するいくつかの実施形態では、イオン化コアのうちの一方はアークソースを含み、他方のイオン化コアはＦＤソースを含む。２つのイオン化コアが存在する他の実施形態では、イオン化コアのうちの一方はアークソースを含み、他方のイオン化コアはＳＩソースを含む。２つのイオン化コアが存在するいくつかの例では、イオン化コアのうちの一方はアークソースを含み、他方のイオン化コアはＰＤソースを含む。２つのイオン化コアが存在するいくつかの実施形態では、イオン化コアのうちの一方はアークソースを含み、他方のイオン化コアはＴＩソースを含む。２つのイオン化コアが存在する他の実施形態では、イオン化コアのうちの一方はアークソースを含み、他方のイオン化コアはＥＨＩソースを含む。２つのイオン化コアが存在するいくつかの例では、イオン化コアのうちの一方はアークソースを含み、他方のイオン化コアはＡＰＣＩソースを含む。２つのイオン化コアが存在するいくつかの実施形態では、イオン化コアのうちの一方はアークソースを含み、他方のイオン化コアはＰＩソースを含む。２つのイオン化コアが存在する他の実施形態では、イオン化コアのうちの一方はアークソースを含み、他方のイオン化コアはＤｉＯＳソースを含む。２つのイオン化コアが存在するいくつかの例では、イオン化コアのうちの一方はアークソースを含み、他方のイオン化コアはＤＡＲＴソースを含む。
【０１８６】
２つのイオン化コアが存在するいくつかの実施形態では、イオン化コアのうちの一方はスパークソースを含み、他方のイオン化コアはＦＡＢソースを含む。２つのイオン化コアが存在する他の実施形態では、イオン化コアのうちの一方はスパークソースを含み、他方のイオン化コアはＥＳＩソースを含む。２つのイオン化コアが存在するいくつかの例では、イオン化コアのうちの一方はスパークソースを含み、他方のイオン化コアはＥＩソースを含む。２つのイオン化コアが存在するいくつかの実施形態では、イオン化コアのうちの一方はスパークソースを含み、他方のイオン化コアはＭＡＬＤＩソースを含む。２つのイオン化コアが存在する他の実施形態では、イオン化コアのうちの一方はスパークソースを含み、他方のイオン化コアはＣＩソースを含む。２つのイオン化コアが存在するいくつかの例では、イオン化コアのうちの一方はスパークソースを含み、他方のイオン化コアはＦＩソースを含む。２つのイオン化コアが存在するいくつかの実施形態では、イオン化コアのうちの一方はスパークソースを含み、他方のイオン化コアはＦＤソースを含む。２つのイオン化コアが存在する他の実施形態では、イオン化コアのうちの一方はスパークソースを含み、他方のイオン化コアはＳＩソースを含む。２つのイオン化コアが存在するいくつかの例では、イオン化コアのうちの一方はスパークソースを含み、他方のイオン化コアはＰＤソースを含む。２つのイオン化コアが存在するいくつかの実施形態では、イオン化コアのうちの一方はスパークソースを含み、他方のイオン化コアはＴＩソースを含む。２つのイオン化コアが存在する他の実施形態では、イオン化コアのうちの一方はスパークソースを含み、他方のイオン化コアはＥＨＩソースを含む。２つのイオン化コアが存在するいくつかの例では、イオン化コアのうちの一方はスパークソースを含み、他方のイオン化コアはＡＰＣＩソースを含む。２つのイオン化コアが存在するいくつかの実施形態では、イオン化コアのうちの一方はスパークソースを含み、他方のイオン化コアはＰＩソースを含む。２つのイオン化コアが存在する他の実施形態では、イオン化コアのうちの一方はスパークソースを含み、他方のイオン化コアはＤｉＯＳソースを含む。２つのイオン化コアが存在するいくつかの例では、イオン化コアのうちの一方はスパークソースを含み、他方のイオン化コアはＤＡＲＴソースを含む。
【０１８７】
質量分析器、質量分析計コア、および検出器
ある特定の構成では、本明細書に記載されるシステムは、質量分析器内に存在する１つ以上の質量分析計コアを備え得る。質量分析計コアは、使用条件に応じて、例えば、無機イオンもしくは有機イオンを濾過し得るシングルコア（ｓｉｎｇｌｅ  ｃｏｒｅ、ＳＣ）とみなされてもよいし、または例えば、無機イオンおよび有機イオンの両方を濾過し得るデュアルコア（ｄｕａｌ  ｃｏｒｅ、ＤＣ）とみなされてもよい。図４２を参照すると、サンプル操作コア４２１０と、インターフェース４２２０と、第１のイオン化コア４２３０と、第２のイオン化コア４２４０と、インターフェース４２５０および４２６０と、ＭＳコア４２７０、４２８０、および４２９０を含む質量分析器４２７５とを備えるシステム４２００が示されている。以下でより詳細に論じられるように、ＭＳコア４２７０、４２８０、および４２９０は独立して、シングルＭＳコアまたはデュアルコアＭＳを含み得る。いくつかの例では、コア４２７０、４２９０はシングルＭＳコアを含み、コア４２８０はデュアルコアＭＳを含む。インターフェース４２５０、４２６０は、イオンをシングルＭＳコア４２７０、４２８０のうちのそれぞれの１つに提供するように構成され得るか、または所望の場合、イオンをデュアルコアＭＳ４２８０に提供することができる。この構成では、実施される特定の分析に応じて、２つのシングルＭコアの使用、またはシングル、デュアルコアＭＳの使用を実装することができる。イオン化コア４２３０、４２４０は、本明細書に記載されるもののうちのいずれかであり得、いくつかの事例では、コア４２３０、４２４０のうちの一方は無機イオンソースを含み、コア４２３０、４２４０のうちの他方は有機イオンソースを含む。サンプル操作コア４２１０は、所望どおりに、ＬＣ、ＧＣなどを含む数多くの形態をとることができる。本明細書に述べられるように、インターフェース４２２０および４２５０、４２６０は、数多くの形態をとることができる。いくつかの例では、シングルインターフェースが存在し、２つのインターフェース４２５０、４２６０を交換し得る。
【０１８８】
いくつかの例では、および図４３Ａを参照すると、質量分析器は、第１のシングルＭＳコア４３１０と、第２のシングルＭＳコア４３２０とを備え得る。シングルＭＳコア（ＳＭＳＣ）デバイス４３１０、４３２０の各々は、イオンを受容するように、それぞれのイオン化コア（図示せず）に流体的に結合され得る。図４３Ｂに示されるように、ＳＭＳＣ４３１０、４３２０は、共通の検出器４３３０に流体的に結合され得るか、またはそれぞれの検出器４３５０、４３６０に流体的に結合され得る。例えば、ＳＭＳＣ４３１０、４３２０のうちの１つは、任意の特定の分析期間中に、イオンを検出器４３３０に提供し得る。いくつかの構成では、ＳＭＳＣ４３１０は無機イオンを受容および選択するように構成され得、ＳＭＳＣ４３２０は有機イオンを受容および選択するように構成され得る。共通の検出器４３３０が存在する場合、異なるＳＭＳＣ４３１０、４３２０からのイオンを検出器４３３０に順次提供することができる。例えば、システム内のイオンの流れを制御するために、ＳＭＳＣ４３１０、４３２０と検出器４３３０との間にインターフェースが存在し得る。例示のインターフェースを以下でより詳細に記載する。２つの検出器４３５０、４３６０が存在する場合（図４３Ｂを参照）、無機イオンおよび有機イオンの同時検出が発生し得る。以下でより詳細に論じられるように、検出器４３３０、４３５０、および４３６０の正確な構成は変化し得る。
【０１８９】
いくつかの例では、ＳＭＳＣ４３１０、４３２０、または検出器４３３０のうちの１つ以上（または両方）を、例えば、一次元、二次元、または三次元のある方向に移動して、ＳＭＳＣ４３１０、４３２０を検出器４３３０に流体的に結合／結合解除することができる。例えば、ならびに図４４Ａおよび図４４Ｂを参照すると、ＳＭＳＣ４４１０は、検出器４４３０の第１の位置において検出器４４３０に流体的に結合されている（図４４Ａを参照）。図４４Ｂに示されるように、例えば、ステッピングモータまたは他のデバイスを使用して、検出器４４３０を第２の位置に移動することができる。第２の位置にある場合、検出器４４３０は、ＳＭＳＣ４４２０に流体的に結合され、ＳＭＳＣ４４１０から流体的に結合解除される。図４４Ａに示されるように、システム４４００の使用時に、検出器が第１の位置に存在する場合、ＳＭＳＣ４４１０は、無機イオンを選択／濾過し、それらを検出器４４３０に提供するように構成され得る。図４４Ｂに示されるように、検出器が第２の位置に存在する場合、ＳＭＳＣ４４２０は、有機イオンを選択／濾過し、それらを検出器４４３０に提供するように構成され得る。代替的に、ＳＭＳＣ４４１０、４４２０を各々、所望どおりに無機イオンまたは有機イオンを選択するように構成することができる。以下でより詳細に論じられるように、いくつかの例では、ＳＭＳＣ４４１０、４４２０のうちの１つは、シングル多重極、ダブル多重極、トリプル多重極、または極の他の配置を含む。本明細書に論じられるように、他の例では、ＳＭＳＣ４４１０、４４２０の各々は独立して、シングル多重極、ダブル多重極、トリプル多重極、または極の他の配置を含む。以下でより詳細に論じられるように、検出器４４３０の正確な構成は変化し得る。
【０１９０】
別の構成では、ＭＳコアは、シングル検出器と、移動され得る２つ以上のＳＭＳＣとを備え得る。図４５Ａおよび図４５Ｂを参照すると、システム４５００、例えば、質量分析器は、第１のＳＭＳＣ４５１０と第２のＳＭＳＣ４５２０とを備える。図４５Ａでは、検出器４５３０は、それがＳＭＳＣ４５１０に流体的に結合され、ＳＭＳＣ４５２０から流体的に結合解除される第１の位置に示されている。図４５Ｂに示されるように、ＳＭＳＣ４５１０、４５２０を第２の位置に移動することができ、それにより、ＳＭＳＣ４５２０が検出器４５３０に流体的に結合され、ＳＭＳＣ４５１０が検出器４５３０から流体的に係合解除される。以下でより詳細に論じられるように、検出器４５３０の正確な構成は変化し得る。いくつかの事例では、および本明細書に述べられるように、カルーセル上に様々な構成要素が存在し得、それにより、構成要素の円周方向の回転が所望どおりに構成要素を流体的に結合または結合解除し得る。例えば、９０度の円周方向の回転は第１のＳＭＳＣと検出器とを位置合わせすることができ、別の９０度の円周方向の回転は第２のＳＭＳＣと検出器とを位置合わせすることができる。所望の場合、カルーセル上にサンプル操作コアを存在させて、特定のサンプル操作コアとイオン化コアとの結合／結合解除を可能にすることもできる。
【０１９１】
他の事例では、偏向器を含むインターフェースを２つ以上のＳＭＳＣと１つ以上の検出器との間に存在させて、特定のタイプまたは性質のイオンを所望の検出器に向かって誘導することができる。例えば、偏向器は、一構成では、２つのＳＭＳＣの間に位置付けられて、イオンを第１のＳＭＳＣから第１の偏向器に向かって偏向させるように使用され得、別の構成では、イオンを第２のＳＭＳＣから第１の偏向器に向かって偏向させ得る。偏向器を含むインターフェースは、以下でより詳細に論じられる。図４６Ａおよび図４６Ｂを参照すると、システム４６００、例えば、質量分析器は、第１のＳＭＳＣ４６１０と第２のＳＭＳＣ４６２０とを備える。ＳＭＳＣ４６１０と４６２０との間にインターフェース４６１５が存在する。図４６Ａでは、検出器４６３０は、インターフェース４６１５に流体的に結合されている。インターフェース４６１５内の偏向器の構成に応じて、ＳＭＳＣ４６１０からのイオンを検出器４６３０に提供することができるか（図４６Ａ）、またはＳＭＳＣ４６２０からのイオンを検出器４６３０に提供することができる（図４６Ｂ）。ある特定の構成では、インターフェース４６１５は、イオンをＳＭＳＣ４６１０、４６２０の両方から検出器４６３０に同時に提供するように構成され得る。以下でより詳細に論じられるように、検出器４６３０の正確な構成は変化し得る。
【０１９２】
ある特定の実施形態では、質量分析器内に存在する、本明細書に記載される様々なＭＳコアは、イオンビーム中のイオンの質量電荷比（ｍ／ｚ）に基づいて、イオンを選択／濾過するために使用され得る１つ以上の多重極ロッドアセンブリを備え得る。図４７Ａを参照すると、四重極ロッドアセンブリのうちの１つの例示が示されている。四重極４７００は、ロッド４７１０、４７１２、４７１４、および４７１６を備える。ロッド４７１０、４７１２、４７１４、および４７１６は一緒に、小さなｍ／ｚ範囲内でイオンのみを送達し得る。ロッド４７１０〜４７１６に提供される電気信号を変化させることによって、送達されるイオンのｍ／ｚ範囲を変更することができる。イオン化コア、インターフェースなどからのイオンは、ロッド４７１０〜４７１６を位置付けることによって形成された内部空間に進入し得る。進入するイオンは、典型的には、ロッド４７１０〜４７１６間の空間へと加速され、対向するロッドは、概して、正端子に電気的に結合された片側の対のロッドと、負端子に電気的に結合された反対側の対のロッドとに電気的に接続されている。例えば、ロッド４７１０、４７１４は正の電荷をもつことができ、ロッド４７１２、４７１６は負の電荷をもつことができる。可変周波数のＡＣ電位をロッド４７１０〜４７１６に印加することもできる。イオンを濾過し、濾過されたイオンを検出器（図示せず）に提供するために、ロッド４７１０〜４７１６に印加される電圧を変更して、ｍ／ｚの範囲にわたってスキャンすることができる。本明細書のいくつかの事例では、「Ｑ」という略称を使用して四重極を参照する。例えば、第１の四重極はＱ１として参照することができ、第２の四重極はＱ２などとして参照することができる。各四重極Ｑをサブコアとみなすことができ、１つ、２つ、３つ、またはそれ以上の四重極を組み立ててＭＳコアを提供することができる。特定のＭＳコアにおいて２つ以上の四重極を互いに流体的に結合することによって、イオンを分離、断片化するなどして、複雑な混合物中の分析物のよりよい検出を提供することができる。所望の場合、四重極以外に六重極、八重極、または多重極の構造体をシングルＭＳコア、デュアルコアＭＳ、またはマルチＭＳコアで使用することもできる。
【０１９３】
いくつかの例では、イオントラップを使用して、１つ以上のイオン化コアから受容したイオンを選択／濾過することができる。典型的なイオントラップでは、電場および／または磁場を使用して、ガス状のイオンを形成し、閉じ込めることができる。例えば、イオントラップは、中心のドーナツ形のリング電極と、一対のエンドキャップ電極とを備え得る。可変無線周波数電圧をリング電極に印加することができ、エンドキャップ電極は接地に電気的に結合されている。好適なｍ／ｚ比を有するイオンは、リングによって囲まれた空洞内で好適な軌道で前進する。無線周波数電圧が増加すると、より重いイオンはより安定化し、より軽いイオンは不安定化する。次いで、より軽い電極は、それらの軌道を離れ、ＥＭに提供され得る。無線周波数電圧をスキャンすることができ、イオンが不安定化し、リング電極を退出すると、ＥＭによってイオンを順次検出することができる。
【０１９４】
いくつかの例では、イオントラップをサイクロトロンとして構成することができる。イオンは磁場内に進入すると、次いで、磁場の方向に対して直角な円形平面内で周回する。この運動の角周波数は、サイクロトロン周波数として参照される。無線周波数エネルギーが提供されると、円形路内にトラップされたイオンは、周波数がサイクロトロン周波数と一致している場合にＲＦエネルギーを吸収し得る。エネルギーの吸収は、イオンの速度を増加させる。イオンの円形運動は、一部の期間にわたって減衰するイメージ電流として検出され得る。時間に伴う信号の減衰は、イオンの信号表示を提供する。所望の場合、この減衰をフーリエ変換で使用して、周波数信号を提供することができる。
【０１９５】
他の構成では、本明細書に記載される質量分析器は、１つ以上の磁気セクタ分析器を含み得る。典型的な磁気セクタ分析器では、永久磁石または電磁石は、例えば、１８０度、９０度、または６０度の円形路内を前進するイオンを含み得る。磁石の磁場強度、または検出器のスリット間の加速電位を変化させることによって、出口スリットを横断して異なる質量のイオンをスキャンすることができる。出口スリットを通って退出するイオンは、コレクタ電極に入射し、本明細書に記載されるＥＭと同様に増幅され得る。
【０１９６】
ある特定の実施形態では、２つ以上の四重極ロッドアセンブリを互いに流体的に結合してシングルＭＳコアを提供することができ、シングルＭＳコアはそれ自体でまたは別のシングルＭＳコアとの組み合わせで質量分析器内に存在し得る。図４８Ａを参照すると、第２の四重極アセンブリＱ２  ４８０３に流体的に結合された第１の四重極アセンブリＱ１  ４８０２を備えるシングルＭＳコア４８００の一構成が示されている。ＳＭＳＣ４８００は、イオンをイオン化コアまたはインターフェースから受容して、選択されたイオンを濾過し、それらを検出器（図示せず）に提供し得る。所望どおり、ＳＭＳＣ４８００は、それ自体のそれぞれの検出器を備え得るか、またはインターフェースを介して共通の検出器に流体的に結合され得る。以下に述べられるように、質量分析器の構成に応じて、４８００と同様のアセンブリをデュアルコアＭＳ内で使用することができる。
【０１９７】
他の構成では、ＳＭＳＣは、互いに流体的に結合された３つ以上の四重極ロッドアセンブリを備え得る。図４８Ｂを参照すると、第３の四重極アセンブリＱ３に流体的に結合されている第２の四重極アセンブリＱ２  ４８０７に流体的に結合された第１の四重極アセンブリＱ１  ４８０６を備えるシングルＭＳコア４８０５の一構成が示されている。ＳＭＳＣ４８０５は、イオンをイオン化コアまたはインターフェースから受容して、選択されたイオンを濾過し、それらを検出器（図示せず）に提供し得る。所望どおり、ＳＭＳＣ４８０５は、それ自体のそれぞれの検出器を備え得るか、またはインターフェースを介して共通の検出器に流体的に結合され得る。以下に述べられるように、質量分析器の構成に応じて、４８０５と同様のアセンブリをデュアルコアＭＳ内で使用することができる。
【０１９８】
いくつかの事例では、質量分析器を２つ以上のシングルＭＳコアで構成することが望ましいことがある。図４８Ｃを参照すると、ダブル四重極ロッドアセンブリ４８１１を含む第１のシングルＭＳコアと、ダブル四重極ロッドアセンブリ４８１２を含む第２のシングルＭＳコアとを備える質量分析器４８１０が示されている。シングルＭＳコアアセンブリ４８１１、４８１２は、同じハウジング内に存在し得るが、イオンが１つのイオン化コアからＳＭＳＣ４８１１に提供されることを可能にし、かつイオンが異なるイオン化コアからＳＭＳＣ４８１２に提供されることを可能にするために、互いに流体的に結合解除され得る。例えば、ＳＭＳＣ４８１１は、無機イオンを、例えば、ＲＦ周波数ソース（図示せず）からの２．５ＭＨｚの周波数を使用することによって、無機イオンソースを含むイオン化コアから選択するように構成され得る。例えば、ＳＭＳＣ４８１２は、有機イオンを、例えば、ＲＦ周波数ソース（図示せず）からの１．０ＭＨｚの周波数を使用することによって、有機イオンソースを含むイオン化コアから選択するように構成され得る。本開示の利益を考慮すると、他の周波数を使用することもできることが当業者によって認識されよう。本明細書に述べられるように、ＳＭＳＣ４８１１、４８１２は、望ましくは、ガスコントローラ、プロセッサ、電源、検出器、および真空ポンプを含むが、これらに限定されない共通のＭＳ構成要素を共有し得る。さらに、所望どおり、ＳＭＳＣ４８１１、４８１２は、それ自体のそれぞれの検出器を備え得るか、またはインターフェースを介して共通の検出器に流体的に結合され得る。以下に述べられるように、ＳＭＳＣ４８１１、４８１２のうちの一方または両方を代わりにデュアルコアＭＳとして構成することができる。
【０１９９】
いくつかの例では、質量分析器を、異なるロッドアセンブリの構造体を有する２つ以上のシングルＭＳコアで構成することが望ましいことがある。図４８Ｄを参照すると、ダブル四重極ロッドアセンブリ４８１６を含む第１のシングルＭＳコアと、トリプル四重極ロッドアセンブリ４８１７を含む第２のシングルＭＳコアとを備える質量分析器４８１５が示されている。シングルＭＳコアロッドアセンブリ４８１６、４８１７は、同じハウジング内に存在し得るが、イオンが１つのイオン化コアからＳＭＳＣ４８１６に提供されることを可能にし、かつイオンが異なるイオン化コアからＳＭＳＣ４８１７に提供されることを可能にするために、互いに流体的に結合解除され得る。例えば、ＳＭＳＣ４８１６は、無機イオンを、例えば、ＲＦ周波数ソース（図示せず）からの２．５ＭＨｚの周波数を使用することによって、無機イオンソースを含むイオン化コアから選択するように構成され得る。例えば、ＳＭＳＣ４８１７は、有機イオンを、例えば、ＲＦ周波数ソース（図示せず）からの１．０ＭＨｚの周波数を使用することによって、有機イオンソースを含むイオン化コアから選択するように構成され得る。代替的に、ＳＭＳＣ４８１７は、無機イオンを、例えば、ＲＦ周波数ソース（図示せず）からの２．５ＭＨｚの周波数を使用することによって、無機イオンソースを含むイオン化コアから選択するように構成され得、ＳＭＳＣ４８１６は、有機イオンを、例えば、ＲＦ周波数ソース（図示せず）からの１．０ＭＨｚの周波数を使用することによって、有機イオンソースを含むイオン化コアから選択するように構成され得る。本開示の利益を考慮すると、他の周波数を使用することもできることが当業者によって認識されよう。本明細書に述べられるように、ＳＭＳＣ４８１６、４８１７は、望ましくは、ガスコントローラ、プロセッサ、電源、および真空ポンプを含むが、これらに限定されない共通のＭＳ構成要素を共有し得る。さらに、所望どおり、ＳＭＳＣ４８１６、４８１７は、それら自体のそれぞれの検出器を備え得るか、またはインターフェースを介して共通の検出器に流体的に結合され得る。以下に述べられるように、ＳＭＳＣ４８１６、４８１７のうちの一方または両方を代わりにデュアルコアＭＳとして構成することができる。
【０２００】
ある特定の構成では、質量分析器を、トリプルロッドの構造体を有する２つ以上のシングルＭＳコアで構成することが望ましいことがある。図４８Ｅを参照すると、トリプル四重極ロッドアセンブリ４８２１を含む第１のシングルＭＳコアと、トリプル四重極ロッドアセンブリ４８２２を含む第２のシングルＭＳコアとを備える質量分析器４８２０が示されている。シングルＭＳコアロッドアセンブリ４８２１、４８２２は、同じハウジング内に存在し得るが、イオンが１つのイオン化コアからＳＭＳＣ４８２１に提供されることを可能にし、かつイオンが異なるイオン化コアからＳＭＳＣ４８２２に提供されることを可能にするために、互いに流体的に結合解除され得る。例えば、ＳＭＳＣ４８２１は、無機イオンを、例えば、ＲＦ周波数ソース（図示せず）からの２．５ＭＨｚの周波数を使用することによって、無機イオンソースを含むイオン化コアから選択するように構成され得る。例えば、ＳＭＳＣ４８２２は、有機イオンを、例えば、ＲＦ周波数ソース（図示せず）からの１．０ＭＨｚの周波数を使用することによって、有機イオンソースを含むイオン化コアから選択するように構成され得る。代替的に、ＳＭＳＣ４８２２は、無機イオンを、例えば、ＲＦ周波数ソース（図示せず）からの２．５ＭＨｚの周波数を使用することによって、無機イオンソースを含むイオン化コアから選択するように構成され得、ＳＭＳＣ４８２１は、有機イオンを、例えば、ＲＦ周波数ソース（図示せず）からの１．０ＭＨｚの周波数を使用することによって、有機イオンソースを含むイオン化コアから選択するように構成され得る。本開示の利益を考慮すると、他の周波数を使用することもできることが当業者によって認識されよう。本明細書に述べられるように、ＳＭＳＣ４８２１、４８２２は、望ましくは、ガスコントローラ、プロセッサ、電源、および真空ポンプを含むが、これらに限定されない共通のＭＳ構成要素を共有し得る。さらに、所望どおり、ＳＭＳＣ４８２１、４８２２は、それら自体のそれぞれの検出器を備え得るか、またはインターフェースを介して共通の検出器に流体的に結合され得る。以下に述べられるように、ＳＭＳＣ４８２１、４８２２のうちの一方または両方を代わりにデュアルコアＭＳとして構成することができる。
【０２０１】
ある特定の構成では、質量分析器内に３つ以上のシングルＭＳコアが存在し得る。例えば、質量分析器内に３つ、４つ、５つ、またはそれ以上のＳＭＳＣが存在し、イオンを検出するために使用され得る。加えて、本明細書により詳細に述べられるように、シングルＭＳコアを１つのデュアルコアＭＳまたは複数のデュアルコアＭＳと組み合わせて使用することもできる。
【０２０２】
ある特定の構成では、本明細書に記載されるシステムは、質量分析器内に存在する１つ以上のデュアルコア質量分析計（ＤＣＭＳ）を備え得る。ＤＣＭＳは、使用条件に応じて、無機イオンおよび有機イオンの両方を濾過／選択するように構成され得る。例えば、一事例では、デュアルコアＭＳは、同じ物理的構成要素を備えるが、異なるタイプのイオンを選択するように異なる周波数を使用して操作され得、例えば、ＤＣＭＳは、共通の多重極ロッドアセンブリのような共通のハードウェアを使用して、ＤＣＭＳの構成に応じて無機イオンおよび／または有機イオンの両方を提供し得る。いくつかの事例では、ＤＣＭＳは、無機イオン、例えば、最大約３００ａｍｕの質量を有するイオンを選択／濾過するように約２．５ＭＨｚの周波数を使用して操作され得、かつ有機イオン、例えば、３００ａｍｕ超〜約２０００ａｍｕの質量を有するイオンを選択／濾過するように約１ＭＨｚの周波数で操作され得る。ＤＣＭＳは、それが２つの周波数の間を交互にするという点でバイナリであり得るか、または所望の場合に追加の周波数が使用され得る。ＳＭＳＣは、典型的には、無機イオンまたは有機イオンのいずれかを提供するように設計されているという点でユニタリである。図４９Ａを参照すると、ＤＣＭＳ４９１０を含む質量分析器４９００は、無機イオンを提供し、次いで、それらの無機イオンを、検出器４９３０を使用した検出のために選択／濾過するように構成されたイオン化コア（図示せず）からイオンを受容するように構成され得る。別の事例では、ＤＣＭＳ４９１０を含む質量分析器は、有機イオンを提供し、次いで、それらのイオンを、検出器４９３０（図４９Ｂを参照）を使用した検出のために選択／濾過するように構成されたイオン化コアからイオンを受容するように構成され得る。無機イオンおよび有機イオンの両方をリアルタイムで、例えば、順次検出するように質量分析器４９００を前後に切り換えることができるか、または無機イオンを検出し、次いで、所望どおりに有機イオンの検出に切り換えるようにシステム４９００を構成することができる。ＤＣＭＳの使用時に、検出器４９３０は静止したままでもよいし、または所望の場合には、ＤＣＭＳとの流体的な結合へと移動する様々な検出器と共に２つ以上の検出器を使用することができる。共通のハードウェア構成要素を有するＤＣＭＳを使用して、無機イオンおよび有機イオンの両方、例えば、少なくとも３、４、または５ａｍｕ〜最大約２０００ａｍｕの質量を有するイオンを濾過／検出することができるということが実質的な特質である。
【０２０３】
ＤＣＭＳを含む質量分析器の正確な構成は変化し得るが、ＤＣＭＳは、典型的には、ＳＭＳＣと同様、１つ以上の多重極の構造体を含む。いくつかの事例では、本明細書に述べられる選択／濾過のために、ＤＣＭＳの多重極（複数可）を可変周波数発生器に電気的に結合して、所望の周波数を極に提供することができる。ＤＣＭＳは、共通のオプティクス、レンズ、偏向器などを含み、印加された周波数の動的変化を使用して、無機イオンまたは有機イオンのいずれかを選択／濾過することができる。例えば、本システムは、サンプル分析中に、無機イオンおよび有機イオンの両方を検出するために、ミリ秒または数ミリ秒ごとに周波数を切り換えるように構成され得る。さらに、ＤＣＭＳを、ＳＭＳＣ、別のＤＣＭＳ、または他の質量分析計コアと組み合わせて使用することができる。複数のイオン化ソースが存在する場合、２つのイオン化ソースからのイオンの流れを方向付けるために、イオン化ソースとＤＣＭＳとの間にインターフェースが存在し得る。ＤＣＭＳは、共通の入口と共通の出口とを備えることができるか、またはいくつかの事例では、イオンをＤＣＭＳ内におよび／またはＤＣＭＳの外へ選択的に誘導するために、２つ以上の入口および／出口が存在し得る。いくつかの例では、ＤＣＭＳは、所望どおりシステムの他の構成要素に流体的に結合され得る「プラグ着脱可能な」モジュールの一部であり得る。さらに、ＤＣＭＳをカルーセルまたは他の円周方向に回転するテーブルの上に位置付けて、ＤＣＭＳとシステムの所望のコアとを流体的に結合および結合解除することができる。
【０２０４】
ある特定の実施形態では、本明細書に示される四重極ロッドアセンブリのうちの任意の１つ以上を、磁気セクタ分析器、イオントラップ、または他の好適なタイプの質量分析器と交換することができる。さらに、所望の場合、イオントラップを多重極ロッドアセンブリと共に使用して、イオンをトラップおよび／または検出することができる。
【０２０５】
ある特定の実施形態では、本明細書に記載されるＭＳコアは、無機イオンおよび有機イオンを検出するための１つ以上の検出器を含み得るかまたはそれらに流体的に結合され得る。使用される検出器の正確な性質は、サンプル、所望の感度、および他の考慮事項に依存し得る。いくつかの例では、ＭＳコアは、少なくとも１つの電子増倍器（ｅｌｅｃｔｒｏｎ  ｍｕｌｔｉｐｌｉｅｒ、ＥＭ）を含むかまたはそれに流体的に結合されている。いずれの特定の理論にも縛られるのを望むことなく、電子増倍器は、概して、入射イオンを受容し、イオンに対応する信号を増幅し、結果として生じた電流または電圧を検出されたイオンのインジケータとして提供する。信号は、イオンに衝突したときに電子を放射するオフセット電圧を有する一連のダイノードを使用して増幅され得る。１０〜２０個のダイノードを有する電子増倍器は、１０７以上の電流利得と共通である。離散および連続ダイノード電子増倍器の両方を本明細書に記載されるコアと共に使用することができる。図５０を参照すると、電子増倍器の簡単な例示が示されている。ＥＭ５０００は、コレクタ（またはアノード）５０３５と、コレクタ５０３５の上流の複数のダイノード（集合的に５０２５および個々では５０２６〜５０３３）とを備える。示されていないが、検出器５０００の構成要素は、典型的には、（真空下で）管またはハウジング内に位置付けられることになり、好適な角度でイオンビーム５０２０を第１のダイノード５０２６に提供するように、焦点レンズまたは他の構成要素も含み得る。検出器５０００の使用時に、イオンビーム５０２０は、イオン信号をビーム５０２２として示される電気信号に変換する第１のダイノード５０２６に入射する。いくつかの実施形態では、ダイノード５２６（およびダイノード５０２７〜５０３３）は、入射表面上の材料の薄膜を含むことができ、それは、イオンを受容し、表面から対応する電子の射出を引き起こし得る。イオンビーム５０２０からのエネルギーは、電子放出による電気信号にダイノード５２６によって変換される。イオンごとに射出される電子の正確な数は、材料の仕事関数および入射イオンのエネルギーに少なくとも部分的に依存する。ダイノード５０２６によって放出された二次電子は、下流ダイノード５０２７の大まかな方向に放出される。例えば、分圧回路、抵抗器ラダー、または他の好適な回路網を使用して、各下流ダイノードに対してより正の電圧を提供することができる。ダイノード５０２６とダイノード５０２７との間の電位差は、ダイノード５０２６から射出された電子がダイノード５０２７に向かって加速することを引き起こす。正確な加速レベルは、使用される利得に少なくとも部分的に依存する。ダイノード５０２７は、典型的には、ダイノード５０２７に向かう、ダイノード５０２６によって放出された電子の加速を引き起こすように、ダイノード５０２６より、例えば、１００〜２００ボルト、より正の電圧で保持される。ダイノード５０２７から電子が放出されると、電子は、ビーム５０４０で示されるように、下流ダイノード５０２８に向かって加速される。連続的な各ダイノードステージが上流ダイノードによって放出される電子の数よりも多くの電子を放���するカスケード機構が提供される。結果として生じた増幅信号を任意選択のコレクタ５０３５に提供することができ、コレクタ５０３５は、典型的には、ＥＭ検出器５０００の１つ以上の電気カプラを通って電流を外部回路に出力する。コレクタ５０３５で測定された電流を使用して、毎秒到達するイオンの量、特定のイオン、例えば、サンプルまたは他の属性のイオン中に存在する、選択された質量電荷比を有する特定のイオンの量を判定することができる。所望の場合、測定された電流を使用して、従来の標準曲線技法を使用してイオンの濃度または量を定量化することができる。概して、検出される電流は、ダイノード５０２６から射出された電子の数に依存し、これは、入射イオンの数およびデバイス５０００の利得に比例する。例示のＥＭデバイスおよびＥＭに基づくデバイスは、ＰｅｒｋｉｎＥｌｍｅｒ  Ｈｅａｌｔｈ  Ｓｃｉｅｎｃｅｓ，Ｉｎｃ．（Ｗａｌｔｈａｍ，ＭＡ）から市販されており、例えば、本発明の譲受人に譲渡された米国特許第９，２６９，５５２号および同第９，３９６，９１４号に記載されている。
【０２０６】
他の例では、ファラデーカップを検出器として、本明細に記載されるコアと共に使用することができる。ＭＳコアを退出するイオンは、ケージ内に位置付けられたコレクタ電極に衝突し得る。正イオンの電荷は、接地から抵抗器までの電子の流れによって中和される。結果として生じた抵抗器を横断する電位降下を高インピーダンス増幅器によって増幅することができる。１つ以上のファラデーカップを本明細書に記載されるシステム内で使用することができる。さらに、ファラデーカップをＥＭまたは他のタイプの検出器と組み合わせて使用することができる。ファラデーカップ５１００の１つの例示を図５１に示す。カップ５１００は、質量分析器（図示せず）からイオンを受容し得る入口５１０５を備える。イオンは、ケージ５１２０に囲まれたコレクタ電極５１１０に衝突する。ケージ５１２０は、反射イオンおよび二次電子の脱出を防止するように構成されている。コレクタ電極  ５１１０は、概して、入来イオンの入射角に対して傾斜しているため、電極５１１０に入射するか、または電極５１１０を出る粒子は、ケージ５１２０の戸口から離れる方向に反射される。コレクタ電極５１１０およびケージ５１２０は、抵抗器５１４０を通って接地５１３０に電気的に結合されている。電極５１１０に衝突するイオンの電荷は、抵抗器５１４０を通る電子の流れによって中和される。抵抗器５１４０を横断する電位降下を高インピーダンス増幅器によって増幅することができる。イオン抑制器５１５０ａ、ｂを存在させてバックグラウンドノイズを低減することもできる。
【０２０７】
いくつかの例では、本明細書に記載されるシステムは、シンチレーション検出器を備え得る。シンチレーション検出器は、金属シート上に配設された結晶性蛍光体物質を含む。金属シートは、光電子増倍管の窓として装着され得るかまたは機能し得る。入射イオンは、蛍光体に突き当り、蛍光体をシンチレーションさせる。この信号は、ＥＭのものと同様のダイノード配置を使用して増幅および検出され得る。
【０２０８】
ある特定の実施形態では、本明細書に記載されるシステムと共に使用される検出器は、イメージャを含む。イメージャと共に使用されるイオン化コアの正確なタイプは変化し得、イメージャと共に使用される共通のイオン化コアとしては、ＭＡＬＤＩソースおよびＳＩソースが挙げられるが、これらに限定されない。イメージャは、１つ以上の他の検出器、例えば、ＥＭ、ＴＯＦ、またはそれらの組み合わせを含むことができ、これらをソフトウェアと一緒に使用して、分析される表面、組織などの二次元または三次元マップを提供することができる。いくつかの実施形態では、検出されたイオンを特定の座標サイトで使用して個々のピクセルを生成、例えば、所望の場合、色分けして、分析物表面または分析される材料の視覚イメージを提供することができる。本明細書に記載されるシステムは、本明細書に記載されるシステムを使用して、表面、組織、コーティングなどの上の無機イオンおよび有機イオンを検出し、シングルＭＳシステムを使用してイメージマップを提供するように、検出されたイオンを使用し得る。
【０２０９】
他の構成では、本明細書に記載されるシステムと共に使用される検出器は、マイクロチャネルプレート（ｍｉｃｒｏｃｈａｎｎｅｌ  ｐｌａｔｅ、ＭＣＰ）検出器を含み得る。正確な構成は変化し得るが、マイクロチャネルプレートは、典型的には、複数のチャネルを備え、チャネルの各々は、イオンを受容し、イオンの信号表示を増幅し得る。ＭＣＰ検出器は、互いに分離した多くの管またはスロットを備えることができ、それにより、各管またはスロットが電子増倍器と同様に機能する。多くのＭＣＰはシェブロン構成を有し、２つのＭＣＰがＶ字型構造を形成し、信号が２つのＭＣＰの両方を使用して増幅される。代替的に、３つのＭＣＰを使用して、ＭＣＰのＺスタックを形成することができる。ＭＣＰを使用する追加の構成もまた可能である。
【０２１０】
ある特定の例における、シングルコアＭＳを含む質量分析器に流体的に結合された検出器を備えるシステムの様々な構成を図５２Ａ〜図５２Ｅに示す。図５２Ａを参照すると、システム５２００は、四重極ロッドアセンブリＱ１およびＱ２を含むシングルＭＳコア５２０２を備える。２つのクアッドＳＭＳＣ５２０２は、検出器５２０３に流体的に結合されている。いくつかの例では、検出器５２０３は、電子増倍器を含む。他の例では、検出器５２０３は、ファラデーカップを含む。さらなる例では、検出器５２０３は、ＭＣＰを含む。追加の例では、検出器５２０３は、イメージャを含む。他の例では、検出器５２０３は、シンチレーション検出器を含む。イオンをＳＭＳＣ５２０２に提供することができ、選択されたイオンを検出のために検出器５２０３に提供することができる。いくつかの事例では、ＳＭＳＣ５２０２は、無機イオンソースを含むイオン化コアからイオンを受容するように構成されている。他の構成では、ＳＭＳＣ５２０２は、有機イオンソースを含むイオン化コアからイオンを受容するように構成されている。所望の場合、ＳＭＳＣ５２０２を代わりにデュアルコアＭＳとして構成することができる。
【０２１１】
いくつかの例では、３つの四重極ロッドアセンブリを含むＳＭＳＣを本明細書に記載される検出器と共に使用することができる。図５２Ｂを参照すると、システム５２０５は、四重極ロッドアセンブリＱ１、Ｑ２、およびＱ３を含むシングルＭＳコア５２０６を備える。３つのクアッドＳＭＳＣ５２０２は、検出器５２０７に流体的に結合されている。いくつかの例では、検出器５２０７は、電子増倍器を含む。他の例では、検出器５２０７は、ファラデーカップを含む。さらなる例では、検出器５２０７は、ＭＣＰを含む。追加の例では、検出器５２０７は、イメージャを含む。他の例では、検出器５２０７は、シンチレーション検出器を含む。イオンをＳＭＳＣ５２０６に提供することができ、選択されたイオンを検出のために検出器５２０７に提供することができる。いくつかの事例では、ＳＭＳＣ５２０６は、無機イオンソースを含むイオン化コアからイオンを受容するように構成されている。他の構成では、ＳＭＳＣ５２０６は、有機イオンソースを含むイオン化コアからイオンを受容するように構成されている。所望の場合、ＳＭＳＣ５２０６を代わりにデュアルコアＭＳとして構成することができる。
【０２１２】
いくつかの例では、２つのＳＭＳＣをシングル検出器と共に使用することができる。図５２Ｃを参照すると、システム５２１０は、四重極ロッドアセンブリＱ１およびＱ２を含むシングルＭＳコア５２１１と、四重極ロッドアセンブリＱ１およびＱ２を含むシングルＭＳコア５２１２とを備える。２つのクアッドＳＭＳＣ５２１１、５２１２は、検出器５２１３に流体的に結合され得る。いくつかの例では、検出器５２１３は、電子増倍器を含む。他の例では、検出器５２１３は、ファラデーカップを含む。さらなる例では、検出器５２１３は、ＭＣＰを含む。追加の例では、検出器５２１３は、イメージャを含む。他の例では、検出器５２１３は、シンチレーション検出器を含む。イオンをＳＭＳＣ５２１１、５２１２に提供することができ、選択されたイオンを検出のために検出器５２１３に提供することができる。いくつかの構成では、ＳＭＳＣ５２１１、５２１２は、任意の選択された分析期間中にイオンを検出器５２１３に提供するように構成されたインターフェース（図示せず）を介して検出器５２１３に流体的に結合され得る。例えば、ＳＭＳＣ５２１１は、イオン化コアから無機イオンを受容し、無機イオンを選択し、選択された無機イオンを検出器５２１３に提供するように構成され得る。例えば、ＳＭＳＣ５２１２は、イオン化コアから有機イオンを受容し、有機イオンを選択し、選択された有機イオンを検出器５２１３に提供するように構成され得る。本明細書に述べられるように、ＳＭＳＣ５２１１、５２１２は、望ましくは、ガスコントローラ、プロセッサ、電源、および真空ポンプを含むが、これらに限定されない共通のＭＳ構成要素を共有し得る。所望の場合、ＳＭＳＣ５２１１、５２１２のうちの一方または両方を代わりにデュアルコアＭＳとして構成することができる。
【０２１３】
いくつかの例では、２つのＳＭＳＣを２つの検出器と共に使用することができる。図５２Ｄを参照すると、システム５２２０は、四重極ロッドアセンブリＱ１およびＱ２を含むシングルＭＳコア５２２１と、四重極ロッドアセンブリＱ１およびＱ２を含むシングルＭＳコア５２２２とを備える。２つのクアッドＳＭＳＣ５２２１、５２２２は、それぞれの検出器５２２３、５２２５に流体的に結合され得る。いくつかの例では、検出器５２２３は、電子増倍器を含む。他の例では、検出器５２２３は、ファラデーカップを含む。さらなる例では、検出器５２２３は、ＭＣＰを含む。追加の例では、検出器５２２３は、イメージャを含む。他の例では、検出器５２２３は、シンチレーション検出器を含む。いくつかの例では、検出器５２２５は、電子増倍器を含む。他の例では、検出器５２２５は、ファラデーカップを含む。さらなる例では、検出器５２２５は、ＭＣＰを含む。追加の例では、検出器５２２５は、イメージャを含む。他の例では、検出器５２２５は、シンチレーション検出器を含む。イオンをＳＭＳＣ５２２１、５２２２に提供することができ、選択されたイオンを検出のために検出器５２２３、５２２５に提供することができる。例えば、ＳＭＳＣ５２２１は、イオン化コアから無機イオンを受容し、無機イオンを選択し、選択された無機イオンを検出器５２２３に提供するように構成され得る。ＳＭＳＣ５２２２は、イオン化コアから有機イオンを受容し、有機イオンを選択し、選択された有機イオンを検出器５２２５に提供するように構成され得る。本明細書に述べられるように、ＳＭＳＣ５２２１、５２２２は、望ましくは、ガスコントローラ、プロセッサ、電源、および真空ポンプを含むが、これらに限定されない共通のＭＳ構成要素を共有し得る。所望の場合、ＳＭＳＣ５２２１、５２２２のうちの一方または両方を代わりにデュアルコアＭＳとして構成することができる。
【０２１４】
いくつかの例では、異なる構成の２つのＳＭＳＣをシングル検出器または２つの検出器と共に使用することができる。図５２Ｅを参照すると、システム５２３０は、四重極ロッドアセンブリＱ１およびＱ２を含むシングルＭＳコア５２３１と、四重極ロッドアセンブリＱ１、Ｑ２、およびＱ３を含むシングルＭＳコア５２３２とを備える。ＳＭＳＣ５２３１、５２３２は、検出器５２３３に流体的に結合され得る。いくつかの例では、検出器５２３３は、電子増倍器を含む。他の例では、検出器５２３３は、ファラデーカップを含む。さらなる例では、検出器５２３３は、ＭＣＰを含む。追加の例では、検出器５２３３は、イメージャを含む。他の例では、検出器５２３３は、シンチレーション検出器を含む。イオンをＳＭＳＣ５２３１、５２３２に提供することができ、選択されたイオンを検出のために検出器５２３３に提供することができる。いくつかの構成では、ＳＭＳＣ５２３１、５２３２は、任意の選択された分析期間中にイオンを検出器５２１３に提供するように構成されたインターフェース（図示せず）を介して検出器５２３３に流体的に結合され得る。他の事例では、第２の検出器が、ＳＭＳＣ５２３１、５２３２のうちの１つに流体的に結合される１つの検出器と共に存在し得る。いくつかの事例では、ＳＭＳＣ５２３１は、イオン化コアから無機イオンを受容し、無機イオンを選択し、選択された無機イオンを検出器５２３３に提供するように構成され得る。ＳＭＳＣ５２３２は、イオン化コアから有機イオンを受容し、有機イオンを選択し、選択された有機イオンを検出器５２３３に提供するように構成され得る。他の事例では、ＳＭＳＣ５２３２は、イオン化コアから無機イオンを受容し、無機イオンを選択し、選択された無機イオンを検出器５２３３に提供するように構成され得る。ＳＭＳＣ５２３１は、イオン化コアから有機イオンを受容し、有機イオンを選択し、選択された有機イオンを検出器５２３３に提供するように構成され得る。本明細書に述べられるように、ＳＭＳＣ５２１１、５２１２は、望ましくは、ガスコントローラ、プロセッサ、電源、および真空ポンプを含むが、これらに限定されない共通のＭＳ構成要素を共有し得る。所望の場合、ＳＭＳＣ５２３１、５２３２のうちの一方または両方を代わりにデュアルコアＭＳとして構成することができる。
【０２１５】
ある特定の実施形態では、デュアルコアＭＳを本明細書に記載される検出器と共に使用することができる。図５３Ａを参照すると、デュアルコアＭＳ５３０２は、四重極ロッドアセンブリＱ１およびＱ２を備える。ＤＣＭＳ５３０２は、検出器５３０３、５３０４のうちの１つに、例えば、インターフェースを介してか、またはＤＣＭＳ５３０２もしくは検出器５３０３、５３０４を移動することによって、流体的に結合され得る。いくつかの例では、検出器５３０３は、電子増倍器を含む。他の例では、検出器５３０３は、ファラデーカップを含む。さらなる例では、検出器５３０３は、ＭＣＰを含む。追加の例では、検出器５３０３は、イメージャを含む。他の例では、検出器５３０３は、シンチレーション検出器を含む。いくつかの例では、検出器５３０４は、電子増倍器を含む。他の例では、検出器５３０４は、ファラデーカップを含む。さらなる例では、検出器５３０４は、ＭＣＰを含む。追加の例では、検出器５３０４は、イメージャを含む。他の例では、検出器５３０４は、シンチレーション検出器を含む。いくつかの例では、ＤＣＭＳ５３０２は、例えば、約２．５ＭＨｚの無線周波数を使用して、無機イオンを無機イオンソースから選択するように構成されており、そのうえ、選択された無機イオンを検出器５３０３に提供することができる。他の例では、ＤＣＭＳ５３０２は、例えば、約１．０ＭＨｚの無線周波数を使用して、有機イオンを有機イオンソースから選択するように構成されており、そのうえ、選択された有機イオンを検出器５３０４に提供することができる。所望どおりにイオンを検出器５３０３、５３０４のうちの特定の１つに方向付けるために、インターフェース（図示せず）が存在し得る。
【０２１６】
他の構成では、および図５３Ｂを参照すると、デュアルコアＭＳ５３０４は、四重極ロッドアセンブリＱ１、Ｑ２、およびＱ３を備える。３つのクアッドＤＣＭＳ５３０５は、検出器５３０７、５３０８のうちの１つに、例えば、インターフェースを介してか、またはＤＣＭＳ５３０６もしくは検出器５３０７、５３０８を移動することによって、流体的に結合され得る。いくつかの例では、検出器５３０７は、電子増倍器を含む。他の例では、検出器５３０７は、ファラデーカップを含む。さらなる例では、検出器５３０７は、ＭＣＰを含む。追加の例では、検出器５３０７は、イメージャを含む。他の例では、検出器５３０７は、シンチレーション検出器を含む。いくつかの例では、検出器５３０８は、電子増倍器を含む。他の例では、検出器５３０８は、ファラデーカップを含む。さらなる例では、検出器５３０８は、ＭＣＰを含む。追加の例では、検出器５３０８は、イメージャを含む。他の例では、検出器５３０８は、シンチレーション検出器を含む。いくつかの例では、ＤＣＭＳ５３０５は、例えば、約２．５ＭＨｚの無線周波数を使用して、無機イオンを無機イオンソースから選択するように構成されており、そのうえ、選択された無機イオンを検出器５３０７に提供することができる。他の例では、ＤＣＭＳ５３０５は、例えば、約１．０ＭＨｚの無線周波数を使用して、有機イオンを有機イオンソースから選択するように構成されており、そのうえ、選択された有機イオンを検出器５３０８に提供することができる。所望どおりにイオンを検出器５３０３、５３０４のうちの特定の１つに方向付けるために、インターフェース（図示せず）が存在し得る。所望の場合、ＤＣＭＳ５３０６を代わりにシングルＭＳコアとして構成することができる。
【０２１７】
ある特定の例では、本明細書に記載されるシステムと共に使用される検出器は、質量分析器の一部であり得る。例えば、飛行時間（ｔｉｍｅ  ｏｆ  ｆｌｉｇｈｔ、ＴＯＦ）検出器は、イオンを１つ以上のイオン化コアから濾過および検出するように構成され得る。典型的なＴＯＦの構成では、サンプルと電子、二次イオン、または光子のパルスとの衝撃によって正イオンを生成することができる。正確なパルス周波数は、例えば、１０〜５０ＫＨｚで変化し得る。結果として生じた生成されるイオンは、同じ周波数であるが時間がシフトした電場パルスによって加速され得る。加速イオンを電場がないドリフト管に提供することができる。イオンの速度はイオンの質量と反比例して変化し、より軽い粒子はより重い粒子よりも早く検出器に到達する。典型的な飛行時間は、１マイクロ秒〜３０マイクロ秒以上の間で変化し得る。ＴＯＦの検出器部分は、ＥＭと同じにまたは同様に構築され得る。質量分析器／検出器のある特定の例示を図５４Ａ〜図５４Ｄに示す。図５４Ａを参照すると、シングルＭＳコア質量分析器／検出器５４００は、第２の四重極アセンブリＱ２  ５４０３に流体的に結合された第１の四重極アセンブリＱ１  ５４０２を備え得る。Ｑ２  ５４０３は、ＴＯＦ５４０４に流体的に結合されている。ＳＭＳＣ／検出器５４００は、イオンをイオン化コアまたはインターフェースから受容し、選択されたイオンを濾過し、ＴＯＦ５４０４を使用してイオンを検出し得る。所望の場合、ＳＭＳＣ／検出器５４００は、インターフェースを介して２つ以上のイオン化コアに流体的に結合され得るため、無機イオンおよび／または有機イオンを受容することができる。いくつかの例では、ＳＭＳＣ５４０２を代わりにデュアルコアＭＳとして構成することができる。
【０２１８】
他の構成では、１つ以上の他のシングルＭＳコア、デュアルコアＭＳ、またはマルチＭＳコアに関連してＴＯＦを使用することができる。例えば、および図５４Ｂを参照すると、四重極アセンブリＱ１およびＱ２を含む第１のシングルＭＳコア５４１２を備えるシステム５４１０を、四重極アセンブリＱ１、Ｑ２、およびＴＯＦを含むシングルＭＳコア／検出器５４１４と共に使用することができる。異なるコア５４１２、５４１４は、同じハウジング内に存在し得るが、イオンが１つのイオン化コアからＳＭＳＣ５４１２に提供されることを可能にし、かつイオンが異なるイオン化コアからＳＭＳＣ／検出器５４１４に提供されることを可能にするために、互いに流体的に結合解除され得る。例えば、ＳＭＳＣ５４１２は、無機イオンを、例えば、ＲＦ周波数ソース（図示せず）からの２．５ＭＨｚの周波数を使用することによって、無機イオンソースを含むイオン化コアから選択するように構成され得る。ＳＭＳＣ／検出器５４１４は、有機イオンを、例えば、ＲＦ周波数ソース（図示せず）からの１．０ＭＨｚの周波数を使用することによって、有機イオンソースを含むイオン化コアから選択および検出するように構成され得る。他の構成では、ＳＭＳＣ５４１２は、有機イオンを、例えば、ＲＦ周波数ソース（図示せず）からの１ＭＨｚの周波数を使用することによって、有機イオンソースを含むイオン化コアから選択するように構成され得る。ＳＭＳＣ／検出器５４１４は、無機イオンを、例えば、ＲＦ周波数ソース（図示せず）からの２．５ＭＨｚの周波数を使用することによって、無機イオンソースを含むイオン化コアから選択および検出するように構成され得る。本開示の利益を考慮すると、他の周波数を使用することもできることが当業者によって認識されよう。本明細書に述べられるように、ＳＭＳＣ５４１２、５４１４は、望ましくは、ガスコントローラ、プロセッサ、電源、および真空ポンプを含むが、これらに限定されない共通のＭＳ構成要素を共有し得る。ＳＭＳＣ５４１２は、典型的には、検出器（図示せず）に流体的に結合されている。いくつかの例では、ＳＭＳＣ５４１２、５４１４のうちの一方または両方を代わりにデュアルコアＭＳとして構成することができる。
【０２１９】
他の構成では、１つ以上の他のシングルＭＳコア、デュアルコアＭＳ、またはマルチＭＳコアに関連して２つ以上のＴＯＦを使用することができる。例えば、および図５４Ｃを参照すると、四重極アセンブリＱ１およびＱ２とＴＯＦとを含む第１のシングルＭＳコア／検出器５４２２を備るシステム５４２０、例えば、質量分析器を、四重極アセンブリＱ１、Ｑ２、およびＴＯＦを含むシングルＭＳコア／検出器５４２４と共に使用することができる。異なるコア５４２２、５４２４は、同じハウジング内に存在し得るが、イオンが１つのイオン化コアからＳＭＳＣ／検出器５４２２に提供されることを可能にし、かつイオンが異なるイオン化コアからＳＭＳＣ／検出器５４２４に提供されることを可能にするために、互いに流体的に結合解除され得る。例えば、ＳＭＳＣ／検出器５４２２は、無機イオンを、例えば、ＲＦ周波数ソース（図示せず）からの２．５ＭＨｚの周波数を使用することによって、無機イオンソースを含むイオン化コアから選択するように構成され得る。ＳＭＳＣ／検出器５４２４は、有機イオンを、例えば、ＲＦ周波数ソース（図示せず）からの１．０ＭＨｚの周波数を使用することによって、有機イオンソースを含むイオン化コアから選択および検出するように構成され得る。他の構成では、ＳＭＳＣ／検出器５４２２は、有機イオンを、例えば、ＲＦ周波数ソース（図示せず）からの１ＭＨｚの周波数を使用することによって、有機イオンソースを含むイオン化コアから選択するように構成され得る。ＳＭＳＣ／検出器５４２４は、無機イオンを、例えば、ＲＦ周波数ソース（図示せず）からの２．５ＭＨｚの周波数を使用することによって、無機イオンソースを含むイオン化コアから選択および検出するように構成され得る。本開示の利益を考慮すると、他の周波数を使用することもできることが当業者によって認識されよう。本明細書に述べられるように、ＳＭＳＣ／検出器５４２２、５４２４は、望ましくは、ガスコントローラ、プロセッサ、電源、および真空ポンプを含むが、これらに限定されない共通のＭＳ構成要素を共有し得る。
【０２２０】
ある特定の実施形態では、ＴＯＦをデュアルコアＭＳと共に使用することができる。例えば、および図５４Ｄを参照すると、デュアルコアＭＳ５４３０は、四重極アセンブリＱ１およびＱ２と、ＴＯＦとを備える。ＤＣＭＳ／検出器５４３２は、無機イオンを、例えば、Ｑ１および／またはＱ２に電気的に結合されたＲＦ周波数ソース（図示せず）からの２．５ＭＨｚの周波数を使用することによって、無機イオンソースを含むイオン化コアから選択するように構成され得る。ＤＣＭＳ／検出器５４２４は、有機イオンを、例えば、ＲＦ周波数ソース（図示せず）からの１．０ＭＨｚの周波数を使用することによって、有機イオンソースを含むイオン化コアから選択および検出するように構成され得る。本開示の利益を考慮すると、他の周波数を使用することもできることが当業者によって認識されよう。本明細書に述べられるように、他のＭＳコアがシステム５４３０内に存在する場合、ＤＣＭＳ／検出器５４３２は、望ましくは、ガスコントローラ、プロセッサ、電源、および真空ポンプを含むが、これらに限定されない共通のＭＳ構成要素を共有し得る。
【０２２１】
図５４Ａ〜図５４Ｄには示されていないが、ＴＯＦを含むシングルＭＳコアを、ＴＯＦを含み得るか、または例えば、ＥＭ、ファラデーカップ、シンチレーション検出器、イメージャ、もしくは他の検出器のような異なるタイプの検出器を含み得るデュアルコアＭＳと共に使用することができる。同様に、ＴＯＦを含むデュアルコアＭＳを、例えば、ＥＭ、ファラデーカップ、シンチレーション検出器、イメージャ、または他の検出器のような異なるタイプの検出器を含むシングルＭＳコアと共に使用することができる。
【０２２２】
インターフェース
ある特定の例では、本明細書に記載される様々なコアは、１つ以上のインターフェースを介して分離され得る。いずれの特定の構成にも縛られるのを望むことなく、インターフェースは、概して、サンプル、イオンなどを１つのシステム構成要素から別のシステム構成要素に提供または方向付けることができる。いくつかの構成では、サンプル操作コアとイオン化コアとの間に１つ以上のインターフェースが存在し得る。図５５を参照すると、インターフェース５５１０を介して第１のイオン化コア５５２０および第２のイオン化コア５５３０に流体的に結合されたサンプル操作コア５５１０を備えるシステム５５００が示されている。サンプル操作コア５５１０は、本明細書に記載されるサンプル操作コア、例えば、ＧＣ、ＬＣ、ＤＳＡ、ＣＥなどのうちの任意の１つ以上を含み得る。イオン化コア５５２０、５５３０は、無機イオンソースまたは有機イオンソースであり得、いくつかの事例では、イオン化コア５５２０、５５３０のうちの一方は無機イオンソースを含み、他方のコア５５２０、５５３０は有機イオンソースを含む。インターフェース５５１５は、分析物の流れをサンプル操作コア５５１０からイオン化コア５５２０、５５３０のうちの一方または両方まで方向付けるように構成され得る。いくつかの構成では、インターフェース５５１５は、任意の特定の分析期間において分析物の流れをイオン化コア５５２０、５５３０のうちの１つに方向付けるように位置付けられ得る１つ以上のバルブを含み得る。他の例では、インターフェース５５１５は、任意の特定の分析期間において分析物の流れをイオン化コア５５２０、５５３０の両方に方向付けるように位置付けられ得る１つ以上のバルブを含み得る。インターフェース５５１５の正確な構成は、サンプル操作コア５５１０から提供される特定のサンプルに依存し得、例示のインターフェースは、本発明の譲受人に譲渡された米国特許第８，３０３，６９４号、同第８，５６２，８３７号、および同第８，７９４，０５３号に記載されているもののような３方バルブ、機械式スイッチもしくはバルブ、電気式スイッチもしくはバルブ、流体マルチプレクサ、Ｓｗａｆｅｒデバイス、またはガス、液体、もしくは他の材料の流れをサンプル操作コア５５１０からイオン化コア５５２０、５５３０のうちの１つ以上に方向付け得る他のデバイスを含み得る。いくつかの例では、インターフェース５５１５は、第１の出口と第２の出口とを備える。第１の出口をイオン化コア５５２０に流体的に結合することができ、第２の出口をイオン化コア５５３０に流体的に結合することができる。第１および第２の出口を通る分析物の流れを制御して、イオン化コア５５２０、５５３０のどちらがサンプルをサンプル操作コア５５１０から受容するかを判定することができる。
【０２２３】
いくつかの実施形態では、サンプル操作コアと１つ以上のイオン化コアとの間のインターフェースは、サンプルを特定の角度でイオン化コアに向かって方向付けされ得る。図５６を参照すると、サンプル操作コア５６１０と２つのイオン化コア５６２０、５６３０との間にインターフェース５６１５が存在する。インターフェース５６１５は、任意の分析期間においてサンプルをイオン化コア５６２０、５６３０のうちの１つに提供し得る出口、ノズル、スプレーヘッドなどを備え得る。サンプル操作コア５６１０は、本明細書に記載されるサンプル操作コア、例えば、ＧＣ、ＬＣ、ＤＳＡ、ＣＥなどのうちの任意の１つ以上を含み得る。同様に、イオン化コア５６２０、５６３０は、無機イオンソースまたは有機イオンソースであり得、いくつかの事例では、イオン化コア５６２０、５６３０のうちの一方は無機イオンソースを含み、他方のコア５６２０、５６３０は有機イオンソースを含む。いくつかの例では、２つの位置の間の出口の移動により、システム５６００が第１の位置においてイオンをイオン化コア５６２０に提供することを可能にし、システム５６００が出口の第２の位置においてイオンをイオン化コア５６３０に提供することを可能にする。システム５６００は、インターフェース５６１５の出口の位置を連続的に交互にするように構成されているため、分析期間中にイオンがイオン化コア５６２０、５６３０の各々に断続的におよび順次提供される。分析期間中に出口を連続的に第１の位置と第２の位置との間で移動させ、次いで第１の位置に戻すことによって、無機イオンおよび有機イオンを分析用に生成することができる。インターフェース５６１５の正確な構成は、サンプル操作コア５６１０から提供される特定のサンプルに依存し得、例示のインターフェースは、本発明の譲受人に譲渡された米国特許第８，３０３，６９４号、同第８，５６２，８３７号、および同第８，７９４，０５３号に記載されているもののような３方バルブ、機械式スイッチもしくはバルブ、電気式スイッチもしくはバルブ、流体マルチプレクサ、Ｓｗａｆｅｒデバイス、またはガス、液体、もしくは他の材料の流れをサンプル操作コア５６１０からイオン化コア５６２０、５６３０のうちの１つ以上に方向付け得る他のデバイスを含み得る。以下により詳細に述べられるように、インターフェース５６１５は、同一平面内または同一平面上にない方法でイオンをイオン化コア５６２０、５６３０に提供し得る。
【０２２４】
いくつかの例では、インターフェースは、２つ以上のサンプル操作コアに流体的に結合され得、インターフェースの構成に応じて、サンプルをサンプル操作コアのうちの一方または両方から受容するように構成され得る。図５７を参照すると、２つのサンプル操作コア５７０５、５７１０が存在し、インターフェース５７１５に対して流体的に結合／結合解除され得る。例えば、サンプル操作コア５７０５、５７１０の各々は独立して、ＧＣ、ＬＣ、ＤＳＡ、ＣＥなどのうちの１つ以上であり得る。いくつかの例では、サンプル操作コア５７０５、５７１０は、サンプル中に存在する幅広い範囲の分析物および／または異なる形態の分析物の分析を可能にするため、例えば、サンプル中に存在する液体および固体を分析するために異なる。インターフェース５７１５は、サンプルをコア５７０５、５７１０のうちの一方または両方から受容するように構成され得る入口を備えることができ、かつサンプルを１つ以上のイオン化コア（図示せず）に提供するための１つ以上の出口を備えることもできる。インターフェース５７１５は、サンプルの流れをコア５７０５、５７１０のうちの１つからインターフェース５７１５を介しておよび下流コアの方へ方向付けるように異なる位置の間で作動され得る１つ以上のバルブを備え得る。いくつかの例では、インターフェース５７１５は、コア５７０５、５７１０の各々のための別個の入口を備えることができ、インターフェース５７１５内の内部機能は、サンプルの流れを１つ以上の他のシステムコアに下流へと方向付け得る。インターフェース５７１５の正確な構成は、サンプル操作コア５７０５、５７１０から提供される特定のサンプルに依存し得、例示のインターフェースは、本発明の譲受人に譲渡された米国特許第８，３０３，６９４号、同第８，５６２，８３７号、および同第８，７９４，０５３号に記載されているもののような３方バルブ、機械式スイッチもしくはバルブ、電気式スイッチもしくはバルブ、流体マルチプレクサ、Ｓｗａｆｅｒデバイス、またはガス、液体、もしくは他の材料の流れをサンプル操作コア５７０５、５７１０から下流コアのうちの１つ以上に方向付け得る他のデバイスを含み得る。
【０２２５】
いくつかの事例では、インターフェースは、固定されているかまたは静止したインターフェースであり得、１つ以上のイオン化コアを特定の位置に移動させて、分析物をインターフェースから受容することができる。図５８Ａおよび図５８Ｂを参照すると、システム５８００は、サンプル操作コア５８１０と２つのイオン化コア５８２０、５８３０との間に存在するインターフェース５８１５を備える。サンプル操作コア５８１０は、本明細書に記載されるサンプル操作コア、例えば、ＧＣ、ＬＣ、ＤＳＡ、ＣＥなどのうちの任意の１つ以上を含み得る。同様に、イオン化コア５８２０、５８３０は、無機イオンソースまたは有機イオンソースであり得、いくつかの事例では、イオン化コア５８２０、５８３０のうちの一方は無機イオンソースを含み、他方のコア５８２０、５８３０は有機イオンソースを含む。インターフェース５８１５は、イオン化コア５８２０、５８３０の特定の位置に応じて、サンプルをイオン化コア５８２０またはイオン化コア５８３０に提供し得る。図５８Ａに示されるように、イオン化コア５８３０がインターフェース５８１５から流体的に結合解除されている間、イオン化コア５８２０を位置付けて、インターフェース５８１５に流体的に結合することができる。図５８Ｂでは、イオン化コア５８２０がインターフェース５８１５から流体的に結合解除されている間、イオン化コア５８３０を位置付けて、インターフェース５８１５に流体的に結合することができる。イオン化コア５８２０、５８３０は、モータ、エンジン、起動ソースなどを使用してコア５８２０、５８３０を所望どおりに並進させ得る移動可能なステージ上に位置付けられ得る。例えば、ステッピングモータを移動可能なステージに結合し、イオン化コア５８２０、５８３０を位置間で切り換えるために使用することができる。本明細書に述べられるように、コア５８２０、５８３０の位置は一次元である必要はない。代わりに、コア５８２０、５８３０の高さおよび／または横方向の位置を変更して、コア５８２０、５８３０をインターフェース５８１５に対して流体的に結合／結合解除することができる。
【０２２６】
他の事例では、インターフェースは、固定されているかまたは静止したインターフェースであり得、１つ以上のサンプル操作コアを特定の位置に移動させて、分析物をインターフェースから受容することができる。図５９Ａおよび図５９Ｂを参照すると、システム５９００は、サンプル操作コア５９０５、５９１０に対して流体的に結合／結合解除され得るインターフェース５９１５を備える。例えば、サンプル操作コア５９０５、５９１０の各々は独立して、ＧＣ、ＬＣ、ＤＳＡ、ＣＥなどのうちの１つ以上であり得る。いくつかの例では、サンプル操作コア５９０５、５９１０は、サンプル中に存在する幅広い範囲の分析物および／または異なる形態の分析物の分析を可能にするため、例えば、サンプル中に存在する液体および固体を分析するために異なる。インターフェース５９１５は、サンプル操作コア５９０５、５９１０の特定の位置に応じて、サンプルをサンプル操作コア５９０５またはサンプル操作コア５９１０から受容し得る。図５９Ａに示されるように、サンプル操作コア５９１０がインターフェース５９１５から流体的に結合解除されている間、サンプル操作コア５９０５を位置付けて、インターフェース５９１５に流体的に結合することができる。図５９Ｂでは、サンプル操作コア５９０５がインターフェース５９１５から流体的に結合解除されている間、サンプル操作コア５９１０を位置付けて、インターフェース５９１５に流体的に結合することができる。サンプル操作コア５９０５、５９１０は、モータ、エンジン、起動ソースなどを使用してコア５９０５、５９１０を所望どおりに並進させ得る移動可能なステージ上に位置付けられ得る。例えば、ステッピングモータを移動可能なステージに結合し、サンプル操作コア５９０５、５９１０を位置間で切り換えるために使用することができる。本明細書に述べられるように、コア５９０５、５９１０の位置は一次元である必要はない。代わりに、コア５９０５、５９１０の高さおよび／または横方向の位置を変更して、コア５９０５、５９１０をインターフェース５９１５に対して流体的に結合／結合解除することができる。
【０２２７】
いくつかの例では、インターフェースは、サンプル操作コア間に存在し得、サンプルを同一平面上にない２つ以上のイオン化コアに提供するために使用され得る。例えば、２つのイオン化コアを機器内の異なる高さに位置付けることができる。インターフェースおよび／またはイオン化コアの特定の構成に応じて、サンプルをイオン化コアのうちの一方または両方に提供することができる。簡略図を図６０に示す。システム６０００は、サンプル操作コア６０１０を備えるか、または２つ以上のサンプル操作コアを備え得る。例えば、サンプル操作コア６０１０は、ＧＣ、ＬＣ、ＤＳＡ、ＣＥなどのうちの１つ以上であり得る。サンプル操作コア６０１０とイオン化コア６０２０、６０３０との間にインターフェース６０１５が存在する。イオン化コア６０２０、６０３０は、無機イオンソースまたは有機イオンソースであり得、いくつかの事例では、イオン化コア６０２０、６０３０のうちの一方は無機イオンソースを含み、他方のコア６０２０、６０３０は有機イオンソースを含む。イオン化コア６０２０は上昇されてサポート部６０２５上にとどまるのに対して、イオン化コア６０２０はサポート部６００５上にとどまる。いくつかの例では、インターフェース６０１５は、サンプルをイオン化コア６０２０に提供し得る第１の出口と、同時にサンプルをイオン化コア６０３０に提供し得る第２の出口とを備え得る。他の構成では、インターフェースを、例えば、上昇された２つの位置の間で移動させて、第１の位置においてサンプルをイオン化コア６０２０に提供し、第２の位置においてサンプルをイオン化コア６０３０に提供することができる。例えば、モータ、エンジン、または他の起動ソースをインターフェース６０１５に結合し、かつインターフェース６０１５を異なる位置に上下に移動させて、様々なイオン化コア６０２０、６０２５におよび／またはそれらからインターフェース６０１５を流体的に結合／結合解除するために使用することができる。
【０２２８】
ある特定の実施形態では、イオン化コアが回転可能なディスクまたはステージ上に存在し得、インターフェースを様々なイオン化コアに対して流体的に結合／結合解除するように円周方向の回転が実装され得る。図６１Ａを参照すると、システム６１００は、サンプル操作コア６１１０と、インターフェース６１１５と、２つのイオン化コア６１２０、６１３０とを備える。サンプル操作コア６１１０は、本明細書に記載されるサンプル操作コア、例えば、ＧＣ、ＬＣ、ＤＳＡ、ＣＥなどのうちの任意の１つ以上を含み得る。同様に、イオン化コア６１２０、６１３０は、無機イオンソースまたは有機イオンソースであり得、いくつかの事例では、イオン化コア６１２０、６１３０のうちの一方は無機イオンソースを含み、他方のコア６１２０、６１３０は有機イオンソースを含む。システム６１００の使用時に、サンプル操作コア６１１０およびインターフェース６１１５をハウジング６１０５内の中央に位置付けることができる。イオン化コア６１２０、６１３０は、プラットフォームまたはステージ６１２５を使用して様々な位置の間で円周方向に回転され得る。例えば、図６１Ａに示されるように、イオン化コア６１２０は、イオン化コア６１２０をインターフェース６１１５に流体的に結合する第１の位置に存在し得る。図６１Ａでは、イオン化コア６１３０は、インターフェース６１１５から流体的に結合解除されている。図６１Ｂに示されるように、ステージ６１２５の約９０度の反時計回りの円周方向の回転は、イオン化コア６１２０をインターフェース６１１５から流体的に結合解除し、イオン化コア６１３０をインターフェース６１１５に流体的に結合し得る。図６１Ｂでは９０度の回転が使用されているが、プラットフォーム６１２５が回転する正確な角度は、例えば、約５度〜約９０度で変化し得る。いくつかの事例では、別のイオン化コアが存在し得る。図６１Ｃを参照すると、追加のイオン化コア６１６０を備えるシステム６１５０が示されている。図６１Ｄを参照すると、第４のイオン化コア６１８０を備えるシステム６１７０が示されている。追加のイオン化コア６１６０、６１８０は、典型的には互いに異なり、また、特定のシステム内に存在し得るイオン化ソースの考えられるタイプを拡張するためにコア６１２０、６１３０とも異なる。図６１Ｃでは、プラットフォーム６１２５の約１８０度の回転がイオン化コア６１６０とインターフェース６１１５とを流体的に結合し得る。図６１Ｄでは、プラットフォーム６１２５の約９０度の時計回りの回転または２７０度の反時計回りの回転がイオン化コア６１８０とインターフェース６１１５とを流体的に結合し得る。
【０２２９】
ある特定の例では、１つ以上のサンプル操作コアが回転可能なディスクまたはステージ上に存在し得、サンプル操作コアをインターフェースに対して流体的に結合／結合解除するように円周方向の回転が実装され得る。図６２Ａを参照すると、システム６２００は、サンプル操作コア６２１０、６２２０と、インターフェース６２１５とを備える。サンプル操作コア６２１０、６２１５は独立して、本明細書に記載されるサンプル操作コア、例えば、ＧＣ、ＬＣ、ＤＳＡ、ＣＥなどのうちの任意の１つ以上を備え得る。いくつかの例では、サンプル操作コア６２１０、６２１０は、サンプル中に存在する幅広い範囲の分析物および／または異なる形態の分析物の分析を可能にするため、例えば、サンプル中に存在する液体および固体を分析するために異なる。システム６２００の使用時に、インターフェース６２１５を中央に位置付けることができ、インターフェース６２１５の位置に対して上／下にまたは他の方向でイオン化コア（図示せず）を位置付けることができる。サンプル操作コア６２１０、６２２０は、プラットフォームまたはステージ６２２５を使用して様々な位置の間で円周方向に回転され得る。例えば、図６２Ａに示されるように、サンプル操作コア６２１０は、サンプル操作コア６２１０をインターフェース６２１５に流体的に結合する第１の位置に存在し得る。図６１Ａでは、サンプル操作コア６２３０は、インターフェース６２１５から流体的に結合解除されている。図６１Ｂに示されるように、ステージ６２２５の約９０度の反時計回りの円周方向の回転は、サンプル操作コア６２２０をインターフェース６２１５から流体的に結合解除し、サンプル操作コア６２３０をインターフェース６１１５に流体的に結合し得る。図６２Ｂでは９０度の回転が使用されているが、プラットフォーム６２２５が回転する正確な角度は、例えば、約５度〜約９０度で変化し得る。いくつかの事例では、別のサンプル操作コアが存在し得る。図６１Ｃを参照すると、追加のサンプル操作コア６２６０を備えるシステム６２６０が示されている。図６１Ｄを参照すると、第４のサンプル操作コア６２８０を備えるシステム６２７０が示されている。追加のサンプル操作コア６２６０、６２８０は、典型的には互いに異なり、また、特定のシステム内に存在し得るサンプル操作デバイスの考えられるタイプを拡張するためにコア６２２０、６２３０とも異なる。図６２Ｃでは、プラットフォーム６２２５の約１８０度の回転がサンプル操作コア６２６０とインターフェース６１１５とを流体的に結合し得る。図６２Ｄでは、プラットフォーム６２２５の約９０度の時計回りの回転または２７０度の反時計回りの回転がサンプル操作コア６２８０とインターフェース６２１５とを流体的に結合し得る。
【０２３０】
ある特定の例では、イオン化コアおよびＭＳコアは、１つ以上のインターフェースを介して分離／結合され得る。図６３を参照すると、システム６３００は、インターフェース６３１５に流体的に結合されたイオン化６３１０を備える。インターフェース６３１５は、（ｎＭＳＣが少なくとも１つのシングルＭＳコアまたは少なくとも１つのデュアルコアＭＳである場合）第１のｎＭＳＣ６３２０と第２のｎＭＳＣ６３３０とを流体的に結合／結合解除し得る。ｎＭＳＣ６３２０、６３３０は同じであって、異なってもよいが、典型的には異なるため、ｎＭＳＣ６３２０、６３３０のうちの一方は無機イオンを選択し得、ｎＭＳＣ６３２０、６３３０のうちの他方は有機イオンを選択し得る。示されていないが、ｎＭＳＣ６３２０、６３３０は共通の検出器に流体的に結合され得るか、またはｎＭＳＣ６３２０、６３３０の各々がそれぞれの検出器に流体的に結合され得る。インターフェース６３１５は、イオンの流れをインターフェース６３１５からｎＭＳＣ６３２０、６３３０のうちの一方または両方に方向付けるように構成され得る。いくつかの構成では、インターフェース６３１５は、任意の特定の分析期間においてイオンの流れをｎＭＳＣ６３２０、６３３０のうちの１つに方向付けるように位置付けられ得る１つ以上のバルブ、レンズ、偏向器などを備え得る。他の例では、インターフェース６３１５は、任意の特定の分析期間において分析物の流れをｎＭＳＣ６３２０、６３３０の両方に方向付けるように位置付けられ得る１つ以上のバルブ、レンズ、偏向器などを備え得る。インターフェース６３１５の正確な構成は、イオン化コア６３１０から提供された特定のサンプルに依存し得、例示のインターフェースは、同一平面の方法または同一平面上にない方法でイオンを受容／偏向し得る多重極偏向器を含み得る。例示の偏向器は、例えば、本発明の譲受人に譲渡された米国特許公開第２０１４０１１７２４８号、同第２０１５０１３６９６６号、および同第２０１６０１７２１７６号に記載されており、ある特定の具体的なタイプの偏向器が本明細書により詳細に記載されている。いくつかの例では、インターフェース６３１５は、第１の出口と第２の出口とを備える。第１の出口をｎＭＳＣ６３２０に流体的に結合することができ、第２の出口をｎＭＳＣ６３３０に流体的に結合することができる。第１および第２の出口を通るイオンの流れを制御して、ｎＭＳＣ６３２０、６３３０のどちらがサンプルをインターフェース６３１５から受容するかを判定することができる。同様に、インターフェース６３１５へのイオンの流れを制御して、インターフェース６３１５から下流のｎＭＳＣに提供されるイオンの性質および／またはタイプを判定することができる。
【０２３１】
いくつかの実施形態では、イオン化コアと質量分析器のｎＭＳＣとの間のインターフェースは、イオンを特定の角度でｎＭＳＣに向かって方向付けるように構成され得る。図６４を参照すると、イオン化コア６４１０と２つのｎＭＳＣ６４２０、６４３０との間にインターフェース６４１５が存在する。インターフェース６４１５は、イオンの流れをインターフェース６４１５から特定の角度でｎＭＳＣ６４２０、６４３０のうちの一方または両方に方向付けるように構成され得る。いくつかの構成では、インターフェース６４１５は、任意の特定の分析期間においてイオンの流れをｎＭＳＣ６４２０、６４３０のうちの１つに方向付けるように位置付けられ得る１つ以上のバルブ、レンズ、偏向器などを備え得る。他の例では、インターフェース６４１５は、任意の特定の分析期間において分析物の流れをｎＭＳＣ６４２０、６４３０の両方に方向付けるように位置付けられ得る１つ以上のバルブ、レンズ、偏向器などを備え得る。インターフェース６４１５の正確な構成は、イオン化コア６４１０から提供された特定のサンプルに依存し得、例示のインターフェースは、同一平面の方法または同一平面上にない方法でイオンを受容／偏向し得る多重極偏向器を含み得る。例示の偏向器は、例えば、本発明の譲受人に譲渡された米国特許公開第２０１４０１１７２４８号、同第２０１５０１３６９６６号、および同第２０１６０１７２１７６号に記載されており、ある特定の具体的なタイプの偏向器が本明細書により詳細に記載されている。ｎＭＳＣ６４２０、６４３０は同じであって、異なってもよいが、典型的には異なるため、ｎＭＳＣ６４２０、６４３０のうちの一方は無機イオンを選択し得、ｎＭＳＣ６４２０、６４３０のうちの他方は有機イオンを選択し得る。示されていないが、ｎＭＳＣ６４２０、６４３０は共通の検出器に流体的に結合され得るか、またはｎＭＳＣ６４２０、６４３０の各々がそれぞれの検出器に流体的に結合され得る。インターフェース６４１５は、任意の分析期間においてイオンを異なる角度でｎＭＳＣ６４２０、６４３０のうちの１つに提供するように構成され得る。いくつかの例では、インターフェース６４１５への電圧の印加により、システム６４００がイオンをｎＭＳＣ６４２０に提供することを可能にし、異なる電圧の印加により、システム６４００がイオンをｎＭＳＣ６４３０に提供することを可能にする。システム６４００は、提供されたイオンの角度を交互にするように構成されているため、分析期間中にイオンがｎＭＳＣ６４２０、６４３０の各々に断続的におよび順次提供される。イオンの出力角度を変更することによって、分析期間中にイオンを順次ｎＭＳＣ６４２０と６４３０との間に提供して、例えば、サンプル中の無機イオンおよび有機イオンを検出することができる。
【０２３２】
いくつかの例では、インターフェースは、２つ以上のサンプルイオン化コアに流体的に結合され得、インターフェースの構成に応じて、イオンをイオン化コアのうちの一方または両方から受容するように構成され得る。図６５を参照すると、２つのイオン化コア６５０５、６５１０が存在し、インターフェース６５１５に対して流体的に結合／結合解除され得る。イオン化コア６５０５、６５１０は、無機イオンソースまたは有機イオンソースを含み得、いくつかの事例では、イオン化コア６５０５、６５１０のうちの一方は無機イオンソースを含み、他方のコア６５０５、６５１０は有機イオンソースを含む。ある特定の構成では、インターフェース６５１５は、任意の特定の分析期間においてイオンをイオン化コア６５０５、６５１０から受容するように位置付けられ得る１つ以上のバルブ、レンズ、偏向器などを備え得る。他の例では、インターフェース６５１５は、任意の特定の分析期間においてイオンをイオン化コア６５０５、６５１０の両方から受容するように位置付けられ得る１つ以上のバルブ、レンズ、偏向器などを備え得る。インターフェース６５１５の正確な構成は、イオン化コア６５０５、６５１０から提供された特定のサンプルに依存し得、例示のインターフェースは、同一平面の方法または同一平面上にない方法でイオンを受容／偏向し得る多重極偏向器を含み得る。例示の偏向器は、例えば、本発明の譲受人に譲渡された米国特許公開第２０１４０１１７２４８号、同第２０１５０１３６９６６号、および同第２０１６０１７２１７６号に記載されており、ある特定の具体的なタイプの偏向器が本明細書により詳細に記載されている。示されていないが、インターフェース６５１５は、典型的には、ＭＳおよびその後の検出用にイオンを１つ以上の下流の質量分析器に提供するように構成されている。いくつかの事例では、インターフェースは、固定されているかまたは静止したインターフェースであり得、１つ以上のイオン化コアを特定の位置に移動させて、分析物をインターフェースから受容することができる。
【０２３３】
図６６Ａおよび図６６Ｂを参照すると、システム６６００は、イオン化コア６６１０と２つの質量分析器ｎＭＳＣ６６２０、６６３０との間に存在するインターフェース６６１５を備える。イオン化コア６６１０は、無機イオンソースおよび／または有機イオンソースを含み得る。ｎＭＳＣ６６２０、６６３０は同じであって、異なってもよいが、典型的には異なるため、ｎＭＳＣ６６２０、６６３０のうちの一方は無機イオンを選択し得、ｎＭＳＣ６６２０、６６３０のうちの他方は有機イオンを選択し得る。示されていないが、ｎＭＳＣ６６２０、６６３０は共通の検出器に流体的に結合され得るか、またはｎＭＳＣ６６２０、６６３０の各々がそれぞれの検出器に流体的に結合され得る。インターフェース６６１５は、ｎＭＳＣ６６２０、６６３０の特定の位置に応じて、サンプルをｎＭＳＣ６６２０またはｎＭＳＣ６６３０に提供し得る。図６６Ａに示されるように、ｎＭＳＣ６６３０がインターフェース６６１５から流体的に結合解除されている間、ｎＭＳＣ６６２０を位置付けて、インターフェース６６１５に流体的に結合することができる。図６６Ｂでは、ｎＭＳＣ６６２０がインターフェース６６１５から流体的に結合解除されている間、ｎＭＳＣ６６３０を位置付けて、インターフェース６６１５に流体的に結合することができる。ｎＭＳＣ６６２０、６６３０は、モータ、エンジン、起動ソースなどを使用してコア６６２０、６６３０を所望どおりに並進させ得る移動可能なステージ上に位置付けられ得る。例えば、ステッピングモータを移動可能なステージに結合し、ｎＭＳＣ６６２０、６６３０を位置間で切り換えるために使用することができる。本明細書に述べられるように、ｎＭＳＣ６６２０、６６３０の位置は一次元である必要はない。代わりに、ｎＭＳＣ６６２０、６６３０の高さおよび／または横方向の位置を変更して、ｎＭＳＣ６６２０、６６３０をインターフェース６６１５に対して流体的に結合／結合解除することができる。
【０２３４】
他の事例では、インターフェースは、固定されているかまたは静止したインターフェースであり得、１つ以上のイオン化コアを特定の位置に移動させて、イオンをインターフェースに提供することができる。図６７Ａおよび図６７Ｂを参照すると、システム６７００は、イオン化コア６７０５、６７１０に対して流体的に結合／結合解除され得るインターフェース６７１５を備える。イオン化コア６７０５、６７１０は、無機イオンソースまたは有機イオンソースを含み得、いくつかの事例では、イオン化コア６７０５、６７１０のうちの一方は無機イオンソースを含み、他方のコア６７２０、６７３０は有機イオンソースを含む。インターフェース６７１５は、イオン化コア６７０５、６７１０の特定の位置に応じて、イオンをイオン化コア６７０５またはイオン化コア６７３０から受容し得る。図６７Ａに示されるように、イオン化コア６７１０がインターフェース６７１５から流体的に結合解除されている間、イオン化コア６７０５を位置付けて、インターフェース６７１５に流体的に結合することができる。図６７Ｂでは、イオン化コア６７０５がインターフェース６７１５から流体的に結合解除されている間、イオン化コア６７１０を位置付けて、インターフェース６７１５に流体的に結合することができる。イオン化コア６７０５、６７１０は、モータ、エンジン、起動ソースなどを使用してコア６７０５、６７１０を所望どおりに並進させ得る移動可能なステージ上に位置付けられ得る。例えば、ステッピングモータを移動可能なステージに結合し、イオン化コア６７０５、６７１０を位置間で切り換えるために使用することができる。本明細書に述べられるように、コア６７０５、６７１０の位置は一次元である必要はない。代わりに、コア６７０５、６７１０の高さおよび／または横方向の位置を変更して、コア６７０５、６７１０をインターフェース６７１５に対して流体的に結合／結合解除することができる。
【０２３５】
いくつかの例では、インターフェースが存在し得、インターフェースを使用してイオンを同一平面上にない２つ以上のｎＭＳＣに提供することができる。例えば、２つのｎＭＳＣを機器内の異なる高さに位置付けることができる。インターフェースおよび／またはｎＭＳＣの特定の構成に応じて、イオンをｎＭＳＣのうちの一方または両方に提供することができる。１つの例示を図６８に示す。システム６８００は、イオン化コア６８１０を備えるか、または２つ以上のコアを備え得る。イオン化コア６８１０は、無機イオンソースおよび／または有機イオンソースを含み得る。ｎＭＳＣ６８２０は上昇されてサポート部６８２５上にとどまるのに対して、ｎＭＳＣ６８２０はサポート部６８０５上にとどまる。いくつかの例では、インターフェース６８１５は、サンプルをｎＭＳＣ６８２０に提供し得る第１の出口と、同時にサンプルをｎＭＳＣ６８３０に提供し得る第２の出口とを備え得る。他の構成では、インターフェース６８１５を、例えば、上昇された２つの位置の間で移動させて、第１の位置においてサンプルをｎＭＳＣ６８２０に提供し、第２の位置においてサンプルをｎＭＳＣ６８３０に提供することができる。例えば、モータ、エンジン、または他の起動ソースをインターフェース６８１５に結合し、かつインターフェース６８１５を異なる位置に上下に移動させて、様々なｎＭＳＣ６８２０、６８２５におよび／またはそれらからインターフェース６８１５を流体的に結合／結合解除するために使用することができる。代替的に、インターフェース６８１５は、イオンを所望の角度で偏向し、偏向されたイオンをｎＭＳＣ６８２０、６８３０のうちの１つに提供し得る１つ以上の偏向器を含み得る。
【０２３６】
ある特定の実施形態では、ｎＭＳＣが回転可能なディスクまたはステージ上に存在し得、インターフェースを様々なｎＭＳＣに対して流体的に結合／結合解除するように円周方向の回転が実装され得る。図６９Ａを参照すると、システム６９００は、イオン化コア６９１０と、インターフェース６９１５と、２つのｎＭＳＣ６９２０、６９３０とを備える。イオン化コア６９１０は、無機イオンソースおよび／または有機イオンソースを含み得る。ｎＭＳＣ６９２０、６９３０は同じであって、異なってもよいが、典型的には異なるため、ｎＭＳＣ６９２０、６９３０のうちの一方は無機イオンを選択し得、ｎＭＳＣ６９２０、６９３０のうちの他方は有機イオンを選択し得る。システム６９００の使用時に、イオン化コア６９１０およびインターフェース６９１５をハウジング６９０５内の中央に位置付けることができる。ｎＭＳＣ６９２０、６９３０は、プラットフォームまたはステージ６９２５を使用して様々な位置の間で円周方向に回転され得る。例えば、図６９Ａに示されるように、ｎＭＳＣ６９２０は、ｎＭＳＣ６９２０をインターフェース６９１５に流体的に結合する第１の位置に存在し得る。図６９Ａでは、ｎＭＳＣ６９３０は、インターフェース６９１５から流体的に結合解除されている。図６９Ｂに示されるように、ステージ６９２５の約９０度の反時計回りの円周方向の回転は、ｎＭＳＣ６９２０をインターフェース６９１５から流体的に結合解除し、ｎＭＳＣ６９３０をインターフェース６９１５に流体的に結合し得る。図６９Ｂでは９０度の回転が使用されているが、プラットフォーム６９２５が回転する正確な角度は、例えば、約５度〜約９０度で変化し得る。いくつかの事例では、別のイオン化コアまたはｎＭＳＣが存在し得る。図６９Ｃを参照すると、追加のｎＭＳＣ６９６０を備えるシステム６９５０が示されている。図６９Ｄを参照すると、第４のｎＭＳＣ６９８０を備えるシステム６９７０が示されている。追加のｎＭＳＣ６９６０、６９８０は、典型的には互いに異なり、また、特定のシステム内に存在し得るｎＭＳＣの考えられるタイプを拡張するためにコア６９２０、６９３０とも異なる。図６９Ｃでは、プラットフォーム６９２５の約１８０度の回転がｎＭＳＣ６９６０とインターフェース６９１５とを流体的に結合し得る。図６９Ｄでは、プラットフォーム６９２５の約９０度の時計回りの回転または２７０度の反時計回りの回転がｎＭＳＣ６９８０とインターフェース６９１５とを流体的に結合し得る。
【０２３７】
ある特定の例では、１つ以上のインターフェースが回転可能なディスクまたはステージ上に存在し得、ｎＭＳＣをインターフェースに対して流体的に結合／結合解除するように円周方向の回転が実装され得る。図７０Ａを参照すると、システム７０００は、インターフェース７０１０、７０２０と、中央のｎＭＳＣ７０１５とを備える。インターフェース７０１０、７０１５は独立して、本明細書に記載されるインターフェースのうちの任意の１つ以上を含み得る。いくつかの事例では、インターフェース７０１０、７０２０のうちの一方は、無機イオン化ソースを含むイオン化コアに流体的に結合されており、インターフェース７０１０、７０２０のうちの１つの他方は、有機イオン化ソースを含むイオン化コアに流体的に結合されている。システム７０００の使用時には、ｎＭＳＣ７０１５を中央に位置付けることができ、プラットフォームまたはステージ７０２５を使用して、様々な位置の間でインターフェース７０１０、７０２０を円周方向に回転させることができる。例えば、図７０Ａに示されるように、インターフェース７０１０は、インターフェース７０１０をｎＭＳＣ７０１５に流体的に結合して、インターフェース７０１０からのイオンをｎＭＳＣ７０１５に提供する第１の位置に存在し得る。図７０Ａでは、インターフェース７０２０は、ｎＭＳＣ７０１５から流体的に結合解除されている。図７０Ｂに示されるように、ステージ７０２５の約９０度の反時計回りの円周方向の回転は、インターフェース７０１０をｎＭＳＣ７０１５から流体的に結合解除し、インターフェース７０２０をｎＭＳＣ７０１５に流体的に結合し得る。図７０Ｂでは９０度の回転が使用されているが、プラットフォーム７０２５が回転する正確な角度は、例えば、約５度〜約９０度で変化し得る。いくつかの事例では、別のインターフェースが存在し得る。図７０Ｃを参照すると、追加のインターフェース７０６０を備えるシステム７０５０が示されている。図７０Ｄを参照すると、第４のインターフェース７０８０を備えるシステム７０７０が示されている。追加のインターフェース７０６０、７０８０は、典型的には互いに異なり、また、特定のシステム内に存在し得るインターフェースおよび／またはイオン化コアの考えられるタイプを拡張するためにインターフェース７０１０、７０２０とも異なる。図７０Ｃでは、プラットフォーム７０２５の約１８０度の回転がインターフェース７０６０とｎＭＳＣ７０１５とを流体的に結合し得る。図７０Ｄでは、プラットフォーム７０２５の約９０度の時計回りの回転または２７０度の反時計回りの回転がインターフェース７０８０とｎＭＳＣ７０１５とを流体的に結合し得る。
【０２３８】
いくつかの例では、２つ以上のイオン化コアが回転可能なディスクまたはステージ上に存在し得、イオン化ステージを１つ以上のｎＭＳＣに対して流体的に結合／結合解除するように円周方向の回転が実装され得る。図７１Ａを参照すると、システム７１００は、２つのイオン化コア７１２０、７１３０と、ｎＭＳＣ７１１０とを備える。イオン化コア７１２０、７１３０は、無機イオンソースおよび／または有機イオンソースを含み得る。いくつかの例では、イオン化コア７１２０、７１３０のうちの一方は無機イオンソースを含み得、イオン化コア７１２０、７１３０のうちの他方は有機イオンソースを含み得る。ｎＭＳＣ７１１０は、イオンを選択するように設計され得、例えば、無機イオンもしくは有機イオンまたは両方を選択することができる。システム７１００の使用時には、ｎＭＳＣ７１１０は質量分析器のハウジング７１１５の中央に位置付けられる。イオン化コア７１２０、７１３０は、プラットフォームまたはステージ７１２５を使用して様々な位置の間で円周方向に回転され得る。例えば、図７１Ａに示されるように、イオン化コア７１２０は、ｎＭＳＣ７１１０をコア７１２０に流体的に結合する第１の位置に存在し得る。図７１Ａでは、イオン化コア７１３０は、ｎＭＳＣ７１１０から流体的に結合解除されている。図７１Ｂに示されるように、ステージ７１２５の約９０度の反時計回りの円周方向の回転は、イオン化コア７１２０をｎＭＳＣ７１１０から流体的に結合解除し、イオン化コア７１３０をｎＭＳＣ７１１５に流体的に結合し得る。図７１Ｂでは９０度の回転が使用されているが、プラットフォーム７１２５が回転する正確な角度は、例えば、約５度〜約９０度で変化し得る。いくつかの事例では、別のイオン化コアまたはｎＭＳＣが存在し得る。図７１Ｃを参照すると、追加のイオン化コア７１６０を備えるシステム７１５０が示されている。図７１Ｄを参照すると、第４のイオン化コア７１８０を備えるシステム７１７０が示されている。追加のイオン化コア７１６０、７１８０は、典型的には互いに異なり、また、特定のシステム内に存在し得るイオン化コアの考えられるタイプを拡張するためにコア７１２０、７１３０とも異なる。図７１Ｃでは、プラットフォーム７１２５の約１８０度の回転がイオン化コア７１６０とｎＭＳＣ７１１０とを流体的に結合し得る。図７１Ｄでは、プラットフォーム７１２５の約９０度の時計回りの回転または２７０度の反時計回りの回転がイオン化コア７１８０とｎＭＳＣ７１１０とを流体的に結合し得る。
【０２３９】
いくつかの構成では、２つ以上のイオン化コアが回転可能なディスクまたはステージ上に存在し得、インターフェースを介してイオン化ステージを２つのｎＭＳＣに対して流体的に結合／結合解除するように円周方向の回転が実装され得る。図７２Ａを参照すると、システム７２００は、２つのイオン化コア７２２０、７２３０と、インターフェース７２１５と、２つのｎＭＳＣ７２３５、７２４５とを備える。イオン化コア７２２０、７２３０は、無機イオンソースおよび／または有機イオンソースを含み得る。いくつかの例では、イオン化コア７２２０、７２３０のうちの一方は無機イオンソースを含み得、イオン化コア７２２０、７２３０の他方は有機イオンソースを含み得る。ｎＭＳＣ７２３５、７３４５は、イオンを選択するように設計され得、例えば、無機イオンもしくは有機イオンまたは両方を選択することができる。いくつかの例では、ｎＭＳＣ７２３５、７２４５のうちの一方は無機イオンを選択し得、ｎＭＳＣ７２３５、７２４５のうちの他方は有機イオンを選択し得る。ある特定の例では、インターフェース７２１５の正確な構成は、イオン化コア６２２０、６２３０から提供された特定のサンプルに依存し得、例示のインターフェースは、同一平面の方法または同一平面上にない方法でイオンを受容／偏向し得る多重極偏向器を含み得る。例示の偏向器は、例えば、本発明の譲受人に譲渡された米国特許公開第２０１４０１１７２４８号、同第２０１５０１３６９６６号、および同第２０１６０１７２１７６号に記載されており、ある特定の具体的なタイプの偏向器が本明細書により詳細に記載されている。システム７２００の使用時には、インターフェース７２１５およびｎＭＳＣ７２３５、７３４５は質量分析器のハウジング７２０５の中央に位置付けられる。イオン化コア７２２０、７２３０は、プラットフォームまたはステージ７２２５を使用して様々な位置の間で円周方向に回転され得る。例えば、図７２Ａに示されるように、イオン化コア７２２０は、インターフェース７２１５をコア７２２０に流体的に結合する第１の位置に存在し得る。図７１Ａでは、イオン化コア７２３０は、インターフェース７２１５から流体的に結合解除されている。図７１Ｂに示されるように、ステージ７２２５の約９０度の反時計回りの円周方向の回転は、イオン化コア７２２０をインターフェース７２１５から流体的に結合解除し、イオン化コア７２３０をインターフェース７２１５に流体的に結合し得る。図７１Ｂでは９０度の回転が使用されているが、プラットフォーム７２２５が回転する正確な角度は、例えば、約５度〜約９０度で変化し得る。いくつかの事例では、別のイオン化コアまたはｎＭＳＣが存在し得る。図７２Ｃを参照すると、追加のイオン化コア７２６０を備えるシステム７２５０が示されている。図７１Ｄを参照すると、第４のイオン化コア７２８０を備えるシステム７２７０が示されている。追加のイオン化コア７２６０、７２８０は、典型的には互いに異なり、また、特定のシステム内に存在し得るイオン化コアの考えられるタイプを拡張するためにコア７２２０、７２３０とも異なる。図７２Ｃでは、プラットフォーム７２２５の約１８０度の回転がイオン化コア７１６０とインターフェース７２１５とを流体的に結合し得る。図７２Ｄでは、プラットフォーム７２２５の約９０度の時計回りの回転または２７０度の反時計回りの回転がイオン化コア７１８０とインターフェース７２２５とを流体的に結合し得る。所望の場合、イオン化コア７２２０、７２３０、７２６０、および７２８０の性質およびタイプをインターフェース７２１５の構成にリンク付けることができ、それにより、イオンをインターフェース７２１５に提供するようにコア７２２０、７２３０、７２６０、７２８０を位置付けることが、インターフェースがイオンをｎＭＳＣ７２３５、７２４５のうちの１つに提供することをもたらす。例えば、ｎＭＳＣ７２３５が無機イオンを選択／濾過するように構成されている場合、およびコア７２２０、７２８０が無機イオンを提供する場合、インターフェース７２１５は、コア７２２０、７２８０のいずれかからのイオンがインターフェース７２１５に提供されると、受容した無機イオンをｎＭＳＣ７２３５に提供するように構成され得る。この構成では、ｎＭＳＣ７２４５は使用されないかまたは活性状態ではない。ｎＭＳＣ７２４５が有機イオンを選択／濾過するように構成されている場合、およびコア７２３０、７２６０が有機イオンを提供する場合、インターフェース７２１５は、コア７２３０、７２６０のいずれかからのイオンがインターフェース７２１５に提供されると、受容した有機イオンをｎＭＳＣ７２４５に提供するように構成され得る。この構成では、ｎＭＳＣ７２３５は使用されないかまたは活性状態ではない。
【０２４０】
ある特定の構成が記載されているが、任意の一分析期間中にシングルイオン化コアがイオンをインターフェースに提供する場合、所望の場合には、異なるイオン化コアからのイオンを同時にインターフェースに提供することができる。例えば、同一平面の方法で位置付けられた異なるイオン化コアは、イオンをインターフェースの異なる入口に提供することができる。図７３Ａを参照すると、第１のイオン化コア７３２０からのイオンと第２のイオン化コア７３２０からのイオンとがインターフェース７３１５に提供される場合の例示が示されている。インターフェース７３１５のこの第１の構成では、イオン化コア７３２０からのイオンは、ｎＭＳＣ７３４０を備える質量分析器に提供され、イオン化コア７３３０からのイオンは、ｎＭＳＣ７３５０を備える質量分析器に提供される。例えば、イオン化コア７３２０は、無機イオンソースを含み得、無機イオンは、無機イオンを選択／濾過するように構成されたｎＭＳＣ７３４０に提供され得る。イオン化コア７３３０は、有機イオンソースを含み得、有機イオンは、有機イオンを選択／濾過するように構成されたｎＭＳＣ７３５０に提供され得る。インターフェース７３１５の極への電圧を変更することによって、イオンを様々なイオン化コア７３２０、７３３０から異なるＭＳコアへと再度方向付けることが可能である。例えば、および図７３Ｂに示されるように、代わりにイオン化コア７３２０からのイオンをｎＭＳＣ７３４０に提供することができ、イオン化コア７３３０からのイオンをｎＭＳＣ７３５０に提供することができる。インターフェース７３１５は、イオン化コア７３２０、７３３０からのイオンが概して、同じ二次元平面内、例えば、同じｘ−ｙ平面内でインターフェースに提供されるという点で同一平面のインターフェースである。図７３Ａおよび図７３Ｂには２つのｎＭＳＣ７３４０、７３５０が示されているが、ｎＭＳＣのうちの１つを省略することが望ましいことがある。例えば、ｎＭＳＣ７３４０がデュアルコアＭＳである場合、ｎＭＳＣ７３５０を省略することができ、デュアルコアＭＳの全体的な構成に応じて、ｎＭＳＣ７３４０によってコア７３２０からの無機イオンを濾過することができ、かつｎＭＳＣ７３４０によってコア７３３０からの有機イオンを濾過することもできる。いくつかの例では、コア７３２０、７３３０のうちの一方からのイオンは、コア７３２０、７３３０のうちの他方からのイオンがデュアルコアＭＳへと方向付けられると、デュアルコアＭＳから離れる方向へと方向付けられ得る。デュアルコアＭＳが無機イオンの検出用に構成されており、イオン化コア７３２０が無機イオンを提供し、かつイオン化コア７３３０が有機イオンを提供する事例では、コア７３３０からの有機イオンは、システムの残部（ｗａｓｔｅ）または別の構成要素に方向付けられ得る。有機イオンをイオン化コア７３３０から濾過／検出することが望ましい場合、コア７３２０からの無機イオンをシステムの残部または別の構成要素に方向付けることができ、コア７３３０からの有機イオンをデュアルコアＭＳに提供することができる。図７３Ａおよび図７３Ｂでは、イオン化コア７３２０、７３３０およびｎＭＳＣ７３４０、７３５０は、互いに離れる方向に約１８０度で位置付けられるように示されているが、所望の場合、イオン化コア７３２０、７３３０またはｎＭＳＣ７３４０、７３５０を互いに隣接して位置付けることができ、進入するイオンを所望の軌道に沿って方向付けるようにインターフェースを再度構成することができる。さらに、インターフェース７３１５は約９０度の一重湾曲を通して入来イオンを湾曲させるように構成されているが、二重湾曲インターフェースまたは多重湾曲インターフェースを使用して、所望の軌道を通してイオンをインターフェース内に誘導することができる。一重、二重、または多重湾曲を提供するための、本明細書に記載されるインターフェースで使用され得る好適な多重極アセンブリは、本発明の譲受人に譲渡された米国特許公開第２０１４０１１７２４８号、同第２０１５０１３６９６６号、および同第２０１６０１７２１７６号により詳細に記載されている。
【０２４１】
ある特定の実施形態では、本明細書に記載されるシステムは、２つ以上の回転可能なステージまたは移動可能なプラットフォームを備え得る。例えば、本システムは、１つのプラットフォーム上に位置付けられたｎＭＳＣを含む質量分析器と、別のプラットフォーム上に位置付けられたインターフェースとを備え得る。ｎＭＳＣおよびインターフェースの各々を様々な位置に移動させて、その構成要素をシステムの別のコア構成要素に対して流体的に結合／結合解除することができる。同様に、コア構成要素の他のコア構成要素の位置に対する個々の移動を可能にするために、移動可能なプラットフォームまたはステージ上にサンプル操作コア、イオン化コアなどが存在し得る。様々なコア構成要素を１つ以上の他のコア構成要素の位置に対して好適に位置付けるために、直線方向、回転方向、円周方向、または多次元方向に移動を提供することができる。
【０２４２】
他の事例では、同一平面上にない方法で位置付けられた異なるイオン化コアは、イオンをインターフェースの異なる入口に提供することができる。１つの例示を図７４Ａに概略的に示す。第１のイオン化コア７４１０からのイオンは、第１のｘ−ｙ平面においてサポート部７４０５上に位置付けられたインターフェース７４１５に提供され、サポート部７４０５の上方に位置付けられた第２のイオン化コア７４２０からのイオンは、第１のｘ−ｙ平面とは異なる平面においてインターフェース７４１５に提供される。コア７４１０からのイオンはインターフェース７４１５にインターフェース７４１５の片側の開口７４１９を通って進入し、コア７４２０からのイオンはインターフェース７４１５にインターフェース７４１５の反対側の開口７４１７を通って進入する。イオンをインターフェース７４１５から矢印７４５０の方向に１つ以上の下流のｎＭＳＣ（図示せず）に提供することができる。いくつかの例では、インターフェース７４１５は、特定の分析期間中にイオン化コア７４１０からのイオンのみを提供するように構成されているのに対して、他の構成では、異なる分析期間中にイオン化コア７４２０からのイオンのみが提供される。例えば、コア７４１０は無機イオンを提供し得、コア７４２０は有機イオンを提供し得る。下流のデュアルコアＭＳは、第１の期間中に無機イオンを検出するように構成され得、インターフェース７４１５は、第１の期間中にコア７４１０からのみイオンを提供し得る。下流のデュアルコアＭＳは、第２の期間中に有機イオンを選択／濾過するように再度構成され得、インターフェース７４１５は、第２の期間中にコア７４１０からのみイオンを提供し得る。インターフェース７４１５およびデュアルコアＭＳを前後に切り換えることができるため、無機イオンおよび有機イオンの両方の分析が順次実施される。同一平面上にないインターフェースの１つの特定の例示を図７４Ｂに示す。インターフェースは、四重極ロッドアセンブリ７４８０、例えば、ｎＭＳＣの一部である四重極ロッドアセンブリに流体的に結合されて示されている八重極偏向器７４７０を含む。２つのイオンソースを互いに直交して位置付け、八重極偏向器７４７０に流体的に結合することができる。イオンソース＃１からのイオンはインターフェースに上面を通って進入し、イオンソース＃２からのイオンはインターフェースに側面を通って進入する。偏向器７４７０は、選択／濾過用に異なるソースからのイオンを四重極アセンブリ７４８０内に方向付け得る。
【０２４３】
いくつかの例では、２つ以上のｎＭＳＣと共通の検出器との間に同一平面上にないインターフェースが存在し得る。例えば、および図７５Ａを参照すると、第１のｎＭＳＣ７５１０は、サポート部７５０５上に位置付けられている。第２のｎＭＳＣ７５２０は、サポート部７５０５の上方に位置付けられている。インターフェース７５１５は、ｎＭＳＣ７５１０、７５２０の各々および検出器７５６０に流体的に結合されている。ｎＭＳＣ７５１０からのイオンはインターフェース７５１５にインターフェース７５１５の片側の開口７５１９を通って進入し、ｎＭＳＣ７５２０からのイオンはインターフェース７５１５にインターフェース７５１５の反対側の開口７５１７を通って進入する。イオンをインターフェース７５１５から矢印７５５０の方向に下流の検出器７５６０に提供することができる。ある特定の例では、インターフェース７５１５は、特定の分析期間中にｎＭＳＣ７５１０からのイオンのみを検出器７５６０に提供するように構成されているのに対して、他の構成では、異なる分析期間中にｎＭＳＣ７５２０からのイオンのみが検出器７５６０に提供される。例えば、ｎＭＳＣ７５１０は無機イオンを提供し得、ｎＭＳＣ７５２０は有機イオンを提供し得る。下流の検出器７５６０は、２つのｎＭＳＣ７５１０、７５２０から提供された無機イオンおよび有機イオンを順次検出し得る。所望の場合、第２の検出器が存在し得、インターフェース７５１５は、イオンを検出器７５６０および第２の検出器の両方に、例えば、同時にまたは順次のいずれかで提供するように構成され得る。
【０２４４】
本明細書のいくつかの例証の中で述べられるように、同一平面上にないインターフェースが使用され、インターフェースは、入来イオンを所望の方向に誘導するための多重極アセンブリを含み得る。例えば、第１の多重極、例えば、第１の直交アセンブリをインターフェースハウジング内で第２の多重極、例えば、直交アセンブリに流体的に結合して、システムの異なる同一平面上にないコアからイオンを受容して誘導することができる。いくつかの事例では、多重極は、イオンを２つ以上の平面で受容し、イオンを同じ平面または異なる平面に方向付けるように構成され得る八重極を形成し得る。いくつかの例では、イオンを２つ以上の平面において受容および／または方向付け得る偏向器は、多次元偏向器として本明細書に参照される。例えば、偏向器は、中央の四重極を備えることができ、１つ以上の他の四重極が中央の四重極に対して好適な角度で位置付けられている。図７５Ｂを参照すると、イオンをコア７５８１、７５８２、７５８３、７５８４、７５８５、７５８６のうちの１つ以上から受容および／または方向付け得る中央の偏向器７５８０が示されている。いくつかの事例では、中央の偏向器は、中央の直交アセンブリと、中央の直交アセンブリに流体的に結合された１つ以上の積重された直交アセンブリとを備え得る。例えば、コア７５８１、７５８２、および７５８３の各々がイオン化コアを含む場合、偏向器８５０は、イオンを３つのイオン化コアから受容し、イオンを異なる経路に沿って、例えば、コア７５８４、７５８５、７５８６のうちの１つ以上に向かって方向付け得る３つの結合された四重極を備え得る。所望の場合、６つのコア７５８１、７５８２、７５８３、７５８４、７５８５、７５８６のうち５つはイオン化コアであり得、残りのコアは、本明細書に記載されるｎＭＳＣを備える質量分析器を含み得る。他の例では、コア７５８１、７５８２、７５８３、７５８４、７５８５、７５８６のうちの少なくとも２つは、１つ以上のｎＭＳＣを含む質量分析器であり得、他の４つのコアのうちの任意の１つ以上は、イオン化コアを含み得る。いくつかの例では、中央の偏向器７５８０は、２つ以上のｎＭＳＣと検出器との間に位置付けられ得る。例えば、コア７５８４は検出器を含み得、コア７５８１、７５８２、７５８３、７５８５、および７５８６は各々、イオンを選択し、選択されたイオンを中央の偏向器７５８０に提供し得るｎＭＳＣを備える質量分析器を含み得る。中央の偏向器は、受容したイオンをコア７５８１、７５８２、７５８３、７５８５、および７５８６のうちの任意の１つ以上からコア７５８４内の検出器に提供するように構成され得る。いくつかの例では、中央の偏向器７５８０内に存在する個々の四重極の数は、中央の偏向器７５８０に結合された別個のコアの数を反映し得る。他の事例では、中央の偏向器７５８０内に存在する個々の四重極の数は、コアがイオンを中央の偏向器７５８０に提供する正確な角度、および／または中央の偏向器がイオンを別のコアに提供する正確な角度に応じて、「ｎ＋１」または「ｎ−１」の構成を含むことができ、ｎは中央の偏向器７５８０に結合された別個のコアの数である。
【０２４５】
いくつかの実施形態では、本明細書に記載されるインターフェースは、機械式スイッチまたは電気式スイッチの形態をとることができる。機械式スイッチが使用される場合、スイッチは、分析物／イオンの通過を可能にするかまたはサンプル／イオンの通過を阻止するために開閉され得るシャッタまたはオリフィスを備え得る。他の事例では、分析物／イオンの通過を可能にするかまたは分析物もしくはイオンの通貨を阻止するために電気式スイッチが存在し得る。例示の電気式スイッチは、分析物／イオンを所望の方向に向かって方向付け得るかまたは特定のコア構成要素からの分析物／イオンの通過を禁ずるための「遮断壁」として機能し得る１つ以上の電場もしくは磁場を備えるかまたは提供し得る。
【０２４６】
共通のＭＳ構成要素
ある特定の実施形態では、本明細書に記載される様々な質量分析法コアは、望ましくは、ガスコントローラ、電源、プロセッサ、ポンプ、共通の機器ハウジングなどを含むが、これらに限定されない共通のＭＳ構成要素を使用し得る。図７６を参照すると、これらの共通の構成要素のうちのいくつかの概念図が示されている。システム７６００は、ガスコントローラ７６１０と、（以下に述べられるように、コンピュータシステムまたは他のデバイスの一部として統合されていても、存在してもよい）プロセッサ７６２０と、１つ以上の真空ポンプ７６４０と、１つ以上の電源７６３０とを備え得る。これらの共通の構成要素は、１つ以上のシングルＭＳコア、デュアルコアＭＳ、またはマルチＭＳコア、例えば、ＭＳコア７６５０およびＭＳコア７６６０などに電気的に結合され得る。所望の場合、１つのＭＳコア７６５０のみを存在させることができ、他のＭＳコア７６６０を省略することができる。例えば、質量分析器７６５０がデュアルコアＭＳを備える場合、質量分析器７６６０は使用のために必要ないことがある。異なるＭＳコアが存在し得るということ、および全体的なコストをより低くし、本明細書に記載されるシステム内により少ない構成要素が存在することをもたらし得る共通のＭＳ構成要素を使用することができるということが本質的な特質である。所望の場合、共通の検出器（図示せず）を存在させて、本明細書に詳細に記載されるＭＳコア７６５０、７６６０によって使用することができる。示されていないが、１つ以上の反応／衝突セルが異なるＭＳコア７６５０、７６６０によって一般的に使用される場合もあり、あるいは各コアがそれぞれの反応／衝突セルを含む場合がある。例示の反応／衝突セルは、例えば、本発明の譲受人に譲渡された米国特許第８，４２６，８０４号、同第８，８８４，２１７号、および同第９，１９０，２５３号に記載されている。
【０２４７】
ある特定の実施形態では、本明細書に記載されるシステムのガスコントローラは、所望のガスまたはガスをシステムのいくつかのコア構成要素に提供し得る。コントローラは、流速を制御し得るか、ガス圧力を調整し得るか、または別様にシステムに出入りするガスの流れを制御し得る。システムの電源は、ＡＣであっても、ＤＣであってもよく、かつ固定電源であっても、携帯用電源であってもよいし、または電流もしくは電圧をシステムの様々な構成要素に提供し得る他の形態をとってもよい。真空ポンプは、典型的には、粗引きポンプおよびターボ分子ポンプを含む。粗引きポンプ（フォアラインポンプ）を使用して粗引き真空を提供することができ、ターボ分子ポンプを使用して高真空、例えば、１０−４トル、１０−６トル、１０−８トル以下を提供することができる。高真空は、選択された経路からのイオンの逸脱を防止し、衝突なしのイオン軌道を提供してバックグラウンドノイズを低減することができる。使用される正確な圧力は、質量分析器内に存在する特定の構成要素に依存し得る。回転ポンプ、拡散ポンプ、および他の同様のポンプを本明細書に記載されるシステムの真空ポンプとして使用することができる。所望の場合、システム内の様々な圧力を制御および／または監視するために、バルブ、真空計、センサなどが存在してもよい。
【０２４８】
ある特定の実施形態では、本明細書に記載されるＩＯＭＳシステムは、例えば、マイクロプロセッサを含む好適な共通のハードウェア回路、および／またはシステムを操作するための好適なソフトウェアを備え得る。プロセッサは、機器ハウジングと一体であり得るか、または１つ以上の付属品ボード、プリント回路基板、またはＩＯＭＳシステムの構成要素に電気的に結合された構成要素上に存在し得る。プロセッサを使用して、例えば、ガスの流れを制御し、任意のコア構成要素の移動を制御し、ｎＭＳＣに対して印加もしくは使用される電圧または周波数を制御し、検出器を使用してイオンを検出することなどができる。プロセッサは、典型的には、データをＩＯＭＳシステムのコア構成要素から受信し、必要に応じてまたは所望どおりに、様々なシステムパラメータの調節を可能にするために、１つ以上のメモリユニットに電気的に結合されている。プロセッサは、汎用コンピュータ、例えば、Ｕｎｉｘ（登録商標）、Ｉｎｔｅｌ  ＰＥＮＴＩＵＭ（登録商標）タイプのプロセッサ、Ｍｏｔｏｒｏｌａ  ＰｏｗｅｒＰＣ、Ｓｕｎ  ＵｌｔｒａＳＰＡＲＣ、Ｈｅｗｌｅｔｔ−Ｐａｃｋａｒｄ  ＰＡ−ＲＩＳＣのプロセッサ、または任意の他のタイプのプロセッサベースのコンピュータの一部であり得る。様々な実施形態の技術に従って、任意のタイプのコンピュータシステムのうちの１つ以上を使用することができる。さらに、システムは、シングルコンピュータに接続され得るか、または通信ネットワークを介して接続された複数のコンピュータの中で分散され得る。ネットワーク通信を含む他の機能を実施することができ、本技術は任意の特定の機能または機能のセットを有することに限定されないことを認識されたい。本システムおよび方法の様々な態様を、汎用コンピュータシステムで実行中の専用ソフトウェアとして実装することができる。コンピュータシステムは、１つ以上のメモリデバイス、例えば、ディスクドライブ、メモリ、またはデータを記憶するための他のデバイスに接続されたプロセッサを含み得る。メモリは、典型的には、サンプリングシステムの操作中にプログラム、キャリブレーション、およびデータを選別するために使用される。コンピュータシステムの構成要素を相互接続デバイスによって結合することができ、相互接続デバイスとしては、（例えば、同じマシン内に統合された構成要素間の）１つ以上のバス、および／または（例えば、分離した個別のマシン上に常駐する構成要素間の）ネットワークが挙げられ得る。相互接続デバイスは、システムの構成要素間で交換される通信（例えば、信号、データ、命令）を提供する。コンピュータシステムは、典型的には、ＩＯＭＳシステムの迅速な制御を可能にするために、処理時間内、例えば、数ミリ秒、数マイクロ秒以下でコマンドを受信および／または発行し得る。例えば、無機イオンの濾過と有機イオンの濾過との間の迅速な切り換えを可能にするために、デュアルコアＭＳと共にコンピュータ制御を実装することができる。プロセッサは、典型的には、電源に電気的に結合され、電源は、例えば、直流ソース、バッテリ、再充電バッテリ、電気化学セル、燃料セル、ソーラーセル、風力タービン、手回し発電機、交流ソース、例えば���１２０ＶのＡＣ電源もしくは２４０ＶのＡＣ電源など、またはこれらのタイプの電源のうちのいずれかの組み合わせで変化し得る。電源は、ＭＳコア、検出器などを含む、システムの他の構成要素によって共有され得る。本システムはまた、１つ以上の入力デバイス、例えば、キーボード、マウス、トラックボール、マイクロフォン、タッチスクリーン、手動スイッチ（例えば、オーバーライドスイッチ）、および１つ以上の出力デバイス、例えば、印刷デバイス、表示スクリーン、スピーカを含み得る。加えて、本システムは、（相互接続デバイスに加えてまたはそれの代替として）コンピュータシステムを通信ネットワークに接続する１つ以上の通信インターフェースを収容し得る。本システムはまた、ＩＯＭＳシステムのコア構成要素から受信した信号を変換するための公的な回路を含み得る。かかる回路は、プリント回路基板上に存在しても、プリント回路基板に好適なインターフェース、例えば、直列ＡＴＡインターフェース、ＩＳＡインターフェース、ＰＣＩインターフェースなどを介して、あるいは１つ以上の無線インターフェース、例えば、Ｂｌｕｅｔｏｏｔｈ（登録商標）、ＷｉＦｉ、近距離無線通信、または他の無線プロトコルおよび／もしくはインターフェースを介して電気的に結合された別個の基板もしくはデバイス上に存在してもよい。
【０２４９】
ある特定の実施形態では、ＩＯＭＳシステムと共に使用されるストレージシステムは、典型的には、コンピュータ読み書き可能な不揮発性記録媒体を含み、当該媒体の内部には、プロセッサによって実行されるプログラム、またはプログラムによって処理される媒体上もしくはその中に記憶された情報によって使用され得るコードが記憶され得る。媒体は、例えば、ディスク、ソリッドステートドライブ、またはフラックスメモリであり得る。典型的には、操作時に、プロセッサは、データを不揮発性記録媒体から別のメモリに読み取らせ、それにより、媒体によるよりも早い、プロセッサによる情報へのアクセスを可能にする。このメモリは、典型的には、ダイナミックランダムアクセスメモリ（ｄｙｎａｍｉｃ  ｒａｎｄｏｍ  ａｃｃｅｓｓ  ｍｅｍｏｒｙ、ＤＲＡＭ）またはスタティックメモリ（ｓｔａｔｉｃ  ｍｅｍｏｒｙ、ＳＲＡＭ）などの揮発性ランダムアクセスメモリである。それは、ストレージシステム内またはメモリシステム内に位置し得る。プロセッサは、概して、データを集積回路メモリ内で巧みに扱い、次いで、処理が完了した後にデータを媒体にコピーする。例えば、プロセッサは、信号を様々なコア構成要素から受信し、ガスの流速、インターフェースのパラメータ、イオン化ソースのパラメータ、検出器のパラメータなどを調節し得る。媒体と集積回路メモリ素子との間のデータ移動を管理するための様々な機構が知られており、その技術はそれらに限定されない。本技術はまた、特定のメモリシステムまたはストレージシステムに限定されない。ある特定の実施形態では、本システムはまた、特別にプログラムされた専用ハードウェア、例えば、特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ、ＡＳＩＣ）またはフィールドプログラマブルゲートアレイ（ｆｉｅｌｄ  ｐｒｏｇｒａｍｍａｂｌｅ  ｇａｔｅ  ａｒｒａｙ、ＦＰＧＡ）を含み得る。本技術の態様をソフトウェア、ハードウェアもしくはファームウェア、またはそれらの任意の組み合わせで実装することができる。さらに、かかる方法、行為、システム、システム素子、およびそれらの構成要素を、上記のシステムの一部として、または独立した構成要素として実装することができる。システム上で本技術の様々な態様が実践され得る１つのタイプのシステムとして特定のシステムが例として記載されているが、態様は記載されるシステム上で実装されることに限定されないことを認識されたい。異なるアーキテクチャまたは構成要素を有する１つ以上のシステム上で様々な態様を実践することができる。本システムは、高位コンピュータプログラミング言語を使用してプログラム可能な汎用コンピュータシステムを含み得る。本システムを、特別にプログラムされた専用ハードウェアを使用して実装することもできる。本システムでは、プロセッサは、典型的には、Ｉｎｔｅｌ  Ｃｏｒｐｏｒａｔｉｏｎから入手可能な周知のＰｅｎｔｉｕｍクラスのプロセッサなどの市販のプロセッサである。多くの他のプロセッサが入手可能である。かかるプロセッサは、通常、例えば、Ｍｉｃｒｏｓｏｆｔ  Ｃｏｒｐｏｒａｔｉｏｎから入手可能なＷｉｎｄｏｗｓ（登録商標）  ９５、Ｗｉｎｄｏｗｓ  ９８、Ｗｉｎｄｏｗｓ  ＮＴ、Ｗｉｎｄｏｗｓ  ２０００（Ｗｉｎｄｏｗｓ  ＭＥ）、Ｗｉｎｄｏｗｓ  ＸＰ、Ｗｉｎｄｏｗｓ  Ｖｉｓｔａ、Ｗｉｎｄｏｗｓ  ７、Ｗｉｎｄｏｗｓ  ８、もしくはＷｉｎｄｏｗｓ  １０オペレーティングシステム、Ａｐｐｌｅから入手可能なＭＡＣ  ＯＳ  Ｘ、例えば、Ｓｎｏｗ  Ｌｅｏｐａｒｄ、Ｌｉｏｎ、Ｍｏｕｎｔａｉｎ  Ｌｉｏｎ、もしくは他のバージョン、Ｓｕｎ  Ｍｉｃｒｏｓｙｓｔｅｍｓから入手可能なＳｏｌａｒｉｓオペレーティングシステム、または様々なソースから入手可能なＵＮＩＸもしくはＬｉｎｕｘ（登録商標）オペレーティングシステムであり得るオペレーティングシステムを実行する。多くの他のオペレーティングシステムを使用することができ、ある特定の実施形態では、コマンドまたは命令の単純なセットがオペレーティングシステムとして機能し得る。
【０２５０】
ある特定の例では、プロセッサおよびオペレーティングシステムは一緒になって、アプリケーションプログラムを高位プログラミング言語で書き込むことができるプラットフォームを定義し得る。本技術は特定のシステムプラットフォーム、プロセッサ、オペレーティングシステム、またはネットワークに限定されないことを理解されたい。また、本開示の利益を考慮すると、本技術は特定のプログラミング言語またはコンピュータシステムに限定されないことが当業者には認識されるべきである。さらに、他の適切なプログラミング言語および他の適切なシステムを使用することもできることを認識されたい。ある特定の例では、ハードウェアまたはソフトウェアは、認知アーキテクチャ、ニューラルネットワーク、または他の好適な実装例を実装するように構成され得る。所望の場合、コンピュータシステムの１つ以上の部分を、通信ネットワークに結合された１つ以上のコンピュータシステムを横断して分散させることができる。これらのコンピュータシステムもまた、汎用コンピュータシステムであり得る。例えば、サービス（例えば、サーバ）を１つ以上のクライアントコンピュータに提供するか、または全体的なタスクを分散システムの一部として実施するように構成された１つ以上のコンピュータシステムの中に様々な態様を分散させることができる。例えば、様々な実施形態に従って様々な機能を実施する１つ以上のサーバシステムの中に分散された構成要素を含むクライアントサーバまたはマルチティアシステム上で様々な態様を実施することができる。これらの構成要素は、通信プロトコル（例えば、ＴＣＰ／ＩＰ）を使用して通信ネットワーク（例えば、インターネット）を介して通信する実行可能な中間（例えば、ＩＬ）または解釈（例えば、Ｊａｖａ（登録商標））コードであり得る。本技術は任意の特定のシステムまたはシステム群上で実行することに限定されないことも認識されたい。また、本技術は任意の特定の分散アーキテクチャ、ネットワーク、または通信プロトコルに限定されないことを認識されたい。
【０２５１】
いくつかの事例では、例えば、ＳＱＬ、ＳｍａｌｌＴａｌｋ、Ｂａｓｉｃ、Ｊａｖａ、Ｊａｖａｓｃｒｉｐｔ、ＰＨＰ、Ｃ＋＋、Ａｄａ、Ｐｙｔｈｏｎ、ｉＯＳ／Ｓｗｉｆｔ、Ｒｕｂｙ  ｏｎ  Ｒａｉｌｓ、またはＣ＃（Ｃ−Ｓｈａｒｐ）などのオブジェクト指向プログラミング言語を使用して様々な実施形態をプログラムすることができる。他のオブジェクト指向プログラミング言語を使用することもできる。代替的に、関数型、スクリプト型、および／または論理型プログラミング言語を使用することができる。非プログラム環境で様々な構成を実装することができる（例えば、ブラウザプログラムのウィンドウ内で視認されたときに、グラフィカルユーザインタフェース（ｇｒａｐｈｉｃａｌ−ｕｓｅｒ  ｉｎｔｅｒｆａｃｅ、ＧＵＩ）の態様をレンダリングするか、または他の機能を実施するＨＴＭＬ、ＸＭＬ、または他のフォーマットで作成された文書）。ある特定の構成を、プログラム素子もしくは非プログラム素子、またはそれらの任意の組み合わせとして実装することができる。いくつかの事例では、ＩＯＭＳシステムは、有線または無線インターフェースを介してＩＯＭＳシステムと通信し得、所望の場合、ＩＯＭＳシステムのリモート操作を可能にし得るモバイルデバイス、タブレット、ラップトップコンピュータ、または他の携帯用デバイスなどのリモートインターフェースを介して制御され得る。
【０２５２】
ある特定の例では、イオン化コアに流体的に結合された質量分析器を使用して無機イオンおよび有機イオンを順次検出する方法は、（ｉ）イオン化コアから受容した無機イオンから、および（ｉｉ）イオン化コアから受容した有機イオンからイオンを順次選択することを含み、質量分析器は、各々が共通のプロセッサ、共通の電源、および少なくとも１つの共通の真空ポンプを使用するように構成された第１のシングルコア質量分析計と、第２のシングルコア質量分析計とを備え、第１のシングルコア質量分析計は、イオン化コアから受容した無機イオンからイオンを選択するように構成されており、第２のシングルコア質量分析計は、イオン化コアから受容した有機イオンからイオンを選択するように構成されている。いくつかの例では、本方法は、第１の分析期間中に、選択された無機イオンを第１のシングルコア質量分析計から第１の検出器に提供することを含む。他の実施形態では、本方法は、第１の分析期間とは異なる第２の分析期間中に、選択された有機イオンを第２のシングルコア質量分析計から第１の検出器に提供することを含む。いくつかの事例では、本方法は、第１の分析期間中に、選択された無機イオンを第１のシングルコア質量分析計から第１の検出器に提供することと、第１の分析期間中に、選択された有機イオンを第２のシングルコア質量分析計から第２の検出器に提供することとを含む。ある特定の例では、本方法は、第１の分析期間中にイオンを第１のシングルコア質量分析計に提供しつつ、第１の分析期間中にイオンが第２のシングルコア質量分析計に流入することを防止することを含む。他の例では、本方法は、第２の分析期間中にイオンを第２のシングルコア質量分析計に提供しつつ、第２の分析期間中にイオンが第１のシングルコア質量分析計に流入することを防止することを含む。いくつかの実施形態では、本方法は、イオン化コアを、無機イオンソースと、無機イオンソースとは別個の有機イオンソースとで構成することを含む。いくつかの例では、本方法は、第１の分析期間中にイオンを無機イオンソースから第１のシングルコア質量分析計に提供しつつ、第１の分析期間中にイオンが有機イオンソースから第２のシングルコア質量分析計に流入することを防止することを含む。いくつかの実施形態では、本方法は、第２の分析期間中にイオンを有機イオンソースから第２のシングルコア質量分析計に提供しつつ、第２の分析期間中にイオンが無機イオンソースから第１のシングルコア質量分析計に流入することを防止することを含む。他の事例では、本方法は、第１の分析期間中に第１のシングルコア質量分析計および第２のシングルコア質量分析計のうちの一方のみからイオンを検出器に提供するように構成されたインターフェースと共に質量分析器を構成することを含む。
【０２５３】
他の例では、イオン化コアに流体的に結合された質量分析器を使用して無機イオンおよび有機イオンを順次検出する方法は、（ｉ）イオン化コアから受容した無機イオンから、および（ｉｉ）イオン化コアから受容した有機イオンからイオンを順次選択することを含み、質量分析器は、無機イオンおよび有機イオンの両方を選択するように構成されたデュアルコア質量分析計を備える。いくつかの事例では、本方法は、第１の分析期間中に、選択された無機イオンをデュアルコア質量分析計から第１の検出器に提供することを含む。他の例では、本方法は、第１の分析期間とは異なる第２の分析期間中に、選択された有機イオンをデュアルコア質量分析計から第１の検出器に提供することを含む。ある特定の実施形態では、本方法は、第１の分析期間中に、選択された無機イオンをデュアルコア質量分析計から第１の検出器に提供することと、第２の分析期間中に、選択された有機イオンをデュアルコア質量分析計から第２の検出器に提供することとを含む。他の例では、本方法は、第１の分析期間中に無機イオンをデュアルコア質量分析計に提供しつつ、第１の分析期間中に有機イオンがデュアルコア質量分析計に流入することを防止することを含む。いくつかの例では、本方法は、第２の分析期間中に有機イオンをデュアルコア質量分析計に提供しつつ、第２の分析期間中に無機イオンがデュアルコア質量分析計に流入することを防止することを含む。ある特定の事例では、本方法は、イオン化コアを、無機イオンソースと、無機イオンソースとは別個の有機イオンソースとで構成することを含む。いくつかの例では、本方法は、デュアルコア質量分析計を、デュアル四重極アセンブリを備えるように構成することを含む。他の例では、本方法は、デュアルコア質量分析計を、インターフェースを介して第１の検出器に流体的に結合され、かつインターフェースを介して第２の検出器に流体的に結合されたデュアル四重極アセンブリと、四重極アセンブリとを備えるように構成することを含む。いくつかの例では、本方法は、インターフェースを同一平面上にないインターフェースを備えるように構成することを含む。
【０２５４】
他の実施形態では、デュアルコア質量分析計を使用して、２つの異なるイオン化ソースを含むイオン化コアから提供されたイオンを選択する方法は、イオンを無機イオン化ソースおよび有機イオン化ソースを含むイオン化コアからデュアルコア質量分析計に順次提供することと、デュアルコア質量分析計に提供された第１の周波数を使用して、イオンを無機イオン化ソースからの提供されたイオンから選択することと、デュアルコア質量分析計に提供された第２の周波数を使用して、イオンを有機イオン化ソースからの提供されたイオンから選択することとを含み、第１の周波数は、前記第２の周波数とは異なる。いくつかの例では、本方法は、デュアルコア質量分析計を、選択期間後に、第１の周波数と第２の周波数との間で切り換えるように構成することを含む。他の実施形態では、本方法は、選択期間が１ミリ秒以下であるように構成することを含む。いくつかの例では、本方法は、無機イオン化ソースとデュアルコア質量分析計との間、ならびに有機イオン化ソースとデュアルコア質量分析計との間にインターフェースを提供することを含み、インターフェースは、第１の周波数がデュアルコア質量分析計に提供されている場合、イオンを無機イオン化ソースからデュアルコア質量分析計に提供するように構成されており、かつ第２の周波数がデュアルコア質量分析計に提供されている場合、イオンを有機イオン化ソースからデュアルコア質量分析計に提供するように構成されている。いくつかの事例では、本方法は、検出器を、第１の周波数がデュアルコア質量分析計に提供されている場合に選択された無機イオンを検出するように構成することを含む。いくつかの例では、本方法は、検出器を、第２の周波数がデュアルコア質量分析計に提供されている場合に選択された有機イオンを検出するように構成することを含む。ある特定の事例では、本方法は、デュアルコア質量分析計を多重極アセンブリと共に構成することを含む。他の例では、本方法は、多重極アセンブリを、デュアル四重極アセンブリを含むように構成することを含む。いくつかの実施形態では、本方法は、多重極アセンブリを、トリプル四重極アセンブリを含むように構成することを含む。いくつかの事例では、本方法は、検出器を、電子増倍器、ファラデーカップ、マルチチャネルプレート、シンチレーション検出器、イメージング検出器、または飛行時間デバイスのうちの少なくとも１つ以上を含むように構成することを含む。
【０２５５】
無機イオンおよび有機イオンの両方を分析し得る質量分析計のある特定の具体的な例を以下により詳細に記載する。
【０２５６】
実施例１
１つの構成のＩＯＭＳ７７００を図７７に示す。ＩＯＭＳ７７００は、元素イオン化ソース７７０２、例えば、ＩＣＰ、ＣＣＰ、マイクロ波プラズマ、フレーム、アーク、スパークなど、および有機イオン化ソース７７０４、例えば、ＥＳＩ、ＡＰＩ、ＡＰＣＩ、ＤＥＳＩ、ＭＡＬＤＩ、または本明細書に記載される他の有機イオン化ソースのうちの任意の１つ以上を備える。示されていないが、ソース７７０２、７７０４の各々は、サンプル操作コアに流体的に結合され得、サンプルをソース７７０２、７７０４の各々に配分／提供するように構成され得るインターフェース７７０１を介してサンプルを受容し得る。ソース７７０２は、真空チャンバ７７１０と共に位置付けられた第１のＭＳコア７７１２に流体的に結合されている。第１のＭＳコア７７１２は、シングルコア質量分析計とみなされ得る、第１の電子増倍器７７１４に結合されたトリプル四重極アセンブリを備える。ＭＳコア７７１２を２．５ＭＨｚのＲＦドライバ７７０５に電気的に結合することができ、それにより、コア７７１２は無機イオンを選択し、選択された無機イオンを検出のためにＥＭ７７１４に提供する。ソース７７０４は、真空チャンバ７７１０内に位置付けられた第２のＭＳコア７７１６に流体的に結合されている。第２のＭＳコア７７１６は、シングルコア質量分析計とみなされ得る、第２の電子増倍器７７１８に結合されたトリプル四重極アセンブリを備える。ＭＳコア７７１６を１．０ＭＨｚのＲＦドライバ７７０７に電気的に結合することができ、それにより、ＭＳコア７７１６は有機イオンを選択し、選択された有機イオンを検出のためにＥＭ７７１８に提供する。質量分析計コア７７１２、７７１４は、ガスコントローラ７７２２、コンピュータ７７２４、ＡＣ−ＤＣ電源７７２６、および真空ポンプ７７２８を含むいくつかの共通のＭＳ構成要素を共有する。ドライバ７７０５、７７０７は、別個のＲＦ発生器内または共通のＲＦ発生器内に存在し得る。
【０２５７】
実施例２
別の構成のＩＯＭＳ７８００を図７８に示す。ＩＯＭＳ７８００は、元素イオン化ソース７８０２、例えば、ＩＣＰ、ＣＣＰ、マイクロ波プラズマ、フレーム、アーク、スパークなど、および有機イオン化ソース７８０４、例えば、ＥＳＩ、ＡＰＩ、ＡＰＣＩ、ＤＥＳＩ、ＭＡＬＤＩ、または本明細書に記載される他の有機イオン化ソースのうちの任意の１つ以上を備える。示されていないが、ソース７８０２、７８０４の各々は、サンプル操作コアに流体的に結合され得、サンプルをソース７８０２、７８０４の各々に配分／提供するように構成され得るインターフェース７８０１を介してサンプルを受容し得る。ソース７８０２は、真空チャンバ７８１０と共に位置付けられた第１のＭＳコア７８１２に流体的に結合されている。第１のＭＳコア７８１２は、シングルコア質量分析計とみなされ得る、第１の電子増倍器７８１４に結合されたトリプル四重極アセンブリを備える。ＭＳコア７８１２を２．５ＭＨｚのＲＦドライバ７８０５に電気的に結合することができ、それにより、コア７８１２は無機イオンを選択し、選択された無機イオンを検出のためにＥＭ７８１４に提供する。ソース７８０４は、真空チャンバ７８１０内に位置付けられた第２のＭＳコア７８１６に流体的に結合されている。第２のＭＳコア７８１６は、シングルコア質量分析計とみなされ得る、飛行時間デバイスまたはイオントラップ７８１８に結合されたダブル四重極アセンブリを備える。ＭＳコア７８１６を１．０ＭＨｚのＲＦドライバ７８０７に電気的に結合することができ、それにより、ＭＳコア７８１６は有機イオンを選択し、選択された有機イオンを検出のためにＴＯＦ／イオントラップ７８１８に提供する。質量分析計コア７８１２、７８１４は、ガスコントローラ７８２２、コンピュータ７８２４、ＡＣ−ＤＣ電源７８２６、および真空ポンプ７８２８を含むいくつかの共通のＭＳ構成要素を共有する。ドライバ７８０５、７８０７は、別個のＲＦ発生器内または共通のＲＦ発生器内に存在し得る。
【０２５８】
実施例３
別の構成のＩＯＭＳ７９００を図７９に示す。ＩＯＭＳ７９００は、元素イオン化ソース７９０２、例えば、ＩＣＰ、ＣＣＰ、マイクロ波プラズマ、フレーム、アーク、スパークなど、および有機イオン化ソース７９０４、例えば、ＥＳＩ、ＡＰＩ、ＡＰＣＩ、ＤＥＳＩ、ＭＡＬＤＩ、または本明細書に記載される他の有機イオン化ソースのうちの任意の１つ以上を備える。示されていないが、ソース７９０２、７９０４の各々は、サンプル操作コアに流体的に結合され得、サンプルをソース７９０２、７９０４の各々に配分／提供するように構成され得るインターフェース７９０１を介してサンプルを受容し得る。ソース７９０２は、真空チャンバ７９１０と共に位置付けられたＭＳコア７９１２に流体的に結合されている。ＭＳコア７９１２は、本実施例においてデュアルコア質量分析計とみなされ得る、第１の電子増倍器７９１４に結合されたトリプル四重極アセンブリ７９１２を備える。ＭＳコア７９１２を可変周波数または複数周波数ドライバ７９２０に電気的に結合することができ、それにより、デュアルコアＭＳ７９１２は無機イオンを第１の周波数、例えば、２．５ＭＨｚで選択し、選択された無機イオンを検出のためにＥＭ７９１４に提供する。ソース７９０４を真空チャンバ７９１０内に位置付けられたＭＳコア７９１２に流体的に結合することもできる。ＭＳコア７９１２をドライバ７９２０に電気的に結合することができ、それにより、ＭＳコア７９１２は有機イオンを第２の周波数、例えば、１．０ＭＨｚで選択し、選択された有機イオンを検出のためにＥＭ７９１４に提供する。システム７９００は、任意の特定の分析期間中に、イオンをソース７９０２もしくはソース７９０４のいずれか（または両方）からＭＳコア７９１２に提供するように構成され得るインターフェース７９１５を備える。システム７９００はまた、ガスコントローラ７９２２、コンピュータ７９２４、ＡＣ−ＤＣ電源７９２６、および真空ポンプ７９２８を含む共通のＭＳ構成要素を備える。
【０２５９】
実施例４
別の構成のＩＯＭＳ８０００を図８０に示す。ＩＯＭＳ８０００は、元素イオン化ソース８００２、例えば、ＩＣＰ、ＣＣＰ、マイクロ波プラズマ、フレーム、アーク、スパークなど、および有機イオン化ソース８００４、例えば、ＥＳＩ、ＡＰＩ、ＡＰＣＩ、ＤＥＳＩ、ＭＡＬＤＩ、または本明細書に記載される他の有機イオン化ソースのうちの任意の１つ以上を備える。示されていないが、ソース８００２、８００４の各々は、サンプル操作コアに流体的に結合され得、サンプルをソース８００２、８００４の各々に配分／提供するように構成され得るインターフェース８００１を介してサンプルを受容し得る。ソース８００２、８００４の各々は、真空チャンバ８０２０と共に位置付けられたＭＳコア８０１２に流体的に結合されている。ＭＳコア８０１２は、ダブル四重極アセンブリを備える。ＭＳコア８０１２は、イオンを選択し、それらを偏向器８０５０に提供することができ、偏向器８０５０は、イオンをＴＯＦ／イオントラップ８０１４に提供するように構成され得るか、またはイオンを、四重極Ｑ３を備えるコア８０２２に提供するように構成され得る。例えば、有機イオンを選択し、複数周波数ドライバ８０２０によってＭＳコア８０１２に提供された第１の周波数、例えば、１．０ＭＨｚを使用してＴＯＦ／イオントラップ８０１４に提供することができる。無機イオンがＭＳコア８０１２に提供される場合、無機イオンは、偏向器８０５０に、そして例えば、複数周波数ソース８０２０からの第２の周波数を使用してコア８０２２に提供され得る。選択された無機イオンは、ＭＳコア８０１２からＥＭ検出器８０２４に提供され得る。システム８０００はまた、ガスコントローラ８０２２、コンピュータ８０２４、ＡＣ−ＤＣ電源８０２６、および真空ポンプ８０２８を含む共通のＭＳ構成要素を備え、これらは、コア８０１２およびコア８０２２ならびにシステム８０００の他の構成要素の両方によって使用され得る。
【０２６０】
実施例５
別の構成のＩＯＭＳの８１００を図８１に示す。ＩＯＭＳ８１００は、元素イオン化ソース８１０２、例えば、ＩＣＰ、ＣＣＰ、マイクロ波プラズマ、フレーム、アーク、スパークなど、および有機イオン化ソース８１０４、例えば、ＥＳＩ、ＡＰＩ、ＡＰＣＩ、ＤＥＳＩ、ＭＡＬＤＩ、または本明細書に記載される他の有機イオン化ソースのうちの任意の１つ以上を備える。示されていないが、ソース８１０２、８１０４の各々は、サンプル操作コアに流体的に結合され得、サンプルをソース８１０２、８１０４の各々に配分／提供するように構成され得るインターフェース８１０１を介してサンプルを受容し得る。ソース８１０２、８１０４の各々は、真空チャンバ８１１０と共に位置付けられたデュアルコアＭＳ８１１２に流体的に結合されている。デュアルコアＭＳ８１１２は、トリプル四重極アセンブリを備える。デュアルコアＭＳ８１１２は、イオン（無機イオンまたは有機イオン）を選択し、それらを偏向器８１５０に提供し得る。例えば、コア８１１２を使用して、有機イオンを、例えば、Ｑ１およびＱ３を１ＭＨｚで運転することによって、ならびに偏向器８１５０を使用して、有機イオンを検出器８１２０、例えば、第１の電子増倍器まで経路付けることによって濾過および検出することができる。コア８１１２を使用して、無機イオンを、例えば、Ｑ１およびＱ３を２．５ＭＨｚで運転することによって、ならびに無機イオンを検出器８１２５、例えば、第２の電子増倍器まで経路付けることによって濾過および検出することができる。システム８１００はまた、ガスコントローラ８１２２、コンピュータ８１２４、ＡＣ−ＤＣ電源８１２６、および真空ポンプ８１２８を含む共通のＭＳ構成要素を備え、これらは、コア８１１２およびシステム８１００の他の構成要素の両方によって使用され得る。
【０２６１】
実施例６
本明細書に記載されるデュアルコア質量分析計を使用して、米または他の穀類を含む農作物中の水銀レベルを測定することができる。ＩＯＭＳシステムは、イオン化ソースとしてＩＣＰデバイスおよびＥＳＩデバイスに結合された液体クロマトグラフィーデバイスを備え得る。イオン化ソースの各々を、電子増倍器検出器を含むトリプルクアッドデュアルコア質量分析計に結合することができる。ＩＯＭＳシステムを使用して、水銀、メチル水銀、ならびに他の水銀化合物および水銀複合体を測定することができる。
【０２６２】
実施例７
本明細書に記載されるデュアルコア質量分析計を使用して、遊離型および金属結合型フィトケラチンを測定することができる。ＩＯＭＳシステムは、イオン化ソースとしてＩＣＰデバイスおよびＥＳＩデバイスに結合された液体クロマトグラフィーデバイスを備え得る。イオン化ソースの各々を、電子増倍器検出器を含むトリプルクアッドデュアルコア質量分析計に結合することができる。ＩＯＭＳシステムを使用して、金属結合型フィトケラチンおよび遊離型フィトケラチンのレベルを測定することができる。
【０２６３】
実施例８
本明細書に記載されるデュアルコア質量分析計を使用して、脂肪酸およびヒ素などの金属と複合化した脂肪酸を測定することができる。ＩＯＭＳシステムは、イオン化ソースとしてＩＣＰデバイスおよびＥＳＩデバイスに結合された液体クロマトグラフィーデバイスを備え得る。イオン化ソースの各々を、電子増倍器検出器を含むトリプルクアッドデュアルコア質量分析計に結合することができる。ＩＯＭＳシステムを使用して、脂肪酸およびヒ素などの金属と複合化した脂肪酸のレベルを測定することができる。
【０２６４】
実施例９
本明細書に記載されるデュアルコア質量分析計を使用して、細胞サンプル中のセレンレベルおよびセレン代謝物を測定することができる。ＩＯＭＳシステムは、イオン化ソースとしてＩＣＰデバイスおよびＥＳＩデバイスに結合された液体クロマトグラフィーデバイスを備え得る。イオン化ソースの各々を、電子増倍器検出器を含むトリプルクアッドデュアルコア質量分析計に結合することができる。ＩＯＭＳシステムを使用して、セレンおよびセレン代謝物のレベルを測定することができる。
【０２６５】
実施例１０
２つのシングルＭＳコアを備えるＩＯＭＳシステムを使用して、ダイズ豆などの農作物中のセレンレベルを測定することができる。ＩＯＭＳシステムは、イオン化ソースとしてＩＣＰデバイスおよびＥＳＩデバイスに結合された液体クロマトグラフィーデバイスを備え得る。各シングルＭＳコアは、トリプルクアッド質量分析計を備える。一方のシングルコアＭＳを電子増倍器に流体的に結合することができる。他方のシングルコアＭＳをイオントラップに流体的に結合することができる。ＩＯＭＳシステムを使用して、セレンのレベルを測定することができる。
【０２６６】
実施例１１
２つのシングルＭＳコアを備えるＩＯＭＳシステムを使用して、脳脊髄液（ｃｅｒｅｂｒｏｓｐｉｎａｌ  ｆｌｕｉｄ、ＣＳＦ）中に存在する種および代謝物を測定することができる。ＩＯＭＳシステムは、各々がＩＣＰデバイスおよびダイレクトフローインジェクション（ｄｉｒｅｃｔ  ｆｌｏｗ  ｉｎｊｅｃｔｉｏｎ）デバイスに結合されたガスクロマトグラフィーデバイスおよび液体クロマトグラフィーデバイスを備え得る。各シングルＭＳコアは、トリプルクアッド質量分析計を備える。代替的に、１つのシングルＭＳコアは、ＴＯＦデバイスに結合されたデュアルクアッドを含み得る。一方のシングルコアＭＳを電子増倍器に流体的に結合することができる。他方のシングルコアＭＳを電子増倍器またはイオントラップもしくはＴＯＦデバイスに流体的に結合することができる。ＩＯＭＳシステムを使用して、ＣＳＦ中の異なる無機種および有機種のレベルを測定することができる。
【０２６７】
実施例１２
デュアルコアＭＳを備えるＩＯＭＳシステムを使用して、サンプル水中の無機汚染物質および有機汚染物質を測定することができる。ＩＯＭＳシステムは、イオン化ソースとしてＩＣＰデバイスおよびＥＳＩデバイスに結合されたＨＰＬＣを備え得る。イオン化ソースの各々を、電子増倍器検出器を含むトリプルクアッドデュアルコア質量分析計に結合することができる。ＩＯＭＳシステムを使用して、サンプル水中の無機汚染物質および有機汚染物質の各々のレベルを測定することができる。
【０２６８】
実施例１３
デュアルコアＭＳを備えるＩＯＭＳシステムを使用して、無機薬物および有機薬物の代謝物を測定することができる。ＩＯＭＳシステムは、イオン化ソースとしてＩＣＰデバイスおよびＥＳＩデバイスに結合されたＨＰＬＣを備え得る。イオン化ソースの各々を、電子増倍器検出器を含むトリプルクアッドデュアルコア質量分析計に結合することができる。ＩＯＭＳシステムを使用して、薬物の代謝物のレベルを測定することができる。特に、リチウムおよび他の軽量元素の遊離レベを測定することができる。
【０２６９】
本明細書に開示される例の素子を紹介する際、冠詞「ａ」、「ａｎ」、「ｔｈｅ」、および「当該（ｓａｉｄ）」は、素子のうちの１つ以上があるということを意味することを意図するものである。「備える、含む（ｃｏｍｐｒｉｓｉｎｇ）」、「含む（ｉｎｃｌｕｄｉｎｇ）」、および「有する（ｈａｖｉｎｇ）」という用語は、無制限であることを意図するものであり、列挙された素子以外の追加の素子があり得ることを意味する。本開示の利益を考慮すると、例の様々な構成要素を他の例の様々な構成要素と交換または置換することができることが当業者によって認識されよう。
【０２７０】
ある特定の態様、例、および実施形態を上に記載してきたが、本開示の利益を考慮すると、開示される例示の態様、例、および実施形態の追加、置換、修正、および変更が可能であることが当業者によって認識されよう。
【図１Ａ】
0006963615.tif 000002
【図１Ｂ】
0006963615.tif 000003
【図１Ｃ】
0006963615.tif 000004
【図１Ｄ】
0006963615.tif 000005
【図２Ａ】
0006963615.tif 000006
【図２Ｂ】
0006963615.tif 000007
【図３】
0006963615.tif 000008
【図４】
0006963615.tif 000009
【図５】
0006963615.tif 000010
【図６】
0006963615.tif 000011
【図７】
0006963615.tif 000012
【図８】
0006963615.tif 000013
【図９】
0006963615.tif 000014
【図１０】
0006963615.tif 000015
【図１１】
0006963615.tif 000016
【図１２】
0006963615.tif 000017
【図１３】
0006963615.tif 000018
【図１４】
0006963615.tif 000019
【図１５Ａ】
0006963615.tif 000020
【図１５Ｂ】
0006963615.tif 000021
【図１５Ｃ】
0006963615.tif 000022
【図１５Ｄ】
0006963615.tif 000023
【図１５Ｅ】
0006963615.tif 000024
【図１５Ｆ】
0006963615.tif 000025
【図１５Ｇ】
0006963615.tif 000026
【図１５Ｈ】
0006963615.tif 000027
【図１５Ｉ】
0006963615.tif 000028
【図１５Ｊ】
0006963615.tif 000029
【図１５Ｋ】
0006963615.tif 000030
【図１５Ｌ】
0006963615.tif 000031
【図１６】
0006963615.tif 000032
【図１７】
0006963615.tif 000033
【図１８Ａ】
0006963615.tif 000034
【図１８Ｂ】
0006963615.tif 000035
【図１８Ｃ】
0006963615.tif 000036
【図１８Ｄ】
0006963615.tif 000037
【図１８Ｅ】
0006963615.tif 000038
【図１８Ｆ】
0006963615.tif 000039
【図１８Ｇ】
0006963615.tif 000040
【図１８Ｈ】
0006963615.tif 000041
【図１８Ｉ】
0006963615.tif 000042
【図１８Ｊ】
0006963615.tif 000043
【図１８Ｋ】
0006963615.tif 000044
【図１８Ｌ】
0006963615.tif 000045
【図１９】
0006963615.tif 000046
【図２０】
0006963615.tif 000047
【図２１】
0006963615.tif 000048
【図２２Ａ】
0006963615.tif 000049
【図２２Ｂ】
0006963615.tif 000050
【図２３】
0006963615.tif 000051
【図２４】
0006963615.tif 000052
【図２５Ａ】
0006963615.tif 000053
【図２５Ｂ】
0006963615.tif 000054
【図２６Ａ】
0006963615.tif 000055
【図２６Ｂ】
0006963615.tif 000056
【図２６Ｃ】
0006963615.tif 000057
【図２６Ｄ】
0006963615.tif 000058
【図２６Ｅ】
0006963615.tif 000059
【図２６Ｆ】
0006963615.tif 000060
【図２６Ｇ】
0006963615.tif 000061
【図２６Ｈ】
0006963615.tif 000062
【図２６Ｉ】
0006963615.tif 000063
【図２６Ｊ】
0006963615.tif 000064
【図２６Ｋ】
0006963615.tif 000065
【図２６Ｌ】
0006963615.tif 000066
【図２７】
0006963615.tif 000067
【図２８】
0006963615.tif 000068
【図２９】
0006963615.tif 000069
【図３０】
0006963615.tif 000070
【図３１】
0006963615.tif 000071
【図３２】
0006963615.tif 000072
【図３３】
0006963615.tif 000073
【図３４】
0006963615.tif 000074
【図３５】
0006963615.tif 000075
【図３６】
0006963615.tif 000076
【図３７】
0006963615.tif 000077
【図３８】
0006963615.tif 000078
【図３９】
0006963615.tif 000079
【図４０】
0006963615.tif 000080
【図４１】
0006963615.tif 000081
【図４２】
0006963615.tif 000082
【図４３Ａ】
0006963615.tif 000083
【図４３Ｂ】
0006963615.tif 000084
【図４４Ａ】
0006963615.tif 000085
【図４４Ｂ】
0006963615.tif 000086
【図４５Ａ】
0006963615.tif 000087
【図４５Ｂ】
0006963615.tif 000088
【図４６Ａ】
0006963615.tif 000089
【図４６Ｂ】
0006963615.tif 000090
【図４７】
0006963615.tif 000091
【図４８Ａ】
0006963615.tif 000092
【図４８Ｂ】
0006963615.tif 000093
【図４８Ｃ】
0006963615.tif 000094
【図４８Ｄ】
0006963615.tif 000095
【図４８Ｅ】
0006963615.tif 000096
【図４９Ａ】
0006963615.tif 000097
【図４９Ｂ】
0006963615.tif 000098
【図５０】
0006963615.tif 000099
【図５１】
0006963615.tif 000100
【図５２Ａ】
0006963615.tif 000101
【図５２Ｂ】
0006963615.tif 000102
【図５２Ｃ】
0006963615.tif 000103
【図５２Ｄ】
0006963615.tif 000104
【図５２Ｅ】
0006963615.tif 000105
【図５３Ａ】
0006963615.tif 000106
【図５３Ｂ】
0006963615.tif 000107
【図５４Ａ】
0006963615.tif 000108
【図５４Ｂ】
0006963615.tif 000109
【図５４Ｃ】
0006963615.tif 000110
【図５４Ｄ】
0006963615.tif 000111
【図５５】
0006963615.tif 000112
【図５６】
0006963615.tif 000113
【図５７】
0006963615.tif 000114
【図５８Ａ】
0006963615.tif 000115
【図５８Ｂ】
0006963615.tif 000116
【図５９Ａ】
0006963615.tif 000117
【図５９Ｂ】
0006963615.tif 000118
【図６０】
0006963615.tif 000119
【図６１Ａ】
0006963615.tif 000120
【図６１Ｂ】
0006963615.tif 000121
【図６１Ｃ】
0006963615.tif 000122
【図６１Ｄ】
0006963615.tif 000123
【図６２Ａ】
0006963615.tif 000124
【図６２Ｂ】
0006963615.tif 000125
【図６２Ｃ】
0006963615.tif 000126
【図６２Ｄ】
0006963615.tif 000127
【図６３】
0006963615.tif 000128
【図６４】
0006963615.tif 000129
【図６５】
0006963615.tif 000130
【図６６Ａ】
0006963615.tif 000131
【図６６Ｂ】
0006963615.tif 000132
【図６７Ａ】
0006963615.tif 000133
【図６７Ｂ】
0006963615.tif 000134
【図６８】
0006963615.tif 000135
【図６９Ａ】
0006963615.tif 000136
【図６９Ｂ】
0006963615.tif 000137
【図６９Ｃ】
0006963615.tif 000138
【図６９Ｄ】
0006963615.tif 000139
【図７０Ａ】
0006963615.tif 000140
【図７０Ｂ】
0006963615.tif 000141
【図７０Ｃ】
0006963615.tif 000142
【図７０Ｄ】
0006963615.tif 000143
【図７１Ａ】
0006963615.tif 000144
【図７１Ｂ】
0006963615.tif 000145
【図７１Ｃ】
0006963615.tif 000146
【図７１Ｄ】
0006963615.tif 000147
【図７２Ａ】
0006963615.tif 000148
【図７２Ｂ】
0006963615.tif 000149
【図７２Ｃ】
0006963615.tif 000150
【図７２Ｄ】
0006963615.tif 000151
【図７３Ａ】
0006963615.tif 000152
【図７３Ｂ】
0006963615.tif 000153
【図７４Ａ】
0006963615.tif 000154
【図７４Ｂ】
0006963615.tif 000155
【図７５Ａ】
0006963615.tif 000156
【図７５Ｂ】
0006963615.tif 000157
【図７６】
0006963615.tif 000158
【図７７】
0006963615.tif 000159
【図７８】
0006963615.tif 000160
【図７９】
0006963615.tif 000161
【図８０】
0006963615.tif 000162
【図８１】
0006963615.tif 000163